(57)【特許請求の範囲】
【請求項１】
下りアクセス方式としてＯＦＤＭ（Orthogonal Frequency Division Multiplexing）方式を使用し、上りアクセス方式としてＳＣ−ＦＤＭＡ（Single Career Frequency Division Multiple Access）方式を用いる通信システムであって、移動端末に対して一対多型の放送通信サービスであるＭＢＭＳ（Multimedia Broadcast Multicast Service）を提供する放送型データ、前記移動端末に対する一対一型の個別通信データの通信を行うため、ＭＢＭＳ通信用のチャネル、個別通信用のチャネルが多重される複数のサブフレームを含み、かつシステムフレームナンバーにより識別される無線フレームを使用する通信システムにおいて、
前記通信システムは、移動端末が前記個別通信データを送受信可能なセルであるユニキャストセル、前記移動端末が前記放送型データの受信はできるが、前記個別通信データの送受信はできないＭＢＭＳ専用セル、前記ユニキャストセルと前記ＭＢＭＳ専用セルの双方のサービスを提供できるユニキャスト／ＭＢＭＳ混合セルの３種類のセルを備え、複数の前記ＭＢＭＳ専用セルが単一の周波数で互いに同期しているＭＢＳＦＮ（Multimedia Broadcast multicast Single Frequency Network）同期エリアを設けており、
前記無線フレームに含まれる複数のサブフレームのうち、ＭＢＭＳ通信に使用されるＭＢＳＦＮ（Multimedia Broadcast multicast service Single Frequency Network）サブフレームに、前記移動端末に前記個別通信データの着信が発生したことを通知するページング信号が含まれ、
ページング信号は、０からシステムフレームナンバーの最大値までの全ての無線フレームにマッピングされ、移動端末に送信されることを特徴とする通信システム。
【発明の詳細な説明】
【技術分野】
【０００１】
本発明は、基地局が複数の移動端末と無線通信を実施する移動体通信システムに関するものであり、特に放送型マルチメディアサービス（MBMS: Multimedia Broadcast Multicast Service）を移動端末に提供可能な移動体通信システムに関するものである。
【背景技術】
【０００２】
第３世代と呼ばれる通信方式のうち、Ｗ−ＣＤＭＡ（Wideband Code division Multiple Access）方式が２００１年から日本で商用サービスが開始されている。また、下りリンク（個別データチャネル、個別制御チャネル）にパケット伝送用のチャネル（HS-DSCH: High Speed-Downlink Shared Channel）を追加することにより、下りリンクを用いたデータ送信の更なる高速化を実現するＨＳＤＰＡ（High Speed Down Link Packet Access）のサービスが開始されている。さらに、上り方向のデータ送信をさらに高速化するためＨＳＵＰＡ（High Speed Up Link Packet Access）方式についても規格化されている。Ｗ−ＣＤＭＡは、移動体通信システムの規格化団体である３ＧＰＰ（3rd Generation Partnership Project）により定められた通信方式であり、リリース７版の規格書がとりまとめられている。
【０００３】
また、３ＧＰＰにおいて、Ｗ−ＣＤＭＡとは別の通信方式として、無線区間については「ロングタームエボリューション」（Long Term Evolution  LTE）、コアネットワークを含めたシステム全体構成については「システムアーキテクチャエボリューション」（System Architecture Evolution  SAE）と称される新たな通信方式が検討されている。ＬＴＥでは、アクセス方式、無線のチャネル構成やプロトコルが、現在のＷ−ＣＤＭＡ（HSDPA/HSUPA）とは全く異なるものになる。たとえば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing ）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４／３／５／１０／１５／２０ＭＨｚの中で基地局ごとに選択可能となっている。また、ＬＴＥでは、Ｗ−ＣＤＭＡのように回線交換を含まず、パケット通信方式のみになる。
【０００４】
ＬＴＥはＷ−ＣＤＭＡのコアネットワーク(GPRS)とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末（UE: User Equipment）と通信を行う基地局（Base station）はｅＮＢ（E-UTRAN NodeB）、複数の基地局と制御データやユーザデータのやり取りを行う基地局制御装置(Radio Network Controller)はＥＰＣ（Evolved Packet Core）（aGW: Access Gatewayと称されることもある)と称される。このＬＴＥの通信システムでは、yユニキャスト（Unicast）サービスとＥ-ＭＢＭＳサービス（Evolved Multimedia Broadcast Multicast Service）が提供される。Ｅ−ＭＢＭＳサービスとは、放送型マルチメディアサービスであり、単にＭＢＭＳと称される場合もある。複数の移動端末に対してニュースや天気予報や、モバイル放送など大容量放送コンテンツが送信される。これを１対多（Point to Multipoint）サービスともいう。
【０００５】
３ＧＰＰでの、ＬＴＥシステムにおける全体的なアーキテクチャ（Architecture）に関する現在の決定事項が、非特許文献１に記載されている。全体的なアーキテクチャ（非特許文献１  ４章）について図１を用いて説明する。図１は、ＬＴＥ方式の通信システムの構成を示す説明図である。図１において、移動端末１０１に対する制御プロトコル（例えばＲＲＣ（Radio Resource Management））とユーザプレイン（例えばPDCP: Packet Data Convergence Protocol、RLC: Radio Link Control、MAC: Medium Access Control、PHY: Physical layer）が基地局１０２で終端するなら、Ｅ−ＵＴＲＡＮ（Evolved Universal Terrestrial Radio Access）は１つあるいは複数の基地局１０２によって構成される。基地局１０２は、ＭＭＥ１０３（Mobility Management Entity）から通知されるページング信号（Paging Signaling、ページングメッセージ（paging messages）とも称される）のスケジューリング（Scheduling）及び送信を行う。基地局１０２はＸ２インタフェースにより、お互いに接続される。また基地局１０２は、Ｓ１インタフェースによりＥＰＣ（Evolved Packet Core）に接続される、より明確にはＳ１＿ＭＭＥインタフェースによりＭＭＥ１０３（Mobility Management Entity）に接続され、Ｓ１＿ＵインタフェースによりＳ−ＧＷ１０４（Serving Gateway）に接続される。ＭＭＥ１０３は、複数あるいは単数の基地局１０２へのページング信号の分配を行う。また、ＭＭＥ１０３は待受け状態（Idle State）のモビリティ制御（Mobility control）を行う。Ｓ−ＧＷ１０４はひとつまたは複数の基地局１０２とユーザデータの送受信を行う。
【０００６】
３ＧＰＰでの、ＬＴＥシステムにおけるフレーム構成に関する現在の決定事項が、非特許文献１（５章）に記載されている。図２を用いて説明する。図２はＬＴＥ方式の通信システムで使用される無線フレームの構成を示す説明図である。図２において、１つの無線フレーム（Radio frame）は１０ｍｓである。無線フレームは１０個の等しい大きさのサブフレーム（Sub-frame）に分割される。サブフレームは、２個の等しい大きさのスロット（slot）に分割される。フレーム毎に１番目（＃０）と６番目（＃５）のサブフレームに下り同期チャネル（Downlink Synchronization Channel: SCH）が含まれる。同期信号には第一同期チャネル（Primary Synchronization Channel: P-SCH）と第二同期チャネル（Secondary Synchronization Channel: S-SCH）がある。サブフレーム単位にてＭＢＳＦＮ（Multimedia Broadcast multicast service Single Frequency Network）用とＭＢＳＦＮ以外のチャネルの多重が行われる。以降、ＭＢＳＦＮ送信用のサブフレームをＭＢＳＦＮサブフレーム（MBSFN sub-frame）と称する。非特許文献２に、ＭＢＳＦＮサブフレームの割り当て時のシグナリング例が記載されている。図３は、ＭＢＳＦＮフレームの構成を示す説明図である。図３において、ＭＢＳＦＮフレーム（MBSFN frame）毎にＭＢＳＦＮサブフレームが割り当てられる。ＭＢＳＦＮフレームの集合（MBSFN frame Cluster）がスケジュールされる。ＭＢＳＦＮフレームの集合の繰り返し周期（Repetition Period）が割り当てられる。
【０００７】
３ＧＰＰでの、ＬＴＥシステムにおけるチャネル構成に関する現在の決定事項が、非特許文献１に記載されている。物理チャネル（Physical channel）について（非特許文献１  ５章）図４を用いて説明する。図４は、ＬＴＥ方式の通信システムで使用される物理チャネルを説明する説明図である。図４において、物理報知チャネル４０１（Physical Broadcast channel: PBCH）は基地局１０２から移動端末１０１へ送信される下りチャネルである。ＢＣＨトランスポートブロック（transport block）は４０ｍｓ間隔中の４個のサブフレームにマッピングされる。４０ｍｓタイミングの明白なシグナリングはない。物理制御チャネルフォーマットインジケータチャネル４０２（Physical Control format indicator channel: PCFICH）は基地局１０２から移動端末１０１へ送信される。ＰＣＦＩＣＨは、ＰＤＣＣＨｓのために用いるＯＦＤＭシンボルの数について基地局１０２から移動端末１０１へ通知する。ＰＣＦＩＣＨはサブフレーム毎に送信される。物理下り制御チャネル４０３（Physical downlink control channel: PDCCH）は基地局１０２から移動端末１０１へ送信される下りチャネルである。ＰＤＣＣＨは、リソース割り当て（allocation）、ＤＬ−ＳＣＨ（図５に示されるトランスポートチャネルの１つである下り共有チャネル）に関するＨＡＲＱ情報、ＰＣＨ（図５に示されるトランスポートチャネルの１つであるページングチャネル）を通知する。ＰＤＣＣＨは、上りスケジューリンググラント（Uplink Scheduling Grant）を運ぶ。ＰＤＣＣＨは、上り送信に対する応答信号であるＡＣＫ／Ｎａｃｋを運ぶ。物理下り共有チャネル４０４（Physical downlink shared channel: PDSCH）は、基地局１０２から移動端末１０１へ送信される下りチャネルである。ＰＤＳＣＨはトランスポートチャネルであるＤＬ-ＳＣＨ（下り共有チャネル）がマッピングされている。物理マルチキャストチャネル４０５（Physical multicast channel: PMCH）は基地局１０２から移動端末１０１へ送信される下りチャネルである。ＰＭＣＨはトランスポートチャネルであるＭＣＨ（マルチキャストチャネル）がマッピングされている。
【０００８】
物理上り制御チャネル４０６（Physical Uplink control channel: PUCCH）は移動端末１０１から基地局１０２へ送信される上りチャネルである。ＰＵＣＣＨは下り送信に対する応答信号（response）であるＡＣＫ／Ｎａｃｋを運ぶ。ＰＵＣＣＨはＣＱＩ（Channel Quality indicator）レポートを運ぶ。ＣＱＩとは受信したデータの品質、もしくは通信路品質を示す品質情報である。物理上り共有チャネル４０７（Physical Uplink shared channel: PUSCH）は移動端末１０１から基地局１０２へ送信される上りチャネルである。ＰＵＳＣＨはＵＬ−ＳＣＨ（図５に示されるトランスポートチャネルの１つである上り共有チャネル）がマッピングされている。物理ＨＡＲＱインジケータチャネル４０８（Physical Hybrid ARQ indicator channel: PHICH）は基地局１０２から移動端末１０１へ送信される下りチャネルである。ＰＨＩＣＨは上り送信に対する応答であるＡＣＫ／Ｎａｃｋを運ぶ。物理ランダムアクセスチャネル４０９（Physical random access  channel: PRACH）は移動端末１０１から基地局１０２へ送信される上りチャネルである。ＰＲＡＣＨはランダムアクセスプリアンブル（random access preamble）を運ぶ。
【０００９】
トランスポートチャネル（Transport channel）について（非特許文献１  ５章）図５を用いて説明する。図５は、ＬＴＥ方式の通信システムで使用されるトランスポートチャネルを説明する説明図である。図５Ａには下りトランスポートチャネルと下り物理チャネル間のマッピングを示す。図５Ｂには上りトランスポートチャネルと上り物理チャネル間のマッピングを示す。下りトランスポートチャネルについて報知チャネル（Broadcast channel: BCH）はその基地局（セル）全体に報知される。ＢＣＨは物理報知チャネル（PBCH）にマッピングされる。下り共有チャネル（Downlink Shared channel: DL-SCH）には、ＨＡＲＱ（Hybrid ARQ）による再送制御が適用される。基地局（セル）全体への報知が可能である。ダイナミックあるいは準静的（Semi-static）なリソース割り当てをサポートする。準静的なリソース割り当ては，パーシステントスケジューリング（Persistent Scheduling）とも言われる。移動端末の低消費電力化のために移動端末のＤＲＸ（Discontinuous reception）をサポートする。ＤＬ−ＳＣＨは物理下り共有チャネル（PDSCH）へマッピングされる。ページングチャネル（Paging channel: PCH）は移動端末の低消費電力を可能とするために移動端末のＤＲＸをサポートする。基地局（セル）全体への報知が要求される。動的にトラフィックに利用できる物理下り共有チャネル（PDSCH）のような物理リソース、あるいは他の制御チャネルの物理下り制御チャネル（PDCCH）のような物理リソースへマッピングされる。マルチキャストチャネル（Multicast channel: MCH）は基地局（セル）全体への報知に使用される。マルチセル送信におけるＭＢＭＳサービス（MTCHとMCCH）のＳＦＮ合成をサポートする。準静的なリソース割り当てをサポートする。ＭＣＨはＰＭＣＨへマッピングされる。
【００１０】
上り共有チャネル（Uplink Shared channel: UL-SCH）にはＨＡＲＱ（Hybrid ARQ）による再送制御が適用される。ダイナミックあるいは準静的（Semi-static）なリソース割り当てをサポートする。ＵＬ−ＳＣＨは物理上り共有チャネル（PUSCH）へマッピングされる。図５Ｂに示されるランダムアクセスチャネル（Random access channel: RACH）は制御情報に限られている。衝突のリスクがある。ＲＡＣＨは物理ランダムアクセスチャネル（PRACH）へマッピングされる。ＨＡＲＱについて説明する。
【００１１】
ＨＡＲＱとは自動再送（Automatic Repeat reQuest）と誤り訂正（Forward Error Correction）との組み合わせにより伝送路の通信品質を向上させる技術である。通信品質が変化する伝送路に対しても再送により誤り訂正が有効に機能するという利点がある。特に再送にあたって初送の受信結果と再送の受信結果の合成をすることで更なる品質向上を得ることも可能である。再送の方法の一例を説明する。受信側にて受信データが正しくデコード出来なかった場合（CRC Cyclic Redundancy Check エラーが発生した場合（CRC=NG））、受信側から送信側へ「Ｎａｃｋ」を送信する。「Ｎａｃｋ」を受信した送信側はデータを再送する。受信側にて受信データが正しくデコードできた場合（CRCエラーが発生しない場合（CRC=OK））、受信側から送信側へ「Ａｃｋ」を送信する。「Ａｃｋ」を受信した送信側は次のデータを送信する。ＨＡＲＱ方式の一例として「チェースコンバイニング」（Chase Combining）がある。チェースコンバイニングとは初送と再送に同じデータ系列を送信するもので、再送において初送のデータ系列と再送のデータ系列の合成を行うことで利得を向上させる方式である。これは初送データに誤りがあったとしても部分的に正確なものも含まれており、正確な部分の初送データと再送データとを合成することでより高精度にデータを送信できるという考え方に基づいている。また、ＨＡＲＱ方式の別の例としてＩＲ（Incremental Redundancy）がある。ＩＲとは冗長度を増加させるものであり、再送においてパリティビットを送信することで初送と組み合わせて冗長度を増加させ、誤り訂正機能により品質を向上させるものである。
【００１２】
論理チャネル（Logical channel）について（非特許文献１  ６章）図６を用いて説明する。図６は、ＬＴＥ方式の通信システムで使用される論理チャネルを説明する説明図である。図６Ａには下りロジカルチャネルと下りトランスポートチャネル間のマッピングを示す。図６Ｂには上りロジカルチャネルと上りトランスポートチャネル間のマッピングを示す。報知制御チャネル（Broadcast control channel: BCCH）は報知システム制御情報のための下りチャネルである。論理チャネルであるＢＣＣＨはトランスポートチャネルである報知チャネル(BCH)、あるいは下り共有チャネル（DL-SCH）へマッピングされる。ページング制御チャネル（Paging control channel: PCCH）はページング信号を送信するための下りチャネルである。ＰＣＣＨは移動端末のセルロケーションをネットワークが知らない場合に用いられる。論理チャネルであるＰＣＣＨはトランスポートチャネルであるページングチャネル(PCH)へマッピングされる。共有制御チャネル（Common control channel: CCCH）は移動端末と基地局間の送信制御情報のためのチャネルである。ＣＣＣＨは移動端末がネットワークとの間でＲＲＣ接続（connection）を持っていない場合に用いられる。ＣＣＣＨを下りに設けるかは現時点で決まっていない。上り方向では、ＣＣＣＨはトランスポートチャネルである上り共有チャネル(UL-SCH)へマッピングされる。
【００１３】
マルチキャスト制御チャネル（Multicast control channel: MCCH）は１対多の送信のための下りチャネルである。ネットワークから移動端末への１つあるいはいくつかのＭＴＣＨ用のＭＢＭＳ制御情報の送信のために用いられるチャネルである。ＭＣＣＨはＭＢＭＳ受信中の移動端末のみに用いられるチャネルである。ＭＣＣＨはトランスポートチャネルである下り共有チャネル(DL-SCH)あるいはマルチキャストチャネル（MCH）へマッピングされる。個別制御チャネル（Dedicated control channel: DCCH）は移動端末とネットワーク間の個別制御情報を送信するチャネルである。ＤＣＣＨは上りでは上り共有チャネル（UL-SCH）へマッピングされ、下りでは下り共有チャネル(DL-SCH)にマッピングされる。個別トラフィックチャネル（Dedicate Traffic channel: DTCH）はユーザ情報の送信のための個別移動端末への１対１通信のチャネルである。ＤＴＣＨは上り・下りともに存在する。ＤＴＣＨは上りでは上り共有チャネル(UL-SCH)へマッピングされ、下りでは下り共有チャネル（DL-SCH）へマッピングされる。マルチキャストトラフィックチャネル（Multicast Traffic channel: MTCH）はネットワークから移動端末へのトラフィックデータ送信のための下りチャネルである。ＭＴＣＨはＭＢＭＳ受信中の移動端末のみに用いられるチャネルである。ＭＴＣＨは下り共有チャネル(DL-SCH)あるいはマルチキャストチャネル(MCH)へマッピングされる。
【００１４】
３ＧＰＰでの、Ｅ−ＭＢＭＳサービスに関する現在の決定事項が、非特許文献１に記載されている。Ｅ−ＭＢＭＳに関する言葉の定義（非特許文献１  １５章）について、図７を用いて説明する。図７は、ＭＢＳＦＮ同期エリアとＭＢＳＦＮエリアとの関係を説明する説明図である。図７において、ＭＢＳＦＮ同期エリア７０１（Multimedia Broadcast multicast service Single Frequency Network Synchronization Area）とは、すべての基地局が同期し、ＭＢＳＦＮ（Multimedia Broadcast Multicast service Single Frequency Network）送信を実行することができるネットワークの領域のことである。ＭＢＳＦＮ同期エリアは１つ以上のＭＢＳＦＮエリア（MBSFN Areas）７０２を含む。１つの周波数レイヤ（frequency layer）では、基地局は１つのＭＢＳＦＮ同期エリアにしか属すことができない。ＭＢＳＦＮエリア７０２（MBSFN Area）は、ネットワークのＭＢＳＦＮ同期エリアに含まれる基地局（セル）のグループから構成される。ＭＢＳＦＮ同期エリア中の基地局（セル）は複数のＭＢＳＦＮエリアを構成することもある。
【００１５】
Ｅ−ＭＢＭＳの論理構造（Logical Architecture）について（非特許文献１  １５章）図８を用いて説明する。図８は、Ｅ−ＭＢＭＳの論理構造（Logical Architecture）を説明する説明図である。図８において、マルチセル／マルチキャスト調整エンティティ８０１（Multi-cell/multicast Coordination Entity: MCE）とは論理エンティティである。ＭＣＥ８０１は、マルチセルＭＢＭＳ送信（multi-cell MBMS transmission）を行うため、ＭＢＳＦＮエリア中の全ての基地局に対する無線リソースの割り当てを行う。ＭＣＥ８０１は時間あるいは／かつ周波数の無線リソースの割り当て以外に、無線構造の詳細（例えば、変調方式、コードなど）についての決定を行う。Ｅ−ＭＢＭＳゲートウェイ８０２（MBMS GW）とは論理エンティティである。Ｅ−ＭＢＭＳゲートウェイ８０２はｅＢＭＳＣと基地局間に位置し、主要な機能は、サービスを各基地局へＳＹＮＣプロトコルにてＭＢＭＳサービスを送信／放送することである。Ｍ３インタフェースとは、ＭＣＥ８０１とＥ−ＭＢＭＳゲートウェイ８０２間の制御インタフェース（Control Plane Interface）である。Ｍ２インタフェースとは、ＭＣＥ８０１とｅＮＢ１０２間の制御インタフェースである。Ｍ１インタフェースとは、Ｅ−ＭＢＭＳゲートウェイ８０２とｅＮＢ１０２間のユーザデータインタフェース（User Plane Interface）である。
【００１６】
Ｅ−ＭＢＭＳのアーキテクチャ（Architecture）について（非特許文献１  １５章）説明する。図９は、Ｅ−ＭＢＭＳのアーキテクチャ（Architecture）を説明する説明図である。Ｅ−ＭＢＭＳのアーキテクチャについては、図９Ａ、Ｂに示すように２つが考えられている。ＭＢＭＳのセルについて（非特許文献１  １５）説明する。ＬＴＥシステムでは、ＭＢＭＳ専用セル（基地局）（MBMS-dedicated cell）とＭＢＭＳとユニキャストの両方のサービスを実行できるＭＢＭＳ／ユニキャスト混合セル(MBMS/ Unicast -mixed cell)がある。ＭＢＭＳ専用セルについて説明する。ＭＢＭＳ専用セルがＭＢＭＳ送信専用の周波数レイヤに属する場合の特徴を以下に述べる。以降にて、ＭＢＭＳ送信専用の周波数レイヤは、ＭＢＭＳ専用セルの周波数レイヤとも称する。ともに下り論理チャネルであるＭＴＣＨ（マルチキャストトラヒックチャネル）とＭＣＣＨ（マルチキャスト制御チャネル）は、１対多送信にて下りトランスポートチャネルであるＭＣＨ（マルチキャストチャネル）あるいはＤＬ−ＳＣＨ（下り共有チャネル）にマッピングされる。ＭＢＭＳ専用セルにおいて上りリンクは存在しない。また、ＭＢＭＳ専用セル内でユニキャストデータの送受信はできない。また、カウンティングメカニズムも設定されない。ＭＢＭＳ送信専用の周波数レイヤでページング信号（Paging messages）を設けるかは未定である。
【００１７】
次にＭＢＭＳ／ユニキャスト混合セルについて説明する。ＭＢＭＳ／ユニキャスト混合セルがＭＢＭＳ送信専用の周波数レイヤに属さない場合の特徴を以下に述べる。ＭＢＭＳ送信専用の周波数レイヤ以外の周波数レイヤを「ユニキャスト／ミクスド周波数レイヤ」と称する。ともに下り論理チャネルであるＭＴＣＨとＭＣＣＨは、１対多送信にて下り論理チャネルであるＭＣＨあるいはＤＬ−ＳＣＨにマッピングされる。ＭＢＭＳ／ユニキャスト混合セルではユニキャストデータとＭＢＭＳデータの両方の送信が可能である。
【００１８】
ＭＢＭＳ送信について（非特許文献１  １５章）説明する。ＬＴＥシステムでのＭＢＭＳ送信は、シングルセル送信（Single-cell transmission: SC送信）とマルチセル送信（multi-cell transmission: MC送信）をサポートする。シングルセル送信ではＳＦＮ（Single frequency Network）オペレーションをサポートしない。また、マルチセル送信ではＳＦＮオペレーションをサポートする。ＭＢＳＦＮ(Multimedia Broadcast multicast service Single Frequency Network)エリアにてＭＢＭＳの送信は同期している。マルチセル送信におけるＭＢＭＳサービス（MTCHとMCCH）のＳＦＮ合成（Combining）がサポートされる。ＭＴＣＨとＭＣＣＨは１対多送信にてＭＣＨにマッピングされる。スケジューリングはＭＣＥによって行われる。
【００１９】
マルチキャスト制御チャネル(MCCH)構造（Structure）について（非特許文献  １５章）説明する。下り論理チャネルである報知制御チャネル(BCCH)は１つあるいは２つのプライマリマルチキャスト制御チャネル（Primary MCCH:P-MCCH）のスケジューリングを示す。シングルセル送信用のＰ−ＭＣＣＨはＤＬ−ＳＣＨ（下り共有チャネル）にマッピングされる。また、マルチセル送信用のＰ−ＭＣＣＨはＭＣＨ（マルチキャストチャネル）にマッピングされる。ＭＣＨ上にセカンダリマルチキャスト制御チャネル（Secondary MCCH:S-MCCH）がマッピングされた場合、プライマリマルチキャスト制御チャネル（P-MCCH）を用いてセカンダリマルチキャスト制御チャネル（S-MCCH）のアドレスを示すことができる。報知制御チャネル（BCCH）はプライマリマルチキャスト制御チャネル（P-MCCH）のリソースを示すが、入手可能なサービスを示すことはない。
【００２０】
３ＧＰＰでの、ページングに関する現在の決定事項が、非特許文献１（10章）に記載されている。ページンググループは、Ｌ１／Ｌ２シグナリングチャネル（PDCCH）を用いる。移動端末の明確な識別子（UE-ID）はページングチャネル(PCH)上で確認することが出来る。
【００２１】
【非特許文献１】３ＧＰＰ  ＴＳ３６．３００  Ｖ８．２．０
【００２２】
【非特許文献２】３ＧＰＰ  Ｒ１−０７２９６３
【発明の開示】
【発明が解決しようとする課題】
【００２３】
発明が解決しようとする第一の課題について説明する。非特許文献１において、ＭＢＭＳ送信専用の周波数レイヤでページング信号が存在するかは決まっていない。よってＭＢＭＳ送信専用の周波数レイヤでＭＢＭＳサービスを受信している移動端末に対するページング信号の通知方法、移動体通信システムについても確定していない。本発明では、ＭＢＭＳ送信専用の周波数レイヤでＭＢＭＳサービスを受信している移動端末に対するページング信号の通知方法、移動体通信システムについて開示することを目的とする。
【００２４】
また、発明が解決しようとする第二の課題について説明する。ＭＢＭＳ送信専用の周波数レイヤにてページング信号を送信する場合、ページング信号を受信した移動端末は応答する必要がある。しかし、ＭＢＭＳ専用セルには上りリンクは存在しない。よって移動端末はユニキャストセルあるいはＭＢＭＳ／ユニキャスト混合セルに対して、ページング信号に対する応答を送信する必要がある。本発明では、ページング信号を受信した移動端末がユニキャストセルあるいはＭＢＭＳ／ユニキャスト混合セルへページング信号に対する応答を送信する方法、及びそのための移動体通信システムについて開示することを目的とする。
【００２５】
また、発明が解決しようとする第三の課題について説明する。ＭＢＭＳ送信専用の周波数レイヤではない周波数（ユニキャスト／混合周波数レイヤ）にて待受け状態（Idle State）にある移動端末においても、ページングメッセージの通知方法の詳細は確立されていない。非特許文献１において、ＰＣＨがＰＤＳＣＨあるいはＰＤＣＣＨにマッピングされることが開示されている。また非特許文献１において、ページンググループはＬ１／Ｌ２シグナリングチャネル（PDCCH）を用いること、及び移動端末の明確な識別子（UE-ID）はＰＣＨ上で見つけることが出来ることが開示されている。一方、移動端末がどのようにページンググループに分けられ、どのようにＰＣＨが通知されるのかの開示はない。また移動端末がどのように待受け状態にて間欠受信するかの開示もない。本発明ではユニキャスト／混合周波数レイヤにて待ちうけ状態にある移動端末へのページング信号の通知方法の詳細、及びそのための移動体通信システムについて開示することを目的とする。
【００２６】
また、発明が解決しようとする第四の課題について説明する。非特許文献１において、ＭＢＭＳ送信専用の周波数レイヤの存在、及びＭＢＭＳ専用セルの存在や特徴については開示されている。一方、移動端末がＭＢＭＳ送信専用の周波数レイヤに移動する方法や所望のサービスを選択するまでの方法などの開示はない。さらには、ＭＢＭＳ送信専用の周波数レイヤにおいて、複数のＭＢＳＦＮエリアの存在が議論されているが、ＭＢＳＦＮエリアの多重方法の開示はない。本発明では、ＭＢＳＦＮエリアの多重方法について開示することを目的とする。さらには、多重方法に沿った、ＭＢＭＳ送信専用の周波数レイヤにて所望のサービスを選択するまでの方法、及びそのための移動体通信システムについて開示することを目的とする。
【課題を解決するための手段】
【００２７】
本発明は、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用い、移動端末に対して一対多型の放送通信サービスであるＭＢＭＳ（Multimedia Broadcast Multicast Service）を提供する放送型データ、前記移動端末に対する一対一型の個別通信データの通信を行うため、ＭＢＭＳ通信用のチャネル、個別通信用のチャネルが多重される複数のサブフレームを含み、かつシステムフレームナンバーにより識別される無線フレームを使用する移動体通信システムにおいて、移動端末が前記個別通信データを送受信可能なセルであるユニキャストセル、前記移動端末が前記放送型データの受信はできるが、前記個別通信データの送受信はできないＭＢＭＳ専用セル、前記ユニキャストセルと前記ＭＢＭＳ専用セルの双方のサービスを提供できるユニキャスト／ＭＢＭＳ混合セルの３種類のセルを備え、複数のＭＢＭＳ専用セルが単一の周波数で互いに同期しているＭＢＳＦＮ（Multimedia Broadcast multicast Single Frequency Network）同期エリアを設けており、無線フレームに含まれる複数のサブフレームのうち、ＭＢＭＳ通信に使用されるＭＢＳＦＮ（Multimedia Broadcast multicast service Single Frequency Network）サブフレームに、移動端末に個別通信データの着信が発生したことを通知するページング信号が含まれるものである。
【発明の効果】
【００２８】
本発明は、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用い、移動端末に対して一対多型の放送通信サービスであるＭＢＭＳ（Multimedia Broadcast Multicast Service）を提供する放送型データ、前記移動端末に対する一対一型の個別通信データの通信を行うため、ＭＢＭＳ通信用のチャネル、個別通信用のチャネルが多重される複数のサブフレームを含み、かつシステムフレームナンバーにより識別される無線フレームを使用する移動体通信システムにおいて、移動端末が前記個別通信データを送受信可能なセルであるユニキャストセル、前記移動端末が前記放送型データの受信はできるが、前記個別通信データの送受信はできないＭＢＭＳ専用セル、前記ユニキャストセルと前記ＭＢＭＳ専用セルの双方のサービスを提供できるユニキャスト／ＭＢＭＳ混合セルの３種類のセルを備え、複数のＭＢＭＳ専用セルが単一の周波数で互いに同期しているＭＢＳＦＮ（Multimedia Broadcast multicast Single Frequency Network）同期エリアを設けており、無線フレームに含まれる複数のサブフレームのうち、ＭＢＭＳ通信に使用されるＭＢＳＦＮ（Multimedia Broadcast multicast service Single Frequency Network）サブフレームに、移動端末に前記個別通信データの着信が発生したことを通知するページング信号が含まれるので、ＭＢＭＳ送信専用セルよりＭＢＭＳサービスを提供されている移動端末にページング信号を送信することができる。
【発明を実施するための最良の形態】
【００２９】
実施の形態１．
図１０は、本発明に係る移動体通信システムの全体的な構成を示すブロック図である。図１０において、移動端末１０１は基地局１０２と制御データ（C-plane）、ユーザデータ（U-plane）の送受信を行う。基地局１０２は、ユニキャストの送受信のみ扱うユニキャストセル１０２−１、ユニキャストとＭＢＭＳサービス（ＭＴＣＨとＭＣＣＨ）の送受信を扱う混合セル１０２―２、ＭＢＭＳサービスの送受信のみを扱うＭＢＭＳ専用セル１０１−３に分類される。ユニキャストの送受信を扱うユニキャストセル１０２−１とＭＢＭＳ／ユニキャスト混合セル（混合セル、ミクスドセル）１０２−２は、ＭＭＥ１０３とインタフェースＳ１＿ＭＭＥにより接続される。更にユニキャストの送受信を扱うユニキャストセル１０２−１と混合セル１０２−２は、ユニキャストのユーザデータの送受信のためにＳ−ＧＷ１０４とインタフェースＳ１＿Ｕにより接続される。ＭＭＥ１０３はインタフェースＳ１１によりＰＤＮＧＷ（Packet Data Network Gateway）９０２と接続される。ＭＣＥ８０１は、マルチセル（MC）送信を行うため、ＭＢＳＦＮエリア中の全ての基地局１０２に対して無線リソースの割り当てを行う。例えば１つあるいは複数のＭＢＭＳ／ユニキャスト混合セル１０２−２にて構成されるＭＢＳＦＮエリア＃１と１つあるいは複数のＭＢＭＳ専用セル１０１−３にて構成されるＭＢＳＦＮエリア＃２が存在した場合を考える。ＭＢＭＳ／ユニキャスト混合セル１０２−２はＭＢＳＦＮエリア＃１中の全ての基地局のための無線リソースを割り当てるＭＣＥ８０１―１とインタフェースＭ２で接続される。またＭＢＭＳ専用セル１０２―３はＭＢＳＦＮエリア＃２中の全ての基地局のための無線リソースを割り当てるＭＣＥ８０１―２とインタフェースＭ２で接続される。
【００３０】
ＭＢＭＳ  ＧＷ８０２は制御データを取り扱うＭＢＭＳ  ＣＰ８０２―１とユーザデータを取り扱うＭＢＭＳ  ＵＰ８０２―２に分類できる。ＭＢＭＳ／ユニキャスト混合セル１０２―２及びＭＢＭＳ専用セル１０２―３は、ＭＢＭＳ関連の制御データの送受信のためにインタフェースＭ１にてＭＢＭＳ  ＣＰ８０２―１と接続される。また、ＭＢＭＳ／ユニキャスト混合セル１０２―２及びＭＢＭＳ専用セル１０２―３は、ＭＢＭＳ関連のユーザデータの送受信のためにインタフェースＭ１＿ＵにてＭＢＭＳ  ＵＰ８０２―２と接続される。ＭＣＥ８０１はＭＢＭＳ関連の制御データの送受信のためにインタフェースＭ３にてＭＢＭＳ  ＣＰ８０２―１と接続される。ＭＢＭＳ  ＵＰ８０２―２はインタフェースＳＧｉｍｂにてｅＢＭＳＣ９０１と接続される。ＭＢＭＳ  ＧＷ８０２はインタフェースＳＧｍｂにてｅＢＭＳＣ９０１と接続される。ｅＢＭＳＣ９０１はコンテンツプロバイダと接続される。また、ｅＢＭＳＣ９０１はインタフェースＳＧｉにてＰＤＮＧＷ９０２と接続される。ＭＣＥ８０１は新たなインタフェースであるＭＭＥ―ＭＣＥ間インターフェース（ＩＦ）にてＭＭＥ１０３と接続される。
【００３１】
図１１は、本発明で用いる移動端末１０１の構成を示すブロック図である。図１１において、移動端末１０１の送信処理は以下のとおり実行される。まず、プロトコル処理部１１０１からの制御データ、アプリケーション部１１０２からのユーザデータが送信データバッファ部１１０３へ保存される。送信データバッファ部１１０３に保存されたデータはエンコーダー部１１０４へ渡され、誤り訂正などのエンコード処理が施される。エンコード処理を施さずに送信データバッファ部１１０３から変調部１１０５へ直接出力されるデータが存在しても良い。エンコーダー部１１０４でエンコード処理されたデータは変調部１１０５にて変調処理が行われる。変調されたデータはベースバンド信号に変換された後、周波数変換部１１０６へ出力され、無線送信周波数に変換される。その後、アンテナ１１０７から基地局１０２に送信信号が送信される。また、移動端末１０１の受信処理は以下のとおり実行される。基地局１０２からの無線信号がアンテナ１１０７により受信される。受信信号は、周波数変換部１１０６にて無線受信周波数からベースバンド信号に変換され、復調部１１０８において復調処理が行われる。復調後のデータはデコーダー部１１０９へ渡され、誤り訂正などのデコード処理が行われる。デコードされたデータのうち、制御データはプロトコル処理部１１０１へ渡され、ユーザデータはアプリケーション部１１０２へ渡される。移動端末の一連の処理は制御部１１１０によって制御される。よって制御部１１１０は、図面では省略しているが、各部（１１０１〜１１０９）と接続している。
【００３２】
図１２は、基地局１０２の構成を示すブロック図である。基地局１０２の送信処理は以下のとおり実行される。ＥＰＣ通信部１２０１は、基地局１０２とＥＰＣ（MME103及びS-GW104）間のデータの送受信を行う。他基地局通信部１２０２は、他の基地局との間のデータの送受信を行う。ＥＰＣ通信部１２０１、他基地局通信部１２０２はそれぞれプロトコル処理部１２０３と情報の受け渡しを行う。プロトコル処理部１２０３からの制御データ、またＥＰＣ通信部１２０１と他基地局通信部１２０２からのユーザデータ及び制御データが送信データバッファ部１２０４へ保存される。送信データバッファ部１２０４に保存されたデータはエンコーダー部１２０５へ渡され、誤り訂正などのエンコード処理が施される。エンコード処理を施さずに送信データバッファ部１２０４から変調部１２０６へ直接出力されるデータが存在しても良い。エンコードされたデータは変調部１２０６にて変調処理が行われる。変調されたデータはベースバンド信号に変換された後、周波数変換部１２０７へ出力され、無線送信周波数に変換される。その後、アンテナ１２０８より一つもしくは複数の移動端末１０１に対して送信信号が送信される。また、基地局１０２の受信処理は以下のとおり実行される。ひとつもしくは複数の移動端末１０１からの無線信号がアンテナ１２０８により受信される。受信信号は周波数変換部１２０７にて無線受信周波数からベースバンド信号に変換され、復調部１２０９で復調処理が行われる。復調されたデータはデコーダー部１２１０へ渡され、誤り訂正などのデコード処理が行われる。デコードされたデータのうち、制御データはプロトコル処理部１２０３あるいはＥＰＣ通信部１２０１、他基地局通信部１２０２へ渡され、ユーザデータはＥＰＣ通信部１２０１、他基地局通信部１２０２へ渡される。基地局１０２の一連の処理は制御部１２１１によって制御される。よって制御部１２１１は図面では省略しているが各部（1201〜1210）と接続している。
【００３３】
図１３は、ＭＭＥ(Mobility Management Entity)の構成を示すブロック図である。ＰＤＮ  ＧＷ通信部１３０１はＭＭＥ１０３とＰＤＮ  ＧＷ９０２間のデータの送受信を行う。基地局通信部１３０２はＭＭＥ１０３と基地局１０２間をＳ１＿ＭＭＥインタフェースによるデータの送受信を行う。ＰＤＮ  ＧＷ９０２から受信したデータがユーザデータであった場合、ユーザデータはＰＤＮ  ＧＷ通信部１３０１からユーザプレイン処理部１３０３経由で基地局通信部１３０２に渡され、１つあるいは複数の基地局１０２へ送信される。基地局１０２から受信したデータがユーザデータであった場合、ユーザデータは基地局通信部１３０２からユーザプレイン処理部１３０３経由でＰＤＮ  ＧＷ通信部１３０１に渡され、ＰＤＮ  ＧＷ９０２へ送信される。
【００３４】
ＭＣＥ通信部１３０４はＭＭＥ１０３とＭＣＥ８０１間をＭＭＥ―ＭＣＥ間ＩＦによるデータの送受信を行う。ＰＤＮ  ＧＷ９０２から受信したデータが制御データであった場合、制御データはＰＤＮ  ＧＷ通信部１３０１から制御プレイン制御部１３０５へ渡される。基地局１０２から受信したデータが制御データであった場合、制御データは基地局通信部１３０２から制御プレイン制御部１３０５へ渡される。ＭＣＥ８０１から受信した制御データはＭＣＥ通信部１３０４から制御プレイン制御部１３０５へ渡される。制御プレイン制御部１３０５での処理の結果は、ＰＤＮ  ＧＷ通信部１３０１経由でＰＤＮ  ＧＷ９０２へ送信され、また基地局通信部１３０２経由でＳ１＿ＭＭＥインタフェースにより１つあるいは複数の基地局１０２へ送信され、またＭＣＥ通信部１３０４経由でＭＭＥ―ＭＣＥ間ＩＦにより１つあるいは複数のＭＣＥ８０１へ送信される。制御プレイン制御部１３０５には、ＮＡＳセキュリティ部１３０５−１、ＳＡＥベアラコントロール部１３０５−２、アイドルステート（Idle State）モビリティ管理部１３０５―３などが含まれ、制御プレインに対する処理全般を行う。ＮＡＳセキュリティ部１３０５―１はＮＡＳ（Non-Access Stratum）メッセージのセキュリティなどを行う。ＳＡＥベアラコントロール部１３０５―２はＳＡＥ（System Architecture Evolution）のベアラの管理などを行う。アイドルステートモビリティ管理部１３０５―３は、待受け（LTE‐IDLE状態、単にアイドルとも称される）状態のモビリティ管理、待受け状態時のページング信号の生成及び制御、傘下の１つあるいは複数の移動端末１０１のトラッキングエリア（TA）の追加、削除、更新、検索、トラッキングエリアリスト（TA List）管理などを行う。ＭＭＥはＵＥが登録されている（registered）追跡領域（トラッキングエリア：tracking Area:TA）に属するセルへページングメッセージを送信することで、ページングプロトコルに着手する。ＭＭＥ１０３の一連の処理は制御部１３０６によって制御される。よって制御部１３０６は図面では省略しているが各部（1301〜1305）と接続している。
【００３５】
図１４は、ＭＣＥ（Multi-cell/multicast Coordination Entity）の構成を示すブロック図である。ＭＢＭＳ  ＧＷ通信部１４０１はＭＣＥ８０１とＭＢＭＳ  ＧＷ８０２間をＭ３インタフェースによる制御データの送受信を行う。基地局通信部１４０２はＭＣＥ８０１と基地局１０２間をＭ２インタフェースによる制御データの送受信を行う。ＭＭＥ通信部１４０３はＭＣＥ８０１とＭＭＥ１０３間をＭＭＥ―ＭＣＥ間ＩＦによる制御データの送受信を行う。ＭＣ送信スケジューラ部１４０４は、ＭＢＭＳ  ＧＷ通信部１４０１経由で渡されたＭＢＭＳ  ＧＷ８０２からの制御データと、基地局通信部１４０２経由で渡されたＭＢＳＦＮ（Multimedia Broadcast multicast service Single Frequency Network）エリア内の基地局１０２からの制御データと、ＭＭＥ通信部１４０３経由で渡されたＭＭＥ１０３からの制御データを用いて、自分が管理している１つあるいは複数のＭＢＳＦＮエリアのマルチセル送信のスケジューリングを行う。スケジューリングの一例としては基地局の無線リソース（時間、周波数など）、無線構造（変調方式、コードなど）などが挙げられる。マルチセル送信のスケジューリング結果は、基地局通信部１４０２に渡され、ＭＢＳＦＮエリア内の１つあるいは複数の基地局１０２へ送信される。ＭＣＥ８０１の一連の処理は制御部１４０５によって制御される。よって制御部１４０５は図面では省略しているが各部（１４０１〜１４０４）と接続している。
【００３６】
図１５はＭＢＭＳゲートウェイの構成を示すブロック図である。図１５において、ＭＢＭＳ  ＧＷ８０２のｅＢＭＳＣ通信部１５０１は、ＭＢＭＳ  ＧＷ８０２とｅＢＭＳＣ９０１間のデータ（ユーザデータ、制御データ）の送受信を行う。ＭＣＥ通信部１５０２はＭＢＭＳ  ＧＷ８０２とＭＣＥ８０１間をＭ３インタフェースによる制御データの送受信を行う。ｅＢＭＳＣ９０１から受信した制御データは、ｅＢＭＳＣ通信部１５０１経由で、ＭＢＭＳ  ＣＰ部１５０３に渡り、ＭＢＭＳ  ＣＰ部１５０３での処理後、ＭＣＥ通信部１５０２経由で、１つあるいは複数のＭＣＥ８０１へ送信される。ＭＣＥ８０１から受信した制御データは、ＭＣＥ通信部１５０２経由で、ＭＢＭＳ  ＣＰ部１５０３に渡り、ＭＢＭＳ  ＣＰ部１５０３での処理後、ｅＢＭＳＣ通信部１５０１経由で、ｅＢＭＳＣ９０１または／かつＭＣＥ８０１へ送信される。基地局通信部１５０４はＭＢＭＳ  ＧＷ８０２と１つあるいは複数の基地局へＭ１＿Ｕインタフェースによるユーザデータ（トラヒックデータとも称される）の送信を行う。ｅＢＭＳＣ９０１から受信したユーザデータは、ｅＢＭＳＣ通信部１５０１経由で、ＭＢＭＳ  ＵＰ部１５０５に渡り、ＭＢＭＳ  ＵＰ部１５０５での処理後、基地局通信部１５０４経由で、１つあるいは複数の基地局１０２へ送信される。ＭＢＭＳ  ＣＰ部１５０３とＭＢＭＳ  ＵＰ部１５０５は接続している。ＭＢＭＳ  ＧＷ８０２の一連の処理は制御部１５０６によって制御される。よって制御部１５０６は図面では省略しているが各部（１５０１〜１５０６）と接続している。
【００３７】
次に図１６に本発明にかかる移動体通信システムとしての処理の流れの一例を示す。図１６は、ＬＴＥ方式の通信システムにおいて移動端末がＭＢＭＳの利用開始から利用修了までの処理の概略を示すフローチャートである。図１６のステップＳＴ１６０１にて移動端末は、ＭＢＭＳ／ユニキャスト混合セルでのサービングセルのセルセレクションを行う。以降、ステップ１６０１の処理を「ユニキャスト側セルセレクション」と称する。ステップＳＴ１６０１−１にてネットワーク側は移動端末に対して「受信可能なＭＢＭＳに関する報知」処理を行う。具体的には、現在利用可能なＭＢＭＳサービスが存在することや、その周波数に関する情報（周波数のリスト）が、ネットワーク側から移動端末に通知される。ＳＴ１６０１−１の処理によって移動端末は、利用可能なＭＢＭＳサービスが存在することやその周波数を知ることができるので、受信可能周波数を総当り的に検索する必要がなくなる。このことは、移動端末が現在の周波数以外の周波数からのサービスを受信するまでの制御遅延を短くするという効果を奏する。
【００３８】
ステップＳＴ１６０２にて移動端末は、ステップＳＴ１６０１でネットワーク側から通知された情報を基に、ＭＢＭＳ送信専用セルのサーチ処理を行う。サーチ処理の具体例としては、タイミング同期（無線フレームタイミングによる同期）や、システム帯域幅、送信アンテナ数、ＭＢＳＦＮエリア識別子（ＩＤ）（MBSFNエリア番号とも称される。）、ＭＣＣＨ（マルチキャスト制御チャネル）関連情報などのシステム情報の取得などがある。以降、ステップ１６０２の処理を「ＭＢＭＳのサーチ」と称する。ステップＳＴ１６０３にて移動端末は、ネットワーク側からＭＢＭＳ送信専用セルにおいて、ＭＢＭＳサービス（MCCH及びMTCH）を受信するための情報を受信する。以降、ステップ１６０３の処理を「ＭＢＭＳ  Ａｒｅａ情報取得」と称する。ステップＳＴ１６０４にてユーザ（移動端末）は、ステップＳＴ１６０３にてネットワーク側から受信したＭＢＭＳサービスを受信するための情報を用いて、ユーザが所望するＭＢＭＳサービスを選択する。以降、ステップ１６０４の処理を「ＭＢＭＳサービス選択」と称する。
【００３９】
先に「第四の課題」として説明したとおり、ＬＴＥ方式による通信システムでは、ＭＢＭＳサービスが提供する放送データを移動端末に送信するための下りリンクのみを設け、上りリンクを省くことで簡略なシステム構成を実現するＭＢＭＳ送信専用のセルを設けることが検討されている。上記説明のステップ１６０１−１からステップＳＴ１６０４は、かかるＭＢＭＳ送信専用セルによるＭＢＭＳサービスを選択するまでの方法を開示した。上記説明の一連の処理により、移動端末がＭＢＭＳ送信専用セルにて所望のＭＢＭＳサービスを受信することが出来るという効果を奏する。
【００４０】
ステップＳＴ１６０５にて移動端末は、ステップＳＴ１６０３にてネットワーク側から受信したＭＢＭＳサービスを受信するための情報を用いて、ＭＢＭＳ送信専用セルからＭＢＭＳデータを間欠受信するための準備を行う。以降、ステップ１６０５の処理を「ＭＢＭＳ受信時  間欠受信準備」と称する。ステップＳＴ１６０６にて移動端末は、ネットワーク側にＭＢＭＳ送信専用セルにおける、ＭＢＭＳの受信状況を通知する「ＭＢＭＳ側受信状況通知」処理を行う。ＭＢＭＳ送信専用セルは上りリンクを設けていないので、ＭＢＭＳ専用セルでＭＢＭＳデータを受信している移動端末はネットワーク側に位置登録を行うことができない。この場合、ネットワーク側は移動端末の存在するセルを特定できないので、当該移動端末宛ての着信が発生した場合にページング信号を送ることが困難であった。本ステップＳＴ１６０６によりネットワーク側は、当該移動端末がＭＢＭＳ送信専用セルにてＭＢＭＳサービスを受信している旨を知ることができ、移動端末を追跡することが可能になるので、ＭＢＭＳ送信専用セルでＭＢＭＳサービスを利用中の移動端末宛てに着信が発生したとき、ページング情報をＭＭＥ１０３、ＭＣＥ８０１−１経由でＭＢＭＳ送信専用セルに転送し、ＭＢＭＳサービスを利用中の移動端末に個別着信が発生したことを知らせることができる。したがって、ＭＢＭＳ送信専用セルでＭＢＭＳサービスを利用中の移動端末に対するページングに関する第一の課題を解決することができる。
【００４１】
ステップＳＴ１６０７にて、移動端末はユニキャストセル（図10 102-1）または／かつＭＢＭＳ／ユニキャスト混合セル（図10  102-2）の電解強度測定やセル選択を含む測定（メジャメント）処理を行う。この処理を「Ｕｎｉｃａｓｔ側メジャメント」と称する。ステップＳＴ１６０７により移動端末は、ＭＢＭＳ送信専用セルにおいてＭＢＭＳデータを受信中であっても、ユニキャストセル（図10 102-1）やＭＢＭＳ／ユニキャスト混合セル（図10 102-2）の測定やセル選択、位置登録などの処理を行うことが可能となる。このメジャメント処理を行うことにより、ＭＢＭＳ送信専用セルにてＭＢＭＳサービスを利用している移動端末は送信対象となるユニキャストセル、あるいはＭＢＭＳ／ユニキャスト混合セルを選択、更新しているので、上りリンクが存在しないＭＢＭＳ専用セルにおけるモビリティを確保することが可能になるという効果を得る。このため、ＭＢＭＳ専用セルでＭＢＭＳサービスを利用している移動端末は、確実に位置登録などモビリティに関する処理を、たとえばユニキャストセルまたは、ＭＢＭＳ／ユニキャスト混合セルを介して行うことが可能となり、したがって、ネットワーク側はＭＢＭＳ送信専用セルでＭＢＭＳサービスを利用している移動端末にページング信号を送ることが可能になる。また、当該移動端末は、ユニキャスト／混合周波数レイヤとの測定を通じた下り同期確立をメジャメント周期により行う。これにより、本発明の第二の課題である、上りリンクが存在しないＭＢＭＳ送信専用セルにおいて、移動端末がＭＢＭＳ／ユニキャスト混合セルを介してページング信号に対する応答を送信する場合であっても、制御遅延を小さくすることができる。
【００４２】
ステップＳＴ１６０８にて、移動端末は、ページング信号を受信するため間欠受信を行う。より具体的には、当該移動端末宛ての個別着信が発生した場合、ネットワーク側は、ＭＢＭＳ送信専用セルにて構成されるＭＢＭＳ送信専用の周波数レイヤからＭＢＭＳサービスを受信している移動端末に対して、ＭＢＭＳ送信専用セルの下りリンクを介してページング信号を送信する。ステップＳＴ１６０５〜ステップＳＴ１６０８にて、本発明の第一の課題である、ＭＢＭＳ送信専用セルでＭＢＭＳサービスを利用している移動端末に、ページングを通知することが可能になる。
【００４３】
ステップＳＴ１６０８の「ＭＢＭＳ受信時  間欠受信」にてページング信号を受信しなかった移動端末は、ステップＳＴ１６０９にてマルチキャストトラヒックチャネル（MTCH）を介してＭＢＭＳ送信専用セルから送信されたＭＢＭＳトラヒックデータを受信する。以降、ステップＳＴ１６０８の処理を「ＭＴＣＨ受信」と称する。「ＭＴＣＨ受信」を行っている移動端末は、「Ｕｎｉｃａｓｔ側メジャメント」のタイミングにてステップＳＴ１６０７へ移行する。あるいは「ＭＴＣＨ受信」を行っている移動端末は、受信感度が悪くなった場合にステップＳＴ１６０２、あるいはステップＳＴ１６０４、あるいはステップＳＴ１６１２へ移行する。一方、ステップＳＴ１６０８の「ＭＢＭＳ受信時  間欠受信」にてページング信号を受信した移動端末は、ステップＳＴ１６１０にて、ＭＢＭＳ送信専用周波数レイヤの周波数（ｆ（ＭＢＭＳ））からユニキャスト／ミクスド周波数レイヤの周波数（ｆ（Ｕｎｉｃａｓｔ））に周波数を変更し、制御データの送受信を行う。以降、ステップＳＴ１６１０の処理を「Ｕｎｉｃａｓｔ側  間欠受信」と称する。これにより当該移動端末は、ユニキャストセルあるいは混合セルを介してネットワーク側へページング信号に対する応答など上りデータを送信することが可能となる。ステップＳＴ１６１１、ステップＳＴ１６１２にて移動端末は、ネットワーク側へＭＢＭＳ送信専用周波数レイヤ（ＭＢＭＳ送信専用セル）におけるＭＢＭＳデータの受信を終了する旨を通知する。ステップＳＴ１６１１によりネットワーク側は、当該移動端末がＭＢＭＳサービスの利用を終了する旨を知ることが出来る。ＭＢＭＳ送信専用周波数レイヤによるＭＢＭＳサービスの利用を終了した移動端末に対しては、ユニキャストセルあるいは混合セルを介してページング信号を送信すればよいので、ネットワーク側がＭＢＭＳ送信セルの下りリンクを介してページング信号を通知する処理を中止することができ、ＭＢＭＳ送信専用セルの無線リソースの有効活用を図る。
【００４４】
実施の形態２．
本実施の形態においては、図１７を用いて、実施の形態１で述べた移動体通信システムの処理の流れの詳細な具体例について説明する。図１７はユニキャスト側のセルセレクションを説明するフローチャートである。ステップＳＴ１７０１にて、ユニキャストセル、ＭＢＭＳ／ユニキャスト混合セル（単に混合セル（Mixed cell）とも称する）は第一同期チャネル（Primary Synchronization Channel: P-SCH）と第二同期チャネル（Secondary Synchronization Channel: S-SCH）、リファレンス信号（リファレンスシンボルとも称される。Reference Symbol :RS）を傘下の移動端末に対して報知する。ステップＳＴ１７０２にて、移動端末は基地局（ユニキャストセルまたは／かつ混合セル）からのＰ−ＳＣＨ、Ｓ−ＳＣＨ、ＲＳを受信する。ステップＳＴ１７０３にて、移動端末は受信したＰ−ＳＣＨ、Ｓ−ＳＣＨ、ＲＳを用いて初期セルサーチ動作を行う。現在３ＧＰＰで議論されているセルサーチ動作の詳細を説明する。第１段階として移動端末は、移動体通信システムとして３種類の規定シーケンスが存在する第一同期チャネル(P-SCH)をブラインド検出する。Ｐ−ＳＣＨは周波数としてはシステム帯域幅の中心７２サブキャリアに、時間的としては無線フレーム毎に１番目（＃０）と６番目（＃５）にマッピングされる。よってＰ−ＳＣＨをブラインド検出した移動端末は、５ｍｓタイミング検出と、セルグループ（先のＰ−ＳＣＨの３週類のシーケンスに対応する１〜３グループ）を知ることが出来る。第２段階として、移動端末は、第二同期チャネル(S-SCH)をブラインド検出する。Ｓ−ＳＣＨのマッピング位置はＰ−ＳＣＨと同様である。Ｓ−ＳＣＨをブラインド検出した移動端末は１０ｍｓタイミング検出（フレーム同期）とセル識別子（Cell ID）を知ることが出来る。
【００４５】
ステップＳＴ１７０４にて移動端末は、セルセレクションを行う。セルセレクションは移動端末が複数の基地局からの下り受信感度を測定した測定結果を用いて、サービング基地局（セル）になり得る条件を満足した基地局を１つ選択する処理である。サービング基地局になり得る条件の具体例としては、複数の基地局からの下り受信感度の中でもっとも受信感度が良いもの、あるいはサービング基地局の受信感度の最低閾値を超えた基地局などが考えられる。実際に移動端末が測定する値としては、リファレンスシンボル受信電力（Reference Symbol received power: RSRP）、Ｅ−ＵＴＲＡキャリア受信信号強度値（E-UTRA carrier received signal strength indicator: RSSI）などがある。サービング基地局とは、当該移動端末のスケジューリングを担当する基地局である。当該移動端末のサービング基地局以外の基地局であっても、他の移動端末にとってはサービング基地局になり得る。つまりユニキャストセルあるいは、ＭＢＭＳ／ユニキャスト混合セルの全ての基地局はスケジューリング機能を有し、いずれかの移動端末のサービング基地局となり得る。ステップＳＴ１７０５にて、ユニキャストセル、ＭＢＭＳ／ユニキャスト混合セルは論理チャネルのひとつである報知制御チャネル(BCCH)を用いて報知情報を送信する。報知情報の具体例は、メジャメント周期、間欠受信周期、トラッキングエリア情報（TA情報）などがある。メジャメント周期とはネットワーク側が傘下の移動端末に通知する周期であって、この周期にしたがって移動端末は電界強度などの測定を行う。間欠受信周期とは、移動端末が待受け状態（Idle State）時にページング信号を受信するために、周期的にページング信号をモニタする周期である。ＴＡ情報とは「追跡領域」(Tracking Area)に関する情報である。ＭＭＥはＵＥが登録されている追跡領域に属する各ｅＮＢにページングメッセージを送ることにより、ページング処理を開始する（TS36.300  19.2.2.1）。ステップＳＴ１７０６にて、移動端末はサービング基地局からＢＣＣＨを介してメジャメント周期、間欠受信周期、ＴＡ情報などを受信する。
【００４６】
ステップＳＴ１７０７にてユニキャストセル、ＭＢＭＳ／ユニキャスト混合セルはＢＣＣＨを用いて、移動端末に対して、利用可能なＭＢＭＳサービスの周波数、つまり受信可能なＭＢＳＦＮ同期エリア（MBSFN Synchronization Area）の周波数（f(MBMS)と称する）を１つあるいは複数報知する。Ｗ−ＣＤＭＡ通信システムではプリファード周波数情報（Preferred frequency information: PL情報）というパラメータが存在した。ＰＬ情報はネットワーク側で論理チャネルであるマルチキャスト制御チャネル(MCCH)にマッピングされ、傘下の移動端末に対して報知される。しかし、ＬＴＥシステムにおいては、ＭＢＭＳサービスを提供しないユニキャストセルを設けることが予定されており、かかるユニキャストセルでは、ＭＢＭＳ用のチャネルであるＭＣＣＨを用いてｆ（ＭＢＭＳ）を報知する方法は採用できないという問題がある。
【００４７】
ステップＳＴ１７０８にて、移動端末は、サービング基地局からＢＣＣＨを用いて送信されたｆ（ＭＢＭＳ）を受信する。ｆ（ＭＢＭＳ）を移動端末が受信することで、移動端末は現在の周波数以外でサービスが存在する可能性のある周波数について総当り的に検索する必要がなくなる。このことは、移動端末が現在の周波数以外の周波数からのサービスを受信するまでの制御遅延を短くするという効果を奏する。ステップＳＴ１７０７、ステップＳＴ１７０８は実施の形態１で述べた「受信可能なＭＢＭＳに関する報知」の詳細な具体例である。ここで、移動体通信システムとしてｆ（ＭＢＭＳ）が静的（Static）あるいは準静的（Semi-Static）に決定しておけば、基地局よりｆ（ＭＢＭＳ）を報知せずに上記移動端末が現在の周波数以外の周波数からサービスを受信するまでの制御遅延が短くなるという効果を得ることができる。さらに、ｆ（ＭＢＭＳ）を報知する必要がなくなるので、無線リソースの有効活用という効果も合わせて得ることができる。
【００４８】
一方、ステップＳＴ１７０７とステップＳＴ１７０８において、ｆ（ＭＢＭＳ）に加えて各ｆ（ＭＢＭＳ）におけるシステム帯域幅、送信アンテナ数を基地局からＢＣＣＨを用いて報知することも可能である。これにより、ステップＳＴ１７０８にて、移動端末は、サービング基地局からＢＣＣＨを用いて送信されたｆ（ＭＢＭＳ）を受信することにより、ＭＢＭＳ送信専用の周波数レイヤにおいて、システム情報（システム帯域幅、送信アンテナ数）を取得する必要がなくなるので、制御遅延を短くすることができるという効果を得ることができる。なぜならｆ（ＭＢＭＳ）を受信するためにユニキャスト／周波数レイヤにおいてはサービング基地局からのＢＣＣＨを受信する必要があるので、情報（システム帯域幅、送信アンテナ数）が増えたとしても移動端末の処理時間としてはさほど長くはならない。一方、ＭＢＭＳ送信専用の周波数レイヤに移ってから、ＭＢＭＳ送信専用の周波数レイヤのシステム情報を取得するためには、ＭＢＭＳ送信専用の周波数レイヤにおけるＢＣＣＨを受信する必要があり、あらたに別のチャネルのデコード処理が必要となるため、制御遅延が発生する。
【００４９】
ステップＳＴ１７０９にて移動端末は、プロトコル処理部１１０１あるいは制御部１１１０にて保管している現在のトラッキングエリアリスト（TA List）中に、ステップＳＴ１７０６で受信したサービング基地局のＴＡ情報が含まれているか確認する。含まれている場合、図１８のステップＳＴ１７２０へ移行する。含まれていない場合はステップＳＴ１７１０を実行する。ステップＳＴ１７１０にて移動端末は、「アタッチリクエスト」(Attach Request)をサービング基地局へ通知する。「アタッチリクエスト」に含まれる情報としては、移動端末の識別子（IMSI（International Mobile Subscriber Identity）あるいはS-TMSI（S-Temporary Mobile Subscriber Identity, S-TMSIは単にTemporary Mobile Subscriber Identity（TMSI）と称されることもある）、移動端末の能力（Capability）などがある。ステップＳＴ１７１１にて「アタッチリクエスト」を受信したサービング基地局は、ステップＳＴ１７１２にて「アタッチリクエスト」をＭＭＥ（Mobility Management Entity）あるいはＨＳＳ（Home Subscriber Server）へ通知する。ステップＳＴ１７１３にてＭＭＥは「アタッチリクエスト」を受信する。ＭＭＥのアイドルステートモビリティ管理部１３０５−３は、各移動端末のトラッキングエリアリストを管理している。ステップＳＴ１７１４にてＭＭＥは当該移動端末の管理しているトラッキングエリアリストに当該移動端末のサービング基地局が含まれているか確認する。含まれている場合は、図１８のステップＳＴ１７１６へ移行する。含まれていない場合はステップＳＴ１７１５を実行する。ステップ１７１５にてＭＭＥのアイドルステートモビリティ管理部１３０５−３は、当該移動端末の管理しているトラッキングエリアリストに当該移動端末のサービング基地局のＴＡ情報を追加（あるいは更新）する処理を行う。ステップＳＴ１７１６にてＭＭＥは「アタッチアクセプト」（Attach Accept）をサービング基地局へ通知する。「アタッチアクセプト」に含まれる情報としては、トラッキングエリアリスト、移動端末へ与えられる識別子（S-TMSIなど）などがある。ステップＳＴ１７１７にて「アタッチアクセプト」を受信したサービング基地局は、ステップＳＴ１７１８にて「アタッチアクセプト」を当該移動端末へ通知する。ステップＳＴ１７１９にて移動端末は「アタッチアクセプト」を受信する。
【００５０】
図１８は、ＭＢＭＳサーチ処理を示すフローチャートである。図１８のステップ１７２０〜ステップ１７２５は、実施の形態１で述べた「ＭＢＭＳのサーチ」の具体的な処理である。ステップＳＴ１７２０にて移動端末は、ステップＳＴ１７０８にて受信可能なＭＢＳＦＮ同期エリアの周波数（あるいはMBMS送信専用の周波数レイヤの周波数）を受信したか確認する。つまりｆ（ＭＢＭＳ）を１つ以上受信したか確認する。存在しなかった場合、処理を終了する。存在した場合、ステップＳＴ１７２１を実行する。ステップＳＴ１７２１にて移動端末は、ユーザがｆ（ＭＢＭＳ）にてＭＢＭＳサービスを受信する意思があるかどうかを確認する。確認の具体例としては、ユーザがＭＢＭＳサービスを受信する意思が有る場合にユーザインタフェースを用いて移動端末に対して指示を送り、移動端末はユーザの意思をプロトコル処理部１１０１へ保管する。ステップＳＴ１７２１にて移動端末はプロトコル処理部１１０１に保管されているＭＢＭＳサービスを受信する意思の有無を確認する。ＭＢＭＳサービスを受信する意思がなければ、ステップＳＴ１７２１の処理を繰り返す。繰り返す方法としては、一定周期で移動端末がステップＳＴ１７２１の判断を行う方法、あるいはユーザからのユーザインタフェースを通じたＭＢＭＳサービスを受信する意思の変更通知があった際にステップＳＴ１７２１あるいは、ステップＳＴ１７２０を行う方法などがある。ＭＢＭＳサービスを受信する意思があれば、ステップＳＴ１７２２へ移行する。ステップＳＴ１７２２にて移動端末は、周波数変換部１１０７（シンセサイザ）の設定周波数を変更し、中心周波数をｆ（ＭＢＭＳ）へ変更することによりＭＢＭＳのサーチ動作を開始する。周波数変換部１１０７の設定周波数を変更し、中心周波数を変更することをリチューン（re-tune）と称する。ステップＳＴ１７２３にて、ＭＢＭＳ専用セルは第一同期チャネル（Primary Synchronization Signal: P-SCH）と第二同期チャネル（Secondary Synchronization Signal: S-SCH）、レファレンス信号（RS(MBMS)）、ＢＣＣＨを傘下の移動端末に対して報知する。ステップＳＴ１７２４にて、移動端末はＭＢＭＳ専用セルからのＰ−ＳＣＨ、Ｓ−ＳＣＨ、ＲＳ（ＭＢＭＳ）、ＢＣＣＨ（報知制御チャネル）を受信する。
【００５１】
ステップＳＴ１７２５にて移動端末はＭＢＭＳのサーチ動作を行う。現在３ＧＰＰで議論されているＭＢＭＳ送信専用の周波数レイヤにおけるサーチ動作について説明する。Ｐ−ＳＣＨにＭＢＭＳ送信専用の周波数レイヤにおいて専用的に用いるシーケンスを追加する。追加の専用シーケンスは、静的に規定されたものとする。第一段階として移動端末は、追加の専用のシーケンスにてＰ−ＳＣＨをブラインド検出する。Ｐ−ＳＣＨは周波数的にはシステム帯域幅の中心７２サブキャリアに、時間的としては無線フレーム毎に１番目（＃０）と６番目（＃５）にマッピングされる。よってＰ−ＳＣＨをブラインド検出した移動端末は、５ｍｓタイミング検出することができる。また、Ｐ−ＳＣＨはマルチセル送信される。第二段階として移動端末は、Ｓ−ＳＣＨをブラインド検出する。Ｓ−ＳＣＨのマッピング位置はＰ−ＳＣＨと同様である。Ｓ−ＳＣＨをブラインド検出した移動端末は１０ｍｓタイミング検出（フレーム同期）とＭＢＳＦＮエリアＩＤを知ることが出来る。またＳ−ＳＣＨはマルチセル送信される。第二段階で得たＭＢＳＦＮエリアＩＤと関連付けられているスクランブリングコード(Scrambling Code)を用いてＢＣＣＨを受信する。移動端末は、ＢＣＣＨをデコードすることにより、ＭＣＣＨ（マルチキャスト制御チャネル）のスケジューリングを得ることが出来る。このデコード処理は、前記ＭＢＳＦＮエリアＩＤと関連付けられているスクランブリングコード（Scrambling Code）を用いる。またＢＣＣＨはマルチセル送信される。本発明では、さらにＢＣＣＨをデコードすることによりｆ（ＭＢＭＳ）におけるシステム帯域幅、ｆ（ＭＢＭＳ）における送信アンテナ数を得ることが出来るものとする。ここで、移動体通信システムとしてｆ（ＭＢＭＳ）におけるシステム帯域幅、送信アンテナ数を静的（Static）あるいは準静的（Semi-Static）に決定しておけば、基地局よりｆ（ＭＢＭＳ）におけるシステム帯域幅または／かつ送信アンテナ数を報知する必要がなく、無線リソースの有効活用という効果を得ることができる。さらにデコードおよび、パラメータ（ｆ（ＭＢＭＳ）におけるシステム帯域幅または／かつ送信アンテナ数）の変更が不要となるので移動端末の低消費電力化、制御遅延の削減という効果を得ることが出来る。
【００５２】
本発明では、更にＭＣＣＨのスケジューリングについて検討する。現在の３ＧＰＰの規格においてＭＢＳＦＮ同期エリア（Multimedia Broadcast multicast service Single Frequency Network Synchronization Area f(MBMS)）は１つ以上のＭＢＳＦＮエリア（MBSFN Areas）を支持することができることになっている（図７参照）。一方、ひとつの周波数（Single Frequency）であるｆ（ＭＢＭＳ）で複数のＭＢＳＦＮエリアをどのように多重するのかは決まっていない。ここではＭＢＳＦＮエリアの多重方法が異なった場合であっても本発明が適応可能となるように多重方法ごとに「ＭＢＭＳ  サーチ」処理を説明する。
【００５３】
まず、ＭＢＳＦＮエリアが時分割多重（TDM: Time Division Multiplexing）された場合について説明する。ＭＢＳＦＮエリアが複数存在した場合の基地局の地理的なロケーションの概念図を図２５に示す。図２５はＭＢＳＦＮ同期エリアを構成する複数のＭＢＳＦＮエリアを示す説明図である。図２５において、１つのＭＢＳＦＮ同期エリア中にＭＢＳＦＮエリア１、ＭＢＳＦＮエリア２、ＭＢＳＦＮエリア３の３つのエリアが存在する。ステップＳＴ１７２５にて得られるＢＣＣＨ中のＭＣＣＨのスケジューリングの具体例については現在の３ＧＰＰでは詳細議論がされていない。本発明では第四の課題であるＭＢＭＳ送信専用の周波数レイヤにて所望のサービスを選択するまでの方法、及びそのための移動体通信システムを開示するために、ＭＢＳＦＮエリアが時分割多重された場合のＢＣＣＨ中のＭＣＣＨのスケジューリングの具体例について示す。図２６は、ＭＢＳＦＮエリアが時分割多重された場合のＭＢＳＦＮ同期エリアの物理チャネルへのマッピング概念図である。
【００５４】
図２６は、ひとつのＭＢＳＦＮ同期エリアにおいて、複数のＭＢＭＦＮエリアへのチャネルが時分割多重されている概念を示す。ひとつのＭＢＳＦＮ同期エリアに含まれる各ＭＢＦＳＮエリアは時間的に同期しているため、Ｐ−ＳＣＨ（第一同期チャネル）はＭＢＳＦＮエリア１内のＭＢＭＳ専用セル、ＭＢＳＦＮエリア２内のＭＢＭＳ専用セル、ＭＢＳＦＮエリア３内のＭＢＭＳ専用セルとも同じタイミングで送信されている。また、追加の専用シーケンスを用いるとすれば全てのＭＢＳＦＮエリア内のＰ−ＳＣＨのシーケンスは同じとなる。よってＰ−ＳＣＨを用いて、ＭＢＳＦＮ同期エリア内にて同じ情報を同じタイミングで送信することになる。また、前記の通り、ＭＢＳＦＮエリアＩＤがＳ−ＳＣＨ（第二同期チャネル）によって送信されることが考えられている。その場合はＳ−ＳＣＨはＭＢＳＦＮエリア毎に異なる情報がＭＢＳＦＮ同期エリアにて同じタイミングで送信されることになる。この場合、各ＭＢＳＦＮエリア内の全ＭＢＭＳ専用セルからは同じ情報が同じタイミングで送信されることになる。移動体通信システムは、ＢＣＣＨを用いた送信を行う際に、ＭＢＳＦＮエリアＩＤと関連付けられたスクランブリングコードを乗算する。このスクランブリングコードは、Ｓ−ＳＣＨ（第二同期チャネル）を用いて移動端末に通知される。よって、ＭＢＳＦＮエリア毎に異なる情報がＢＣＣＨを用いてＭＢＳＦＮ同期エリアにて同じタイミングで送信されることになる。一方、ＢＣＣＨの内容はＭＢＳＦＮエリア内の全ＭＢＭＳ専用基地局にて同じである。移動端末はＢＣＣＨをデコードすることによって、ＭＣＣＨのスケジューリングを取得することができる。
【００５５】
現在の３ＧＰＰ通信システムでは、非特許文献２のとおり、ＭＢＭＳ／ユニキャスト混合セルにおけるＭＢＳＦＮサブフレームの割り当てについて検討されている。ＬＴＥ方式の通信システムで設けられるＭＢＭＳ専用セルにはユニキャスト用のサブフレームが存在しないため、全てがＭＢＳＦＮサブフレームとなる。しかし、ＭＢＭＳ／ユニキャスト混合セルとＭＢＭＳ専用セルの構成を可能な限りにおいて整合させることは重要である。よって非特許文献２で開示されている「ＭＢＳＦＮフレームクラスタ」（MBSFN frame Cluster）について考え方を踏襲した上で、ＭＢＭＳ専用セルのスケジューリングについての方法を開示する。さらに、ＭＢＳＦＮサブフレーム内のＭＣＣＨのスケジューリングについても説明する。図２６において、ＭＢＳＦＮフレームクラスタが繰り返される周期をＭＢＳＦＮフレームクラスタ繰り返し期間（MBSFN frame Cluster Repetition Period）とする。また、ＭＣＣＨが送信される周期をＭＣＣＨ繰り返し期間（MCCH Repetiton Period）とする。ＭＢＳＦＮフレームクラスタがＭＣＣＨ繰り返し期間より小さい場合について説明する。
【００５６】
図２６において、ＭＣＣＨのスケジューリングとしてＭＣＣＨがマッピングされる時間のスターティングポイント値およびＭＣＣＨ繰り返し期間を通知することを考える。更に具体的には、ＭＣＣＨ繰り返し期間の指定には無線フレームを用いる。スターティングポイント値の指定にはＳＦＮ（System Frame Number）を用いる。ＭＣＣＨ繰り返し期間の指定に無線フレーム以外を用いても良い、具体例としてサブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値を求める具体的な計算式は、スターティングポイント値＝（MCCHがマッピングされる先頭のSFN番号）ｍｏｄ（MCCH繰り返し期間）で表される。図２６において、ＭＢＳＦＮエリア１のＭＣＣＨスターティングポイント値１は、１ｍｏｄ７＝１あるいは８ｍｏｄ７＝１・・・となり、ＭＢＳＦＮエリア１のＭＣＣＨスケジューリングのパラメータはＭＣＣＨ繰り返し期間１「７」、スターティングポイント値１「１」となる。また、ＭＢＳＦＮエリア２のＭＣＣＨスターティングポイント値２は、４ｍｏｄ７＝４  ・・・となりＭＢＳＦＮエリア２のＭＣＣＨスケジューリングのパラメータはＭＣＣＨ繰り返し期間２「７」、スターティングポイント値２「４」となる。また、ＭＢＳＦＮエリア３のＭＣＣＨスターティングポイント値３は、６ｍｏｄ７＝６  ・・・となりＭＢＳＦＮエリア３のＭＣＣＨスケジューリングのパラメータはＭＣＣＨ繰り返し期間３「７」、オフセット値３「６」となる。この時のＳＦＮはＢＣＣＨにマッピングされているとすれば無線フレームごとに報知され、ＭＣＣＨスターティングポイント値からＭＣＣＨを受信する際にも有効である。
【００５７】
つまりＭＢＳＦＮエリア１に属する基地局から送信されるデータとしては、次のようになる。前記追加の専用シーケンスであるＰ−ＳＣＨ（第一同期チャネル）、ＭＢＳＦＮエリアＩＤ１などがマッピングされたＳ−ＳＣＨ１（第二同期チャネル）、ＭＣＣＨスターティングポイント値１「１」、ＭＣＣＨ繰り返し期間１「７」などがマッピングされ、スクランブリングコード１がかけられたＢＣＣＨ１、ＭＢＳＦＮエリア１のＭＣＣＨ１とＭＴＣＨ１が送信される。ＭＢＳＦＮエリア１に属する基地局から３は時分割多重されるので、ＭＢＳＦＮエリア１が送信している期間は、ＭＢＳＦＮエリア２、３に属する基地局からのＭＣＣＨ２、３とＭＴＣＨ２、３は送信停止（DTX: Discontinuous transmission）となる。ＭＣＣＨ１とＭＴＣＨ２にはスクランブリングコード１がかけられても良い。ＭＣＣＨ１とＭＴＣＨ１にスクランブリングコードをかけることにより、ＭＢＳＦＮエリア固有のデータ（BCCH,MCCH,MTCH）への処理が統一されるという効果を得ることが出来る。反対にＭＣＣＨ及びＭＴＣＨは時分割多重(TDM)であるので、ＭＢＳＦＮエリア固有のスクランブリングコードをかけなくても良い。ＭＣＣＨ１とＭＴＣＨ１にスクランブリングコードをかけないことにより、基地局側でのエンコード処理、移動端末側でのデコード処理の負荷が軽くなり、データ受信までの遅延が減るという効果を得ることが出来る。
【００５８】
ＭＢＳＦＮエリア１同様にＭＢＳＦＮエリア２に属する基地局から送信されるデータとしては、次のようになる。前記追加の専用シーケンスであるＰ−ＳＣＨ（第一同期チャネル）、ＭＢＳＦＮエリアＩＤ２などがマッピングされたＳ−ＳＣＨ２（第二同期チャネル）、ＭＣＣＨスターティングポイント値２「４」、ＭＣＣＨ繰り返し期間２「７」などがマッピングされ、スクランブリングコード２がかけられたＢＣＣＨ２、ＭＢＳＦＮエリア２に属する基地局のＭＣＣＨ２とＭＴＣＨ２が送信される。この期間、ＭＢＳＦＮエリア１、３に属する基地局のＭＣＣＨ１、３とＭＴＣＨ１、３は送信停止（ＤＴＸ）となる。ＭＢＳＦＮエリア１同様にＭＢＳＦＮエリア３に属する基地局から送信されるデータとしては、次のようになる。前記追加の専用シーケンスであるＰ−ＳＣＨ（第一同期チャネル）、ＭＢＳＦＮエリアＩＤ３などがマッピングされたＳ−ＳＣＨ３(第二同期チャネル)、ＭＣＣＨスターティングポイント値３「６」、ＭＣＣＨ繰り返し期間３「７」などがマッピングされ、スクランブリングコード３がかけられたＢＣＣＨ３、ＭＢＳＦＮエリア３のＭＣＣＨ３とＭＴＣＨ３が送信される。この期間、ＭＢＳＦＮエリア１、２に属する基地局のＭＣＣＨ１、２とＭＴＣＨ１、２は送信停止（ＤＴＸ）となる。図２６においては便宜上ＭＣＣＨとＭＴＣＨが無線フレーム単位で時分割されている例を示しているが、ＭＣＣＨとＭＴＣＨの多重方法が別の方法であっても、時分割多重の単位が無線フレーム単位以外であっても本発明は適用可能である。また移動体通信システムとしてＭＣＣＨ繰り返し期間を静的（Static）あるいは準静的（Semi-Static）に決定しておけば、基地局よりＭＣＣＨ繰り返し期間を報知する必要がなくなる。報知する情報が少なくなるので、無線リソースの有効活用という効果を得ることができる。
【００５９】
次にＭＢＳＦＮエリアが符号分割多重（CDM: Code Division Multiplexing）された場合について説明する。ＭＢＳＦＮエリアが複数存在した場合の基地局のロケーションの概念図は、時分割多重（TDM）の場合と同様である。図２７はＭＢＳＦＮエリアが符号分割多重された場合のＭＢＳＦＮ同期エリアの物理チャネルへのマッピング概念図である。図２７において、各ＭＢＳＦＮエリア内ではＭＢＭＳサービス（MCCH,MTCH）が連続的に送信されていることを想定している。そのような場合は、ＭＢＳＦＮフレームクラスタは定義しなくてもよい。ＭＢＳＦＮフレームクラスタがＭＣＣＨ繰り返し期間より小さい場合について説明する。Ｐ−ＳＣＨ（第一同期チャネル）、Ｓ−ＳＣＨ（第二同期チャネル）、ＢＣＣＨの具体例については時分割多重（TDM）の場合と同様であるため説明を省略する。本発明ではＭＣＣＨのスケジューリングとしてＭＣＣＨがマッピングされる時間のスターティングポイント値およびＭＣＣＨ繰り返し期間を通知することを考える。更に具体的には、ＭＣＣＨ繰り返し期間の指定には無線フレーム数を用いる。スターティングポイント値の指定にはＳＦＮ（System Frame Number）を用いる。ＭＣＣＨ繰り返し期間の指定に無線フレーム以外を用いても良い、具体例としてサブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値を求める具体的な計算式は、スターティングポイント値＝（MCCHがマッピングされる先頭のSFN番号）ｍｏｄ（MCCH繰り返し期間）で表される。図２７においては、ＭＢＳＦＮエリア１のＭＣＣＨスターティングポイント値は、１ｍｏｄ３＝１、あるいは４ｍｏｄ３＝１・・・となりＭＢＳＦＮエリア１のＭＣＣＨスケジューリングのパラメータはＭＣＣＨ繰り返し期間１「３」、スターティングポイント値「１」となる。ＭＢＳＦＮエリア２のＭＣＣＨスターティングポイント値は、１ｍｏｄ２＝１、あるいは３ｍｏｄ２＝１・・・となりＭＢＳＦＮエリア１のＭＣＣＨスケジューリングのパラメータはＭＣＣＨ繰り返し期間２「２」、スターティングポイント値「１」となる。ＭＢＳＦＮエリア３のＭＣＣＨスターティングポイント値は、２ｍｏｄ４＝２・・・となりＭＢＳＦＮエリア３のＭＣＣＨスケジューリングのパラメータはＭＣＣＨ繰り返し期間３「４」、スターティングポイント値「２」となる。
【００６０】
つまりＭＢＳＦＮエリア１に属する基地局から送信されるデータとしては、次のようになる。ＭＢＭＳ送信専用の周波数レイヤ専用のシーケンス（前記追加の専用シーケンス）であるＰ−ＳＣＨ（第一同期チャネル）、ＭＢＳＦＮエリアＩＤ１などがマッピングされたＳ−ＳＣＨ１（第二同期チャネル）、ＭＣＣＨスターティングポイント値１「１」、ＭＣＣＨ繰り返し期間１「３」などがマッピングされ、スクランブリングコード１がかけられたＢＣＣＨ１、スクランブリングコード１がかけられたＭＢＳＦＮエリア１に属する基地局のＭＣＣＨ１とＭＴＣＨ１が送信される。ＭＢＳＦＮエリア１同様にＭＢＳＦＮエリア２に属する基地局から送信されるデータとしては、次のようになる。ＭＢＭＳ送信専用の周波数レイヤ専用のシーケンスであるＰ−ＳＣＨ（第一同期チャネル）、ＭＢＳＦＮエリアＩＤ２などがマッピングされたＳ−ＳＣＨ２（第二同期チャネル）、ＭＣＣＨスターティングポイント値２「１」、ＭＣＣＨ繰り返し期間２「２」などがマッピングされ、スクランブリングコード２がかけられたＢＣＣＨ２、スクランブリングコード２がかけられたＭＢＳＦＮエリア２に属する基地局のＭＣＣＨ２とＭＴＣＨ２が送信される。ＭＢＳＦＮエリア１同様にＭＢＳＦＮエリア３に属する基地局から送信されるデータとしては、次のようになる。ＭＢＭＳ送信専用の周波数レイヤ専用のシーケンスであるＰ−ＳＣＨ（第一同期チャネル）、ＭＢＳＦＮエリアＩＤ３などがマッピングされたＳ−ＳＣＨ３（第二同期チャネル）、ＭＣＣＨスターティングポイント値３「２」、ＭＣＣＨ繰り返し期間３「４」などがマッピングされ、スクランブリングコード３がかけられたＢＣＣＨ３、スクランブリングコード３がかけられたＭＢＳＦＮエリア３に属する基地局のＭＣＣＨ３とＭＴＣＨ３が送信される。
【００６１】
図２７においては便宜上ＭＣＣＨとＭＴＣＨが無線フレーム単位で時分割された例を示しているが、ＭＣＣＨとＭＴＣＨの多重方法が別の方法であっても、時分割多重の単位が無線フレーム単位以外であっても本発明は適用可能である。また移動体通信システムとしてＭＣＣＨ繰り返し期間を静的（Static）あるいは準静的（Semi-Static）に決定しておけば、基地局よりＭＣＣＨ繰り返し期間を報知する必要がなくなる。報知する情報が少なくなるので、無線リソースの有効活用という効果を得ることができる。ＭＢＳＦＮエリアを符号分割多重(CDM)した場合、ＭＢＳＦＮエリアを時分割多重(TDM)する場合と比較して、ＭＢＳＦＮエリア毎に異なる繰り返し期間を設定することが可能となり、ＭＢＭＳサービスとして自由度の高いスケジューリングが可能となるという効果がある。さらに符号分割多重を用いることにより、移動端末において同時に複数のＭＢＳＦＮエリアからのＭＴＣＨ及びＭＣＣＨが重なっても分離可能となる（スクランブリングコードにより分離できるため）。よって移動体通信システムとして同時にＭＢＳＦＮエリア１−３からのＭＴＣＨ、ＭＣＣＨを送信することが可能となるため、１つのＭＢＳＦＮエリアに割り当てられる周波数及び時間的な無線リソースが拡大するという効果を得ることが出来る。
【００６２】
次に現在の３ＧＰＰの議論において、複数のＭＢＳＦＮエリアをカバーするようなＭＢＳＦＮエリアを設けることが検討されている。図２８はＭＢＳＦＮ同期エリアを構成する複数のＭＢＳＦＮエリアを示す説明図であって、複数のＭＢＳＦＮエリアをカバーするＭＢＳＦＮエリアを示す説明図である。図２８において、１つのＭＢＳＦＮ同期エリア（MBSFN Synchronization Area）中にＭＢＳＦＮエリア１〜４が存在する。そのうち、ＭＢＳＦＮエリア４は、ＭＢＳＦＮエリア１〜３をカバーしている。かかるＭＢＳＦＮエリア４には、カバーされているＭＢＳＦＮエリア１〜３経由でアクセスすることが議論されているが、詳細は決まっていない。そこで、以下、複数のＭＢＳＦＮエリアをカバーするＭＢＳＦＮエリアへのアクセス方法について説明する。
【００６３】
先にも述べたように、現在、ＭＢＳＦＮエリアの多重方法については詳細な決定がなされていないので、まず、ＭＢＳＦＮエリア４とこれにカバーされているＭＢＳＦＮエリア１〜３が時分割多重され、かつ、カバーされているＭＢＳＦＮエリア１〜３間が符号分割多重されているケースについて説明する。図２８のようなＭＢＳＦＮエリアの地理的ロケーションであった場合の、ステップＳＴ１７２５（図１８参照）の具体例を示す。第一段階として移動端末は、前記専用のシーケンスにてＰ-ＳＣＨ（第一同期チャネル）をブラインド検出する。Ｐ−ＳＣＨをブラインド検出した移動端末は、５ｍｓタイミング検出することができる。また、Ｐ−ＳＣＨはマルチセル送信である。ＭＢＳＦＮ同期エリア内に位置する基地局はマルチセル送信のための同期が取られている。よってＰ-ＳＣＨのマルチセル送信は同期エリア内に含まれる基地局が対象となる。第二段階として移動端末は、Ｓ−ＳＣＨ（第二同期チャネル）をブラインド検出する。Ｓ−ＳＣＨをブラインド検出した移動端末は１０ｍｓタイミング検出（フレーム同期）とＭＢＳＦＮエリアＩＤを知ることが出来る。またＳ−ＳＣＨはマルチセル送信である。この時のＭＢＳＦＮエリアＩＤはカバーされているＭＢＳＦＮエリアＩＤとする。つまり移動端末が位置している、カバーされている各ＭＢＳＦＮエリアＩＤ（ＭＢＳＦＮエリア１〜３のいずれか）である。よってＳ-ＳＣＨのマルチセル送信はカバーされている各ＭＢＳＦＮエリア内に含まれる基地局が対象となる。移動端末は、第二段階で得たＭＢＳＦＮエリアＩＤと関連付けられているスクランブリングコードを用いてＢＣＣＨ（報知制御チャネル）を受信する。ＢＣＣＨをデコードすることにより、ＭＣＣＨ（マルチキャスト制御チャネル）のスケジューリングを得ることが出来る。またＢＣＣＨはマルチセル送信である。第二段階で得られたスクランブリングコードを用いることから、ＢＣＣＨはカバーされているＭＢＳＦＮエリアからのＢＣＣＨとなる。よってＢＣＣＨのマルチセル送信はカバーされている各ＭＢＳＦＮエリア内に含まれる基地局が対象となる。移動端末は、ＢＣＣＨをデコードすることにより、ＭＣＣＨのスケジューリング、ｆ（ＭＢＭＳ）におけるシステム帯域幅、送信アンテナ数などを得ることが出来る。
【００６４】
ここで更にＭＣＣＨのスケジューリングについて検討する。図２９は、カバーしているＭＢＳＦＮエリア（MBSFNエリア4）とカバーされているＭＢＳＦＮエリア（MBSFNエリア1〜3）が時分割多重され、カバーされているＭＢＳＦＮエリア間の多重方法は符号分割多重である場合のＭＢＳＦＮ同期エリアの物理チャネルへのマッピングを示す説明図である。ＭＢＳＦＮ同期エリアは時間的に同期しているため、Ｐ−ＳＣＨ（第一同期チャネル）はＭＢＳＦＮエリア１〜３内のＭＢＭＳ専用セルとも同じタイミングで送信されている。また、前記ＭＢＭＳ送信専用の周波数レイヤ専用のシーケンス（前記追加の専用シーケンス）を用いるとすれば全てのＭＢＳＦＮエリア内のＰ−ＳＣＨ（第二同期チャネル）のシーケンスは同じとなる。よってＰ−ＳＣＨはＭＢＳＦＮ同期エリア内にて同じ情報を同じタイミングで送信されることになる。Ｓ−ＳＣＨ(第二同期チャネル)によって、前記の通りＭＢＳＦＮエリアＩＤが送信されることが考えられている。よってその場合はＳ−ＳＣＨはＭＢＳＦＮエリア毎に異なる情報がＭＢＳＦＮ同期エリアにて同じタイミングで送信されることになる。この場合、各ＭＢＳＦＮエリア内の全ＭＢＭＳ専用セルからは同じ情報が同じタイミングで送信されることになる。この時、カバーしている方のＭＢＳＦＮエリア（MBSFNエリア4）特有のＳ-ＳＣＨはないものとする。Ｓ−ＳＣＨはＭＢＳＦＮ同期エリアにおいて周波数的、時間的に同じ無線リソースを用いる。またＳ−ＳＣＨに各ＭＢＳＦＮエリアスクランブリングコードに関連付けられたＭＢＳＦＮエリアＩＤのサーチのために用いられることから、Ｓ−ＳＣＨには各ＭＢＳＦＮエリアのスクランブリングコードをかけることは出来ない。カバーしているＭＢＳＦＮエリアＳ−ＳＣＨの送信を行わないことは、地理的なロケーションとしては複数のＭＢＳＦＮエリアが重なっているが、重なっているＭＢＳＦＮエリア（例えばMBSFNエリア1と4）において、Ｓ-ＳＣＨを１種類のみ送信すればよいことになる。これにより、お互いのＭＢＳＦＮエリアからのＳ−ＳＣＨが干渉になることを防ぐことが出来る。移動体通信システムはＳ−ＳＣＨにて通知するＭＢＳＦＮエリアＩＤと関連付けられたスクランブリングコードがかけられたＢＣＣＨを送信する。よってその場合ＢＣＣＨは、カバーされているＭＢＳＦＮエリア毎に異なる情報がＭＢＳＦＮ同期エリアにて同じタイミングで送信されることになる。ＢＣＣＨの内容はＭＢＳＦＮエリア内の全ＭＢＭＳ専用基地局にて同じである。移動端末はＢＣＣＨをデコードすることによって、ＭＣＣＨのスケジューリングを取得することができる。現在の３ＧＰＰではＭＣＣＨのスケジューリングの具体例については議論されていない。本発明ではＭＣＣＨのスケジューリングの具体例を示す。
【００６５】
図２９において、ＭＢＳＦＮフレームクラスタがＭＣＣＨ繰り返し期間より大きい場合についてのＭＣＣＨのスケジューリングについてあわせて説明する。カバーしているＭＢＳＦＮエリアのＭＣＣＨのスケジューリングとしては２段階を考える。以下の説明にて便宜上、移動端末がカバーされているＭＢＳＦＮエリアとしてＭＢＳＦＮエリア１に位置し、カバーしているＭＢＳＦＮエリアとしてＭＢＳＦＮエリア４が存在する場合を説明する。第１段階としてＭＢＳＦＮエリア１のＢＣＣＨにてＭＢＳＦＮエリア１のＭＣＣＨスケジューリングが通知される。本発明ではＭＣＣＨのスケジューリングの具体例を示す。本発明ではＭＣＣＨのスケジューリングとしてＭＣＣＨがマッピングされる時間のスターティングポイント値およびＭＢＳＦＮフレームクラスタ繰り返し期間、ＭＢＳＦＮフレームクラスタ繰り返し期間内のＭＣＣＨ送信回数を通知することを考える。更に具体的には、ＭＢＳＦＮフレームクラスタの繰り返し期間には無線フレーム数を用いる。更に具体的には、スターティングポイント値の指定にはＳＦＮ（System Frame Number）を用いる。ＭＢＳＦＮフレームクラスタの繰り返し期間の指定に無線フレーム以外を用いても良い、具体例としてサブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値を求める具体的な計算式は、スターティングポイント値＝（MCCHがマッピングされる先頭のSFN番号）ｍｏｄ（MBSFN FRAME Cluster Repetition Period）が考えられる。更に具体的には，ＭＢＳＦＮフレームクラスタ繰り返し期間内のＭＣＣＨ送信回数としてＭＢＳＦＮフレームクラスタ内のＭＣＣＨ送信回数（以降、ＮＭＣＣＨと称する。）を用いる。ＮＭＣＣＨを求める具体的な計算式は、ＮＭＣＣＨ＝ＭＢＳＦＮフレームクラスタ／ＭＣＣＨ繰り返し期間（MCCH Repetition Period）で表される。図２９においては、ＭＢＳＦＮエリア１のＭＣＣＨオフセット値１は、１ｍｏｄ１０＝１となる。ＭＢＳＦＮエリア２のＭＣＣＨスターティングポイント値２は、１ｍｏｄ１０＝１となる。ＭＢＳＦＮエリア４のＭＣＣＨスターティングポイント値４は、７ｍｏｄ１０＝７となる。次にＭＢＳＦＮエリア１のＮＭＣＣＨ1は、６／２＝３となる。また、ＭＢＳＦＮエリア２のＮＭＣＣＨ２は、６／３＝２となる。ＭＢＳＦＮエリア４のＮＭＣＣＨ４は、４／２＝２となる。よって、ＭＢＳＦＮエリア１のＭＣＣＨのスケジューリングのパラメータはＭＢＳＦＮフレームクラスタ繰り返し期間１「１０」、スターティングポイント値１「１」、ＮＭＣＣＨ１「３」となる。この時ＮＭＣＣＨ１をパラメータとして通知する代わりに、ＭＢＳＦＮフレームクラスタ１とＭＣＣＨ繰り返し期間１を通知しても良い。
【００６６】
第二段階としてＭＢＳＦＮエリア１のＭＣＣＨにてＭＢＳＦＮエリア４のＭＣＣＨのスケジューリングが通知される。ＭＣＣＨのスケジューリングの具体例は上記ＭＢＳＦＮエリア４（ＭＢＳＦＮフレームクラスタ繰り返し期間４「１０」、ステーティングポイント４「７」、ＮＭＣＣＨ４「２」）のパラメータに加えてカバーしているＭＢＳＦＮエリアのＭＢＳＦＮエリアＩＤ（ＭＢＳＦＮエリア４）を通知する。ＭＢＳＦＮエリア４のＭＣＣＨスケジューリングとして、１段階の場合も考えられる。つまり上記ＭＢＳＦＮエリア４のＭＣＣＨスケジューリングもＭＢＳＦＮエリア１のＢＣＣＨにて通知する方法である。これにより、ＭＢＳＦＮエリア４のサービスを受信する移動端末にとっては、ＭＢＳＦＮエリア１のＭＣＣＨを受信しデコードする処理が不要となるので、制御遅延が減るという効果を得ることが出来る。ＭＣＣＨスケジューリングとして、上記スターティングポイント、ＭＢＳＦＮフレームクラスタ繰り返し期間、ＮＭＣＣＨ（MBSFNフレームクラスタとMCCH繰り返し期間でもよい）を用いる方法は、ＭＢＳＦＮエリアが時分割多重された場合（図26参照）のＭＢＳＦＮフレームクラスタ内に複数回ＭＣＣＨが存在した場合にも用いることが出来る。
【００６７】
つまりＭＢＳＦＮエリア１に属する基地局から送信されるデータとしては、次のようになる。ＭＢＭＳ送信専用の周波数レイヤ専用のシーケンスであるＰ−ＳＣＨ（第一同期チャネル）、ＭＢＳＦＮエリアＩＤ１などがマッピングされたＳ−ＳＣＨ１（第二同期チャネル）、ＭＣＣＨスターティングポイント値１「１」、ＭＢＳＦＮフレームクラスタ繰り返し期間１「１０」、ＮＭＣＣＨ１「３」などがマッピングされ、スクランブリングコード１がかけられたＢＣＣＨ１、スクランブリングコード１がかけられたＭＢＳＦＮエリア１のＭＣＣＨ１とＭＴＣＨ１が送信される。ＭＣＣＨ１ではＭＢＳＦＮエリア４のＭＢＳＦＮエリアＩＤ（ＭＢＳＦＮエリア４）とＭＢＳＦＮエリア４のＭＣＣＨスケジューリングである、ＭＣＣＨスターティングポイント値４「７」、ＭＢＳＦＮフレームクラスタ繰り返し期間４「１０」、ＮＭＣＣＨ４「２」が送信される。ＭＢＳＦＮエリア１同様にＭＢＳＦＮエリア２に属する基地局から送信されるデータとしては、次のようになる。ＭＢＭＳ送信専用の周波数レイヤ専用のシーケンスであるＰ−ＳＣＨ、ＭＢＳＦＮエリアＩＤ２などがマッピングされたＳ−ＳＣＨ２、ＭＣＣＨスターティングポイント値２「１」、ＭＢＳＦＮフレームクラスタ繰り返し期間２「１０」、ＮＭＣＣＨ２「２」などがマッピングされ、スクランブリングコード２がかけられたＢＣＣＨ２、スクランブリングコード２がかけられたＭＢＳＦＮエリア２のＭＣＣＨ２とＭＴＣＨ２が送信される。ＭＣＣＨ２ではＭＢＳＦＮエリア４のＭＢＳＦＮエリアＩＤ（MBSFNエリア4）とＭＢＳＦＮエリア４のＭＣＣＨスケジューリングである、ＭＣＣＨオフセット値４「７」、ＭＢＳＦＮフレームクラスタ繰り返し期間４「１０」、ＮＭＣＣＨ４「２」が送信される。
【００６８】
ＭＢＳＦＮエリア４から送信されるデータとしては、先に説明したようにＰ−ＳＣＨ、Ｓ−ＳＣＨの送信はない。更に、ＭＢＳＦＮエリア４のシステム情報としてカバーされているＭＢＳＦＮエリア（MBSFNエリア1〜3）のＢＣＣＨにて送信されたもの以上に通知する必要がなければ、ＭＢＳＦＮエリア４からのＢＣＣＨの送信を省略することが出来る。これにより、無線リソースの有効活用という効果を得ることが出来る。スクランブリングコードがかけられないＭＢＳＦＮエリア４のＭＣＣＨ４とＭＴＣＨ４が送信される。
【００６９】
図２９においては便宜上ＭＣＣＨとＭＴＣＨが無線フレーム単位で時分割されて例を示しているが、ＭＣＣＨとＭＴＣＨの多重方法が別の方法であっても、時分割多重の単位が無線フレーム単位以外であっても本発明は適用可能である。カバーしているＭＢＳＦＮエリア（MBSFNエリア4）とカバーされているＭＢＳＦＮエリア（ＭＢＳＦＮエリア1〜3 ）が時分割多重される場合であり、カバーされているＭＢＳＦＮエリア間は符号分割多重である多重方法は、地理的なロケーションが分離されているＭＢＳＦＮエリア１〜３の多重方法として符号分割多重を用いている。これにより、周波数及び時間的な無線リソースの有効活用という利点を得られることが出来る。符号分割多重においては、各ＭＢＳＦＮエリアの分離は各ＭＢＳＦＮエリアに割り当てられたスクランブリングコードのみでおこなわれるため、ＭＢＳＦＮエリア間のお互いのデータが干渉となる可能性がある。しかし本多重方法においては、地理的なロケーションが分離されているＭＢＳＦＮエリア１〜３の多重において符号分割多重を用いてもお互いの送信データによる干渉が起こりにくいという効果がある。地理的なロケーションが分離されていないＭＢＳＦＮエリア４とＭＢＭＳＦＮエリア１〜３との多重に時分割多重を用いる。これにより、地理的に分離されていないために、より干渉が起こりやすいＭＢＳＦＮエリア４とＭＢＳＦＮエリア１〜３の多重方法を互いに干渉を起こしにくい多重方法とすることが出来る。この多重方法により各ＭＢＳＦＮエリア間の干渉をおさえつつ、無線リソースの有効活用が可能となる効果を得ることが出来る。更には、カバーしているＭＢＳＦＮエリア（MBSFNエリア4）においてＭＢＭＳサーチを行わないことにより、Ｐ−ＳＣＨ、Ｓ−ＳＣＨ、ＢＣＣＨを削減することが出来る。これにより、ＭＢＳＦＮエリア４の無線リソースを有効活用できるという効果を得ることができる。
【００７０】
次にカバーしているＭＢＳＦＮエリア（MBSFNエリア4）とカバーされているＭＢＳＦＮエリア（MBSFNエリア1〜3）が時分割多重され、カバーされているＭＢＳＦＮエリア間の多重方法も時分割多重である場合における具体例について説明する。ＭＢＳＦＮエリアが複数存在した場合の基地局のロケーションの概念図は、カバーしているＭＢＳＦＮエリア（MBSFNエリア4）とカバーされているＭＢＳＦＮエリア（MBSFNエリア1〜3）が時分割多重され、カバーされているＭＢＳＦＮエリア間の多重方法は符号分割多重である場合と同様である。Ｐ−ＳＣＨ、Ｓ−ＳＣＨ、ＢＣＣＨについては前記の場合と同様であるため説明を省略する。ＭＣＣＨのスケジューリングの具体例についてもほぼ前記の場合と同様である、異なる部分を中心に説明する。第一段階としてＭＢＳＦＮエリア１のＢＣＣＨにてＭＢＳＦＮエリア１のＭＣＣＨスケジューリングが通知される。本発明ではＭＣＣＨのスケジューリングの具体例を示す。本発明ではＭＣＣＨのスケジューリングとしてＭＣＣＨがマッピングされる時間のスターティングポイント値およびＭＣＣＨ繰り返し期間を通知することを考える。ＭＣＣＨ繰り返し期間の指定には無線フレーム数を用いる。更に具体的には、スターティングポイント値の指定にはＳＦＮ（System Frame Number）を用いる。ＭＣＣＨ繰り返し期間の指定に無線フレーム数以外を用いても良い、具体例としてサブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値を求める具体的な計算式は、スターティングポイント値＝（MCCHがマッピングされる先頭のSFN番号）ｍｏｄ（ＭＣＣＨ繰り返し期間）となる。第二段階としてＭＢＳＦＮエリア１のＭＣＣＨにてＭＢＳＦＮエリア４のＭＣＣＨのスケジューリングが通知される。ＭＣＣＨのスケジューリングの具体例は、上記ＭＢＳＦＮエリア１同様のＭＢＳＦＮエリア４のパラメータに加えてカバーしているＭＢＳＦＮエリアのＭＢＳＦＮエリアＩＤ（MBSFNエリア4）を通知する。ＭＢＳＦＮエリア４のパラメータの説明は省略する。
【００７１】
次に、カバーしているＭＢＳＦＮエリア（MBSFNエリア4）とカバーされているＭＢＳＦＮエリア（MBSFNエリア1〜3）が符合分割多重され、カバーされているＭＢＳＦＮエリア間の多重方法も符号分割多重である場合における具体例について説明する。ＭＢＳＦＮエリアが複数存在した場合の基地局のロケーションの概念図は、カバーしているＭＢＳＦＮエリア（MBSFNエリア4）とカバーされているＭＢＳＦＮエリア（MBSFNエリア1〜3）が時分割多重され、カバーされているＭＢＳＦＮエリア間の多重方法は符号分割多重である場合と同様である。Ｐ−ＳＣＨ、Ｓ−ＳＣＨ、ＢＣＣＨについては前記の場合と同様であるため説明を省略する。ＭＣＣＨのスケジューリングの具体例についてもほぼ前記の場合と同様である、異なる部分を中心に説明する。第一段階としてＭＢＳＦＮエリア１のＢＣＣＨにてＭＢＳＦＮエリア１のＭＣＣＨスケジューリングが通知される。本発明ではＭＣＣＨのスケジューリングの具体例を示す。本発明ではＭＣＣＨのスケジューリングとしてＭＣＣＨがマッピングされる時間のスターティングポイント値およびＭＣＣＨ繰り返し周期を通知することを考える。ＭＣＣＨ繰り返し期間の指定には無線フレーム数を用いる。更に具体的には、スターティングポイント値の指定にはＳＦＮ（System Frame Number）を用いる。ＭＣＣＨ繰り返し期間の指定に無線フレーム数以外を用いても良い，具体例としてサブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値を求める具体的な計算式は、スターティングポイント値＝（MCCHがマッピングされる先頭のSFN番号）ｍｏｄ（MCCH繰り返し期間）となる。第二段階としてＭＢＳＦＮエリア１のＭＣＣＨにてＭＢＳＦＮエリア４のＭＣＣＨのスケジューリングが通知される。ＭＣＣＨのスケジューリングの具体例は、上記ＭＢＳＦＮエリア１同様ＭＢＳＦＮエリア４のパラメータに加えてカバーしているＭＢＳＦＮエリアのＭＢＳＦＮエリアＩＤ（MBSFNエリア4）を通知する。ＭＢＳＦＮエリア４のパラメータの説明は省略する。ＭＢＳＦＮエリア４にて用いられるスクランブリングコードは、ＭＢＳＦＮエリア１のＭＣＣＨ１で通知されるＭＢＳＦＮエリアＩＤ（MBSFNエリア4）を基に判明する。
【００７２】
次に、カバーしているＭＢＳＦＮエリア（MBSFNエリア4）とカバーされているＭＢＳＦＮエリア（MBSFNエリア1〜3）が符合分割多重され、カバーされているＭＢＳＦＮエリア間の多重方法が時分割多重である場合における具体例について説明する。ＭＢＳＦＮエリアが複数存在した場合の基地局のロケーションの概念図は、カバーしているＭＢＳＦＮエリア（MBSFNエリア4）とカバーされているＭＢＳＦＮエリア（MBSFNエリア1〜3）が時分割多重され、カバーされているＭＢＳＦＮエリア間の多重方法は符号分割多重である場合と同様である。Ｐ−ＳＣＨ、Ｓ−ＳＣＨ、ＢＣＣＨについては前記の場合と同様であるため説明を省略する。ＭＣＣＨのスケジューリングの具体例についてもほぼ前記の場合と同様である、異なる部分を中心に説明する。第一段階としてＭＢＳＦＮエリア１のＢＣＣＨにてＭＢＳＦＮエリア１のＭＣＣＨスケジューリングが通知される。本発明ではＭＣＣＨのスケジューリングの具体例を示す。本発明ではＭＣＣＨのスケジューリングとしてＭＣＣＨがマッピングされる時間のスターティングポイント値およびＭＣＣＨ繰り返し期間を通知することを考える。ＭＣＣＨ繰り返し期間の指定には無線フレーム数を用いる。更に具体的には、スターティングポイント値の指定にはＳＦＮ（System Frame Number）を用いる。ＭＣＣＨ繰り返し期間の指定に無線フレーム数以外を用いても良い，具体例としてサブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値を求める具体的な計算式は、スターティングポイント値＝（MCCHがマッピングされる先頭のSFN番号）ｍｏｄ（ＭＣＣＨ繰り返し期間）となる。第二段階としてＭＢＳＦＮエリア１のＭＣＣＨにてＭＢＳＦＮエリア４のＭＣＣＨのスケジューリングが通知される。ＭＣＣＨのスケジューリングの具体例は、ＭＣＣＨのスケジューリングの具体例はＭＢＳＦＮエリア４のパラメータとしてステーティングポイント、ＭＣＣＨ繰り返し期間、カバーしているＭＢＳＦＮエリアのＭＢＳＦＮエリアＩＤ（MBSFNエリア4）を通知する。
【００７３】
上記記載のＭＢＳＦＮエリアの全ての多重方法での，ＭＣＣＨスケジューリングにおいてＭＣＣＨのスターティングポイントはＭＣＨスターティングポイント、あるいはＰＭＣＨスターティングポイントとしても良い。ＭＣＨスターティングポイントとした場合、ＭＣＣＨスケジューリングにおけるパラメータＭＣＣＨ繰り返し期間は、ＭＣＨ繰り返し期間となる。その際、各ＭＣＨ中にＭＣＣＨが必ずマッピングされている場合は、ＭＣＨ繰り返し期間＝ＭＣＣＨ繰り返し期間となる。一方各ＭＣＨ中にＭＣＣＨが必ずマッピングされていない場合は、ＭＣＨ繰り返し期間と合わせてＭＣＣＨ繰り返し期間をパラメータとして持っても良い。ＰＭＣＨスターティングポイントとした場合、ＭＣＣＨスケジューリングにおけるパラメータＭＣＣＨ繰り返し期間は，ＰＭＣＨ繰り返し期間となる。その際、各ＰＭＣＨ中にＭＣＣＨが必ずマッピングされている場合は、ＰＭＣＨ繰り返し期間＝ＭＣＣＨ繰り返し期間となる。一方各ＰＭＣＨ中にＭＣＣＨが必ずマッピングされていない場合は、ＰＭＣＨ繰り返し期間と合わせてＭＣＣＨ繰り返し期間をパラメータとして持っても良い。
【００７４】
次に３ＧＰＰにおいて、ＭＢＭＳ送信専用の周波数レイヤにおいて、シングルセル送信がサポートされる方向で議論が進んでいる。そのサポート方法として、シングルセル送信を１セル構成のＭＢＳＦＮエリアで実現する方法が議論されている。しかし、具体的な実現方法については何ら議論されていない。本発明では第四の課題であるＭＢＭＳ送信専用の周波数レイヤにて所望のサービスを選択するまでの方法、及びそのための移動体通信システムを開示するために、シングルセル送信のサポート方法について具体例を示す。上記に、複数のＭＢＳＦＮエリアを覆うようなＭＢＳＦＮエリアが存在する場合についての具体的な実現例について説明した。上記の方法において、覆われるＭＢＳＦＮエリア（MBSFN Area1〜3）をシングルセル（Single-cell）送信を行うセルに置き換え、覆う側のＭＢＳＦＮエリア（MBSFN Area4）をマルチセル（multi-cell）送信を行うセルに置き換えることによって、シングルセル送信を１セル構成のＭＢＳＦＮエリアで実現することが可能である。
【００７５】
次に、図１８のステップＳＴ１７２６、１７２７、図１９のステップＳＴ１７２８、１７２９を用いて、実施の形態１で述べた「ＭＢＭＳエリア情報取得」について更に具体的に説明する。各ＭＢＳＦＮエリアのＭＣＣＨ（マルチキャスト制御チャネル）はマルチセル送信を考える。よってステップＳＴ１７２６にてＭＣＥは、ＭＢＳＦＮエリア内の基地局に対してＭＣＣＨの内容及びＭＣＣＨを送信するための無線リソースの割り当てを送信する。ステップＳＴ１７２７にて各ＭＢＭＳ専用基地局はＭＣＥからＭＣＣＨの内容及びＭＣＣＨを送信するための無線リソースの割り当てを受信する。ステップＳＴ１７２８にて各基地局はＭＣＥから割り当られた無線リソースに従い、ＭＢＭＳエリア情報、間欠受信（ＤＲＸ）情報、ページンググループ数Ｋなどの制御情報を、ＭＣＣＨを使用してマルチセル送信する。ステップＳＴ１７２９にて移動端末は、ＭＢＳＦＮエリア内の各基地局からＭＣＣＨを受信する。ＭＣＣＨ受信にはステップＳＴ１７２５にてネットワーク側より受信したＭＣＣＨのスケジューリングを用いる。
【００７６】
受信の方法の具体例について説明する。代表として、複数の基地局が図２５に示すように配置され、各ＭＢＳＦＮエリアが図２６のように時分割多重されている場合について説明する。移動端末がＭＢＳＦＮエリア１の傘下に位置していた場合について説明する。移動端末はＭＢＳＦＮエリア１のＢＣＣＨ１（報知制御チャネル）をデコードすることで、ＭＣＣＨ１のスケジューリングパラメータとして、スターティングポイント値１「１」、ＭＣＣＨ繰返し周期１（MCCH Repetiton Period）「７」を受信する。またＳＦＮ（System Frame Number）がＢＣＣＨにマッピングされているとすれば、移動端末は、ＢＣＣＨをデコードすることでＳＦＮ番号を知ることが出来る。移動端末は、以下の式にてＭＣＣＨがマッピングされているＳＦＮ番号を求めることが出来る。ＳＦＮ＝ＭＣＣＨ繰返し周期１×α＋スターティングポイント値１（αは正の整数）。移動端末は、ＭＣＣＨ１がマッピングされるＳＦＮ番号の無線リソースを受信してデコードすることによりＭＣＣＨ１を受信することが出来る。ＭＣＣＨ１には、ＭＢＳＦＮエリア１からマルチセル送信されるＭＢＭＳサービス用の制御情報がマッピングされている。制御情報の具体例としては、ＭＢＭＳエリア情報、ＤＲＸ情報、ＭＢＭＳ受信時間欠受信用パラメータなどがある。
【００７７】
ＭＢＭＳエリア情報について更に具体例を図２６を用いて説明する。ＭＢＭＳエリア情報として、各エリアのフレーム構成（ＭＢＳＦＮフレームクラスタ（MBSFN frame Cluster）、ＭＢＳＦＮサブフレームなど）、サービス内容、ＭＴＣＨの変調情報などが考えられる。ＭＢＳＦＮフレームクラスタ１として１ＭＢＳＦＮフレームクラスタ繰り返し期間内のＭＢＳＦＮエリア１に割り当てられたフレームの集合中のフレーム数が通知される。ＭＢＳＦＮ  サブフレーム１としてＭＢＳＦＮフレームクラスタ１内の１無線フレーム内に実際にＭＢＭＳデータ（ＭＴＣＨまたは／かつＭＣＣＨ）がマッピングされているサブフレーム番号が通知される。ＭＢＭＳ専用基地局を用いたＭＢＭＳサービスの提供においては、ＭＢＭＳ／ユニキャスト混合セルとは異なり、ユニキャストデータとの無線リソースを共有する必要がない。よって１無線フレーム内の全てのサブフレームにＭＢＭＳデータをマッピングすることが可能である（但し、Ｐ−ＳＣＨ、Ｓ−ＳＣＨ、ＢＣＣＨマッピング部分除く）。全てのサブフレームにＭＢＭＳデータをマッピングする場合は、ＭＢＳＦＮサブフレームのパラメータをネットワーク側から移動端末側へ通知する必要がない。これにより無線リソースの有効活用を図ることができる。あるいは、無線通信システムとして静的にＭＢＭＳ専用セルからのＭＢＭＳデータの送信時は全てのサブフレームにＭＢＭＳデータをマッピングするという方法をとれば、大容量のＭＢＭＳデータを送信することが可能となり、またＭＢＳＦＮサブフレームのパラメータをも通知する必要がなくなるので、更に無線リソースの有効活用が図ることができる。サービス内容として、ＭＢＭＳエリア１で行われているサービス内容が通知される。ＭＢＳＦＮエリア１において複数のサービス（映画とスポーツ中継など）が行われている場合、複数のサービス内容とその多重パラメータが通知される。
【００７８】
図３０は、移動端末へのＭＢＭＳデータの送信が停止され、移動端末でのＭＢＭＳデータの受信動作が停止するＤＲＸ期間と、ＤＲＸ期間が繰り返される周期であるＤＲＸ周期の関係を示す説明図である。ＤＲＸ（Discontinuous reception）情報について図３０を用いて更に具体例を説明する。本発明の第一の課題である、ＭＢＭＳ送信専用セルでＭＢＭＳサービスを利用している移動端末にページング信号を通知するためには、ＭＢＭＳ送信専用セルにてＭＢＭＳサービスを受信中の移動端末がユニキャストセルないしＭＢＭＳ／ユニキャスト混合セルを介してネットワークに位置登録などを行う必要がある。そのためには、ユニキャストセルないしＭＢＭＳ／ユニキャスト混合セルのメジャメント及び位置登録（サービング基地局の再選択（cell re-selection））が必要となる。これにより、上りリンクが存在しないＭＢＭＳ専用セルにおけるモビリティをユニキャスト／混合セル経由にて確保することが可能になるという効果を得ることができる。このため、ＭＢＭＳ送信専用の周波数レイヤでＭＢＭＳサービスを受信している移動端末においても、ページング信号を受信可能になるという効果を奏する。よって、ＭＢＭＳ送信専用セルにてＭＢＭＳサービスを受信中の移動端末であっても、一定周期にてユニキャストセル、ＭＢＭＳ／ユニキャスト混合セルのメジャメントを行う必要がある。従来の方法（３ＧＰＰ  Ｗ−ＣＤＭＡ）において、メジャメント周期は間欠受信周期の整数倍であり、移動端末に対してネットワーク側より上位レイヤにて通知される。
【００７９】
ここで、ＭＢＭＳ送信専用セルにてＭＢＭＳサービスを受信している移動端末が、従来の方法を適用してユニキャストセル、ＭＢＭＳ／ユニキャスト混合セルの上位レイヤより通知されたメジャメント周期にてメジャメントを行うとすれば、ＭＢＭＳ送信専用の周波数セルのＭＢＭＳＦＮ同期エリアを構成している基地局とユニキャスト／ミクスド周波数レイヤを構成している基地局は互いに同期していない（非同期）であるため、メジャメントを行うために、ＭＢＭＳ受信を中断しなければならなくなるという課題がある。
【００８０】
そこで、本発明では、上記課題の解決策として、ＭＢＳＦＮ同期エリア内で一つのＤＲＸ期間を設けることとする（図３０参照）。本実施の形態１におけるＤＲＸ期間とは、ＭＢＳＦＮ同期エリア内で全ＭＢＳＦＮエリアのＭＢＭＳサービスに関する、ネットワーク側から移動端末へのＭＢＭＳデータの送信を停止する期間、つまり移動端末側から見るとＭＢＭＳデータの受信を行わない期間を意味することとする。ＭＢＭＳ送信専用周波数レイヤにおいてＭＢＭＳサービスを利用している移動端末は、ＭＢＭＳデータがネットワーク側から送信されないＤＲＸ期間に、ユニキャストセル、ＭＢＭＳ／ユニキャスト混合セルのメジャメントを行うことにより、ＭＢＭＳサービスの利用を中断する必要がなくなるという効果を得る。また、ＤＲＸ期間をＭＢＳＦＮ同期エリアに設けることにより、移動端末は、何の制御を付加することなく、ＭＢＳＦＮ同期エリア内のＭＢＳＦＮエリアからのＭＢＭＳデータを同時に受信可能となる。
【００８１】
次に図３０に示したＤＲＸ周期について説明する。ＤＲＸ周期とは先に説明したＤＲＸ期間が繰り返される周期をいう。従来の方法においてメジャメント周期は移動端末に対してネットワーク側から設定（通知）される。この方法をＬＴＥにおいても踏襲するならば、ＭＢＭＳ送信専用の周波数レイヤにおいてＭＢＭＳサービスを受信中の移動端末がＤＲＸ期間にてユニキャスト／ミクスド周波数レイヤにおけるメジャメントを実施するとすれば、ＭＢＭＳ送信専用の周波数レイヤのＤＲＸ周期及びＤＲＸ期間の情報をいずれかの経路を通じてユニキャストセル、ＭＢＭＳ／ユニキャスト混合セル側の制御装置（基地局、ＭＭＥ、ＰＤＮＧＷなど）に通知する必要がある。さらにはユニキャスト／ミクスド周波数レイヤを構成する基地局は基本的には非同期で構成されていることより、ＭＢＭＳ送信専用の周波数レイヤのＤＲＸ周期及びＤＲＸ期間を各ユニキャストセルあるいは各ＭＢＭＳ／ユニキャスト混合セルに通知する必要が出てくる。この方法は、移動体通信システムを複雑化するものであり好ましくない。よって本発明では以下の方法を開示する。ＭＢＭＳ送信専用セルにおけるＤＲＸ周期を、ユニキャストセル、ユニキャスト／混合周波数セルでとり得るメジャメント周期の最小値あるいは最小値の約数とする。ユニキャストセルあるいは、ＭＢＭＳ／ユニキャスト混合セルが、ＭＢＭＳ送信専用の周波数レイヤにてＭＢＭＳサービスを受信中の移動端末に対して設定可能なメジャメント周期がユニキャスト／ミクスド周波数レイヤで取り得るメジャメント周期と異なる場合は、ＤＲＸ周期は、ＭＢＭＳ送信専用の周波数レイヤにてＭＢＭＳサービスを受信中の移動端末に対して設定可能なメジャメント周期、あるいは前記メジャメント周期の最小値、あるいは前記メジャメント周期の最小値の約数とする。これにより、ユニキャストセル、ＭＢＭＳ／ユニキャスト混合セルにて移動端末にどのメジャメント周期が通知（設定）されたとしても、ＭＢＭＳ送信専用の周波数レイヤにおいてＤＲＸ周期にて設けられたＤＲＸ期間にて、ユニキャスト／ミクスド周波数レイヤのメジャメントを行えば、ネットワーク側から通知されたメジャメント周期を満足することが可能となる。この方法を採用することにより、ＭＢＭＳ送信専用セルの制御装置（基地局、MCE、MBMSゲートウェイ、eBNSCなど）から、ユニキャストセル、ＭＢＭＳ／ユニキャスト混合セルの制御装置に対して、ＭＢＭＳ送信専用セルのＤＲＸ周期やＤＲＸ期間を通知する必要がなくなる。よって、移動体通信システムの複雑化を防ぐ、つまり無線インタフェース上あるいはネットワーク内の追加のシグナリングを回避しつつ、ＭＢＳＦＮ送信専用周波数レイヤにてＭＢＭＳサービス受信中の移動端末がＭＢＭＳサービスの受信を中断することなく、ユニキャストセル、ＭＢＭＳ／ユニキャストミクスドセルが当該移動端末に通知（設定）した、メジャメント周期にてメジャメントを実行することが出来るという効果を得ることになる。また、該ＤＲＸ期間にて、ユニキャスト／ミクスド周波数レイヤのサービングセルから報知情報の取得を行っても良く、例えばサービングセルにおける報知情報が修正された場合などに対応することが可能となる。
【００８２】
ＤＲＸ情報の具体的なパラメータ例について図３０を用いて説明する。具体的には、ＤＲＸ情報のパラメータは、ＤＲＸ期間、ＤＲＸ周期、スターティングポイント値（ＤＲＸ）が考えられる。具体的には、ＤＲＸ期間、ＤＲＸ周期の指定には無線フレーム数を用いる。図３０において、ＤＲＸ期間は「４」無線フレーム（SFN4〜7間での期間）となる。またＤＲＸ周期は「７」無線フレーム（SFN4〜10までの期間）となる。更にＤＲＸ期間が始まるスターティングポイント値（ＤＲＸ）の指定にはＳＦＮを用いる。ＤＲＸ期間、ＤＲＸ周期の指定に無線フレーム数以外を用いても良い、具体例として、サブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値（ＤＲＸ）を求める具体的な計算式は、スターティングポイント値（ＤＲＸ）＝（ＤＲＸ期間が始まる先頭のＳＦＮ番号）ｍｏｄ（ＤＲＸ周期）となる。図３０においては、スターティングポイント値（ＤＲＸ）は、４ｍｏｄ７＝４  あるいは  １１ｍｏｄ７＝４・・・となる。ここで、スターティングポイント値（ＤＲＸ）の指定にＳＦＮを用いる例を示した。ここでは、ＭＢＳＦＮ同期エリア内で一つのＤＲＸ期間を設ける例について説明した。よってスターティングポイント値（ＤＲＸ）についても、ＭＢＳＦＮ同期エリア内の基地局共通とする。スターティングポイント値（ＤＲＸ）にＳＦＮを用いた場合を考える。ＭＢＳＦＮ同期エリア内の基地局から同じタイミングで同じ番号が送信されるとする。上記では、ＤＲＸ情報をＭＣＣＨにマッピングしてＭＢＳＦＮ  Ａｒｅａ内の基地局から移動端末に通知する例について説明した。同様にＤＲＸ情報をＢＣＣＨにマッピングしてＭＢＳＦＮエリア内の基地局から移動端末に通知しても、同様の効果が得られる。更には、ＤＲＸ情報をＢＣＣＨにマッピングしてサービング基地局から移動端末に通知しても、同様の効果が得られる。更には、ＤＲＸ情報を静的（Static）あるいは準静的（Semi-Static）に決定しても同様の効果がえられる。これにより報知する必要がなくなるので、無線リソースの有効活用という効果も合わせて得ることができる。
【００８３】
ＭＢＭＳ受信時間欠受信用パラメータについて更に具体例を説明する。先にも述べたが非特許文献１にてページンググループがＬ１／Ｌ２シグナリングチャネル（PDCCH）にて通知されることが開示されている。ＭＢＭＳ専用セルから送信される無線リソースにＬ１／Ｌ２シグナリングチャネルが存在するか否かは、まだ決定されていない。本実施の形態では、ＭＢＭＳ専用セルから送信される無線リソースにはＬ１／Ｌ２シグナリングチャネルが存在しないとして考える。しかし、ＬＴＥという同じ移動体通信システム中に存在するユニキャストセル、ＭＢＭＳ／ユニキャスト混合セル、ＭＢＭＳ送信専用セルのページング通知方法は可能な限り統一することが好ましい。統一することにより、移動体通信システムの複雑化を回避できるからである。以下の説明では、ＭＢＭＳ受信時間欠受信時用のパラメータとしてページンググループ数（以降、ＫＭＢＭＳ）を考える。次に、複数の基地局が図２５に示すように配置され、各ＭＢＳＦＮエリアが図２７のように符号分割多重されている場合について説明する。この場合、ＤＲＸ情報については前記時分割多重の場合と同様であるので説明を省略する。
【００８４】
次に、図１９を用いて実施の形態１で述べた「ＭＢＭＳサービス選択」について更に具体的に説明する。ステップＳＴ１７３０にて移動端末は、該当ＭＢＭＳエリアにてユーザ所望のサービスが行われているか知るため、ＭＢＭＳエリア情報に含まれるサービス内容を確認する。当該ＭＢＳＦＮエリアにてユーザ所望のサービスが行われている場合は、ステップＳＴ１７３１へ移行する。ユーザ所望のサービスが行われていない場合は、ステップＳＴ１７３３へ移行する。ステップＳＴ１７３１にて移動端末は当該ＭＢＳＦＮエリアの無線リソースにてレファレンスシグナル(RS)を受信し、受信電力を測定する（RSRP）。受信電力が静的あるいは準静的に決められた、閾値以上であるか否か判断する。前記閾値は、閾値以上であればＭＢＭＳサービスを受信するのに満足な感度であることを示し、閾値未満であればＭＢＭＳサービスを受信するのに満足な感度を満たしていないことを示す。閾値以上であればステップＳＴ１７３２へ移行し、閾値以下であればステップＳＴ１７３３へ移行する。ステップＳＴ１７３２にて移動端末は、ユーザが所望のＭＢＭＳサービスを受信するためのＭＢＭＳ送信専用の周波数ｆ（ＭＢＭＳ）とＭＢＳＦＮエリアＩＤを取得する。一方、ステップＳＴ１７３３にて移動端末は同じ周波数内（ｆ（ＭＢＭＳ））にて受信可能な他のＭＢＭＳエリアが存在するか否か判断する。本ステップＳＴ１７３３は、図２８に示すような、覆いかぶさるＭＢＳＦＮエリア（MBSFNエリア4）が存在する場合に特に有効である。同じ周波数内（ｆ（ＭＢＭＳ））にて受信可能な他のＭＢＭＳエリアが存在する場合は、ステップＳＴ１７３０へ戻り処理を繰り返す。存在しない場合はステップＳＴ１７３４へ移行する。ステップ１７３４にて移動端末は、ステップＳＴ１７０８にて受信した受信可能なＭＢＳＦＮ同期エリアの周波数リストにて他の周波数が存在するか否か判断する。存在した場合は、ステップＳＴ１７２２へ戻り、新たな周波数（ｆ２（ＭＢＭＳ））へシンセサイザを切り替えて処理を繰り返す。存在しない場合は、ステップＳＴ１７２０へ戻り処理を繰り返す。またステップ１７３１にてレファレンスシグナルを受信し、受信電力を測定する代わりに、実際に当該ＭＢＳＦＮエリアのＭＢＭＳサービス（ＭＴＣＨまたは／かつＭＣＣＨ）を受信し、デコードを行うことも可能である。その場合、ユーザ自身がデコード後のデータを聞くあるいは見ることにより自分自身が許容できる受信感度であるか否かを判断できる。許せる場合ステップＳＴ１７３２へ移行し、許せない場合ステップＳＴ１７３３へ移行する。許せる受信感度には、ユーザ毎に個人差があるので、よりユーザに適合した移動端末になるという効果を得ることが出来る。
【００８５】
図１９のステップ１７３５は、実施の形態１で述べた「ＭＢＭＳ受信時間欠受信準備」を示す処理である。ステップＳＴ１７３５にて移動端末は、ステップＳＴ１７２９にて受信したＭＢＭＳ受信時間欠受信時用のパラメータを用いてＭＢＭＳ受信時間欠受信準備を行う。具体的には、ステップＳＴ１７２９にて受信したページンググループ数ＫＭＢＭＳを用いて、自移動端末のページンググループを算出する。ページンググループの算出には、移動端末の識別ＩＤ（UE-ID,IMSI）を用いる。ページンググループは、ＩＭＳＩ  ｍｏｄ  ＫＭＢＭＳで表される。
【００８６】
図２０は、ＭＢＭＳ側受信状況通知の処理を説明するフローチャートである。この処理は、図１７を用いて実施の形態１で述べた「ＭＢＭＳ側受信状況通知」について更に具体的に説明するものである。図２０において、ステップＳＴ１７３６にて移動端末は、周波数変換部１１０７の設定周波数を変更し、中心周波数をユニキャスト／混合周波数レイヤの周波数（以降、ｆ（ｕｎｉｃａｓｔ）と称する。）へ変更することによりユニキャスト／混合周波数レイヤへ移動する。ステップＳＴ１７３７にて移動端末は、上りスケジューリングリクエスト（UL Scheduling Request）をサービングセルに対して送信する。ステップＳＴ１７３８にてサービングセルは、当該移動端末からの上りスケジューリングリクエストを受信する。ステップＳＴ１７３９にてサービングセルは、当該移動端末に対して上り無線リソースの割り当てを行うべく、上りスケジューリング（UL Scheduling）を行う。ステップＳＴ１７４０にてサービングセルは、ステップＳＴ１７３９における上りスケジューリングの結果である当該移動端末への上り無線リソースの割り当て（UL allocation、あるいはGrantとも称される）を移動端末へ送信する。ステップＳＴ１７４１にて移動端末は、サービングセルよりＵＬアロケーションを受信する。ステップＳＴ１７４２にて移動端末は、ステップＳＴ１７４１にて受信したＵＬアロケーションに従って「ＭＢＭＳ側受信状況通知」をサービングセルへ送信する。「ＭＢＭＳ側受信状況通知」に含まれるパラメータ例としては、移動端末の識別子（ＵＥ−ＩＤ、ＩＭＳＩ、Ｓ−ＴＭＳＩなど）、ＭＢＭＳサービスを受信する周波数（ｆ（ＭＢＭＳ））、ＭＢＳＦＮ  Ａｒｅａ番号（ＩＤ）などがある。ステップＳＴ１７４３にてサービングセルは、移動端末からステップＳＴ１７４２の「ＭＢＭＳ側受信状況通知」処理により送信された各種パラメータを受信する受信処理を行う。ステップＳＴ１７４３にてネットワーク側は、ＭＢＭＳ専用セルに上りリンクを追加することなく、つまり移動体通信システムとして複雑性を増すことなく、当該移動端末がＭＢＭＳ送信専用の周波数レイヤにてＭＢＭＳサービスを受信している旨を知ることが出来る。これにより、ネットワーク側が通常のページング信号を通知する構成から、ＭＢＭＳ受信時間欠受信構成へ変更することが可能となる効果を奏する。ステップＳＴ１７４４にてサービングセルは、ステップＳＴ１７４２にて移動端末により実行された「ＭＢＭＳ側受信状況通知」で送信されたパラメータをＭＭＥへ送信する。ステップＳＴ１７４５にてＭＭＥはこれを受信する。
【００８７】
ステップＳＴ１７４６にてＭＭＥは、当該移動端末のＭＢＭＳ送信専用の周波数でのＭＢＭＳサービスを受信中のトラッキングエリア（以降、ＴＡ（ＭＢＭＳ）と称する）を決定する。トラッキングエリアの決定に際しては、ＭＭＥはステップＳＴ１７４２により移動端末からサービングセル経由で通知されたＭＢＭＳ側受信状況通知（ＭＢＭＳ側受信状況のパラメータ、ｆ（ＭＢＭＳ）とMBSFNエリア番号）を基に決定する。ステップＳＴ１７４７にて当該移動端末のトラッキングエリアリストを更新する。ステップＳＴ１７４７では、ＴＡ（ｕｎｉｃａｓｔ）または／かつＴＡ（ＭＢＭＳ）を含むＴＡリストの管理（保存、追加、更新、削除）をする。ＴＡ（ｕｎｉｃａｓｔ）とはユニキャスト／ミクスド周波数レイヤにおける当該移動端末のトラッキングエリアとする。図３１はトラッキングエリアリストの詳細を説明する説明図である。以下、図３１を用いてトラッキングエリアリスト管理の具体例について説明する。トラッキングエリアリストは図３１（ａ）に示すとおり、移動端末毎に管理される。図３１（ａ）の例ではＵＥ＃１のＴＡは、ＴＡ（ｕｎｉｃａｓｔ）＃１とＴＡ（ｕｎｉｃａｓｔ）＃２であり、ＵＥ＃２のＴＡはＴＡ（ｕｎｉｃａｓｔ）＃１とＴＡ（ＭＢＭＳ）＃１である。更に、ＭＭＥでは各トラッキングエリア（ＴＡ（ｕｎｉｃａｓｔ））に含まれる基地局も管理している。図３１（ｂ）を用いて説明する。ＴＡ（ｕｎｉｃａｓｔ）＃１には、セル(Cell)ＩＤ１、２、３、４、５のＭＢＭＳ／ユニキャスト混合セルが含まれる。またＴＡ（ｕｎｉｃａｓｔ）＃２には、セルＩＤ２３、２４、２５のＭＢＭＳ／ユニキャスト混合セルが含まれる。次に図３１（ｃ）を用いて説明する。ＴＡ（ＭＢＭＳ）＃１は、当該移動端末がＭＢＭＳ送信専用の周波数レイヤにてＭＢＭＳサービスを受信するＭＢＳＦＮエリアＩＤが対応する。つまり本発明では、ステップＳＴ１７４２にて、移動端末から「ＭＢＭＳ側受信状況通知」にてパラメータが送信され、ステップＳＴ１７４５にてＭＭＥが、当該パラメータであるｆ（ＭＢＭＳ）、ＭＢＳＦＮエリアＩＤを用いてＴＡ（ＭＢＭＳ）が決定することになる。
【００８８】
ステップＳＴ１７４７のＴＡリストの管理の詳細を説明する。ＭＭＥはステップＳＴ１７４５にて受信したｆ（ＭＢＭＳ）、ＭＢＳＦＮエリアＩＤを基にＭＭＥ内で管理しているＴＡ（ＭＢＭＳ）番号を検索する（例えば図３１（ｃ）を用いる）。次に、当該移動端末のＴＡリスト中に検索の結果判明したＴＡ（ＭＢＭＳ）が存在するか否か判断する。存在した場合、現状のＴＡリストを保存する。存在しなかった場合、当該移動端末のＴＡリストに前記ＴＡ（ＭＢＭＳ）を追加する。ステップＳＴ１７４８にてＭＭＥはＭＢＭＳ側受信状況通知を受信したことを示す応答信号Ａｃｋをサービングセルへ送信する。この応答信号に当該移動端末のＴＡリストを含めることが考えられる。ステップＳＴ１７４９にてサービングセルはＭＭＥよりＭＢＭＳ側受信状況通知のＡｃｋを受信し、ステップＳＴ１７５０にてＭＢＭＳ側受信状況通知のＡｃｋを移動端末へ送信する。ステップＳＴ１７５１にて移動端末はサービングセルよりＭＢＭＳ側受信状況通知のＡｃｋを受信する。ステップＳＴ１７５２にて移動端末は、周波数変換部１１０７の設定周波数を変更し、中心周波数をＭＢＭＳ送信専用の周波数レイヤの周波数（ｆ（ＭＢＭＳ））へ変更することによりＭＢＭＳ送信専用の周波数レイヤへ移動する。
【００８９】
図２１は、ユニキャスト側メジャメント処理を示すフローチャートである。以下、図２１を用いて実施の形態１で述べた「Ｕｎｉｃａｓｔ側メジャメント」について更に具体的に説明する。ステップＳＴ１７５３にて移動端末は、図１９のステップＳＴ１７２９で受信したＤＲＸ情報を用いて、ＭＢＭＳサービスのＤＲＸ期間開始タイミングが到来したか判断する。具体例としては、ステップＳＴ１７２９にて受信するパラメータ例のＤＲＸ周期、スターティングポイント値（ＤＲＸ）を用いてＤＲＸ期間が始まる先頭のＳＦＮ番号を求め、ＢＣＣＨ（報知制御チャネル）などにマッピングされるＳＦＮを基にＤＲＸ期間開始タイミングであるか否かを判断する。具体的な計算例は，ＳＦＮ＝ＤＲＸ周期×α＋スターティングポイント値（ＤＲＸ）  α：正の整数となる。開始タイミングでなかった場合、ステップＳＴ１７７２に移行する。開始タイミングであった場合、ステップＳＴ１７５４へ移行する。ステップＳＴ１７５４にて移動端末は、ステップＳＴ１７０５にて受信したＭＢＭＳ／ユニキャスト混合セルにおけるメジャメント周期であるか否かを判断する。メジャメント周期でなかった場合、ステップＳＴ１７７２に移行する。メジャメント周期であった場合、ステップＳＴ１７５５へ移行する。ステップＳＴ１７５５にて移動端末は、周波数変換部１１０７（シンセサイザ）の設定周波数を変更し、中心周波数をｆ（Ｕｎｉｃａｓｔ）へ変更することによりＭＢＭＳ／ユニキャスト混合セルの下り信号を受信するようにする。ステップＳＴ１７５６にて移動端末は、ユニキャスト側（ユニキャストセルまたは／かつＭＢＭＳ／ユニキャスト混合セル）のメジャメントを実行する。実際に移動端末が測定する値としては、サービングセルと周辺セルのＲＳＲＰ、ＲＳＳＩなどが考えられる。周辺セルの情報は、周辺セル情報（リスト）としてサービングセルから報知される場合もある。
【００９０】
ステップＳＴ１７５７にて移動端末は、ステップＳＴ１７５６にて測定した結果、サービングセルの再選択（cell re-selection）が必要か否か判断する。判断の具体例としては、周辺セルの中の１つのセルの測定結果が、サービングセルの測定結果を上回った場合などが考えられる。再選択が必要ない場合、ステップＳＴ１７７１へ移行する。再選択が必要な場合、ステップＳＴ１７５８、１７５９が実行される。ステップ１７５８にて新しくサービングセルとして選択する基地局（新しいサービングセル:New serving cell）は、ステップＳＴ１７０５同様、ＢＣＣＨ（報知制御チャネル）にてメジャメント周期、間欠受信周期、トラッキングエリア情報（ＴＡ情報）を傘下の移動端末に対して報知する。ステップＳＴ１７５９にて移動端末は、移動端末は新しいサービングセルからのＢＣＣＨを受信しデコードすることによりメジャメント周期、間欠受信周期、ＴＡ情報を受信する。ステップＳＴ１７６１〜ステップＳＴ１７７０までの説明は、ステップＳＴ１７１０〜ステップＳＴ１７１９までの説明と同様であるために省略する。ステップＳＴ１７７１にて移動端末は、周波数変換部１１０７の設定周波数を変更し、中心周波数をｆ（ＭＢＭＳ）へ変更することによりＭＢＭＳ送信専用の周波数レイヤへ移動する。
【００９１】
ステップＳＴ１７５３〜ステップＳＴ１７７１までの「Ｕｎｉｃａｓｔ側メジャメント」処理により、移動端末は、ＭＢＭＳ送信専用の周波数レイヤにてＭＢＭＳサービスを受信中であっても、ユニキャストセルまたは／かつＭＢＭＳ／ユニキャスト混合セルのメジャメントが可能となる。これによりＭＢＭＳ送信専用の周波数レイヤにてＭＢＭＳサービスを受信中の移動端末が、ユニキャストセルまたは／かつＭＢＭＳ／ユニキャスト混合セルにおいてのモビリティを確保することが可能になるという効果を奏する。これにより、上りリンクが存在しないＭＢＭＳ専用セルにおけるモビリティをＭＢＭＳ／ユニキャスト混合セル経由にて確保することが可能になるという効果を得ることができる。このため、ＭＢＭＳ送信専用の周波数レイヤでＭＢＭＳサービスを受信している移動端末においても、ページング信号を受信可能になるという効果を奏する。また、ＭＢＳＦＮ送信専用周波数レイヤにてサービスを受信中の移動端末においてもユニキャストセルまたはＭＢＭＳ／ユニキャスト混合セルとの測定を通じた下り同期確立をメジャメント周期により行う。これにより、本発明の第二の課題である、上りリンクが存在しないＭＢＭＳ送信専用の周波数レイヤにてページング信号を受信した移動端末が、ユニキャストセルまたはＭＢＭＳ／ユニキャスト混合セルにてページング信号に対する応答を送信する場合であっても、制御遅延少なく実現可能となる効果を得ることが出来る。
【００９２】
図２２は、ＭＢＭＳ受信時における間欠受信処理を示すフローチャートである、図２２は、図１７を用いて実施の形態１で述べた「ＭＢＭＳ受信時  間欠受信」について更に具体的に説明するものである。図２１のステップＳＴ１７７２にて移動端末は、ＭＣＣＨスケジューリング情報により、受信中のＭＢＳＦＮエリア番号のＭＣＣＨ受信タイミングであるか判断する。つまり、移動端末はステップＳＴ１７２５にて受信したＭＣＣＨ（マルチキャスト制御チャネル）のスケジューリングを用いて、ＭＣＣＨ受信タイミングであるか否か判断する。具体的には、ステップＳＴ１７２５にて受信するパラメータ例のＭＣＣＨ繰り返し期間、スターティングポイント値を用いてＭＣＣＨがマッピングされる先頭のＳＦＮ番号を求め、ＢＣＣＨなどにマッピングされるＳＦＮを基にＭＣＣＨがマッピングされる先頭であるか否かを判断することにより、ＭＣＣＨがマッピングされる先頭のＳＦＮ番号であるか否かを判断する。ＭＣＣＨがマッピングされる先頭のタイミングでなかった場合、ステップＳＴ１７５３へ移行する。ＭＣＣＨがマッピングされる先頭のタイミングであった場合、ステップＳＴ１７７３へ移行する。またステップＳＴ１７７２は、例えば図２６であればＭＣＣＨ  Ｒｅｐｅｔｉｔｉｏｎ  Ｐｅｒｉｏｄ１ごとに判断するとしても良い。
【００９３】
ここで、ステップＳＴ１７７２にてＭＣＣＨの受信タイミング（ＭＣＣＨがマッピングされている先頭のＳＦＮ番号）とＭＢＭＳ受信時の間欠受信周期が別々であっても構わない。別々にすることにより、ＭＢＭＳ受信時の間欠受信周期の設定をネットワークの状況などに応じて「長く」「短く」することが可能となり、より自由度の高い移動体通信システムを構築することが可能となる。ＭＢＭＳ受信時の間欠受信周期は、ステップＳＴ１７０７にてサービングセルからＢＣＣＨにマッピングされて移動端末へ通知されてもよいし、ステップＳＴ１７２３にてＭＢＭＳ専用セルからＢＣＣＨにマッピングされて移動端末へ通知されてもよい。また、ステップＳＴ１７２８にてＭＢＭＳ専用セルからＭＣＣＨにマッピングされて移動端末へ通知されてもよい。具体的には、ステップＳＴ１７７２にてＭＢＭＳ受信時の間欠受信タイミングであるか否かを判断し、間欠受信タイミングであれば、ステップ１７８４へ移行する。間欠受信タイミングでなければ、ＭＣＣＨの受信タイミングであるか否かを判断し、ＭＣＣＨの受信タイミングであれば、ステップＳＴ１７８８へ移行する。ＭＣＣＨの受信タイミングでなければ、図２１のステップＳＴ１７５３へ移行する。
【００９４】
ステップＳＴ１７７３にて、当該移動端末へページングが発生すると、ステップＳＴ１７７４にてＭＭＥはページングのあて先となる移動端末の識別子（UE-ID,IMSI,S-TMSIなど）を基に当該移動端末のトラッキングエリア(TA)リストを確認する。ステップＳＴ１７７５にてＭＭＥは、当該移動端末のトラッキングエリアリスト中にＴＡ（ＭＢＭＳ）が含まれているか否か判断する。具体例としては、図３１（ａ）のようなリストにてＵＥ−ＩＤを基に当該移動端末のトラッキングエリアリストを検索する。当該移動端末が図３１（ａ）のＵＥ＃１（UE-ID#1）であった場合にはＴＡ（ＭＢＭＳ）は含まれないと判断する。一方当該移動端末が図３１（ａ）のＵＥ＃２（ＵＥ−ＩＤ＃２）であった場合には、ＴＡ（ＭＢＭＳ）＃１が含まれているので、ＴＡ（ＭＢＭＳ）は含まれると判断する。ＴＡ（ＭＢＭＳ）が含まれていない場合、ステップＳＴ１８１４へ移行する。ＴＡ（ＭＢＭＳ）が含まれていた場合、ステップＳＴ１７７６へ移行する。ステップＳＴ１７７６にてＭＭＥはＭＣＥに対してページングリクエスト（Paging Request）を送信する。つまり、図１０のＭＭＥ１０３はＭＣＥ８０１に対してＭＭＥ−ＭＣＥ間インタフェースを用いてページングリクエストを送信する。ＭＭＥからページングリクエストを送信するＭＣＥとしては、ＭＭＥが管理する基地局と地理的に重なっている基地局を管理する全ＭＣＥが考えられる。
【００９５】
ページングリクエスト中のパラメータの具体例としては、移動端末の識別子（UE-ID,IMSI,S-TMSIなど）、ＴＡ（ＭＢＭＳ）ナンバなどが考えられる。この時、ＴＡ（ＭＢＭＳ）ナンバの代わりにｆ（ＭＢＭＳ）かつＭＢＳＦＮエリアＩＤの両方、あるいはＭＢＳＦＮエリアＩＤのみとしても良い。ステップＳＴ１７７７にてＭＣＥはページングリクエストを受信する。ステップＳＴ１７７８にてページングリクエストを受信したＭＣＥのうち、ページングリクエスト中のパラメータとして通知された、ＴＡ（ＭＢＭＳ）ナンバと関連付けられたＭＢＳＦＮエリアＩＤを制御しているＭＣＥは、ページング送信準備を行う。一方、ＴＡ（ＭＢＭＳ）ナンバと関連付けられたＭＢＳＦＮエリアＩＤを制御していないＭＣＥはページング送信準備を行わない。ページング送信準備の具体例としては、自基地局（自ＭＢＳＦＮエリア）のページンググループ数ＫＭＢＭＳと受信したページングリクエストを用いて当該移動端末のページンググループを算出する。算出の際には、移動端末側で用いた算出式と同じ式を用いる（Ｐａｇｉｎｇグループ＝ＩＭＳＩ  ｍｏｄ  ＫＭＢＭＳ）。上記のように、ページングリクエストを受信したＭＣＥ側で、ＴＡ（ＭＢＭＳ）ナンバ（ＭＢＳＦＮエリア）とＭＣＥの対応付けを管理する方法は、ＭＢＳＦＮエリアＩＤとそれを制御するＭＣＥとの関係をＭＢＭＳサービスのアーキテクチャ内のみで行えるため、つまりＭＭＥと無関係に行えるため、自由度の高い移動体通信システムを構築することが可能になるという効果を得ることが出来る。
【００９６】
またＭＭＥが図３１（ｃ）に示すように、ＴＡ（ＭＢＭＳ）ナンバと関係するＭＢＳＦＮエリアＩＤを管理し、更には図３１（ｄ）に示すように、ＭＢＳＦＮエリアＩＤとそれを制御するＭＣＥの番号を管理する場合を考える。その場合、ステップＳＴ１７７６にてＭＭＥは、ＴＡ（ＭＢＭＳ）ナンバと関係するＭＢＳＦＮエリアＩＤを管理するＭＣＥのみにページングリクエストを送信する。その時のページングリクエスト中のパラメータの具体例としては、移動端末の識別子などが考えられる。ステップＳＴ１７７８にてページングリクエストを受信したＭＣＥは、上記同様ページング送信準備を行う。上記のように、ＭＭＥ内でＭＢＳＦＮエリアＩＤとそれを制御するＭＣＥとの関係を管理する方法（図３１（ｄ））は、ＭＭＥからページングリクエストを通知するＭＣＥの数が少なくなるためリソースの有効活用が可能となる効果を得られる。また通知する情報量が少なくなるためにリソースの有効活用が可能となる効果を得られる。
【００９７】
またＭＭＥが図３１（ｃ）に示すように、ＴＡ（ＭＢＭＳ）ナンバと関係するＭＢＳＦＮエリアＩＤを管理し、更に図３１（ｅ）に示すように、ＭＢＳＦＮエリアＩＤとＭＢＳＦＮエリアＩＤに含まれるＭＢＭＳ専用セルまたは／かつＭＢＭＳ／ユニキャスト混合セルのセルＩＤを管理する場合を考える。その場合、ステップＳＴ１７７６にてＭＭＥは、ＭＣＥではなくＭＭＥが管理するＭＢＳＦＮエリアＩＤに含まれるセルに対して、ページングリクエストを送信する。その時のページングリクエスト中のパラメータの具体例としては、移動端末の識別子などが考えられる。上記のように、ＭＭＥ内でＭＢＳＦＮエリアＩＤとＭＢＳＦＮエリアＩＤに含まれるセルの関係を管理する方法（図３１（ｅ））は、ＭＣＥにて移動端末のページング信号送信に関する処理を行わなくてもよくなる。このことは、ＭＣＥへの機能追加を行わなくても良くなるのでＭＣＥの複雑性を回避できるという効果を得ることができる。またＭＣＥの処理負荷の低減を図れるという効果を得ることが出来る。
【００９８】
図３２は、ＭＢＭＳ送信専用周波数レイヤにおけるページング信号をマッピングするチャネル構成例を説明する説明図である。図３２（ａ）はＰＭＣＨ（Physical multicast channel）上にＭＢＭＳ関連情報とページング信号を含む構成を示す図である。ＭＢＭＳ関連の情報はＭＢＭＳ用のロジカルチャネルＭＴＣＨ、ＭＣＣＨ上にのる。ＭＢＭＳ関連の情報とページング信号は、各々がＭＴＣＨ、ＭＣＣＨ内の情報要素として存在しても良いし、各々がマッピングされる物理領域(リソース)が時間的に分割多重されても良い。あるＭＢＳＦＮエリア内の全てのセルは、該ＭＢＳＦＮエリアに対応するＰＭＣＨにおいて、ＭＢＳＦＮエリア内でＭＣＣＨを周期的にマルチセル送信する。一方、該ＭＢＳＦＮエリア内セルからマルチセル送信されるＭＢＭＳサービスを受信している、あるいはしようとしている移動端末は、該ＭＣＣＨを定期的に受信し、ＭＢＭＳサービスの内容やフレーム構成等を受信することによって、ＭＢＭＳサービスを受信可能とする。
【００９９】
ページング信号を該ＭＣＣＨに含ませることによって、ＭＢＭＳサービスを受信している、あるいはしようとしている移動端末がＭＣＣＨを受信する際にページング情報を受信可能とすることができる。これにより、移動端末はＭＣＣＨを受信する以外のタイミングで別途ページングを受信する必要がなくなるため、ＭＢＭＳサービスの受信を中断することなくページングを受信可能となる。また、ＭＣＣＨを受信していない時間、ＭＢＭＳサービスの受信を行っていない持間はＤＲＸ動作（受信動作をストップ）することができ、移動端末の消費電力の削減が図ることができる。また、ＭＣＣＨとページング信号がのるＰＣＣＨが同じＭＢＳＦＮサブフレームに構成されるようにしても良いし、ＭＣＣＨの乗るＭＢＳＦＮサブフレームとページング信号ののるＭＢＳＦＮサブフレームを時間的に隣接するようにしておいても良い。このような構成にすることで、ＭＢＭＳサービスを受信している、あるいはしようとしている移動端末がＭＣＣＨを受信する際にページング信号を連続して受信可能とすることができる。これにより、移動端末はＭＣＣＨおよびページング信号ののる連続したＭＢＳＦＮサブフレームを受信する以外のタイミングでページングのための受信をする必要が無くなるため、ＭＢＭＳサービスの受信を中断することなくページング信号を受信可能となる。また、ＭＣＣＨおよびページング信号を受信していない時間、ＭＢＭＳサービスの受信を行っていない持間はＤＲＸ動作することができ、移動端末の消費電力の削減が図れる。
【０１００】
図３２（ｂ）に、ＭＢＭＳ制御情報が変更されたかどうかを示すインジケータ、ページング信号が送信されたかどうかを示すインジケータを設けた構成を開示する。ＭＢＭＳ制御情報が変更されたかどうかを示すインジケータをＭＢＭＳ関連情報の変更有無インジケータとし、ページング信号が送信されたかどうかを示すインジケータをページング信号有無インジケータとする。インジケータがマッピングされる物理領域はＰＭＣＨが送信されるＭＢＳＦＮサブフレームに設けられても良いし、また、ＰＭＣＨが送信されるＭＢＳＦＮサブフレームと時間的に隣接する物理領域に設けられても良い。こうすることにより、移動端末はインジケータ受信後ただちにＰＭＣＨにのるＭＣＣＨやページング信号を受信しデコード可能となる。具体的には、例えば、インジケータとして１ビット(bit)の情報とする。各インジケータはＭＢＳＦＮエリア固有の拡散コード等が乗じられ、あらかじめ決められた物理領域にマッピングされる。別の方法として例えば、各インジケータはＭＢＳＦＮエリア固有のシーケンスからなり、予め決められた物理領域にマッピングされても良い。移動端末に着信がかかった場合、例えばページング信号有無インジケータを“1”にセットし、着信がない場合はページング信号有無インジケータを“0”にセットする。また、例えば、ＭＢＳＦＮエリア内で送信されるＭＢＭＳサービスの内容が変更されるなどしてＭＣＣＨにのるＭＢＭＳ制御情報が変更された場合、例えばＭＢＭＳ関連情報の変更有無インジケータを“1”にセットする。１回以上のＭＢＭＳ制御情報とＭＢＭＳ関連情報変更有無インジケータを含むＭＢＭＳ関連情報の変更が可能な周期(MBMS modification periodとする)を決めておき、該周期内でＭＢＭＳ関連情報変更有無インジケータ“1”を繰り返し送信する。MBMS modification period、スタートタイミング(SFN,スターティングポイント)、等はあらかじめ決められていても良いし、ユニキャストサービスでのサービングセルから、もしくはＭＢＭＳ専用セルから報知情報で通知されても良い。該ＭＢＭＳ変更期間分経過した後に更にＭＢＭＳ関連情報の変更が無い場合は、例えばＭＢＭＳ関連情報の変更有無インジケータを“0”にセットする。移動端末は、所望のＭＢＳＦＮエリアのＭＣＣＨ内のインジケータを受信し逆拡散等を行い、インジケータが１か０かを判定することで、ＭＣＣＨ内に存在するＭＢＭＳ関連の情報に変更が生じたかどうかや、ページング信号が存在するかどうかを判断することが可能となる。
【０１０１】
このようにインジケータを設けることで、ＭＢＭＳ制御情報に変更が生じ無い場合や、ページング信号が存在しない場合は、移動端末はＰＭＣＨ全部の情報を受信または／かつデコードする必要が無くなる。このため、移動端末の受信電力の削減を図ることが可能となる。ＭＢＭＳ関連情報の変更が可能な周期を決めておき、該１周期期間内で１回以上の同じＭＢＭＳ制御情報が送信されるようにしておくことで、移動端末は同じＭＢＭＳ制御情報を１回以上受信することが可能となるため、ＭＢＭＳ制御情報の受信誤り率を低下させることができ、従って、ＭＢＭＳサービスの受信品質を向上することが可能となる。ＭＢＭＳ制御情報が変更されたかどうかを示すＭＢＭＳ関連情報変更有無インジケータをマッピングする物理領域を、ＭＢＭＳ制御情報がマッピングされるひとつまたは複数のＭＢＳＦＮサブフレームの最初のＭＢＳＦＮサブフレームとしても良い。さらに、該最初のＭＢＳＦＮサブフレームの先頭のＯＦＤＭシンボルとしても良い。これにより、移動端末は、最初のＯＦＤＭシンボルを受信することで、ＭＢＭＳ制御情報に変更が生じたかどうかを判断することが可能となる。
【０１０２】
また、ページング信号が存在するかどうかを示すページング信号有無インジケータをマッピングする物理領域を、ページング信号がマッピングされるひとつまたは複数のＭＢＳＦＮサブフレームの最初のＭＢＳＦＮサブフレームとしても良い。さらに、該最初のＭＢＳＦＮサブフレームの先頭のＯＦＤＭシンボルとしても良い。これにより、移動端末は、最初のＯＦＤＭシンボルを受信することで、ページング信号が存在するかどうかを判断することが可能となる。各インジケータを上記のような物理領域にマッピングすることで、MBMS制御信号変更無しの場合、ページング情報が存在しない場合、各々その後のＯＦＤＭシンボルを受信または／かつデコードする必要が無くなり、さらなる移動端末の受信電力の削減をはかることが可能となる。また、最初のＭＢＳＦＮサブフレームや先頭のＯＦＤＭシンボルで早期に判断できるので、ＭＢＭＳ制御情報をただちに受信することができたり、または、ページング信号をただちに受信することができたりするため、移動端末での制御遅延を低減することが可能となる。
【０１０３】
インジケータとして，MBMS関連情報の変更有無インジケータとページング信号有無インジケータを同じ物理領域にマッピングしても良いし、各々異なる物理領域にマッピングしても良い。同じ物理領域にマッピングする場合は、各インジケータのオア(or)演算をとれば良い。これにより移動端末は受信するインジケータがひとつですむため、受信回路構成を間単にできる効果が得られる．各々異なる物理領域にマッピングする場合は、移動端末は、必要なインジケータのみ受信しておけば良く、他のインジケータを受信する必要はなくなる。したがって、移動端末の受信電力のさらなる削減や、必要な情報の受信遅延のさらなる低減が図れる。例えば、ＭＢＭＳサービスを受信しているが、ページング信号を受信しないように設定している移動端末では、ＭＢＭＳ関連情報の変更有無インジケータのみ受信すればよく、ページング信号有無インジケータを受信する必要をなくすことができる。また、ＭＢＭＳ関連情報の変更有無インジケータとページング信号有無インジケータが異なる物理領域にマッピングされると、ステップＳＴ１７７２にてＭＣＣＨの受信タイミング（ＭＣＣＨがマッピングされている先頭のＳＦＮ番号）あるいはＭＢＭＳ関連変更有無インジケータ繰り返し周期とページング信号有無インジケータ繰り返し周期が別々の値に設定された場合、ＭＣＣＨの受信タイミングあるいは、ＭＢＭＳ関連変更有無インジケータ繰り返し期間ではＭＢＭＳ関連情報の変更有無インジケータのみを受信または／かつデコードし、ページング信号有無インジケータ繰り返し周期ではページング信号有無インジケータのみ受信または／かつデコードすることが可能となる。これにより、移動端末の処理時間が短くなり、低消費電力化が可能になるという効果を得ることができる。
【０１０４】
各々のインジケータの繰返し周期は同じでも良いし、異なっていても良い。各々のインジケータの繰返し周期はＭＣＣＨの繰返し周期と同じでも良いし、異なっていても良い。例えばＭＢＭＳ関連情報の変更有無インジケータの繰返し周期をＭＣＣＨの繰返し周期（MCCH Repetition Period）と同じにし、ページング信号有無インジケータの繰返し周期をＭＣＣＨの繰返し周期のｎ倍（ｎは2以上の整数）にする。こうすることで、ＭＢＭＳ受信時の間欠受信周期の設定をネットワークの状況などに応じて「長く」「短く」することが可能となり、より自由度の高い移動体通信システムを構築することが可能となる。インジケータの繰返し周期は、各々、ページング信号有無インジケータ繰返し周期（Repetition period）、ＭＢＭＳ関連変更有無インジケータ繰返し周期（Repetition period）とする。インジケータの存在するＭＢＳＦＮサブフレームのスタートタイミング(SFN,スターティングポイント)、サブフレームナンバ、各々のインジケータの繰り返し周期等はユニキャストサービスのサービングセルの報知情報で通知されても良いし、ＭＢＭＳ専用セルの報知情報で通知されても良いし、あらかじめ決められていても良い。この場合、移動端末はステップＳＴ１７７２、あるいはステップＳＴ１７８８、あるいはステップＳＴ１７８９をMBMS関連変更有無インジケータ繰返し周期ごとに行う。ＭＢＭＳ関連情報の変更有無インジケータ専用のチャネルを、例えばＭＩＣＨ(MBMS Indicating CHannel)としても良く、さらには、ＭＩＣＨ内にページング信号有無インジケータを構成するようにしても良い。ＭＩＣＨの繰り返し周期を「ＭＩＣＨ繰返し周期」（MICH Repitition period）とする。ページング信号有無インジケータの繰返し周期はＭＩＣＨの繰返し周期と同じでも良いし異なっていても良い。インジケータの通知に関しては先に記載した同様の方法で行うことができる。この場合、移動端末はステップＳＴ１７７２、あるいはステップＳＴ１７８４をページング信号有無インジケータ繰返し周期ごとに行う。これにより、各々のインジケータが送信される時間がＭＣＣＨが送信される時間に限定されず、システムにおいて柔軟に設計することが可能となる。
【０１０５】
ページング信号をＰＭＣＨに含める場合、着信がかかった移動端末の数が膨大になった場合、自移動端末の宛てのページング信号を検出するのに時間がかかりすぎてしまうという問題が生じる。また、ページング信号ののる所定の物理領域に、着信がかかった全ての移動端末のページング信号をマッピングする領域が確保できないという問題が生じる。これらの問題を解決するため、ページンググループ化する方法を開示する。図３２（ｃ)に、ページンググループ化の方法について示す。全移動端末をＫ個のグループに分け、各グループ毎にページング信号有無インジケータを設ける。ＭＣＣＨ内のページング信号有無インジケータ用の物理領域をＫ個に分割し、分割した各々の物理領域に各グループのページング信号有無インジケータをマッピングする。ここで、Ｋは１から全移動端末数の値までをとりうる。ある移動端末に着信がかかった場合、該移動端末が属するグループのページング信号有無インジケータを“1”にセットする。あるグループに属する全ての移動端末に着信がない場合は該グループのページング信号有無インジケータを“0”にセットする。ページング信号有無インジケータは移動端末での所望の受信誤り率を満足するためにリピテーション等が行われても良い。ページング信号をマッピングする物理領域もK個に分割し、上記Ｋ個のグループに対応するようにしておく。ページング信号として、移動端末毎の識別子（識別番号、識別コード）であっても良い。Ｋ個に分割されたひとつの物理領域は、移動端末１台が必要とするページング信号データが収まる物理領域を、グループ内の移動端末数分加算した物理領域とする。グループ内の移動端末数はグループ全てで同じであっても良いし、グループ毎に異なっていても良い。
【０１０６】
グループ内の移動端末数は、例えば、同時に着信が発生する移動端末数の平均値とする方法がある。また、全周波数帯域のひとつのＯＦＤＭシンボルに割り当て可能な移動端末台数とし、各ＯＦＤＭシンボルを各グループに対応させる方法としても良い。ある移動端末に着信がかかった場合、該移動端末が属するグループのページング信号有無インジケータを“1”にセットし、該グループに対応したページング信号有無インジケータ用物理領域にマッピングする。それとともに、着信がかかった移動端末向けのページング信号を、該移動端末が属するグループに対応するページング信号の物理領域にマッピングする。ページング信号の物理領域へのマッピングは、移動端末毎に該移動端末固有の識別コードを乗じる方法とする。ページング信号が移動端末毎の識別子であってもよく、この場合は上記移動端末固有の識別コードを乗じる制御を省略できる。移動端末は、自移動端末が属するグループのページング信号有無インジケータを受信することで、自移動端末が属するグループに着信がかかっているかどうか判定する。着信がかかっていると判定した場合、自移動端末が属するグループに対応づけられたページング信号がマッピングされる物理領域を受信しデコードする。デコード後、移動端末固有の識別コードとの相関演算を行うことによりブラインドディテクションを行い、自移動端末向けのページング信号を特定することで、自移動端末への着信有りと判定することが可能となる。自移動端末向けのページング信号を検出しなかった場合は、自移動端末への着信なしと判定する。
【０１０７】
移動端末をＫ個のグループにグルーピングすることで、移動端末は、ページング信号用領域全てを受信する必要が無くなり、必要な領域のみ、すなわち自移動端末が属するグループが対応する物理領域のみ受信すればよくなるため、移動端末でのページング信号検出時間の短縮が図れ、さらには自移動端末が属さないグループの対応する物理領域を受信する必要がなくなるため移動端末の受信電力の削減が図れる。さらには、グループ毎に対応したページング信号有無インジケータを用いることで、多数の移動端末がある場合も少ない物理リソースでページング信号有無インジケータを設けることができる。さらには、移動端末は必要に応じてページング信号用領域を受信すればよく、移動端末の受信電力の削減が可能となるとともに、ページング信号を受信する必要がない場合はすぐに次の動作に移行できるため、制御遅延を小さくすることが可能となる。
【０１０８】
上記実施の形態では、ページング信号をマッピングする、Ｋ個に分割されたひとつの物理領域は、移動端末１台が必要とするページング信号データが収まる物理領域を、グループ内の移動端末数分加算した物理領域としていた。しかし、移動端末数が多大になると、必要とする物理領域が多大になり、ＭＢＭＳサービスを送信するためのオーバーヘッドが多大になるためＭＢＭＳサービスデータの送信速度が低下する。これを防ぐため、移動端末向けのページング信号に移動端末毎に該移動端末固有の識別コードを乗じる。これにより、移動端末は自移動端末宛ての情報かどうかを該移動端末固有の識別コードを用いてブラインド検出（Blind Detection）することが可能となるため、各移動端末毎のページング信号をマッピングする物理領域をあらかじめ固定しておく必要がなくなる。したがって、全移動端末分のページング信号用の物理領域を必要とせず、実際に着信が生じると予測される移動端末数分の領域さえあれば良い。例として、グループ内の移動端末数を、同時に着信が発生する移動端末数の平均値とする方法がある。この方法により、限られた物理リソースを有効に利用することが可能となる。また、上記の方法とすることで、たとえ予測以上に着信する移動端末数が多くなった場合でも、新しい着信の移動端末へのページング信号を次のＰＭＣＨ上で送信することが可能となる等、基地局でのスケジューリングにより柔軟に対応することが可能となる。
【０１０９】
全移動端末数が少ない場合、Ｋの値を全移動端末数として、ページング信号有無インジケータのみ送信しても良い。この場合、ページング関連の物理領域を確保する必要が無く、ページング信号有無インジケータ用の物理領域を全移動端末数分確保しておけばよい。このため、無線リソースの効率化が図れる。また、この場合、移動端末毎に対応するページング信号有無インジケータ用の物理領域が存在することになる。このため、移動端末においては、自移動端末に対応したページング信号有無インジケータ用の物理領域を受信してデコードするだけで、ページング信号用領域を受信せずに、着信の有無が判定でき、移動端末のページング動作での制御遅延が低減できる。
【０１１０】
図３３に、ページング信号をＰＭＣＨ上のページング信号ののる物理領域にマッピングする方法の一例を示す。ページンググループｎに属する移動端末のうち、着信がかかっている移動端末のn1、n2等に対してページング信号を、該グループnに対する物理領域にマッピングする。基地局は、各々の移動端末のページング信号に該移動端末固有の識別コード(番号、シーケンス)を乗じ、ＣＲＣ付加を行い、エンコード、レートマッチング等の処理を行う。ページング信号が移動端末毎の識別子である場合は上記移動端末固有の識別コードを乗じる制御を省略できる。これら一連の処理を行った結果を、マッピングする物理領域の大きさに対応した情報要素単位に割当て、着信がかかっている各々の移動端末分連結する。連結した結果を、ＭＢＳＦＮエリア固有のスクランブリングコードによるスクランブリング処理、変調処理等を行う。変調処理は、ＭＢＳＦＮエリア固有であっても良い。これらの処理を行った結果をページンググループｎに対応する物理領域へマッピングする。この際、基地局は、ページンググループｎのページング信号有無インジケータに“1”をセットし、ページング信号有無インジケータのページンググループnの物理領域にマッピングする。ページンググループnに対応する物理領域は、あらかじめ決められていても良いし、報知情報としてユニキャスト側サービングセルもしくはＭＢＭＳ専用セルから通知されても良い。移動端末では、自移動端末が属するページンググループのページング信号有無インジケータを受信し、“1”であれば、該ページンググループに対応するページング信号用物理領域を受信する。ページング信号用物理領域を受信し、復調、ＭＢＳＦＮエリア固有のスクランブリングコードによるデスクランブリングを行い、その結果を情報要素単位に分割する。分割した情報要素単位毎にデコード等の処理を行い、自移動端末固有の識別番号により相関演算を行うことによって、自移動端末向けのページング信号をブラインドディテクションする。ある閾値より相関演算結果が大きい場合は自移動端末向けのページングが有ると判定し、ページング信号によりページング着信動作に入る。ある閾値以下の場合は自端末向けのページングは無しと判定し、ＭＢＭＳ関連情報の受信に移行する、またはＭＢＭＳ関連情報の受信の必要がなければＤＲＸ動作に移行する。自移動端末がどのグループに属するかは、あらかじめ決められた計算方法によって導出されても良いし、上位レイヤから、報知情報としてユニキャストサービスのサービングセルもしくはＭＢＭＳ専用セルから通知されても良い。
【０１１１】
図３４に、ページング信号をＰＭＣＨ上のページング信号ののる物理領域にマッピングする方法の別の例を示す。ページンググループｎに属する移動端末のうち、着信がかかっている移動端末のn1、n2等に対してページング信号を、該グループｎに対する物理領域にマッピングする。基地局は、各々の移動端末のページング信号にＣＲＣ（Cyclic Redundancy Check）付加を行い、エンコード、レートマッチング等の処理を行う。それら処理を行った結果に、該移動端末固有の識別コード(番号)を乗じる。該移動端末固有の識別コードを直交性を有す拡散コードとして、移動端末間で直交性が得られるようにする。基地局は、該拡散コードを乗じた結果を、着信がかかっている各々の移動端末分多重する。多重した結果を、ＭＢＳＦＮエリア固有のスクランブリングコードによるスクランブリング処理、変調処理等を行う。変調処理は、ＭＢＳＦＮエリア固有であっても良い。これらの処理を行った結果をページンググループｎに対応する物理領域へマッピングする。この際、基地局は、ページンググループｎのページング信号有無インジケータに“1”をセットし、ページング信号有無インジケータのページンググループnの物理領域にマッピングする。ページンググループｎに対応する物理領域は、あらかじめ決められていても良いし、報知情報としてユニキャスト側サービングセルもしくはＭＢＭＳ専用セルから通知されても良い。
【０１１２】
移動端末では、自移動端末が属するページンググループのページング信号有無インジケータを受信し、“1”であれば、該ページンググループに対応するページング信号用物理領域を受信する。ページング信号用物理領域を受信し、復調、ＭＢＳＦＮエリア固有のスクランブリングコードによるデスクランブリングを行う。その結果を自移動端末固有の識別番号により相関演算を行うことによって、自移動端末向けのページング信号をブラインド検出する。ある閾値より相関演算結果が大きい場合は自移動端末向けのページングが有ると判定し、デコードを行った後のページング信号によりページング着信動作に入る。ある閾値以下の場合は自端末向けのページングはなしと判定し、ＭＢＭＳ関連情報の受信に移行する、またはＭＢＭＳ関連情報の受信の必要がなければＤＲＸ動作に移行する。自移動端末がどのグループに属するかは、あらかじめ決められた計算方法によって導出されても良いし、上位レイヤから、報知情報としてユニキャストサービスのサービングセルもしくはMBMS専用セルから通知されても良い。なお、図３３、図３４で記載したページング信号は、ページング信号のマッピングされたトランスポートチャネルとしても良い。これは以降の実施例においても適用できる。移動端末がページング受信時に必要となるページング関連の情報であるページング信号ののった情報であれば良い。
【０１１３】
ページング信号をPMCHのページング信号ののる領域にマッピングするいくつかの方法を開示したが、該ページング信号ののる領域へのマッピングは、任意のあらかじめ決められた領域でも良いし、ローカライズド(周波数軸上で連続する物理領域)にマッピングしても良いし、ディストリビューテッド(周波数軸上で分散する物理領域)にマッピングしても良い。
【０１１４】
上記の例ではページング信号に移動端末固有の識別番号や拡散コードを乗じる構成とした。このような構成とすることで、ページング信号の情報量が各移動端末で同じ場合、エンコード、レートマッチング等の処理を各移動端末間で同じにすることで、割当てる情報要素単位の領域の大きさを同じにすることが可能となる。従って、移動端末においてブラインド検出する情報要素単位の領域の大きさがひとつに限られるため、ブラインド検出の回数が削減でき、検出時間の短縮も図れる。従って、移動端末の回路構成の削減、消費電力の削減、制御遅延の低減を図れる効果が得られる。
【０１１５】
上記のように、ページング信号に移動端末固有の識別番号や拡散コードを乗じ、ページンググループ毎にＰＭＣＨのページング信号ののる領域にマッピングすることで、移動端末は、ページング信号用領域全てを受信する必要がなくなり、必要な領域のみ、すなわち自移動端末が属するグループが対応する物理領域のみ受信すればよくなるため、移動端末でのページング信号検出時間の短縮が図れ、さらには時移動端末が属さないグループの対応する物理領域を受信する必要がなくなるため移動端末の受信電力の削減が図れる。さらには、グループ毎に対応したページング信号有無インジケータを用いることができ、多数の移動端末がある場合も少ない物理リソースでページング信号有無インジケータを設けることができる。さらには、移動端末は必要に応じてページング信号用領域を受信すればよく、移動端末の受信電力の削減が可能となるとともに、ページング信号を受信する必要がない場合はすぐに次の動作に移行できるため、制御遅延を小さくすることが可能となる。さらには、移動端末は自移動端末宛ての情報かどうかを該移動端末固有の識別コードや拡散コードを用いてブラインド検出することが可能となるため、各移動端末毎のページング信号をマッピングする物理領域をあらかじめ固定しておく必要がなくなり、全移動端末分のページング信号用の物理領域を必要とせず、実際に着信が生じると予測される移動端末数分の領域さえあれば良いため、限られた物理リソースを有効に利用することが可能となる。さらには、たとえ予測以上に着信する移動端末数が多くなった場合でも、新しい着信の移動端末へのページング信号を次のＭＣＣＨののるPMCH上で送信することが可能となる等、基地局でのスケジューリングにより柔軟に対応することが可能となる。
【０１１６】
上記の例では基地局においてページング信号に移動端末固有の識別番号を乗じることとした。しかし、ページング信号ではなくＣＲＣに移動端末固有の識別番号を乗じる方法を用いることも可能である。ＣＲＣに移動端末固有の識別番号を乗じる方法は、各移動端末のページング信号の情報量が異なる場合に有効である。上記で開示したＰＭＣＨ上にページング信号をのせる方法とすることで、移動体通信システムとして、ＭＢＭＳ専用セルからＭＢＭＳサービスを受信しているもしくは受信しようとしている全移動端末のページング信号を送信できるようになり、該移動端末がMBMS専用セルからページング信号を受信することを可能とする。
【０１１７】
以降、ＭＢＭＳ送信専用周波数レイヤにおけるページング信号をマッピングするチャネル構成については図３２（ｃ）、図３３を例にして説明する。ステップＳＴ１７７９にてＭＣＥは、当該移動端末のページング信号のスケジューリングを行う。具体的には、ステップＳＴ１７７８にて算出した当該移動端末のページンググループ番号に割り当てられた物理領域にマッピングされる情報要素の何番目に当該移動端末の識別子を割り当てるかを決定する。このスケジューリングをＭＣＥにて行うことによりＭＢＳＦＮエリア内に含まれる基地局の同じ物理リソースから当該移動端末の識別子が送信されることになる。これにより、移動端末はＭＢＳＦＮエリアにてマルチセル送信されているＰＭＣＨを受信することにより、ＳＦＮゲインの恩恵を受けたページング信号が受信可能となるという効果を得ることができる。ステップＳＴ１７８０にてＭＣＥはＭＢＳＦＮエリア内の基地局に対して当該移動端末に対するページングリクエストを送信する。ページングリクエストに含まれるパラメータの具体例としては、移動端末の識別子（UE-ID,IMSI,S-TMSIなど）、ステップＳＴ１７７９にて行ったページング信号のスケジューリング結果（具体的にはSFN、MBSFNサブフレームナンバ、情報要素ナンバ）などが考えられる。ステップＳＴ１７８１にてＭＢＳＦＮエリア内の各基地局はＭＣＥからのページングリクエストを受信する。
【０１１８】
図１０に示す、ＭＭＥ１０３とＭＣＥ８０１間にＭＭＥ―ＭＣＥ間ＩＦを設ける代わりに、ＭＭＥ１０３とＭＢＭＳ  ＧＷ８０２（更に詳しくは、ＭＢＭＳ  ＣＰ８０２−１）間にＭＭＥ−ＭＢＭＳ  ＧＷインタフェースを設けてもよい。そして、ステップＳＴ１７７６〜ステップＳＴ１７８０までのＭＣＥの処理内容をＭＢＭＳ  ＧＷで行うとしても本発明と同じ効果が得られる。
【０１１９】
ステップＳＴ１７８２にてＭＢＳＦＮエリア内の各基地局は当該移動端末ページンググループを算出する。算出方法の具体例としては、自基地局（自ＭＢＳＦＮエリア）のページンググループ数ＫＭＢＭＳと受信したページングリクエストを用いて当該移動端末のページンググループを算出する。算出の際には、移動端末側で用いた算出式と同じ式を用いる（ページンググループ＝ＩＭＳＩ  ｍｏｄ  ＫＭＢＭＳ）。ステップＳＴ１７８０にて当該移動端末のページンググループをも通知していれば、ステップＳＴ１７８２は省略可能である。これにより、ＭＢＳＦＮエリア内の各基地局の制御負荷の軽減等効果を得ることができる。一方ステップＳＴ１７８０にて当該移動端末のページンググループを通知せず、ステップＳＴ１７８２にてＭＢＳＦＮエリア内の各基地局にてページンググループを算出する方法においては、ＭＣＥからＭＢＳＦＮエリア内の各基地局に対する通知情報を軽減可能となり、リソースの有効活用という効果を得ることができる。ステップＳＴ１７８３にてＭＢＳＦＮエリア内の各基地局は、ステップＳＴ１７８１にて受信した当該移動端末の識別子、ページング信号のスケジューリング結果、ステップＳＴ１７８２にて算出した当該移動端末のページンググループなどを用いて、ページング信号をのせたＰＭＣＨの送信を行う。その際のＰＭＣＨ内のページング関連領域へのマッピング方法や、具体的な物理チャネルへのマッピング方法などは上記説明した方法を用いることが可能である。
【０１２０】
ステップＳＴ１７８４にて移動端末は、ＰＭＣＨ内の自移動端末のステップＳＴ１７３５にて算出したページンググループに対応したページング関連の変更有無インジケータを受信する。ステップＳＴ１７８５にて移動端末は、ページング関連の変更有無インジケータの変更の有無を判断する。変更無しの場合は、ステップＳＴ１７８８へ移行する。変更有りの場合は、ステップＳＴ１７８６へ移行する。ステップＳＴ１７８６にて移動端末は、つづけて自ページンググループのページング関連情報がマッピングされる物理領域を受信しデコードする。その際、移動端末固有の識別コードとの相関演算を行うことによりブラインド検出を行う。ステップＳＴ１７８７にて移動端末は、ステップＳＴ１７８６にて行ったブラインド検出において自移動端末の識別子を検出したか否か判断する。検出しなかった場合はステップＳＴ１７８８へ移行する。検出した場合はステップＳＴ１８１４へ移行する。上記ステップＳＴ１７７３〜ステップＳＴ１７８７までにて説明した内容は、実施の形態１で述べた「ＭＢＭＳ受信時間欠受信構成」の具体例である。これにより、本発明の第一の課題である、ＭＢＭＳ送信専用の周波数レイヤでＭＢＭＳサービスを受信している移動端末に対する、ページング信号の通知方法、及びそのための移動体通信システムを開示することができ、これにより、ＭＢＭＳ送信専用の周波数レイヤでＭＢＭＳサービスを受信している移動端末においても、ページング信号を受信可能になるという効果を奏する。
【０１２１】
次に、図１７を用いて実施の形態１で述べた「ＭＴＣＨ受信」について、図２２及び図２３を用いて更に具体的に説明する。ステップＳＴ１７８８にて移動端末は、当該ＭＢＳＦＮエリアでのＭＢＭＳサービスを連続受信中か否か判断する。連続受信中でない場合は、ステップＳＴ１７９２へ移行する。連続受信中である場合には、ステップＳＴ１７８９へ移行する。ステップＳＴ１７８９にて移動端末は、ＰＭＣＨ内のＭＢＭＳ関連の変更有無インジケータを受信する。ステップＳＴ１７９０にて移動端末は、ＭＢＭＳ関連の変更有無インジケータの変更の有無を判断する。変更無しの場合は、ステップＳＴ１７９１へ移行する。変更有りの場合は、ステップＳＴ１７９２へ移行する。ステップＳＴ１７９１にて移動端末は、本ＭＣＣＨの受信タイミングにおいてはＭＣＣＨの変更はないので、ＭＣＣＨ内のＭＢＭＳ関連の受信または／かつデコードを行わない。移動端末は、制御情報（ＭＣＣＨ）を更新せずにＭＴＣＨの受信、デコードを行う。ステップＳＴ１７９２にて移動端末は、ＭＣＣＨ内のＭＢＭＳ関連の受信、デコードを行い、制御情報を更新する。ステップＳＴ１７９３にて移動端末は、ステップＳＴ１７９２にて受信した制御情報に従ってＭＴＣＨの受信、デコードを行う。
【０１２２】
図２３のステップＳＴ１７９４にて移動端末は、受信中のＭＢＭＳサービスの受信品質を測定する。移動端末は当該ＭＢＳＦＮエリアの無線リソースにてレファレンスシグナル(RS)を受信し、受信電力を測定する(RSRP)。受信電力が静的あるいは準静的に決められた、閾値以上であるか否か判断する。前記閾値は、閾値以上であればＭＢＭＳサービスを受信するのに満足な感度であることを示し、閾値未満であればＭＢＭＳサービスを受信するのに満足な感度を満たしていないことを示す。閾値以上であればステップＳＴ１７９５へ移行し、閾値以下であればステップＳＴ１７９６へ移行する。またステップ１７９４にてレファレンスシグナルを受信し、受信電力を測定する代わりに、実際に当該ＭＢＳＦＮエリアのＭＢＭＳサービス（MTCHまたは/かつMCCH）を受信し、デコードを行うことも可能である。その場合、ユーザ自身がデコード後のデータを聞くあるいは見ることにより自分自身が許せる受信感度であるか否かを判断できる。許せる場合ステップＳＴ１７９５へ移行し、許せない場合ステップＳＴ１７９６へ移行する。許せる受信感度には、ユーザ毎に個人差があるので、よりユーザに適合した移動端末になるという効果を得ることが出来る。ステップＳＴ１７９５にて移動端末は、ユーザの意思を確認する。ユーザが受信中のＭＢＭＳサービスの受信を引き続き望んでいる場合には、ステップＳＴ１７５３へ移行する。ユーザが受信中のＭＢＭＳサービスの受信の終了を望んでいる場合には、ステップＳＴ１７９８へ移行する。ステップＳＴ１７９６にて移動端末は、同じ周波数内（ｆ（ＭＢＭＳ））にて受信可能な他のＭＢＭＳエリアが存在するか否か判断する。本ステップＳＴ１７９６は、覆いかぶさるＭＢＳＦＮエリアが存在する場合に特に有効である。存在する場合は、ステップＳＴ１７３０へ戻り処理を繰り返す。存在しない場合はステップＳＴ１７９７へ移行する。
【０１２３】
但し、その後ユーザ所望の、受信可能な他のＭＢＭＳエリアが見つからなければ、ステップＳＴ１７９８以降の「ＭＢＭＳ受信終了  Ａ」の処理を行う。これにより、ネットワーク側は、当該移動端末がＭＢＭＳ送信専用の周波数レイヤでのＭＢＭＳサービスの受信を終了する旨を知ることが出来る。よって、ネットワーク側がＭＢＭＳ送信専用の周波数レイヤにて当該移動端末へのページング信号を通知する構成を中止することが出来る。これにより、当該移動端末が受信することがない、ＭＢＭＳ送信専用の周波数レイヤからの当該移動端末へのページング信号を移動体通信システムとして中止することが可能となり、無線リソースの有効活用という効果を奏する。ステップ１７９７にて移動端末は、ステップＳＴ１７０８にて受信した受信可能なＭＢＳＦＮ同期エリアの周波数リストにて他の周波数が存在するか否か判断する。存在した場合は、ステップＳＴ１７２２へ戻り、新たな周波数（ｆ２（ＭＢＭＳ））へシンセサイザを切り替えて処理を繰り返す。存在しない場合は、ステップＳＴ１７９８へ移行する。
【０１２４】
次に、図２３を用いて実施の形態１で述べた「ＭＢＭＳ受信終了Ａ」について更に具体的に説明する。ステップＳＴ１７９８にて移動端末は、周波数変換部１１０７の設定周波数を変更し、中心周波数をｆ（unicast）へ変更することによりＭＢＭＳ／ユニキャスト混合セルへ移動する。ステップＳＴ１７９９〜ステップＳＴ１８０３の説明は、ステップＳＴ１７３７〜ステップＳＴ１７４１の説明と同様であるため省略する。ステップＳＴ１８０４にて移動端末は、ステップＳＴ１８０３にて受信したＵＬ（Uplink）アロケーションに従って「ＭＢＭＳ受信終了」をサービングセルへ送信する。「ＭＢＭＳ受信終了」に含まれるパラメータ例としては、移動端末の識別子（UE-ID,IMSI,S-TMSIなど）、ＭＢＭＳサービス受信を終了する周波数（ｆ（ＭＢＭＳ））、ＭＢＳＦＮエリア番号（ＩＤ）などがある。ステップＳＴ１８０５にてサービングセルは、移動端末からＭＢＭＳ受信終了を受信する。ステップＳＴ１８０５にてネットワーク側は、ＭＢＭＳ専用セルに上りリンクを追加することなく、当該移動端末がＭＢＭＳ送信専用の周波数レイヤにてＭＢＭＳサービスの受信を終了する旨を知ることが出来る。これにより、ネットワーク側がＭＢＭＳ受信時間欠受信構成から、通常のページング信号を通知する構成へ変更することが可能となる効果を奏する。ステップＳＴ１８０６にてサービングセルは、ＭＢＭＳ受信終了をＭＭＥへ送信する。ステップＳＴ１８０７にてＭＭＥは、ＭＢＭＳ受信終了をサービングセルより受信する。
【０１２５】
ステップＳＴ１８０８にてＭＭＥは、当該移動端末のＭＢＭＳ受信を終了するＴＡ（ＭＢＭＳ）を検索する。ＭＢＭＳ受信終了に含まれるパラメータとＴＡ（ＭＢＭＳ）の関係例は、ステップＳＴ１７４７と同様であるため説明を省略する。ステップＳＴ１８０９にて当該移動端末のトラッキングエリアリストよりステップＳＴ１８０８の検索の結果得られた、ＴＡ（ＭＢＭＳ）を削除する。ステップＳＴ１８１０にてＭＭＥは、サービングセル経由で伝達されたＭＢＭＳ受信終了を通知する信号を受信すると、応答信号であるＡｃｋをサービングセルへ送信する。この応答信号Ａｃｋに含まれるパラメータ例としては、当該移動端末のトラッキングエリアリストが考えられる。ステップＳＴ１８１１にてサービングセルはＭＭＥより送信された応答信号Ａｃｋを受信する。ステップＳＴ１８１２にてサービングセルは、受信した応答信号Ａｃｋを移動端末へ送信する。ステップＳＴ１８１３にて移動端末はサービングセル経由で伝達されたＭＭＥからの応答信号Ａｃｋを受信する。
【０１２６】
次に、実施の形態１で述べた「Ｕｎｉｃａｓｔ側  間欠受信」について、図２４を用いて更に具体的に説明する。ステップＳＴ１８１４にてＭＭＥは、ページングが発生した、当該移動端末の識別子（UE-ID,IMSI,S-TMSIなど）を基に、当該移動端末のトラッキングエリアリストを確認する。当該移動端末のトラッキングエリアリスト中にＴＡ（Ｕｎｉｃａｓｔ）を検索する。具体例としては、図３１（ａ）のようなリストにてＵＥ−ＩＤを基に当該移動端末のトラッキングエリアリストを検索する。当該移動端末が図３１（ａ）のＵＥ＃１であった場合にはＴＡ（Ｕｎｉｃａｓｔ）は＃１、＃２が含まれている。次にＭＭＥは、図３１（ｂ）のようなリストにてＴＡ（Ｕｎｉｃａｓｔ）に含まれている基地局の識別子（セルＩＤ）を検索する。当該移動端末が図３１（ａ）のＵＥ＃１であった場合には、当該移動端末のトラッキングエリアリストにふくまれるセルＩＤは、セルＩＤ１、２、３、４、５、２３、２４、２５となる。ＭＭＥは当該移動端末のトラッキングエリアリストに含まれる基地局（サービングセルも含まれる）にページングリクエストを送信する。ページングリクエスト中のパラメータの具体例としては、移動端末の識別子（UE-ID,IMSI,S-TMSIなど）などがある。ステップＳＴ１８１５にて当該移動端末のトラッキングエリアリスト（ＴＡ（Ｕｎｉｃａｓｔ））内に含まれる基地局（サービングセルも含まれる）はページングリクエストを受信する。
【０１２７】
ここで、本発明の第三の課題について説明する。ＭＢＭＳ／ユニキャスト混合セルにて待受け状態（Idle State）にある移動端末においても、ページングメッセージの通知方法の詳細は確立されていない。非特許文献１において、ＰＣＨがＰＤＳＣＨあるいは、ＰＤＣＣＨにマッピングされることが開示されている。また非特許文献１において、ページンググループは、Ｌ１／Ｌ２シグナリングチャネル（PDCCH）を用いること、及び移動端末の明確な識別子（UE-ID）はＰＣＨ上で見つけることが出来ることが開示されている。一方、移動端末がどのようにページンググループに分けられ、ページンググループ毎にどのようにＰＣＨを通知されるのかの開示はない。また移動端末がどのように待ち受け状態にて間欠受信するかの開示もない。本発明では、ユニキャストまたは／かつ混合周波数レイヤにて待ち受け状態にある移動端末へのページング信号の通知方法の詳細、及びそのための移動体通信システムについて開示することを目的とする。
【０１２８】
そこで、ページング信号の通知方法の具体例について開示する。移動端末はページンググループに分けられる。従来の技術（W-CDMAシステム）では、ＰＣＨがマッピングされるＳ−ＣＣＰＣＨ（Secondary Common Control CHannel）の本数（チャネライゼーションコードの数）をグループ数としていた。しかし、ＬＴＥシステムは符号分割多重（CDM）方式ではないので、チャネライゼーションコード数という考え方は、適合できない。現在の３ＧＰＰにて非特許文献１において、ページンググループは、Ｌ１／Ｌ２シグナリングチャネル（PDCCH）を用いること、及び移動端末の明確な識別子（UE-ID）はＰＣＨ上で見つけることが出来ることが開示されている。しかし、具体例の開示はない。ページンググループの算出式（ＩＭＳＩ  ｍｏｄ  ＫＵｎｉｃａｓｔ）のＫＵｎｉｃａｓｔとは、ＭＢＭＳ／ユニキャスト混合セルにおけるページンググループ数とする。Ｋの値の具体例としては、Ｌ１／Ｌ２シグナリングチャネル（ＰＤＣＣＨ）は、毎サブフレームにマッピングされる。サブフレームは１無線フレーム中１０個存在する。よってページンググループ数を１０個とする。つまり、ページンググループにより無線フレーム中のどのサブフレームに自分が属するグループのページング情報がマッピングされるかが分かる。次にどの無線フレームに自分が属するグループのページング情報がマッピングされるかであるが、これは従来の技術（Ｗ−ＣＤＭＡ）を踏襲することが出来る。具体的な算出式は「Ｐａｇｉｎｇ  Ｏｃｃａｓｉｏｎ＝（ＩＭＳＩ  ｄｉｖ  ＫＵｎｉｃａｓｔ）ｍｏｄ（ユニキャスト／混合周波数レイヤにおける間欠受信周期）＋ｎ×（ユニキャスト／混合周波数レイヤにおける間欠受信周期）  ｎ：０、１、２・・・、ただし、Ｐａｇｉｎｇ  Ｏｃｃａｓｉｏｎ≦ＳＦＮの最大値。」となる。ここでＳＦＮは０からＳＦＮの最大値までの整数である。
【０１２９】
次に現在の３ＧＰＰでは非特許文献１において、移動端末の明確な識別子（UE-ID）はＰＣＨ上で見つけることが出来ることが開示されている。しかし、具体例についての開示はない。ＰＣＨへの具体的なページング情報のマッピング方法の具体例としては、ＰＣＨは移動端末の識別情報で構成されている、あるいは移動端末の識別情報をかけることによって相関がとれるような構成となっている。ＰＣＨはＬ１／Ｌ２シグナリングチャネル上のＣＣＥ単位でマッピングされる。また、ＰＣＨには、次に移動端末が受信すべき制御チャネルの下り無線リソースの割当が含まれるものとする。これにより、再度の下り割当が不要となり、制御遅延を削減できるという効果を得ることが出来る。ＰＣＨにて次に移動端末が受信すべき制御チャネルの下り無線リソースの割当を送らない方法としても良い。この方法として、Ｌ１／Ｌ２シグナリングチャネル上にページングインジケータをのせて送信し、自分宛のページングインジケータをブラインド検出して受信した移動端末は無線割当を基地局に要求するために上りＲＡＣＨを送信するようにしておく方法が考えられる。移動端末の明確な識別子（UE-ID）が含まれるＰＣＨをＰＤＳＣＨ上で送信しても良い。この場合、Ｌ１／Ｌ２シグナリングチャネル上に、ページングインジケータとして、移動端末が受信すべき該ＰＣＨがマッピングされるＰＤＳＣＨの無線リソースの割当て情報をマッピングする。ページングインジケータに移動端末の識別情報をかけることによって相関がとれるような構成としておけば、移動端末においてページングインジケータが自分宛かどうか判断することが可能となる。自分宛のページングインジケータを受信した移動端末は割当て情報を元にＰＤＳＣＨ上のＰＣＨに含まれる識別情報を受信し、自移動端末かどうかを確認する。このような方法とすることで、ページング信号が自移動端末宛かどうかを確実に検出することが可能となり、誤受信動作を無くすことができる。
【０１３０】
ステップＳＴ１８１６にて当該移動端末のトラッキングエリアリスト（ＴＡ（Ｕｎｉｃａｓｔ））内に含まれる基地局（サービングセルも含まれる）はユニキャスト側間欠受信準備を行う。具体的には、ステップＳＴ１８１５にて受信した当該移動端末の識別子よりページンググループ及び、Ｐａｇｉｎｇ  Ｏｃｃａｓｉｏｎを算出する。算出式の具体例は上記の通りである。ステップＳＴ１８１７にて当該移動端末のトラッキングエリアリスト（ＴＡ（Ｕｎｉｃａｓｔ））内に含まれる基地局（サービングセルも含まれる）はステップＳＴ１８１６にて算出したページンググループ、Ｐａｇｉｎｇ  Ｏｃｃａｓｉｏｎに従って当該移動端末のページング情報をＰＣＨにマッピングする。この時、上記Ｐａｇｉｎｇ  Ｏｃｃａｓｉｏｎが示す無線フレーム中の上記ページンググループが示すサブフレーム中のＬ１／Ｌ２シグナリングチャネル内のＣＣＥであれば、どのＣＣＥでも可とする。あるいは、ＰＣＨへの割当が決められたＣＣＥへマッピングする。ＰＣＨの割当が決められていた場合、当該移動端末がブラインド検出する回数が減るために、制御遅延が低減するという効果を得ることができる。ステップＳＴ１８１８にて当該移動端末のＴＡリスト（ＴＡ（Ｕｎｉｃａｓｔ））内に含まれる基地局（サービングセルも含まれる）は、ＰＣＨを送信する。
【０１３１】
ステップＳＴ１８１９にて移動端末は、周波数変換部１１０７の設定周波数を変更し、中心周波数をｆ（ｕｎｉｃａｓｔ）へ変更することによりユニキャスト／混合周波数レイヤへ移動する。ステップＳＴ１８２０にて移動端末は、ユニキャスト側間欠受信準備を行う。具体的には、自移動端末の識別子よりページンググループ及び、Ｐａｇｉｎｇ  Ｏｃｃａｓｉｏｎを算出する。算出式は、ネットワーク側と同様の上記の通りである。ステップＳＴ１８２１にて移動端末は、ステップＳＴ１８２０にて算出したページンググループ及び、Ｐａｇｉｎｇ  Ｏｃｃａｓｉｏｎに従って、Ｌ１／Ｌ２シグナリングチャネル上のＰＣＨをブラインド検出する。ブラインド検出には自移動端末の識別子を用いる。ＰＣＨのＣＣＥ単位にて自移動端末の識別子を掛け、相関値を得る。相関値が閾値以上であれば、自移動端末へのページング有りと判断する。ステップＳＴ１８２２にて移動端末は、ＰＣＨをデコードし、次の制御チャネルの下り割当を得る。その割当に従って制御情報を受信する。
【０１３２】
次に、現在の３ＧＰＰにおいて、混合セルにおいては、ＭＢＳＦＮフレーム（サブフレーム）において、サブフレーム単位において先頭の１〜２ＯＦＤＭシンボル以外は、ユニキャスト送信用に用いてはいけないことが決定されている。つまり先頭の１〜２ＯＦＤＭシンボル以外は、ＭＢＭＳ送信専用のリソースとなる。ＭＢＳＦＮフレームはサブフレーム＃０と＃５には割当てられない、ＳＣＨがマッピングされるサブフレームだからである。ここで、以下の問題が発生する。上記ページンググループ及びＰａｇｉｎｇ  Ｏｃｃａｓｉｏｎの算出式を用いれば、ページング信号は毎無線フレーム、毎サブフレーム発生の可能性がある。ＰＣＨは、Ｌ１／Ｌ２シグナリングチャネルを用いるため、ＭＢＳＦＮフレームであってもマッピングすることができる。一方、ＭＢＳＦＮフレームにおいては、ＰＣＨにて次の制御情報の下り無線リソースの割当をする場合、同じサブフレーム上の下り無線リソースはＭＢＭＳ送信専用となるため、同じサブフレーム内に制御情報の割当をすることは出来ないという課題が発生する。第一の解決策としては、ＰＣＨでの次の制御情報の下り無線リソースの割当は、以降のＭＢＳＦＮフレーム以外の無線フレームとする。第二の解決策としては、ページング信号を、ＭＢＳＦＮサブフレームを除いたひとつまたは複数のサブフレームに割当てる方法とする。例えば、ページンググループ数を無線フレーム内のＭＢＳＦＮサブフレームを除いたサブフレーム数以下にする。これにより、ＭＢＳＦＮサブフレームにページング信号を割当てなくてすむことになる。具体例として、ページンググループ数を２とし、ページンググループの算出式を以下のように、「ＩＭＳＩ  ｍｏｄ  ２」とする。具体的なグループの割当例は、ページンググループ＝０となれば、サブフレーム＃０を割り当てる。またページンググループ＝１となれば、サブフレーム＃５を割当る。これにより、ＭＢＳＦＮフレームが割当てられないサブフレーム（＃０、＃５）のみでページング情報を通知することが可能となるので、上記、ページング信号と同じサブフレームにて次の制御情報の割り当てが出来ないという問題を解決できる。
【０１３３】
第三の解決策としては、ＰＣＨにて次に移動端末が受信すべき制御チャネルの下り無線リソースの割当を送らない方法とする。この方法として、Ｌ１／Ｌ２シグナリングチャネル上にページングインジケータをのせて送信し、自分宛のページングインジケータをブラインド検出して受信した移動端末は無線割当を基地局に要求するために上りＲＡＣＨを送信するようにする。こうすることで、ページング後の通信のためにＰＤＳＣＨに無線割当て情報をのせる必要がないため、ＭＢＳＦＮサブフレームが存在しても問題なく、ページング信号を送受信することが可能となる。この場合は、ページングインジケータのみで移動端末を特定できるように、移動端末の識別情報をかけることによって相関がとれるような構成とする。ＭＢＳＦＮサブフレームにおいては、ユニキャスト用として割当てられている領域、先頭の1あるいは2ＯＦＤＭシンボル領域に、ページングインジケータをのせるようにしておけば良い。この場合も同様に、ページングインジケータのみで移動端末を特定できるように、移動端末の識別情報をかけることによって相関がとれるような構成としておく。移動端末側では、該移動端末固有の識別番号から導出した自移動端末が属するグループのページングインジケータがのる無線フレームやサブフレームを受信し、自移動端末固有の識別番号を用いてブラインド検出するようにすれば良い。
具体的なページンググループおよびページングアケージョンの算出式としては、前述したように以下の式が適用できる。
ＩＭＳＩ  ｍｏｄ  Ｋ、ＫはＭＢＭＳ／ユニキャスト混合セルにおけるページンググループ数。
Ｐａｇｉｎｇ  Ｏｃｃａｓｉｏｎ＝（ＩＭＳＩ  ｄｉｖ  Ｋ）ｍｏｄ（ユニキャスト／混合周波数レイヤにおける間欠受信周期）＋ｎ×（ユニキャスト／混合周波数レイヤにおける間欠受信周期）  ｎ：０、１、２・・・、ただし、Ｐａｇｉｎｇ  Ｏｃｃａｓｉｏｎ≦ＳＦＮの最大値。」ここでＳＦＮは０からＳＦＮの最大値までの整数。
このような方法とすることで、ＭＢＭＳ／ユニキャスト混合セルの場合においても、ＭＢＳＦＮサブフレームの存在の有無にかかわらず、任意の無線フレーム、サブフレームでページング信号（ページングインジケータ）を送信することが可能となる。
【０１３４】
図２４には、ＭＢＭＳ受信終了Ｂの処理詳細が示されている。図２４において、ステップＳＴ１８２３〜ステップＳＴ１８３７は、ステップＳＴ１７９９〜ステップＳＴ１８１３と同様であるため、説明を省略する。違いは、ステップＳＴ１８２８において、「Ｐａｇｉｎｇへの応答」が含まれることである。このＭＢＭＳ受信終了Ｂの処理によって、ネットワーク側は、ＭＢＭＳ専用セルに上りリンクを追加することなく、当該移動端末がＭＢＭＳ送信専用の周波数レイヤにてＭＢＭＳサービスの受信を終了する旨を知ることが出来る。これにより、ネットワーク側がＭＢＭＳ受信時間欠受信構成から、通常のページング信号を通知する構成へ変更することが可能となる効果を奏する。本実施の形態２では、ＭＢＭＳ送信専用の周波数レイヤがＭＢＭＳ専用セルにて構成される場合について記載した。ＭＢＭＳ送信専用の周波数レイヤがＭＢＭＳ／ユニキャスト混合セルにて構成されたとしても本実施の形態２は適用可能である。実施の形態１のほか、以下説明する実施の形態３、４、５、６についても同様にＭＢＭＳ送信専用の周波数レイヤがＭＢＭＳ／ユニキャスト混合セルにて構成されたとしても適用可能である。
【０１３５】
実施の形態３．
現在の３ＧＰＰの議論において、複数のＭＢＳＦＮエリアを覆うようなＭＢＳＦＮ（Multimedia Broadcast multicast service Single Frequency Network）エリアの存在が議論されている。複数のＭＢＳＦＮエリアを覆うＭＢＳＦＮエリアが存在する場合の基地局の地理的なロケーションの概念図は図２８に示される。１つのＭＢＳＦＮ同期エリア（MBSFN Synchronization Area）中にＭＢＳＦＮエリア１〜４の４つのエリアが存在する。ＭＢＳＦＮエリア４は、ＭＢＳＦＮエリア１〜３をカバーする。ＭＢＳＦＮエリア４について現在の３ＧＰＰにて議論されている内容としては、カバーしているＭＢＳＦＮエリア（MBSFNエリア4）へのアクセスは、カバーされているＭＢＳＦＮエリア（MBSFNエリア1〜3）経由で行われるということのみであり、ＭＢＳＦＮエリア１〜３を覆うＭＢＳＦＮエリア４にＭＣＣＨ(マルチキャスト制御チャネル)を設けるかは決まっていない。ＭＢＳＦＮエリア４側にＭＣＣＨが存在する場合については、実施の形態２にて具体的な詳細動作を説明した。本実施の形態においては、覆いかぶさるＭＢＳＦＮエリア側にＭＣＣＨが存在しない場合について説明する。概念図を図３５に示す。説明においては、実施の形態２の説明にて参照した図２９と異なる部分を中心に説明する。特に説明がない部分については実施の形態２と同様である。
【０１３６】
まず、図３５と図２９の一番目の違いとして、図２８に示すＭＢＳＦＮエリア４側にＭＣＣＨが存在しないため、制御情報（MCCH）を通知する方法が実施の形態２とは異なる。ＭＢＳＦＮエリア４のＭＣＣＨのマッピング方法として、まずカバーされているＭＢＳＦＮエリア（MBSFNエリア１）のＰＭＣＨ（ＰＭＣＨ１）内にＭＢＳＦＮエリア１と４の領域を確保する方法が考えられる。概念図を図３６に示す。図３６は、複数のＭＢＳＦＮエリアを含むＭＢＳＦＮエリアに制御情報を伝達するため、マルチキャスト制御チャネル（ＭＣＣＨ１）のマッピングされるＰＭＣＨ（ＰＭＣＨ１）内にページング関連の信号をマッピングする方法を示す説明図である。図３６（ａ）に、ＭＢＳＦＮエリア１と４のページング関連用領域を設けたフィジカルＭＣＨ(PMCH)の構成を示す。ＰＭＣＨ（ＰＭＣＨ１）上にＭＢＳＦＮエリア１と４のＭＢＭＳ関連の情報とＭＢＳＦＮエリア１と４のページング関連情報を含む構成とする。各ＭＢＳＦＮエリアのＭＢＭＳ関連の情報とページング信号は、各々がＭＴＣＨ、ＭＣＣＨ内の情報要素として存在しても良いし、各々がマッピングされる物理領域(リソース)が時間的に分割多重されても良い。図３６（ｂ）に、ＭＢＳＦＮエリア１と４のページング用領域を設けたフィジカルＭＣＨ(PMCH)に、ＭＣＣＨ内容が変更されたかどうかを示すＭＢＳＦＮエリア１と４別々のインジケータを設けた構成を示す。図３６（ｂ）では、インジケータとしてＭＢＳＦＮエリア１と４のＭＢＭＳ関連情報の変更有無インジケータとＭＢＳＦＮエリア１と４のページング有無インジケータを持つ場合について示す。図３６（ｃ）にてページング関連の変更有無インジケータをＫ個のグループに分けた場合の構成について記載している。このようにカバーされているＭＢＳＦＮエリア（MBSFNエリア1）のＰＭＣＨ（PMCH1）内にＭＢＳＦＮエリア１と４の領域を確保する方法をとると、ＢＣＣＨ１（報知制御チャネル）で通知するＭＣＣＨ１のスケジューリングがＭＢＳＦＮエリア１用のものだけでよいという効果を得ることが出来る。ＭＣＣＨのスケジューリング方法についての詳細は実施の形態２と同様であるので省略する。
【０１３７】
ＭＣＣＨのスケジューリング方法について説明する。ＢＣＣＨ１で通知するＭＣＣＨ１のスケジューリングに加えて、ＭＣＣＨ４がのる物理領域のスターティングポイントを通知すればよい。あるいは、ＢＣＣＨ１で通知するスケジューリングは、ＰＭＣＨ１のスケジューリングとしても良い。
【０１３８】
二番目の違いとして覆いかぶさるＭＢＳＦＮエリア（MBSFNエリア4）側にＭＣＣＨが存在しないために、ＭＢＳＦＮエリア４にてＭＢＭＳサービスを受信している移動端末に対するページング信号を通知する方法が実施の形態２とは異なる。ページング信号を通知する方法の違いについて説明する。まず、ネットワーク側が当該移動端末へのページング信号の通知範囲として、ＭＢＳＦＮエリア４がカバーしているＭＢＳＦＮエリア１〜３全てに通知する方法が考えられる。この場合、実施の形態２で説明した具体的な方法に何ら追加制御を加えることなく、ＭＢＳＦＮエリア４にＭＣＣＨがない場合についても実現可能となる。移動体通信システムとして複雑化を回避するという点において、有効な方法である。
【０１３９】
次に、ネットワーク側が当該移動端末へのページング信号の通知範囲として、当該移動端末が位置する、カバーされているＭＢＳＦＮエリア（ＭＢＳＦＮエリア１〜３のいずれか）に通知する方法が考えられる。具体的な動作について、実施の形態２と異なる点を中心に説明する。「ＭＢＭＳ側受信状況通知」について説明する。図２０のステップＳＴ１７４２にて移動端末は、ステップＳＴ１７４１で受信したＵＬ（Uplink）アロケーションに従って「ＭＢＭＳ側受信状況通知」をサービングセルへ送信する。「ＭＢＭＳ側受信状況通知」に含まれるパラメータ例としては、移動端末の識別子（UE-ID,IMSI,S-TMSIなど）、ＭＢＭＳサービスを受信する周波数（ｆ（ＭＢＭＳ））、ＭＢＳＦＮエリア番号（ID）などがある。ここで、通知するＭＢＳＦＮエリアＩＤは、実際にＭＢＭＳサービス（ＭＴＣＨ）を受信するＭＢＳＦＮエリアＩＤ（MBSFNエリア4）ではなく、自移動端末が位置している、カバーされているＭＢＳＦＮエリアＩＤとする。言い換えれば、ＭＢＳＦＮサーチの際に受信したＳ−ＳＣＨ（第二同期チャネル）にマッピングされていたＭＢＳＦＮエリアＩＤを通知する。これにより、ネットワーク側は、移動端末が実際に位置している、カバーされているＭＢＳＦＮエリアを知ることが出来る。さらに、移動端末の処理として、図２３のステップＳＴ１７９４の処理の前に、図３８のステップＳＴ３１０１を行う。
【０１４０】
図３８のステップＳＴ３１０１にて移動端末は、受信中のＭＣＣＨの受信品質を測定する。移動端末は当該ＭＢＳＦＮエリアの無線リソースにてレファレンスシグナル（RS）を受信し、受信電力を測定する（RSRP）。受信電力が静的あるいは準静的に決められた、閾値以上であるか否か判断する。前記閾値は、閾値以上であればＭＣＣＨを受信するのに満足な感度であることを示し、閾値未満であればＭＣＣＨを受信するのに満足な感度を満たしていないことを示す。閾値以上であればステップＳＴ１７９４へ移行し、閾値以下であればステップＳＴ１７２４へ移行する。これにより、移動端末は、ＭＣＣＨがマッピングされている、カバーされているＭＢＳＦＮエリア間のモビリティを把握することになる。これにより、ＭＢＳＦＮエリア４がカバーしているＭＢＳＦＮエリア１〜３全てからページング信号を通知する方法に比べて有効な点は以下の通りである。移動体通信システムとして、地理的に当該移動端末が受信可能な基地局以外の基地局（例えば当該移動端末がMBSFNエリア１に位置していた場合、MBSFNエリア2、3）からのページング信号を送信しなくても良くなるので、無線リソースの有効活用という点において効果を得る。
【０１４１】
実施の形態３により、複数のＭＢＳＦＮエリアを含むＭＢＳＦＮエリアにＭＣＣＨが存在しない場合においても、本発明の第一の課題である、ＭＢＭＳ送信専用セルでＭＢＭＳサービスを受信している移動端末にページング信号を通知することができるという効果を奏する。また、本発明の第四の課題である、ＭＢＭＳ送信専用セルにて所望のサービスを選択する方法を開示することができ、これにより、移動端末が上りリンクのないＭＢＭＳ送信専用セルにて所望のサービスを受信することが出来るという効果を奏する。
【０１４２】
実施の形態４．
実施の形態１〜３で述べた方法は、ＭＢＭＳ送信専用セルでＭＢＭＳサービスを受信している移動端末のページング受信能力（Capability）が低い場合のページング信号の通知方法であった。次に、ページング受信能力が高い移動端末（高能力端末）と低い移動端末（低能力端末）が存在する場合の、ページング信号通知方法を説明する。以下の記載で述べるところの「低能力端末」の具体例としては、受信機が１つの移動端末がある。あるいは、周波数変換部１１０７の設定周波数を変更して決定できる中心周波数が１つである移動端末である。または、ＭＢＭＳ送信専用セルでＭＢＭＳサービスを受信しているときに、ＭＢＭＳ／ユニキャスト混合セルの間欠受信を実行できない移動端末である。
【０１４３】
また、「高能力端末」の具体例としては、移動端末の受信機が複数（例えば２つ）備えた移動端末である。あるいは、周波数変換部１１０７の設定周波数を変更して決定できる中心周波数が複数である移動端末である。あるいは、ＭＢＭＳ送信専用セルでＭＢＭＳサービスを受信中であっても、ＭＢＭＳ／ユニキャスト混合セルにおける間欠受信を実行できる移動端末である。図３８は移動端末の能力の概念を示す表である。本移動端末の能力（Capability）はステップＳＴ１７１０にて移動端末からサービング基地局へ通知され，ステップＳＴ１７１２にてサービング基地局からＭＭＥへ通知される。これにより当該移動端末のページング受信能力をネットワーク側が認識することが出来る。よってＭＢＭＳ送信専用の周波数レイヤでＭＢＭＳサービスを受信している移動端末へのページング方法を移動端末のページング受信能力によって切り替えることが可能となる。
【０１４４】
具体的な動作例について図１６及び図１７を用いて説明する。高能力端末は、ＭＢＭＳ／ユニキャスト混合セルの受信動作と、ＭＢＭＳ送信専用セルの受信動作を並行して行う。ＭＢＭＳ送信専用セルの受信動作としての具体例としては、ステップＳＴ１６０１−１、ステップＳＴ１６０２、ステップＳＴ１６０３、ステップＳＴ１６０４、ステップＳＴ１６０９がある。各ステップ内の詳細動作は、実施の形態１、実施の形態２、実施の形態３の通りであるので、説明を省略する。また、低能力端末は、実施の形態１、実施の形態２、実施の形態３で説明した動作を行う。この方法により、ＭＢＭＳ送信専用セルでＭＢＭＳサービスを受信している低能力端末へのページング信号通知方法を確立しつつ、ＭＢＭＳ送信専用セルでＭＢＭＳサービスを受信している高能力端末に対する、ページング信号の通知方法が通常のページング信号を通知する構成とすることが可能となる。これにより、高能力端末がＭＢＭＳ送信専用の周波数レイヤでＭＢＭＳサービスを受信している場合の移動端末での処理、および移動体通信システムとしての処理を簡略化できること。処理の簡略化は、移動端末の低消費電力化という効果を得ることができる。また、移動体通信システムとしてもＭＢＳＦＮエリア内の基地局から高能力端末へのページング信号を送信する必要がなくなるので、無線リソースの有効活用という効果を得ることができる。
【０１４５】
さらに、高能力端末であっても、ＭＢＭＳ／ユニキャスト混合セルの受信動作と、ＭＢＭＳ送信専用セルの受信動作を並行して行うことによる消費電力の増加を防ぐためにユーザの意思で、実施の形態１、実施の形態２、実施の形態３で説明した動作を行う。これにより、高能力端末であっても受信動作を並行して行う必要がなくなり、移動端末の消費電力の増加を防ぐという効果を得ることができる。本ユーザの意思は移動端末ページング受信能力同様ステップＳＴ１７１０で移動端末からネットワーク側へ通知し、移動端末を含む移動体通信システムとして処理は実施の形態２と同様とする。
【０１４６】
実施の形態５．
実施の形態１、実施の形態２、実施の形態３で述べた方法は、ＭＢＭＳ送信専用の周波数レイヤでＭＢＭＳサービスを受信している移動端末に対する、ページング信号の通知方法であった。本実施の形態５では、ＭＢＭＳ送信専用の周波数レイヤでＭＢＭＳサービスを受信している間は、ユーザの意思で「ページングを受信しない」を選択可能とする。ユーザの意思で「ページングを受信しない」を選択した場合の具体的な動作例について図１６及び１７を用いて説明する。ユーザの意思で「ページングを受信しない」を選択した移動端末は、ステップＳＴ１６０３、詳しくはステップＳＴ１７４２のＭＢＭＳ側受信状況通知において、「ページングを受信しない」旨を通知する。移動端末としては、ステップＳＴ１６０５、ステップＳＴ１６０８、ステップＳＴ１６１０、ステップＳＴ１６１１を行わない。移動端末の処理が簡略化することにより、移動端末の低消費電力化という効果を得ることが出来る。移動体通信システムとしては、ステップＳＴ１７４５にて当該移動端末の「ページングを受信しない」旨を受信する。ステップＳＴ１７４６にて当該移動端末のＴＡリストにあるいは、それとは別に当該移動端末に対する「ページング通知ストップ」なる旨を保存する。その後、ステップＳＴ１７７３にて当該移動端末に対するページングが発生する。ステップＳＴ１７７４にてＭＭＥはページングが発生した、当該移動端末の識別子（ＵＥ−ＩＤ、ＩＭＳＩ、Ｓ−ＴＭＳＩなど）を基に、当該移動端末のトラッキングエリアリストを確認する。そして、ＭＭＥは当該移動端末に対する「ページング通知ストップ」を確認する。
【０１４７】
移動体通信システムとして、ステップＳＴ１７７５〜ステップＳＴ１７８３及び、ステップＳＴ１８１４〜ステップＳＴ１８１８のページング発生処理を中止する。そしてＭＭＥはネットワーク側に対して、当該移動端末の「ページング受信拒否」を通知する。これにより、ユーザの意思により「ページングを受信しない」移動端末に対する、移動体通信システムとしてのページング発生処理を中止できる。これにより、移動端末が受信する意思のない、ページング信号の通知に用いる移動体通信システムの処理負荷、及び無線リソースを削減することができるという効果を得る。
【０１４８】
実施の形態６．
実施の形態１〜４においてＭＢＭＳ送信専用の周波数レイヤにおいての自移動端末宛のページング信号を受信した場合であっても、再度ＭＢＭＳ／ユニキャスト混合セルにおいて、間欠受信を行う構成となっている（以降、２段階の間欠受信と称する。）。ＭＢＭＳ送信専用セル内の基地局と、ＭＢＭＳ／ユニキャスト混合セル内の基地局は原則非同期である。よって、ＭＢＭＳ送信専用セルの基地局から、ＭＢＭＳ／ユニキャスト混合セル内の基地局のページング信号以降の下り制御信号用の無線リソース割り当てを行うことができないからである。しかし２段階の間欠受信は、ＭＢＭＳ送信専用の周波数レイヤにおいてＭＢＭＳサービスを受信している移動端末以外の移動端末に対する通常のページング信号を通知する構成と比較して制御遅延が大きくなるという課題を有する。具体的な動作例について図１７を用いて説明する。ステップＳＴ１７０５にてユニキャストセルあるいは、混合セルはＢＣＣＨを用いて２種類の間欠受信周期を通知する。具体的には、２段階の間欠受信時用と通常の間欠受信用である。更に具体的には、２つの間欠受信の長さを２段階の間欠受信用の方が通常の間欠受信用以下とする。２段階の間欠受信用の間欠受信周期は連続受信を指し示しても良い。これにより、ＭＢＭＳ送信専用の周波数レイヤにおいての自移動端末宛のページング信号を受信した場合であっても、再度ＭＢＭＳ／ユニキャスト混合セルにおいて、間欠受信を行う場合であっても周期が短くなっているので、制御遅延を削減できるという効果を得ることが出来る。
【０１４９】
実施の形態７．
ＬＴＥでは新たにＭＢＭＳ専用セルが設けられることが検討されている。このＭＢＭＳ専用セルでは、個別の端末宛ての個別通信を行うためのユニキャストサービスは行われない。したがって、ＭＢＭＳ専用セルにおいて、ＭＢＭＳとユニキャストサービスをともに実行可能な、例えば、３ＧＰＰのリリース６規格で規定されたＷ-ＣＤＭＡシステムで実行される方法をそのまま適用することは困難である。ＭＢＭＳ専用セルから移動端末がページングを受信するには新たなページングチャネルを設けることが必要である。本発明は、ＭＢＭＳ送信専用の周波数レイヤでＭＢＭＳサービスを受信している、もしくは受信しようとしている移動端末が、ＭＢＭＳ専用セルからページング信号を受信するための方法を提供するものである。また、ページング信号を送信するチャネルの構成とマッピング方法、及びそのための移動体通信システムを開示する。
【０１５０】
以下、物理マルチキャストチャネル（Physical multicast channel: PMCH）上にページング信号をのせる方法を開示する。図３９は、ＭＢＳＦＮ（Multimedia Broadcast multicast service Single Frequency Network）エリア毎に設けられた物理マルチキャストチャネルの構成を示す説明図である。図３９では、下り論理チャネルであるマルチキャスト制御チャネル（Multicast control channel: MCCH）とマルチキャストトラフィックチャネル（Multicast Traffic channel: MTCH）がマッピングされたＰＭＣＨが、ＭＢＳＦＮエリア１〜３ごとに時分割多重（Time Division Multiplexing :TDM）されている。また、図３９において、セル＃n１はＭＢＳＦＮエリア１内のセル、セル＃ｎ２はＭＢＳＦＮエリア２内のセル、セル＃ｎ３はＭＢＳＦＮエリア３内のセルである。セル＃ｎ１のセルはＭＢＳＦＮエリア１に属するため、ＭＢＳＦＮエリアに対応したＰＭＣＨがある時間に送信される。ＰＭＣＨはＭＢＳＦＮエリア内でマルチセル（Multi Cell: MC）送信されるため、ＭＢＳＦＮサブフレーム上で送信される。ＭＢＳＦＮサブフレームが割り当てられるＭＢＳＦＮフレームの集合を「ＭＢＳＦＮフレームクラスタ」（MBSFN frame cluster）とする。ＭＢＭＳ専用セルではＭＢＳＦＮフレーム内全てのサブフレームをマルチセル送信に用いられるＭＢＳＦＮサブフレームとしても良い。ＭＢＳＦＮフレームクラスタが繰り返される周期を「ＭＢＳＦＮフレームクラスタ繰り返し期間」(MBSFN frame cluster Repetition period)とする。
【０１５１】
ＰＭＣＨにはひとつまたは複数のＭＢＭＳ用のトランスポートチャネルのＭＣＨがマッピングされ、ＭＣＨにはＭＢＭＳ用制御情報の論理チャネルであるＭＣＣＨと、ＭＢＭＳ用データの論理チャネルであるＭＴＣＨのいずれか、あるいは両方がマッピングされる。ＭＣＣＨとＭＴＣＨは時間的に分割されてＰＭＣＨ上にマッピングされても良いし、さらに時間的に分割されてマルチセル送信される物理領域にマッピングされても良い。例えば、ＭＴＣＨとＭＣＣＨがマッピングされる物理領域であるＭＢＳＦＮサブフレームが異なっていても良い。各ＭＢＳＦＮフレームクラスタ上にＭＣＣＨがマッピングされても良いし、ＭＴＣＨのみがマッピングされても良い。ＭＴＣＨのみがＰＭＣＨ上にマッピングされている場合、ＭＣＣＨの繰返し周期はＭＢＳＦＮフレームクラスタの繰返し周期と異なる。また、ＭＢＳＦＮフレームクラスタ上に複数のＭＣＣＨがマッピングされる場合も存在する。ＭＣＣＨの繰り返し周期を「ＭＣＣＨ繰り返し期間」(MCCH Repetition period)とする。図３９で、ＭＣＣＨ１はＭＢＳＦＮエリア１用のＭＢＭＳ制御情報で、ＭＴＣＨ１はＭＢＳＦＮエリア１用のＭＢＭＳデータである。セル＃ｎ２のセルはＭＢＳＦＮエリア２に属し、ＭＣＣＨ２はＭＢＳＦＮエリア２用のＭＢＭＳ制御情報で、ＭＴＣＨ２はＭＢＳＦＮエリア２用のＭＢＭＳデータである。セル＃ｎ３のセルはＭＢＳＦＮエリア３に属する。し、ＭＣＣＨ３はＭＢＳＦＮエリア３用のＭＢＭＳ制御情報で、ＭＴＣＨ３はＭＢＳＦＮエリア３用のＭＢＭＳデータである。各ＭＢＳＦＮエリア毎にＭＣＣＨの繰返し期間は異なっていても良い。ＭＢＳＦＮエリア毎のＰＭＣＨは時分割多重されている。そのため、セル間の同期が確保されているＭＢＳＦＮ同期エリア（MBSFN Synchronization Area  図７参照）内でＭＢＳＦＮエリア間のセルの直交性が得られ、他のＭＢＳＦＮエリアのセルからの干渉を防止することができる。ＭＢＳＦＮエリアではマルチセル送信されるため、各ＭＢＳＦＮエリア内のセルは、各々同一のＰＭＣＨにて同一のデータを送信する。一つのセルがに複数のＭＢＳＦＮエリアに属してが複数重複されていても、ＭＢＳＦＮエリア毎のＰＭＣＨが時分割多重されてＭＢＳＦＮサブフレーム上で送信されるため、上記ＰＭＣＨの構成は各ＭＢＳＦＮエリア間の直交性を保ったまま適用することが可能である。
【０１５２】
移動端末では、自移動端末が存在するＭＢＳＦＮエリアの複数のセルからマルチセル送信されるＰＭＣＨを受信することによってＭＢＭＳを受信でき、またマルチセル送信によるＳＦＮ利得により受信品質が改善される。一つのセルが複数のＭＢＳＦＮエリアに属するような場合も、移動端末は各々のＭＢＳＦＮエリアのＰＭＣＨを受信することによって、複数のＭＢＭＳサービスを受信することが可能である。また、ある所望のＭＢＳＦＮエリアのＰＭＣＨを受信している移動端末は、該ＰＭＣＨ以外のＰＭＣＨは受信する必要がないため、該ＰＭＣＨ以外の時間、間欠受信（Discontinuous Reception: DRX）動作が可能となり消費電力を削減可能となる。ＭＢＳＦＮエリア毎にＰＭＣＨを連続して送信し、そのＭＢＳＦＮフレームをＭＢＳＦＮフレームクラスタとすることで、移動端末は連続して間欠受信動作を行うことが可能となるため、さらに消費電力を削減することが可能となる。
【０１５３】
図４０は、ＭＢＳＦＮ（Multimedia Broadcast multicast service Single Frequency Network）エリア毎に設けられた物理マルチキャストチャネルの構成を示す説明図である。図３９では、ＰＭＣＨがＭＢＳＦＮエリア１〜３ごとに時分割多重（Time Division Multiplexing :TDM）されていた。図４０では、ＰＭＣＨがＭＢＳＦＮエリア１〜３ごとに符号分割多重（Code Division Multiplexing :CDM）されている場合が示される。セル＃ｎ１はＭＢＳＦＮエリア１内のセル、セル＃ｎ２はＭＢＳＦＮエリア２内のセル、セル＃ｎ３はＭＢＳＦＮエリア３内のセルである。セル＃ｎ１のセルではＭＢＳＦＮエリア１に対応したＰＭＣＨが送信される。ここで、該ＰＭＣＨは時間的に連続していても良いし、不連続でも良い。不連続の場合はＭＢＳＦＮエリアに対応したＰＭＣＨが送信されるＭＢＳＦＮフレームクラスタが繰り返される周期が「ＭＢＳＦＮフレームクラスタ繰り返し期間」（MBSFN frame cluster Repetition period）になる。また、連続の場合のＭＢＳＦＮフレームクラスタ繰り返し期間は０としても良いし、明示しなくても良い。ＭＣＣＨとＭＴＣＨは時間的に分割されてＰＭＣＨ上にマッピングされても良いし、さらに時間的に分割されてマルチセル送信される物理領域にマッピングされても良い。例えば、ＭＴＣＨとＭＣＣＨが、結果としてマッピングされる物理領域であるＭＢＳＦＮサブフレームが異なっていても良い。ＭＣＣＨが繰り返される周期を「ＭＣＣＨ繰り返し期間」（MCCH Repetition period）とする。同様に、セル＃ｎ２のセルではＭＢＳＦＮエリア２に対応したＰＭＣＨが送信され、セル＃ｎ３のセルではＭＢＳＦＮエリア３に対応したＰＭＣＨが送信される。各ＭＢＳＦＮエリア毎にＭＣＣＨの繰返し期間は異なっていても良い。ＭＢＳＦＮエリア毎のＰＭＣＨには、ＭＢＳＦＮエリア固有の拡散符号が乗じられたデータがマッピングされるため、セル間の同期が確保されているＭＢＳＦＮ同期エリア内でＭＢＳＦＮエリア間の干渉が抑圧できる。ＭＢＳＦＮエリアではマルチセル送信が用いられるため、各ＭＢＳＦＮエリア内のセルは、各々同一のＰＭＣＨにて同一のデータ、すなわちＭＢＳＦＮエリア固有の拡散符号（Scrambling Code）が乗じられたデータを送信する。一つのセルが複数のＭＢＳＦＮエリアに属していても、上記ＰＭＣＨの構成は各ＭＢＳＦＮエリア間の干渉を抑制したまま適用することが可能である。
【０１５４】
移動端末では、自移動端末が存在するＭＢＳＦＮエリアの複数のセルからマルチセル送信されるＰＭＣＨを受信し、ＭＢＳＦＮエリア固有の拡散符号によって逆拡散（Descramble）することにより、他ＭＢＳＦＮエリアからの干渉の影響を除去しながらＭＢＭＳを受信でき、またマルチセル送信によるＳＦＮ利得により受信品質の向上が図れる。一つのセルが複数のＭＢＳＦＮエリアに属するような場合も、移動端末は各々のＭＢＳＦＮエリアのＰＭＣＨを受信し、各々のＭＢＳＦＮエリア固有の拡散符号によって逆拡散することにより、複数のＭＢＭＳサービスを受信することが可能である。また、ある所望のＭＢＳＦＮエリアのＰＭＣＨが時間的に連続でない場合、移動端末は該ＰＭＣＨ以外の時間は受信する必要がないため、該ＰＭＣＨ以外の時間、間欠受信動作が可能となり消費電力を削減可能となる。ＰＭＣＨが時間的に連続であっても、該ＰＭＣＨにマッピングされるサービスが複数存在し、該サービスがＰＭＣＨ上に時間的に多重されている場合は、移動端末は所望のサービスがマッピングされた該ＰＭＣＨ内の時間領域のみ受信すればよく、その他の時間領域は受信する必要がない。従って、該ＰＭＣＨ内のその他の時間、間欠受信動作が可能となり消費電力を削減可能となる。
【０１５５】
図４１は、ページング信号をのせた物理マルチキャストチャネル（PMCH）の構成を示す説明図である。図４１に、ページング信号をのせた物理マルチキャストチャネル（PMCH）の構成を示す。図４１（ａ）はページング信号用領域を設けたＰＭＣＨを示す図であり、ＰＭＣＨ上にＭＢＭＳ関連情報とページング信号を含む点が示される。ＭＢＭＳ関連情報とページング信号は、各々がＭＴＣＨ、ＭＣＣＨ内の情報要素として存在しても良いし、各々がマッピングされる物理領域(リソース)が時間的に分割多重されても良い。図５６はＭＢＭＳ関連情報とページング信号をマルチキャスト制御チャネル（MCCH）に情報要素として乗せる場合のマッピング方法を示す説明図である。ＭＢＭＳ関連情報のうちＭＢＭＳ制御情報をページング信号とともに論理チャネルＭＣＣＨ上にのせる。ＭＣＣＨはＭＴＣＨとともにトランスポートチャネルであるマルチキャストチャネル（MCH）にマッピングされ、ＭＣＨは物理チャネルである物理マルチキャストチャネル（PMCH）にマッピングされる。このように、ＭＢＭＳサービスを受信している、あるいはしようとしている移動端末がＭＣＣＨを受信する際にページング信号を受信することが可能となる。
【０１５６】
また他の例を説明する。図５７は、論理チャネルＰＣＣＨを論理チャネルＭＴＣＨ、ＭＣＣＨと多重してトランスポートチャネルＭＣＨに載せる場合のマッピング方法を示す説明図である。図５７において、ページング信号は論理チャネルＰＣＣＨにのせられており、ＭＢＭＳ関連情報はＭＴＣＨ、ＭＣＣＨにのせられている。基地局は、ＭＴＣＨのみのＭＢＳＦＮサブフレームと、ＭＣＣＨとＰＣＣＨがマッピングされるＭＢＳＦＮサブフレームとを設けるようにしても良い。さらに、ＭＣＣＨのみのＭＢＳＦＮサブフレームと、ＰＣＣＨのみのＭＢＳＦＮサブフレームとを設けるように制御しても良い。こうすることで、ＭＴＣＨとＭＣＣＨかつＰＣＣＨが、さらにはＭＣＣＨとＰＣＣＨが各々時間的に分割されて送信可能となる。移動端末は、必要な情報のＭＢＳＦＮサブフレームのみ受信すれば良く、必要のない情報のＭＢＳＦＮサブフレームの期間ＤＲＸ動作をすることが可能となる。さらに、ＭＣＣＨとＰＣＣＨののるＭＢＳＦＮサブフレームを時間的に隣接するようにしても良い。基地局は、例えばＭＣＣＨののるＭＢＳＦＮサブフレームの後（もしくは前）に連続してＰＣＣＨののるＭＢＳＦＮサブフレームを構成するようにスケジューリングする。ＭＢＭＳを受信中もしくは受信しようとしている移動端末はＭＣＣＨを受信するため、ＭＣＣＨとＰＣＣＨを連続にしておくことで、ＭＣＣＨ繰返し期間によりＭＣＣＨかつＰＣＣＨの受信タイミングがわかることになる。従って、ＭＢＭＳサービスを受信している、あるいはしようとしている移動端末がＭＣＣＨを受信する際に連続してページング信号を受信することが可能となる。また、ＭＣＣＨとＰＣＣＨの間にＭＴＣＨが入らないためＭＴＣＨを受信していない端末がＤＲＸ動作に移行することなくＰＣＣＨを受信できるようになる。さらに別の例として、図５８にＭＣＨとＰＣＨを用いる方法を示す。図５８は、論理チャネルＰＣＣＨをトランスポートチャネルＰＣＨにのせ、論理チャネルＭＴＣＨとＭＣＣＨを多重してトランスポートチャネルＭＣＨにのせ、さらにＰＣＨとＭＣＨとを多重化して物理マルチキャストチャネルに乗せる場合のマッピング方法を示す説明図である。図５８において、ページング信号はＰＣＣＨにのせられており、このＰＣＣＨはトランスポートチャネルＰＣＨにマッピングされている。このＰＣＨはＭＣＨと多重されてＰＭＣＨにマッピングされる。こうすることで、基地局は、ＰＣＨとＭＣＨを時間的に分割して送信可能となり、さらには、エンコーディングを別々に行うことが可能となる。従って、移動端末においては、受信時にデコードを別々に行うことが可能となる。
【０１５７】
あるＭＢＳＦＮエリア内の全てのセルは、該ＭＢＳＦＮエリアに対応するＭＣＣＨをＰＭＣＨにのせてＭＣＣＨ繰り返し期間（MCCH repetition period）で周期的にマルチセル送信する。該ＭＢＳＦＮエリア内セルからマルチセル送信されるＭＢＭＳサービスを受信している、あるいはしようとしている移動端末は、該ＭＣＣＨを定期的に受信し、ＭＢＭＳサービスの内容やフレーム構成等を受信することによって、ＭＢＭＳサービスを受信可能とする。従って、図５６で開示したようにページング信号を該ＭＣＣＨに含ませることによって、ＭＢＭＳサービスを受信している、あるいはしようとしている移動端末がＭＣＣＨを受信する際にページング信号を受信可能とすることができる。これにより、移動端末はＭＣＣＨを受信する以外のタイミングで別途ページングを受信する必要がなくなるため、ＭＢＭＳサービスの受信を中断することなくページングを受信可能となる。また、ＭＣＣＨを受信していない時間、ＭＢＭＳサービスの受信を行っていない持間は間欠受信動作することができ、移動端末の消費電力の削減が図ることができる。
【０１５８】
図５７で開示したマッピング方法の場合は、ＭＣＣＨとＰＣＣＨが同じＭＢＳＦＮサブフレームに構成されるようにしても良いし、ＭＣＣＨののるＭＢＳＦＮサブフレームとページング信号ののるＭＢＳＦＮサブフレームを時間的に分割し、さらに隣接するようにしておいても良い。本発明の特徴として「ＭＣＣＨを見た時にＰＣＣＨもみれるようにする」がある。従って、ＭＣＣＨとＰＣＣＨが同じＭＢＳＦＮサブフレームにのる場合はそのサブフレームを受信すれば良いが、ＭＣＣＨののるＭＢＳＦＮサブフレームとＰＣＣＨののるサブフレームを時分割した場合は隣接させておくことが好ましい。また、図５８で開示したマッピング方法の場合は、ＭＣＣＨののるＭＢＳＦＮサブフレームとページング信号ののるＭＢＳＦＮサブフレームを時間的に隣接するようにしておけば良い。基地局は、例えばＭＣＣＨののるＭＢＳＦＮサブフレームの後（もしくは前）に連続してＰＣＣＨののるＭＢＳＦＮサブフレームを構成するようにスケジューリングする。このような構成にすることで、ＭＢＭＳサービスを受信している、あるいはしようとしている移動端末がＭＣＣＨを受信する際にページング信号を連続して受信可能とすることができる。これにより、移動端末はＭＣＣＨ及びＰＣＣＨののるサブフレームを受信する以外のタイミングで別途ページング信号を受信する必要がなくなるため、ＭＢＭＳサービスの受信を中断することなくページング信号を受信可能となる。また、ＭＣＣＨを受信していない時間、ＭＢＭＳサービスの受信を行っていない持間は間欠受信動作することができ、移動端末の消費電力の削減を図ることができる。
【０１５９】
図４１(ｂ)に、ＭＢＭＳ制御情報が変更されたかどうかを示すインジケータ、ページング信号が送信されたかどうかを示すインジケータを設けた構成を開示する。これらのインジケータはいずれかが設けられていても良いし、両方が設けられていても良い。ＭＢＭＳ制御情報が変更されたかどうかを示すインジケータを「ＭＢＭＳ関連情報の変更有無インジケータ」とし、ページング信号が送信されたかどうかを示すインジケータを「ページング信号有無インジケータ」とする。インジケータがマッピングされる物理領域はＰＭＣＨが送信されるＭＢＳＦＮサブフレームに設けられても良いし、また、ＰＭＣＨが送信されるＭＢＳＦＮサブフレームと時間的に隣接する物理領域に設けられても良い。こうすることにより、移動端末はインジケータ受信後ただちにＰＭＣＨに乗るＭＣＣＨやページング信号を受信しデコード可能となる。例えば、インジケータとして１ビットの情報とする。各インジケータはＭＢＳＦＮエリア固有の拡散コード等が乗じられ、あらかじめ決められた物理領域にマッピングされる。別の方法として例えば、各インジケータはＭＢＳＦＮエリア固有のシーケンスからなり、予め決められた物理領域にマッピングされても良い。移動端末に着信がかかった場合、ページング信号有無インジケータを“1”にセットし、着信がない場合はページング信号有無インジケータを“0”にセットする。また、例えば、ＭＢＳＦＮエリア内で送信されるＭＢＭＳサービスの内容が変更されるなどしてＭＣＣＨにのるＭＢＭＳ制御情報が変更された場合、ＭＢＭＳ関連情報の変更有無インジケータを“1”にセットする。ＭＢＭＳ関連情報の変更が可能な周期(MBMS modification periodとする)を決めておき、該周期内で変更有無インジケータ“1”を繰り返し送信する。該周期（MBMS modification period）、スタートタイミング(SFN、スターティングポイント)等はあらかじめ決められていても良いし、ユニキャストサービスでのサービングセルから、もしくはＭＢＭＳ専用セルから報知情報で通知されても良い。該周期経過した後に更にＭＢＭＳ関連情報の変更がない場合は、ＭＢＭＳ関連情報の変更有無インジケータを“0”にセットする。
【０１６０】
移動端末は、所望のＭＢＳＦＮエリアのＰＭＣＨがマルチセル送信されるＭＢＳＦＮサブフレームもしくは隣接するＭＢＳＦＮサブフレーム内のインジケータを受信し逆拡散等を行い、インジケータが１か０かを判定することで、ＭＣＣＨ内に存在するＭＢＭＳ制御情報に変更が生じたかどうかや、ページング信号が存在するかどうかを判断することが可能となる。このようにインジケータを設けることで、ＭＢＭＳ制御情報に変更が生じない場合や、ページング信号が存在しない場合は、移動端末はＰＭＣＨ全部の情報を受信または／かつデコードする必要がなくなる。このため、移動端末の受信電力の削減を図ることが可能となる。ＭＢＭＳ制御情報が変更されたかどうかを示すＭＢＭＳ関連情報変更有無インジケータをマッピングする物理領域を、ＭＢＭＳ制御情報がマッピングされるひとつまたは複数のＭＢＳＦＮサブフレームの最初のＭＢＳＦＮサブフレームとしても良い。さらに、該最初のＭＢＳＦＮサブフレームの先頭のＯＦＤＭ（Orthogonal Frequency Division Multiplexing）シンボルとしても良い。これにより、移動端末は、最初のＯＦＤＭシンボルを受信することで、ＭＢＭＳ制御情報に変更が生じたかどうかを判断することが可能となる。
【０１６１】
また、ページング信号が存在するかどうかを示すページング信号有無インジケータをマッピングする物理領域を、ページング信号がマッピングされるひとつまたは複数のＭＢＳＦＮサブフレームの最初のＭＢＳＦＮサブフレームとしても良い。さらに、該最初のＭＢＳＦＮサブフレームの先頭のＯＦＤＭシンボルとしても良い。これにより、移動端末は、最初のＯＦＤＭシンボルを受信することで、ページング信号が存在するかどうかを判断することが可能となる。各インジケータを上記のような物理領域にマッピングすることで、ＭＢＭＳ制御信号変更無しの場合、ページング情報が存在しない場合、各々その後のＯＦＤＭシンボルを受信または／かつデコードする必要がなくなり、さらなる移動端末の受信電力の削減をはかることが可能となる。また、最初のＭＢＳＦＮサブフレームや先頭のＯＦＤＭシンボルで早期に判断できるので、ＭＢＭＳ制御情報をただちに受信することができたり、または、ページング信号をただちに受信することができたりするため、移動端末での制御遅延を低減することが可能となる。インジケータとして、ＭＢＭＳ関連情報の変更有無インジケータとページング信号有無インジケータを同じ物理領域にマッピングしても良いし、各々異なる物理領域にマッピングしても良い。同じ物理領域にマッピングする場合は、各インジケータのオア(or)演算をとれば良い。これにより移動端末は受信するインジケータがひとつですむため、受信回路構成を間単にできる効果が得られる。各々異なる物理領域にマッピングする場合は、これにより、移動端末は、必要なインジケータのみ受信しておけば良く、他のインジケータを受信する必要はなくなる。したがって、移動端末の受信電力のさらなる削減や、必要な情報の受信遅延のさらなる低減が図ることができる。例えば、ＭＢＭＳサービスを受信しているが、ページング信号を受信しないように設定している移動端末では、ＭＢＭＳ関連情報の変更有無インジケータのみ受信すればよく、ページング信号有無インジケータを受信する必要をなくすことができる。各々のインジケータの繰返し周期は同じでも良いし、異なっていても良い。各々のインジケータの繰返し周期はＭＣＣＨの繰返し周期と同じでも良いし、異なっていても良い。例えばＭＢＭＳ関連情報の変更有無インジケータを何回かに１回ＭＣＣＨののるＰＭＣＨに設けても良い。
【０１６２】
インジケータの繰り返し周期は、各々、ページング信号有無インジケータ繰り返し期間（Repetition period）、ＭＢＭＳ関連変更有無インジケータ繰り返し期間（Repetition period）とする。インジケータの存在するＭＢＳＦＮサブフレームのスタートタイミング(SFN、スターティングポイント)、サブフレームナンバ、各々のインジケータの繰り返し周期等はユニキャストサービスのサービングセルの報知情報で通知されても良いし、ＭＢＭＳ専用セルの報知情報で通知されても良いし、あらかじめ決められていても良い。ＭＢＭＳ関連情報の変更有無インジケータ専用のチャネルを、例えばＭＩＣＨ(MBMS Indicating CHannel)としても良く、さらには、ＭＩＣＨ内にページング信号有無インジケータを構成するようにしても良い。ページング信号有無インジケータの繰り返し周期はＭＩＣＨの繰り返し周期（MICH Repitition period）と同じでも良いし異なっていても良い。インジケータの通知に関しては先に記載した同様の方法で行うことができる。これにより、各々のインジケータが送信される時間がＭＣＣＨが送信される時間に限定されず、システムにおいて柔軟に設計することが可能となる。
【０１６３】
ページング信号をＰＭＣＨに含める場合、着信がかかった移動端末の数が膨大になった場合、自移動端末の宛てのページング信号を検出するのに時間がかかりすぎてしまうという問題が生じる。また、ページング信号ののる所定の物理領域に、着信がかかった全ての移動端末のページング信号をマッピングする領域が確保できないという問題が生じる。これらの問題を解決するため、ページンググループ化する方法を開示する。図４１(ｃ)に、ページンググループ化の方法について示す。全移動端末をＫ個のグループに分け、各グループ毎にページング信号有無インジケータを設ける。ページング信号有無インジケータ用の物理領域をＫ個に分割し、分割した各々の物理領域に各グループのページング信号有無インジケータをマッピングする。ここで、Ｋは１から全移動端末数の値までをとりうる。ある移動端末に着信がかかった場合、該移動端末が属するグループのページング信号有無インジケータを“１”にセットする。あるグループに属する全ての移動端末に着信がない場合は該グループのページング信号有無インジケータを“０”にセットする。ページング信号有無インジケータは移動端末での所望の受信誤り率を満足するためにリピテーション等が行われても良い。ページング信号をマッピングする物理領域もＫ個に分割し、上記Ｋ個のグループに対応するようにしておく。ページング信号として、移動端末毎の識別子（識別番号、識別コード）であっても良い。Ｋ個に分割されたひとつの物理領域は、移動端末１台が必要とするページング信号データが収まる物理領域を、グループ内の移動端末数分加算した物理領域とする。グループ内の移動端末数はグループ全てで同じで合っても良いし、グループ毎に異なっていても良い。グループ内の移動端末数は、例えば、同時に着信が発生する移動端末数の平均値とする方法がある。また、ひとつのＯＦＤＭシンボルに割当て可能な移動端末台数とし、各ＯＦＤＭシンボルを各グループに対応させる方法としても良い。ある移動端末に着信がかかった場合、該移動端末が属するグループのページング信号有無インジケータを“１”にセットし、該グループに対応したページング信号有無インジケータ用物理領域にマッピングする。それとともに、着信がかかった移動端末向けのページング信号を、該移動端末が属するグループに対応するページング信号の物理領域にマッピングする。ページング信号の物理領域へのマッピングは、移動端末毎に該移動端末固有の識別コードを乗じる。ページング信号が移動端末毎の識別子である場合は上記移動端末固有の識別コードを乗じる制御を省略できる。
【０１６４】
移動端末は、自移動端末が属するグループのページング信号有無インジケータを受信することで、自移動端末が属するグループに着信がかかっているかどうか判定する。着信がかかっていると判定した場合、自移動端末が属するグループに対応づけられたページング信号がマッピングされる物理領域を受信し復号化（Decode）する。復号化処理後、移動端末固有の識別コードとの相関演算を行うことによりブラインド検出を行い、自移動端末向けのページング信号を特定することで、自移動端末への着信有りと判定することが可能となる。自移動端末向けのページング信号を検出しなかった場合は、自移動端末への着信なしと判定する。移動端末をＫ個のグループにグルーピングすることで、移動端末は、ページング信号用領域全てを受信する必要がなくなり、必要な領域のみ、すなわち自移動端末が属するグループが対応する物理領域のみ受信すればよくなるため、移動端末でのページング信号検出時間の短縮が図れ、さらには時移動端末が属さないグループの対応する物理領域を受信する必要がなくなるため移動端末の受信電力の削減が図ることができる。さらには、グループ毎に対応したページング信号有無インジケータを用いることで、多数の移動端末がある場合も少ない物理リソースでページング信号有無インジケータを設けることができる。さらには、移動端末は必要に応じてページング信号用領域を受信すればよく、移動端末の受信電力の削減が可能となるとともに、ページング信号を受信する必要がない場合はすぐに次の動作に移行できるため、制御遅延を小さくすることが可能となる。
【０１６５】
上記実施の形態では、ページング信号をマッピングする、Ｋ個に分割されたひとつの物理領域は、移動端末１台が必要とするページング信号データが収まる物理領域を、グループ内の移動端末数分加算した物理領域としていた。しかし、移動端末数が多大になると、必要とする物理領域が多大になり、ＭＢＭＳサービスを送信するためのオーバーヘッドが多大になるためＭＢＭＳサービスデータの送信速度が低下する。これを防ぐため、移動端末向けのページング信号に移動端末毎に該移動端末固有の識別コードを乗じる。これにより、移動端末は自移動端末宛ての情報かどうかを該移動端末固有の識別コードを用いてブラインド検出することが可能となるため、各移動端末毎のページング信号をマッピングする物理領域をあらかじめ固定しておく必要がなくなる。したがって、全移動端末分のページング信号用の物理領域を必要とせず、実際に着信が生じると予測される移動端末数分の領域さえあれば良い。例として、グループ内の移動端末数を、同時に着信が発生する移動端末数の平均値とする方法がある。この方法により、限られた物理リソースを有効に利用することが可能となる。また、上記の方法とすることで、たとえ予測以上に着信する移動端末数が多くなった場合でも、新しい着信の移動端末へのページング信号を次のＰＭＣＨ上で送信することが可能となる等、基地局でのスケジューリングにより柔軟に対応することが可能となる。
【０１６６】
全移動端末数が少ない場合、Ｋの値を全移動端末数として、ページング信号有無インジケータのみ送信しても良い。この場合、ページング関連の物理領域を確保する必要がなく、ページング信号有無インジケータ用の物理領域を全移動端末数分確保しておけばよい。このため、無線リソースの効率化が図れる。また、この場合、移動端末毎に対応するページング信号有無インジケータ用の物理領域が存在することになる。このため、移動端末においては、自移動端末に対応したページング信号有無インジケータ用の物理領域を受信してデコードするだけで、ページング信号用領域を受信せずに、着信の有無が判定でき、移動端末のページング動作での制御遅延が低減できる。
【０１６７】
図４２は、ページング信号を物理マルチキャストチャネル上の領域にマッピングする方法を示す説明図である。図４２において、ページンググループｎに属する移動端末のうち、音声通話などの着信が発生した移動端末ｎ１、ｎ２などに対するページング信号を、該グループｎに対する物理領域にマッピングする。基地局は、各々の移動端末のページング信号に該移動端末固有の識別コード(番号、シーケンス)を乗じ、ＣＲＣ（Cyclic Redundancy Check）付加を行い、符号化（Encode）、レートマッチング等の処理を行う。これら一連の処理を行った結果を、マッピングする物理領域の大きさに対応した制御情報要素（CCE：Control Channel Element）単位に割り当て、着信が発生した各々の移動端末分だけ連結する。連結した結果を、ＭＢＳＦＮエリア固有の拡散符号（Scrambling code）による拡散処理、変調処理等を行う。変調処理は、ＭＢＳＦＮエリア固有であっても良い。これらの処理を行った結果をページンググループｎに対応する物理領域へマッピングする。この際、基地局は、ページンググループｎのページング信号有無インジケータに“１”をセットし、ページング信号有無インジケータのページンググループｎの物理領域にマッピングする。
【０１６８】
ページンググループｎに対応する物理領域は、あらかじめ決められていても良いし、報知情報としてユニキャスト側サービングセルもしくはＭＢＭＳ専用セルから通知されても良い。移動端末では、自移動端末が属するページンググループのページング信号有無インジケータを受信し、“１”であれば、該ページンググループに対応するページング信号用物理領域を受信する。ページング信号用物理領域を受信し、復調、ＭＢＳＦＮエリア固有の拡散符号による逆拡散（Descramble）を行い、その結果を制御情報要素単位に分割する。分割した制御情報要素単位毎に復号化（Decode）等の処理を行い、自移動端末固有の識別番号により相関演算を行うことによって、自移動端末向けのページング信号をブラインド検出する。ある閾値より相関演算結果が大きい場合は自移動端末向けのページングが有ると判定し、ページング信号によりページング着信動作に入る。ある閾値以下の場合は自端末向けのページングはなしと判定し、ＭＢＭＳ関連情報の受信に移行する、またはＭＢＭＳ関連情報の受信の必要がなければ間欠受信動作に移行する。自移動端末がどのグループに属するかは、あらかじめ決められた計算方法によって導出されても良いし、上位レイヤから、報知情報としてユニキャストサービスのサービングセルもしくはＭＢＭＳ専用セルから通知されても良い。
【０１６９】
図４３は、ページング信号をＰＭＣＨ上のページング信号ののる物理領域にマッピングする方法の別の例を示す。ページンググループｎに属する移動端末のうち、着信がかかっている移動端末のｎ１、ｎ２などに対してページング信号を、該グループｎに対する物理領域にマッピングする。基地局は、各々の移動端末のページング信号にＣＲＣ付加を行い、エンコード、レートマッチング等の処理を行う。それら処理を行った結果に、該移動端末固有の識別コード(番号)を乗じる。該移動端末固有の識別コードを直交性を有す拡散コードとして、移動端末間で直交性が得られるようにする。基地局は、該拡散コードを乗じた結果を、着信がかかっている各々の移動端末分多重する。多重した結果を、ＭＢＳＦＮエリア固有の拡散符号による拡散処理、変調処理等を行う。変調処理は、ＭＢＳＦＮエリア固有であっても良い。これらの処理を行った結果をページンググループｎに対応する物理領域へマッピングする。この際、基地局は、ページンググループｎのページング信号有無インジケータに“１”をセットし、ページング信号有無インジケータのページンググループｎの物理領域にマッピングする。ページンググループｎに対応する物理領域は、あらかじめ決められていても良いし、報知情報としてユニキャスト側サービングセルもしくはMBMS専用セルから通知されても良い。移動端末では、自移動端末が属するページンググループのページング信号有無インジケータを受信し、“１”であれば、該ページンググループに対応するページング信号用物理領域を受信する。ページング信号用物理領域を受信し、復調、ＭＢＳＦＮエリア固有の拡散符号による逆拡散を行う。その結果を自移動端末固有の識別番号により相関演算を行うことによって、自移動端末向けのページング信号をブラインド検出する。ある閾値より相関演算結果が大きい場合は自移動端末向けのページングが有ると判定し、デコードを行った後のページング信号によりページング着信動作に入る。ある閾値以下の場合は自端末向けのページングはなしと判定し、ＭＢＭＳ関連情報の受信に移行する、またはＭＢＭＳ関連情報の受信の必要がなければ間欠受信動作に移行する。自移動端末がどのグループに属するかは、あらかじめ決められた計算方法によって導出されても良いし、上位レイヤから、報知情報としてユニキャストサービスのサービングセルもしくはＭＢＭＳ専用セルから通知されても良い。なお、図４２、１４で記載したページング信号は、ページング信号のマッピングされたトランスポートチャネルとしても良い。これは以降の実施例においても適用できる。移動端末がページング受信時に必要となるページング関連の情報であるページング信号ののった情報であれば良い。
【０１７０】
ページング信号をＰＭＣＨのページング信号ののる物理領域にマッピングするいくつかの方法を開示したが、該ページング信号ののる物理領域へのマッピングは、任意のあらかじめ決められた領域でも良いし、ローカライズド(周波数軸上で連続する物理領域)にマッピングしても良いし、ディストリビューテッド(周波数軸上で分散する物理領域)にマッピングしても良い。
【０１７１】
上記の例ではページング信号に移動端末固有の識別番号や拡散コードを乗じる構成とした。このような構成とすることで、ページング信号の情報量が各移動端末で同じ場合、符号化（Encode）、レートマッチング等の処理を各移動端末間で同じにすることで、割り当てる制御情報要素単位の領域の大きさを同じにすることが可能となる。従って、移動端末においてブラインド検出する制御情報要素単位の領域の大きさがひとつに限られるため、ブラインド検出の回数が削減でき、検出時間の短縮も図れる。従って、移動端末の回路構成の削減、消費電力の削減、制御遅延の低減を図れる効果が得られる。
【０１７２】
上記のように、ページング信号に移動端末固有の識別番号や拡散コードを乗じ、ページンググループ毎にＰＭＣＨのページング信号ののる物理領域にマッピングすることで、移動端末は、ページング信号用領域全てを受信する必要がなくなり、必要な領域のみ、すなわち自移動端末が属するグループが対応する物理領域のみ受信すればよくなるため、移動端末でのページング信号検出時間の短縮が図れ、さらには時移動端末が属さないグループの対応する物理領域を受信する必要がなくなるため移動端末の受信電力の削減が図ることができる。さらには、グループ毎に対応したページング信号有無インジケータを用いることができ、多数の移動端末がある場合も少ない物理リソースでページング信号有無インジケータを設けることができる。さらには、移動端末は必要に応じてページング信号用領域を受信すればよく、移動端末の受信電力の削減が可能となるとともに、ページング信号を受信する必要がない場合はすぐに次の動作に移行できるため、制御遅延を小さくすることが可能となる。さらには、移動端末は自移動端末宛ての情報かどうかを該移動端末固有の識別コードや拡散コードを用いてブラインド検出することが可能となるため、各移動端末毎のページング信号をマッピングする物理領域をあらかじめ固定しておく必要がなくなり、全移動端末分のページング信号用の物理領域を必要とせず、実際に着信が生じると予測される移動端末数分の領域さえあれば良いため、限られた物理リソースを有効に利用することが可能となる。さらには、たとえ予測以上に着信する移動端末数が多くなった場合でも、新しい着信の移動端末へのページング信号を次のＭＣＣＨののるＰＭＣＨ上で送信することが可能となる等、基地局でのスケジューリングにより柔軟に対応することが可能となる。
【０１７３】
上記の例では基地局においてページング信号に移動端末固有の識別番号を乗じることとした。しかし、ページング信号ではなくＣＲＣに移動端末固有の識別番号を乗じる方法を用いることも可能である。ＣＲＣに移動端末固有の識別番号を乗じる方法は、各移動端末のページング信号の情報量が異なる場合に有効である。
【０１７４】
本実施の形態７で開示したＰＭＣＨ上にページング信号をのせる方法とすることで、移動体通信システムとして、ＭＢＭＳ専用セルからＭＢＭＳサービスを受信しているもしくは受信しようとしている全移動端末のページング信号を送信できるようになり、該移動端末がＭＢＭＳ専用セルからページング信号を受信することを可能とする。
【０１７５】
以下、本実施の形態７の変形例を説明する。実施の形態７では、ＭＢＭＳ専用セルからページング信号を受信するため、ＭＢＳＦＮエリア毎のＰＭＣＨ上にページング信号をのせる方法を開示した。ＰＭＣＨの構成として、ＭＢＳＦＮエリア毎に時分割多重(TDM)、ＭＢＳＦＮエリア毎にコード分割多重(CDM)とする方法を開示した。以下説明する第一の変形例では、ＰＭＣＨの構成として、ＭＢＳＦＮエリア毎に時分割多重(TDM)とコード分割多重(CDM)とを混在させる方法を開示する。
【０１７６】
図４４は、ＭＢＳＦＮエリア毎に設けられたＰＭＣＨの構成を示す説明図である。図４４において、ＭＢＳＦＮエリア毎に時分割多重(TDM)とコード分割多重（CDM）がともに用いられている。セル＃ｎ１はＭＢＳＦＮエリア１内のセル、セル＃ｎ２はＭＢＳＦＮエリア２内のセル、セル＃ｎ３はＭＢＳＦＮエリア３内のセルである。また、セル＃１、セル＃２、セル＃３のセルはＭＢＳＦＮエリア４内のセルでもある。ＭＢＳＦＮエリア１、２、３のＰＭＣＨはコード分割多重され、ＭＢＳＦＮエリア１、２、３のＰＭＣＨとＭＢＳＦＮエリア４のＰＭＣＨは時分割多重される。セル＃ｎ１のセルはＭＢＳＦＮエリア１に属するため、ＭＢＳＦＮエリア１に対応したＰＭＣＨがある時間に送信される。ＰＭＣＨはＭＢＳＦＮエリア内でマルチセル送信されるため、ＭＢＳＦＮサブフレーム上で送信される。ＭＢＳＦＮサブフレームが割当てられるＭＢＳＦＮフレームの集合を「ＭＢＳＦＮフレームクラスタ」（MBSFN frame cluster）とする。ＭＢＭＳ専用セルではＭＢＳＦＮフレーム内全てのサブフレームをマルチセル送信に用いられるＭＢＳＦＮサブフレームとしても良い。あるＭＢＳＦＮエリアに対応したＭＢＳＦＮフレームクラスタが繰り返される周期を「ＭＢＳＦＮフレームクラスタ繰り返し周期」（MBSFN frame cluster Repetition period）とする。ＰＭＣＨにはＭＢＭＳ用のトランスポートチャネルのＭＣＨがマッピングされ、ＭＣＨにはＭＢＭＳ用制御情報のロジカルチャネルＭＣＣＨ、ＭＢＭＳ用データのロジカルチャネルＭＴＣＨのいずれかあるいは両方がマッピングされる。
【０１７７】
ＭＣＣＨとＭＴＣＨは時間的に分割されてＰＭＣＨ上にマッピングされても良いし、さらに時間的に分割されてマルチセル送信される物理領域にマッピングされても良い。例えば、ＭＴＣＨとＭＣＣＨが、結果としてマッピングされる物理領域であるＭＢＳＦＮサブフレームが異なっていても良い。各ＭＢＳＦＮフレームクラスタ上にＭＣＣＨがマッピングされても良いし、ＭＴＣＨのみでも良い。ＭＴＣＨのみが存在する場合、ＭＣＣＨの繰返し周期はＭＢＳＦＮフレームクラスタの繰り返し周期と異なる。また、ＭＢＳＦＮフレームクラスタ上に複数のＭＣＣＨがマッピングされる場合も存在する。ＭＣＣＨの繰り返し周期を「ＭＣＣＨ繰り返し期間」(MCCH Repetition period)とする。図４４で、ＭＣＣＨ１はＭＢＳＦＮエリア１用のＭＢＭＳ制御情報で、ＭＴＣＨ１はＭＢＳＦＮエリア１用のＭＢＭＳデータである。同様に、ＭＣＣＨ２はＭＢＳＦＮエリア２用のＭＢＭＳ制御情報で、ＭＴＣＨ２はＭＢＳＦＮエリア２用のＭＢＭＳデータ、ＭＣＣＨ３はＭＢＳＦＮエリア３用のＭＢＭＳ制御情報で、ＭＴＣＨ３はＭＢＳＦＮエリア３用のＭＢＭＳデータである。セル＃ｎ１とセル＃ｎ２とセル＃ｎ３のＰＭＣＨは符合分割多重され同じタイミングで送信される。セル＃ｎ１（セル＃ｎ２、セル＃ｎ３）のセルはＭＢＳＦＮエリア１（２、３）とＭＢＳＦＮエリア４に属するため、ＭＢＳＦＮエリア１（２、３）のＰＭＣＨとＭＢＳＦＮエリア４のＰＭＣＨは時分割多重される。ＭＢＳＦＮエリア４のＰＭＣＨはＭＢＳＦＮエリア４でマルチセル送信されるため、ＰＭＣＨの送信タイミングはセル＃ｎ１、＃ｎ２、＃ｎ３で全て同じである。このように、ＭＢＳＦＮエリア毎のＰＭＣＨを、時分割多重とコード分割多重を混在させることで、例えば、ＭＢＳＦＮエリア間で重複するＭＢＳＦＮエリアには時分割多重を、重複しないＭＢＳＦＮエリアにはコード分割多重を用いることが可能となる。従って、時間分割多重のみの場合に比べてコード分割多重を用いているため無線リソースの効率化が図ることができる。さらには、コード分割多重のみの場合に比べ、重複するＭＢＳＦＮエリア間での相互干渉を低減することが可能となり、移動端末でのＭＢＭＳデータの受信誤りの低減が図ることができる。
【０１７８】
次に、移動端末がＭＢＭＳ専用セルからページングを受信するための各ＰＭＣＨの構成について述べる。ＭＢＳＦＮエリア毎に時分割多重とコード分割多重とが混在している。従って、各セルから送信されるＭＢＳＦＮエリア毎のＰＭＣＨも複数存在することになる。このように、あるひとつのセルにおいてＭＢＳＦＮエリア毎のＰＭＣＨが複数存在する場合に対応するため、ページング信号を、全てのＭＢＳＦＮエリアに対応するＰＭＣＨ上にのせる構成とする。各々のＭＢＳＦＮエリアのＰＭＣＨには、図４１で示したようなページング信号を含める方法が適用できる。このような構成とすることで、複数のＭＢＳＦＮエリアのＭＢＭＳサービスを受信可能なエリアにいる移動端末は、ＭＢＭＳサービスを受信しているもしくは受信しようとしているいずれかひとつのＭＢＳＦＮエリアのＭＣＣＨを受信することで、該ＭＣＣＨを受信する際にページングを受信することが可能となる。移動端末は、受信しているＭＢＭＳサービスと異なるＭＢＳＦＮエリアのＭＣＣＨを受信する必要がなくなり、間欠受信が可能となるため消費電力の削減が図れる。別の方法として、一つのＭＢＳＦＮエリアのＰＭＣＨ上にのせる構成を述べる。例えば、あるひとつのセルが属する最も小さいＭＢＳＦＮエリアのＰＭＣＨにのみＭＣＣＨ(P-MCCH)をマッピングすることとし、その他のＭＢＳＦＮエリアのＰＭＣＨにはＭＣＣＨをマッピングしない構成とし、最も小さいＭＢＳＦＮエリアのＰＭＣＨには、図４１で示したようなページング信号をのせる方法を適用する。最も小さいＭＢＳＦＮエリアのＰＭＣＨにマッピングされたＭＣＣＨ(P-MCCH)に、他のＭＢＳＦＮエリアのＭＢＭＳ制御情報を含ませておく。
【０１７９】
このような構成とすることで、例えば、移動端末が複数のどのＭＢＳＦＮエリアのＭＢＭＳサービスを受信していたとしても、最も小さいＭＢＳＦＮエリアのＭＣＣＨ(P-MCCH)を受信することで、該ＭＣＣＨ(P-MCCH)を受信する際にページングを受信することが可能となる。さらに、移動端末は、受信するＭＢＭＳサービスの変更に伴ってページング受信周期、ここではＭＣＣＨ繰り返し期間（MCCH repetition period）を変更する必要がなく、制御を簡易にすることが可能となる。さらに、その他のＭＢＳＦＮエリアのＰＭＣＨにはＭＴＣＨのみマッピングすることが可能となるため、システムとして無線リソースの効率化が図ることができるという効果が得られる。また、別の方法として、最も小さいＭＢＳＦＮエリアのＰＭＣＨに他のＭＢＳＦＮエリアに対応するＭＣＣＨもマッピングするようにしておいても良い。この場合も該ＰＭＣＨには図４１で示したようなページング信号をのせる方法を適用することができる。これにより、同様の効果が得られるとともに、各ＭＣＣＨは時分割して物理領域にマッピングすることが可能となる。従って、移動端末は所望のＭＢＳＦＮエリアのＭＣＣＨを受信し、それ以外のＭＣＣＨが送信される物理領域は間欠受信することが可能となる。さらに別の方法として、一つのＭＢＳＦＮエリアのＰＭＣＨ上にのせる構成を述べる。例えば、あるひとつのセルが属するＭＢＳＦＮエリアのＰＭＣＨに主ＭＣＣＨ(P-MCCH)をマッピングすることとし、その他のＭＢＳＦＮエリアのＰＭＣＨには副ＭＣＣＨ(S-MCCH)をマッピングする構成とし、Ｐ―ＭＣＣＨののるＰＭＣＨには、図４１で示したようなページング信号を含める方法を適用する。このような構成とすることで、例えば、移動端末が複数のどのＭＢＳＦＮエリアのＭＢＭＳサービスを受信していたとしても、Ｐ―ＭＣＣＨを受信することで、該Ｐ―ＭＣＣＨを受信する際にページングを受信することが可能となる。さらに、移動端末は、受信するＭＢＭＳサービスの変更に伴ってページング受信周期、ここではＭＣＣＨ繰り返し期間（MCCH repetition period）を変更する必要がなく、制御を簡易にすることが可能となる。ページング信号をＰＭＣＨ上のページング信号ののる物理領域へマッピングする方法については、図４２、図４３で開示した方法が適用できる。
【０１８０】
上記実施の形態７および変形例では、ＭＢＳＦＮエリア内のセルは複数存在する場合を示した。しかし、本発明はＭＢＳＦＮエリア内のセルが一つのみであっても適用可能である。該一つのセルにおいて、図４１で開示したＰＭＣＨの構成とし、図４２で開示したページング信号をＰＭＣＨ上のページング信号ののる物理領域へマッピングする方法を適用することが可能である。一つのセルのみの場合、ＰＭＣＨを用いる送信といえども通常のマルチセル送信に伴うＳＦＮ利得は得られないが、ＭＢＭＳサービスをある狭い地区に限定でき、いわゆるスポット的なサービスを提供することが可能となる。さらに、ＭＢＳＦＮエリア内のセルが一つのみで、該一つのセルにおいて、該ＭＢＳＦＮエリアに対応するＭＢＭＳサービスのデータが送信されず、MBMS制御情報のみ送信されていても良い。この場合、ＰＭＣＨ上にＭＴＣＨがマッピングされず、ＭＣＣＨのみマッピングされる。該ＭＣＣＨに、該一つのセルが属する他のＭＢＳＦＮエリアのＭＢＭＳ制御情報（MCCH）が含まれても良い。これにより、他のＭＢＳＦＮエリアのＰＭＣＨに各々のＭＣＣＨをマッピングする必要がなくなるため、無線リソースの効率化が図れる。さらに、移動端末は、該ＭＢＳＦＮエリアに対応するＭＣＣＨのみ受信することで、他のＰＭＣＨを受信することなく、受信可能なひとつまたは複数のＭＢＳＦＮエリアの全てのＭＣＣＨを受信することが可能となるため、ＭＢＭＳサービス受信時の制御遅延時間が削減できる。さらには、他のＭＢＳＦＮエリアのＭＢＭＳサービス情報を受信する必要のない場合は、間欠受信動作が可能になり、受信電力の削減が図ることができる。
【０１８１】
実施の形態８．
移動端末が、ユニキャストサービスがサポートされていないＭＢＭＳ専用セルからページングを受信するため、実施の形態１では、ＭＢＳＦＮ(Multimedia Broadcast multicast service Single Frequency Network)エリア毎の物理マルチキャストチャネル（PMCH）上にページング信号をのせる方法を開示した。本実施の形態８では、ＭＢＳＦＮエリア内でマルチセル送信されるページング専用の物理チャネルを設け、該物理チャネル上にページング信号をのせる方法を開示する。
【０１８２】
図４５は、ＭＢＳＦＮエリア内でマルチセル送信されるページング専用の物理チャネルの構成を示す説明図である。あるセルにおいて、該セルが属するＭＢＳＦＮエリアに対応したＭＢＳＦＮサブフレームの一部をページング専用の物理チャネル(Dedicated Physical Channel: DPCH)とし、ＤＰＣＨをサブフレーム毎に設ける構成とした。実施の形態１でも示したが、ＭＢＭＳ専用チャネルではユニキャストサービスがサポートされないため、ＭＢＳＦＮフレームの全てのサブフレームをＭＢＳＦＮサブフレームとしても良い。一例として、図５９にページング信号をページング専用の物理チャネルにマッピングする方法を示す。図５９は、ページング信号を含む論理チャネルＰＣＣＨをトランスポートチャネルＰＣＨにのせ、論理チャネルＭＴＣＨとＭＣＣＨを多重してトランスポートチャネルＭＣＨにのせ、さらにＰＣＨをページング専用の物理チャネルに乗せる場合のマッピング方法を示す説明図である。ページング信号がのる論理チャネルＰＣＣＨはトランスポートチャネルＰＣＨにマッピングされ、ページング専用の物理チャネルであるＤＰＣＨにマッピングされる。一方、従来どおりＭＢＭＳ関連情報は論理チャネルＭＴＣＨとＭＣＣＨにのり、それらはトランスポートチャネルＭＣＨにマッピングされ、物理チャネルＰＭＣＨにマッピングされる。ＤＰＣＨはＭＢＳＦＮエリア内でマルチセル送信される構成とし、ＤＰＣＨとＰＭＣＨが同じＭＢＳＦＮサブフレームに多重されて送信される。
【０１８３】
ＭＢＳＦＮエリア毎のＰＭＣＨ構成が、例えば図４０に示した符号分割多重されている場合、連続したＭＢＳＦＮサブフレームでＰＭＣＨが送信される。この場合、ＤＰＣＨは時間軸上全サブフレームに設けることが可能となる。従って、実施の形態１に比べて、ページング信号が送信可能となる回数が増大する。このようにＭＢＳＦＮエリア内でマルチセル送信されるＭＢＳＦＮサブフレームの毎サブフレームの一部をページング信号送信用のＤＰＣＨとすることで 、システムとしてページング信号の送信頻度を多くして、ＭＢＭＳ専用セルからのページングを可能とする移動端末の台数を増大させることができる。さらには、ページング可能な移動端末へのページング発生時に、ページング用領域不足を避けることができるため、ページング情報送信遅延時間を短縮することが可能となる。上記例ではＭＢＳＦＮエリア毎のＰＭＣＨ構成が符号分割多重（CDM）の場合について記載したが 、時分割多重（TDM）の場合、あるいは時分割多重と符号分割多重がともに適用される場合でも、あるセルが属するひとつまたは複数のＭＢＳＦＮエリアに対応したＰＭＣＨが送信される全てのＭＢＳＦＮサブフレームにＤＰＣＨを設ければ良い。これにより、実施の形態１に比べて、ページング信号が送信可能となる回数が増大させることができるため同様の効果を得ることができる。
【０１８４】
図４６は、ＭＢＳＦＮサブフレームの構成を示す説明図である。図４６において、ＭＢＳＦＮサブフレーム内でＤＰＣＨとＰＭＣＨが時間分割されて多重されている。ＤＰＣＨにはページング信号がマッピングされ、ＰＭＣＨにはＭＢＭＳ関連情報がマッピングされる。各々がマッピングされる物理チャネルを別にすることで、基地局においてページング信号とＭＢＭＳ関連情報のエンコーディングを別々にすることが可能で、移動機での受信において別々にデコードを行うことが可能となる。また、物理領域を時分割多重とすることが可能で、ＭＢＭＳサービスを受信しておらず、ページング情報のみを受信している移動端末はＰＭＣＨを受信する必要がなく、ＰＭＣＨが送信されている間は間欠受信（Discontinuous Reception）することが可能となり、移動端末の消費電力を削減可能となる。一方、ページング情報を受信する必要の無い移動端末は、ＤＰＣＨを受信する必要がなく、ＤＰＣＨが送信されている間は間欠受信動作を行うことが可能であるため、移動端末の消費電力を削減することが可能となる。ＤＰＣＨは、各ＭＢＳＦＮサブフレームのｋＯＦＤＭシンボル内で送信される。ｋの値は予め決められていても良いし、ＭＢＭＳ専用セルの報知情報で通知しても良い。また、ユニキャストセルの報知情報で通知しても良い。
【０１８５】
ＤＰＣＨが送信されるＯＦＤＭシンボル数ｋの値を示すチャネルとしてＰＣＦＩＣＨ（Physical control format indicator channel）をサブフレーム毎に設けても良い。ＰＣＦＩＣＨは各サブフレームの１番目のＯＦＤＭシンボルで送信される。移動端末へのＰＣＦＩＣＨの物理リソースのアロケーション情報の通知は、ＭＢＭＳ専用セルの報知情報で通知しても良いし、ユニキャストセルの報知情報でＭＢＭＳ専用セルの周波数レイヤ情報と関連して通知しても良い。また、あらかじめ決めておいても良い。あらかじめ決めておくことによって通知に必要となる情報量を削減することが可能となる。このようにｋの値をサブフレーム毎にインジケートすることで、サブフレーム毎にｋの値を変更することが可能となり、ダイナミックにＭＢＭＳ情報の送信領域とＤＰＣＨの送信領域を変更することが可能となる。ｋの値は０から１サブフレーム内最大ＯＦＤＭシンボル数までとりうる。例えば、ユニキャストセルのＰＤＣＣＨ（Physical downlink control channel）と同じ１〜３ＯＦＤＭシンボルとしても良い。この場合、ＰＣＦＩＣＨは２ビットとなる。また、例えば、ＭＢＭＳ／ユニキャスト混合セルのＭＢＳＦＮサブフレームにおけるＰＤＣＣＨと同じ１〜２ＯＦＤＭシンボルとしても良い。この場合、ＰＣＦＩＣＨは２ビットまたは１ビットとなる。ユニキャストセルのＰＣＦＩＣＨはセル固有のスクランブリングコードが乗じられるが、本発明では、ＰＣＦＩＣＨもＭＢＳＦＮエリア内でマルチセル送信可能とするためＭＢＳＦＮエリア固有のスクランブリングコードが乗じられる構成とする。上記のような構成とすることで、移動端末はユニキャストセルと同じ方法で復号化(Decode)することが可能となり移動端末の受信回路の簡略化を図ることができる。
【０１８６】
ユニキャストセルではページング信号を送信するのにＰＤＳＣＨあるいはＰＤＣＣＨを用いるが、ページング信号に無線割り当て（Resource Allocation）情報を含む必要がある。これは、ページング後の通信のための無線割り当てが必要だからである。ページング後の通信のためのリソースはＰＤＳＣＨを用いて送信する。該ＰＤＳＣＨはサブフレーム内のＰＤＣＣＨを送信するＯＦＤＭシンボル領域を除いた残りのＯＦＤＭシンボル領域で送信される。本発明におけるページング方法では、ページング後の通信はユニキャストセルで行うため、ＤＰＣＨで送信するページング情報として着信の有無を通知するページングインジケータ（Paging Indicator :PI）のみとしても良い。なぜならば、ページング後の通信のための無線割り当て情報を送信する必要がないためである。ページングインジケータのみで移動端末を特定できるようにするには、ある移動端末へのページングインジケータの存在するＭＢＳＦＮフレームやＭＢＳＦＮサブフレームを該移動端末固有の識別番号（ID）から一意に算出できるようにしておけば良い。また別の方法として、基地局でページングインジケータに移動端末固有の識別番号を乗じて、移動端末側で該移動端末固有の識別番号を用いてブラインド検出するようにしても良い。さらに、上記二つの方法を複合させても良い。例えば、移動端末を該移動端末固有の識別番号（ID）によってグルーピングし、該グループへのページングインジケータの存在するＭＢＳＦＮフレームやＭＢＳＦＮサブフレームを該グループに一意に対応するようにしておき、さらに、基地局でページングインジケータに移動端末固有の識別番号を乗じておくようにする。
【０１８７】
移動端末側では、該移動端末固有の識別番号から導出した自移動端末が属するグループのページングインジケータがのるＭＢＳＦＮフレームやＭＢＳＦＮサブフレームを受信し、自移動端末固有の識別番号を用いてブラインド検出するようにしても良い。移動端末固有の識別番号から移動端末やグループのページングインジケータの存在するＭＢＳＦＮフレームやＭＢＳＦＮサブフレームの導出方法は予め決められていても良いし、上位レイヤからＭＢＭＳ専用セルの報知情報で通知しても良いし、ユニキャストセルの報知情報で通知しても良い。ページングインジケータの存在するＭＢＳＦＮフレームやＭＢＳＦＮサブフレームは周期的に存在するようにしても良い。無線割り当て情報を送信する必要がないので、少ない情報量でＤＰＣＨを構成することが可能となり、同じサブフレーム内の残りの領域でＭＢＭＳ関連情報を送信することが可能となる。ページングインジケータを図５９に示すようなＰＣＣＨにマッピングするのではなく、直接物理レイヤにおいてＰＤＣＨにマッピングするようにしても良い。また、サブフレーム内全てのＯＦＤＭシンボルでＤＰＣＨを送信することも可能となる。例えば、サブフレーム内のＯＦＤＭシンボル数が最大７シンボルの場合、ＰＣＦＩＣＨを３ビットとしてｋの値を示すようにしておくことで、ｋ＝０から７までの任意のＯＦＤＭシンボルをＤＰＣＨ送信に用いることができる。このように、ＭＢＭＳ情報の送信領域とＤＰＣＨの送信領域をサブフレーム単位で柔軟に変更し、組み合せることが可能となり、無線リソースの効率化を図ることができる。
【０１８８】
本発明ではＭＢＭＳ専用セルの場合について述べたが、ＭＢＭＳ／ユニキャスト混合セルの場合は、ユニキャストとＭＢＭＳの両方のサービスが可能であり、従って、ＭＢＭＳ／ユニキャスト混合セルの場合におけるページングでは、ページング後の通信のための無線割り当てを必要とする。しかし、一方、ＭＢＭＳ／ユニキャスト混合セルではＭＢＭＳを実行可能であるので、放送型のＭＢＭＳ用データをＭＣ送信するためのＭＢＳＦＮサブフレームが存在する。ＭＢＳＦＮサブフレームではＰＤＳＣＨがないため、ＭＢＭＳ／ユニキャスト混合セルにおいて、ユニキャストセルでのページング方法を適用した場合、ＭＢＳＦＮサブフレーム内に、個別移動端末宛の無線割り当て情報をマッピングする領域を確保できないという問題が生じる。この場合、あらかじめページングインジケータを送信するサブフレームをＰＤＳＣＨの存在するサブフレームに限定する方法や、ページング信号が送信された後の最初のＰＤＳＣＨが存在するサブフレームのＰＤＣＣＨでアロケーション情報を送信する方法をとることによって、ＭＢＭＳ／ユニキャスト混合セルでのページングを可能とすることができる。
【０１８９】
ＭＢＭＳ／ユニキャスト混合セルの場合におけるページングで、ページング後の通信のためにＰＤＳＣＨに無線割当て情報をのせる必要がない場合は、前記のページングインジケータのみで移動端末を特定できるようにする方法を適用することが可能である。この場合、ページングインジケータをＰＤＣＣＨの領域にのせるようにしておけばよい。ＭＢＳＦＮサブフレームにおいては、ユニキャスト用として割当てられている領域、先頭の1あるいは2ＯＦＤＭシンボル領域に、ページングインジケータをのせるようにしておけば良い。その具体的方法として、前記のページング専用チャネル（DPCH）を用いた方法が適用できる。使用するシンボル数も前記のＰＣＦＩＣＨを用いた方法が適用でき、ｋ=0、1とすれば良い。移動端末側では、該移動端末固有の識別番号から導出した自移動端末が属するグループのページングインジケータがのる無線フレームやサブフレームを受信し、自移動端末固有の識別番号を用いてブラインド検出するようにすれば良い。ＭＢＭＳ／ユニキャスト混合セルの場合におけるページングで、ページング後の通信のためにＰＤＳＣＨに無線割当て情報をのせる必要がない場合として、例えば、移動端末がページングインジケータを受信後、無線割当を基地局に要求するために上りＲＡＣＨを送信するようにしておく方法が考えられる。こうしておけば、基地局はページングインジケータをのせた同じサブフレームのＰＤＳＣＨに無線割当て情報をのせる必要は無い。このような方法とすることで、ＭＢＭＳ／ユニキャスト混合セルの場合においても、ＭＢＳＦＮサブフレームの存在の有無にかかわらず、任意の無線フレーム、サブフレームでページング信号（ページングインジケータ）を送信することが可能となる。
【０１９０】
図４７は、ページング信号をページング専用チャネル（DPCH）にマッピングする方法を示す説明図である。図４７は、ページング信号としてページングインジケータ(Paging Indicator: PI)のみについて示す。ページングインジケータは１ないし０の１ビットで表現されるページング情報であり、着信の有無を示す。基地局は、着信がかかっている移動端末に対するページングインジケータに“1”をセットして、ページング専用物理チャネルにマッピングする。基地局は、着信がかかっている各移動端末ｍへのページングインジケータに該移動端末固有の識別番号を乗算する。次に、該乗算結果にＣＲＣ（Cyclic Redundancy Check）付加を行い、符号化（Encode）、レートマッチング、インタリーブ等の符号化（Coding）処理を行う。これら一連の処理を行った結果を、マッピングする物理領域の大きさに対応した制御情報要素単位に割り当て、着信がかかっている各々の移動端末分連結する。連結した結果を、ＭＢＳＦＮエリア固有の拡散コード（Scrambling Code）による拡散処理、変調処理等を行う。変調処理は、ＭＢＳＦＮエリア固有であっても良い。これらの処理を行った結果を、先頭からｋＯＦＤＭシンボル内へマッピングする。その際に、基地局は 、着信がかかっている各々の移動端末分連結した結果をもとに 、必要となるＯＦＤＭシンボル数ｋを導出し 、該kに対応するインジケータにエンコーディング等の処理を行い 、ＰＣＦＩＣＨにマッピングする。これらはＭＢＳＦＮエリア内の全セルにて同一の方法で行われ、ＭＢＳＦＮエリア内でマルチセル送信されることになる。本実施の形態ではＤＰＣＨを送信するＯＦＤＭシンボル数（k）を１とした場合を示す。ＤＰＣＨはサブフレームの１番目のＯＦＤＭシンボルに、ＰＣＦＩＣＨ、リファレンスシンボルとともにマッピングされる。
【０１９１】
マルチセル送信された信号を受信している移動端末においては、受信したＰＣＦＩＣＨのデコード結果をもとにページングに使用されるＯＦＤＭシンボル数を判定し、復調処理、逆拡散（Descrambling）処理等を行う。それらの処理後、ある領域毎に分割し、逐次デインタリーブ、復号化（Decoding）、誤り検出、訂正処理等を行い、端末固有の識別番号でブラインド検出を行う。ブラインド検出により自移動端末の識別番号を検出した場合は、ページングがあったと判断できる。ＰＣＦＩＣＨ、リファレンスシンボル等については、例えばあらかじめ決められた方法で物理リソースへのマッピングを行う。ユニキャストセルと同様の方法を用いてもよい。ユニキャストセルと同様の方法を用いることで、基地局の構成や移動端末の受信回路の構成を簡略化することが可能となる。ページング信号がページングインジケータのみの場合のように、各移動端末で同じ情報量の場合、コーディングの結果を割り当てるための制御情報要素単位の大きさを一つにしておいても良い。ページングを受信する全ての移動端末でエンコーディング処理等を同じにすることでエンコーディング後の制御情報要素の大きさを一つにすることができる。これにより、移動端末は自移動端末固有の識別番号をブラインド検出する際、ひとつの大きさの制御情報要素単位毎にデコーディング等の処理を行えばよく、ブラインド検出のための時間を削減することができ、検出速度を高めることが可能となる。また、移動端末固有の識別番号を乗じるかわりに、ページングインジケータとして各移動端末固有のコードとしておいても良く、同等の効果を得ることができる。
【０１９２】
図４８は、ページング信号をページング専用チャネル（DPCH）にマッピングする方法を示す説明図である。図４８は、ページング信号としてページングインジケータ(PI)のみについて示す。ページングインジケータは１／０の１ビットで表されたページング情報であり、着信の有無を示す。基地局は、着信がかかっている移動端末に対してページングインジケータに“１”をセットし、ページング専用物理チャネルにマッピングする。基地局は、各々の移動端末のページング信号にＣＲＣ付加を行い、符号化（Encode）、レートマッチング、インタリーブ等の処理を行う。これらの処理を行った結果に、該移動端末固有の識別コード(番号)を乗じる。該移動端末固有の識別コードを直交性を有す拡散コードとして、移動端末間で直交性が得られるようにする。基地局は、該拡散コードを乗じた結果を、着信がかかっている各々の移動端末分多重する。多重した結果をＭＢＳＦＮエリア固有の拡散コード（Scrambling Code）による拡散処理、変調処理等を行う。変調処理は、ＭＢＳＦＮエリア固有であっても良い。これらの処理を行った結果を先頭からｋＯＦＤＭシンボル内へマッピングする。移動端末数が多い場合は複数のグループに分けて、グループ内の移動端末間で直交性が得られるように移動端末固有の識別コードを乗じて移動端末分多重して、ＭＢＳＦＮエリア固有の拡散コードによる拡散処理、変調処理等を行う。これらの処理をグループ毎に行った後、異なるＯＦＤＭシンボルへマッピングするようにしても良い。その際に、基地局は着信がかかっている各々の移動端末多重した結果をもとに、必要となるＯＦＤＭシンボル数ｋを導出し、該ｋに対応するインジケータにエンコーディング等の処理を行い、ＰＣＦＩＣＨにマッピングする。これらはＭＢＳＦＮエリア内の全セルにて同一の方法で行われ、ＭＢＳＦＮエリア内でマルチセル送信されることになる。本実施の形態ではＤＰＣＨを送信するＯＦＤＭシンボル数（ｋ）を１とした場合を示す。ＤＰＣＨはサブフレームの１番目のＯＦＤＭシンボルに、ＰＣＦＩＣＨ、リファレンスシンボル等とともにマッピングされる。マルチセル送信された信号を受信している移動端末においては、受信した物理リソースから、ＰＣＦＩＣＨのデコード結果をもとにページングに使用されるＯＦＤＭシンボル数を判定し復調処理、デスクランブリング処理等を行う。それらの処理後、ある領域毎に分割し、端末固有の識別番号で相関演算を行い、ブラインド検出を行う。ブラインド検出により自移動端末の識別コードを検出した場合は、ページングがあったと判断でき、デインタリーブ、デコーディング、誤り検出、訂正処理等を行いページング信号を受信する。
【０１９３】
ページング信号をページング専用チャネル(DPCH)にマッピングするいくつかの方法を開示したが、該ページング専用チャネル領域へのマッピングは、任意のあらかじめ決められた領域でも良いし、ローカライズド(周波数軸上で連続する物理領域)にマッピングしても良いし、ディストリビューテッド(周波数軸上で分散する物理領域)にマッピングしても良い。
【０１９４】
本実施の形態は、ＭＢＳＦＮエリア毎のＰＭＣＨ構成が符号分割多重されている場合だけでなく、時分割多重、及び時分割多重と符号分割多重がともに適用される場合であってもかまわない。
【０１９５】
移動端末において、自移動端末向けのページング信号がどのタイミングのＭＢＳＦＮフレームもしくはＭＢＳＦＮサブフレームのＤＰＣＨ上にマッピングされるか知る必要があるが、その方法として、あらかじめ決められた計算方法によって導出されても良いし、上位レイヤから、報知情報としてユニキャストサービスのサービングセルもしくはＭＢＭＳ専用セルから通知されても良い。そのタイミングは周期的であっても良い。ある周期にてページング信号が送信されることによって、移動端末は該ページング信号が送信されていない時間は、もしＭＢＭＳサービスを受信しない場合は間欠受信動作することが可能である。従って、移動端末の消費電力の削減を図ることができる。
【０１９６】
移動端末は自移動端末宛ての情報かどうかを該移動端末固有の識別コードや拡散コードを用いてブラインド検出することが可能となるため、各移動端末毎のページング信号をマッピングする物理領域をあらかじめ固定しておく必要がなくなり、全移動端末分のページング信号用の物理領域を必要とせず、実際に着信が生じると予測される移動端末数分の領域さえあれば良いため、限られた物理リソースを有効に利用することが可能となる。上記の例では基地局においてページング信号に移動端末固有の識別番号を乗じることとした。しかし、ページング信号ではなくＣＲＣに移動端末固有の識別番号を乗じる方法を用いることも可能である。ＣＲＣに移動端末固有の識別番号を乗じる方法は、各移動端末のページング信号の情報量が異なる場合に有効である。
【０１９７】
実施の形態１で開示したＭＢＳＦＮエリア毎のＰＭＣＨ上にページング信号をのせる方法の場合、ページング信号をのせることができるＰＭＣＨの頻度は時間的に少なくなる。従って、ページング信号がのる１回のＰＭＣＨに多数のもしくは全移動端末分のページング信号をマッピングしなければならないという問題が生じる。この問題を解消するため、実施の形態１ではページンググループ化等の方法を開示した。本実施の形態８では、ＭＢＳＦＮエリア内でマルチセル送信されるページング専用の物理チャネルを設け、該物理チャネル上にページング信号をのせることにより、上記問題を解消することができた。また、移動体通信システムとして、ＭＢＭＳ専用セルからＭＢＭＳサービスを受信中の、または受信しようとしている移動端末のページング信号を送信できるので、ＭＢＭＳ専用セルにおいて移動端末はページング信号を受信することが可能となる。
【０１９８】
本実施の形態における例では、あるセルにおいて、該セルが属するＭＢＳＦＮエリアに対応したＭＢＳＦＮサブフレームの一部をページング専用の物理チャネル(DPCHと称す)とし、ＤＰＣＨをサブフレーム毎に設ける構成としたが、サブフレーム毎に送信するのではなく、周期的に送信しても良い。例えば、２サブフレームに１回とか、１無線フレームに１回、各ＭＢＳＦＮエリアに対応したＭＢＳＦＮサブフレームの一部をページング専用の物理チャネル(DPCHと称す)として送信しても良い。システムで考慮する移動端末の数によって、同時にページングを送信可能な移動端末数とページングの頻度をもとに各ＭＢＳＦＮエリアのＤＰＣＨとして送信する繰り返し周期を決めても良い。これによって、ＤＰＣＨを送信しないサブフレームをＭＢＭＳサービス用データ領域とすることができ、ＭＢＭＳサービスの高速化を図ることができる。
【０１９９】
実施の形態９．
実施の形態８では、ＭＢＳＦＮ（Multimedia Broadcast multicast service Single Frequency Network）エリア内でマルチセル送信されるページング専用の物理チャネルを設け、該物理チャネル上にページング信号をのせる方法を開示した。以下、実施の形態９では、ＭＢＳＦＮ同期エリア内でマルチセル(multi cell)送信される物理チャネルを設け、該物理チャネル上にページング信号をのせる方法を開示する。
【０２００】
図４９は、ＭＢＳＦＮ同期エリア内でマルチセル送信される物理チャネル(メインPMCHと称す)の構成を示す説明図である。ＭＢＳＦＮエリア毎に設けられたＰＭＣＨとして時分割多重とコード分割多重が混在している場合について示している。セル＃ｎ１はＭＢＳＦＮエリア１内のセル、セル＃ｎ２はＭＢＳＦＮエリア２内のセル、セル＃ｎ３はＭＢＳＦＮエリア３内のセルである。また、セル＃ｎ１、＃ｎ２、＃ｎ３のセルはＭＢＳＦＮエリア４内のセルでもある。ＭＢＳＦＮエリア１、２、３のＰＭＣＨは符号分割多重され、ＭＢＳＦＮエリア１、２、３のＰＭＣＨとＭＢＳＦＮエリア４のＰＭＣＨは時分割多重される。メインＰＭＣＨは、ＭＢＳＦＮエリア毎のＰＭＣＨと時分割多重される。セル＃ｎ１では、ＭＢＳＦＮエリア１とＭＢＳＦＮエリア４に属するため、ＰＭＣＨ１とＰＭＣＨ４は時分割多重され、さらにメインＰＭＣＨが時分割多重されて設けられる。セル＃２、セル＃３でも同様である。メインPMCHはMBSFN同期エリア内でマルチセル送信されるため、ＳＦＮ合成がなされるＭＢＳＦＮサブフレーム上で送信される。ＭＢＳＦＮサブフレームが割り当てられるＭＢＳＦＮフレームの集合をＭＢＳＦＮフレームクラスタとする。ＭＢＭＳ専用セルではＭＢＳＦＮフレーム内全てのサブフレームをマルチセル送信に用いられるＭＢＳＦＮサブフレームとしても良い。メインＰＭＣＨが繰り返される周期を「メインＰＭＣＨ繰り返し期間」（Main PMCH Repetition period）とする。メインＰＭＣＨには、ＭＢＭＳ用のトランスポートチャネルであるＭＣＨがマッピングされる。ＭＣＨにはＭＢＭＳ用制御情報を伝達する論理チャネルであるＭＣＣＨと、ＭＢＭＳ用データを伝達する論理チャネルであるＭＴＣＨのいずれか、あるいは両方がマッピングされる。ＭＣＣＨとＭＴＣＨは時間的に分割されてメインＰＭＣＨ上にマッピングされても良いし、時間的に分割されてマルチセル送信される物理領域にマッピングされても良い。
【０２０１】
例えば、ＭＴＣＨとＭＣＣＨが、結果としてマッピングされる物理領域であるＭＢＳＦＮサブフレームが異なっていても良い。メインＰＭＣＨが送信される各ＭＢＳＦＮフレームクラスタにＭＣＣＨがマッピングされても良いし、ＭＴＣＨのみがマッピングされても良い。ＭＴＣＨのみが存在する場合、ＭＣＣＨの繰り返し周期は、メインＰＭＣＨの繰り返し周期と異なる。また、メインＰＭＣＨが送信されるＭＢＳＦＮフレームクラスタ上に複数のＭＣＣＨがマッピングされる場合も存在する。ＭＣＣＨの繰り返し周期を「ＭＣＣＨ繰り返し期間」（MCCH Repetition period）とする。図４９において、ＭＣＣＨ１（MCCH2,3,4）はＭＢＳＦＮエリア１（MBSFNエリア2,3,4）用のＭＢＭＳ制御情報、ＭＴＣＨ１（MTCH2,3,4）はＭＢＳＦＮエリア１（MBSFNエリア2,3,4）用のＭＢＭＳデータを伝送する。各ＰＭＣＨ上に各々ＭＣＣＨがマッピングされても良いし、ＭＴＣＨのみでも良い。ＭＴＣＨのみが存在する場合、各々のＭＢＳＦＮエリアのＭＣＣＨは、メインＰＭＣＨにマッピングされても良い。また、メインＰＭＣＨにマッピングされるＭＣＣＨの情報要素として含まれても良い。メインＰＭＣＨはＭＢＳＦＮ同期エリア内でマルチセル送信されるため、メインＰＭＣＨにおいては、各ＭＢＳＦＮエリアのＰＭＣＨにおいてのようにＭＢＳＦＮエリア固有の拡散符号（Scrambling Code）を乗じることが不可能である。なぜならば、異なるＭＢＳＦＮエリアのセルからメインＰＭＣＨは同じタイミングで送信されているため、メインＰＭＣＨにおいてＭＢＳＦＮエリア固有の拡散符号を乗じた場合、移動端末の受信機において、各ＭＢＳＦＮエリアから送信された該メインＰＭＣＨの位相がランダムになってしまいＳＦＮ合成できなくなるためである。従って、上記に示したように、メインＰＭＣＨと各ＭＢＳＦＮエリアのＰＭＣＨとを時分割多重することで、各ＭＢＳＦＮエリア固有の拡散符号を乗じるのをサブフレーム単位で行えるようにでき、メインＰＭＣＨのみに各ＭＢＳＦＮエリア固有の拡散符号を乗じないようにできる。これにより、メインＰＭＣＨはＭＢＳＦＮ同期エリア内でマルチセル送信されることができ、移動端末は該ＭＢＳＦＮ同期エリア内のどのＭＢＭＳサービスを受信しているもしくは受信しようとしていても、メインＰＭＣＨを受信することができ、さらにはＳＦＮ利得を得ることが可能となる。メインＰＭＣＨにおいては、固有の拡散符号を乗じないことを述べたが、ＭＢＳＦＮ同期エリア固有の拡散符号であれば乗じても良い。この場合、他のＭＢＳＦＮ同期エリア内セルからの干渉を抑圧でき、移動端末におけるＭＢＭＳサービスの受信誤差を低減することが可能となる。
【０２０２】
図５０は、メインＰＭＣＨが送信される無線フレームの構成について示す説明図である。図５０において、メインＰＭＣＨが送信されるサブフレームを＃０と＃５を除いたサブフレーム＃ｋ１〜＃ｋ２とする(k1〜k2≠1、5)。ＭＢＭＳ専用セルにおいて、１無線フレーム内の＃０と＃５のサブフレームで同期チャネル（Synchronization Channel: SCH）が送信されることが検討されている。また、＃０のサブフレームにおいて報知チャネル（Broadcast Channel :BCH）が送信されることが検討されている。同期チャネル(SCH)にはセル固有のシーケンスもしくはＭＢＳＦＮエリア固有のシーケンスが含まれ、報知チャネル(BCH)においてはセル固有の拡散符号もしくはＭＢＳＦＮエリア固有の拡散符号が乗じられることが考えられている。従って、メインＰＭＣＨが送信されるサブフレームを、＃０と＃５を除いたサブフレームとすることで、ＭＢＳＦＮ同期エリア内でマルチセル送信されることができ、移動端末は該ＭＢＳＦＮ同期エリア内のどのＭＢＭＳサービスを受信しているもしくは受信しようとしていても、メインＰＭＣＨを受信することができ、さらにはＳＦＮ利得を得ることが可能となる。図ではメインＰＭＣＨが送信されるサブフレームを連続としたが、連続でなくても良い。＃０と＃５を除いたサブフレームにおいて連続にすることで、それ以外の受信不要なサブフレーム期間、移動端末は間欠受信することが可能となり、受信電力の削減を図ることができる。メインＰＭＣＨは毎無線フレーム毎になくてもよく、例えば、２無線フレーム毎、１０無線フレーム毎のように周期的にあっても良い。メインＰＭＣＨの周期を「メインPMCH繰り返し期間」（Main PMCH repetition period）であらわす。これによって、メインＰＭＣＨを送信しないサブフレームのＰＭＣＨをＭＢＭＳサービス用データ領域とすることができ、ＭＢＭＳサービスの高速化を図ることができるという効果がある。メインＰＭＣＨの存在する無線フレームやサブフレームのスタートタイミング(SFN、スターティングポイント)、サブフレームナンバ、メインＰＭＣＨ繰り返し期間はユニキャスト側サービングセルの報知情報で通知されても良いし、ＭＢＭＳ専用セルの報知情報で通知されても良い。あらかじめ決められていても良い。なお、メインＰＭＣＨはマルチセル送信されるので、メインＰＭＣＨが存在するサブフレームはＭＢＳＦＮサブフレーム、無線フレームはＭＢＳＦＮフレームであるとしても良い。
【０２０３】
図５１は、同期チャネルＳＣＨと同じサブフレーム内でメインＰＭＣＨが送信される無線フレームの構成について示す説明図である。図５１は、メインＰＭＣＨが送信されるサブフレームを＃５とし、同期チャネルＳＣＨがマッピングされる領域外にメインＭＣＨをマッピングする構成を示す。図５０ではサブフレームを＃０と＃５を除いたサブフレームにマッピングする構成を示した。これにより、サブフレーム内の全てのＯＦＤＭシンボルをＭＢＳＦＮ同期エリア内でマルチセル送信することが可能となるからである。従って、基地局の送信機、移動端末の受信機を簡易にすることが可能となる。図５１では、さらに、メインＰＭＣＨを＃５のサブフレームの同期チャネルＳＣＨがマッピングされている物理領域を除いた領域の全部もしくは一部に構成する。同期チャネルＳＣＨはＭＢＭＳ専用セルにおいて、１無線フレーム内の＃０と＃５のサブフレームで送信されることを述べた。ここで、＃５のサブフレームで報知チャネルＢＣＨは送信されないため、セル固有の拡散符号もしくはＭＢＳＦＮエリア固有の拡散符号を乗じる必要がない。従って、＃５のサブフレームの、同期チャネルＳＣＨがマッピングされている物理領域を除いた領域の全部もしくは一部を、メインＰＭＣＨ用にすることは可能である。例えば、ＳＣＨが＃５のサブフレームの６番目および７番目のＯＦＤＭシンボルにマッピングされている場合、１番目から５番目と８番目から最後までのＯＦＤＭシンボルをメインＰＭＣＨ用の領域とする。こうすることで、メインＰＭＣＨはＭＢＳＦＮ同期エリア内でマルチセル送信されることができ、移動端末は該ＭＢＳＦＮ同期エリア内のどのＭＢＭＳサービスを受信しているもしくは受信しようとしていても、メインＰＭＣＨを受信することができ、さらにはＳＦＮ利得を得ることが可能となる。＃５のサブフレームをメインＰＭＣＨにも使用することを可能とすることで、システムの柔軟性が増大し、無線リソースの効率化を図ることができる。
【０２０４】
図５２はページング信号用領域を設けたメインＰＭＣＨの構成を示す説明図である。図５２（ａ）はメインＰＭＣＨ上にＭＢＭＳ関連情報とページング信号を含む構成を示す図である。ＭＢＭＳ関連情報とページング信号は、各々がＭＴＣＨ、ＭＣＣＨ内の情報要素として存在しても良いし、各々がマッピングされる物理領域(リソース)が時間的に分割多重されても良い。情報要素としてのせる場合のマッピング方法の場合は、一例として図５６に開示した方法が適用できる。図５６の物理チャネルＰＭＣＨをメインＰＭＣＨとすれば良い。ＭＢＭＳ関連情報のうち、ＭＢＭＳ制御情報とともにページング信号を情報要素として論理チャネルＭＣＣＨ上にのせる。ＭＣＣＨはＭＴＣＨとともにトランスポートチャネルＭＣＨにマッピングされ、ＭＣＨは物理チャネルであるメインＰＭＣＨにマッピングされることになる。こうすることで、ＭＢＭＳサービスを受信している、あるいはしようとしている移動端末がＭＣＣＨを受信する際にページング信号を受信することが可能となる。また他の例として、図５７に開示した方法が適用できる。図５７の物理チャネルであるＰＭＣＨをメインＰＭＣＨとすれば良い。ページング信号ののる論理チャネルＰＣＣＨをＭＢＭＳ関連情報の論理チャネルＭＴＣＨ、ＭＣＣＨと多重してトランスポートチャネルＭＣＨにのせる。基地局は、ＭＴＣＨのみのＭＢＳＦＮサブフレームとＭＣＣＨとＰＣＣＨのマッピングされるＭＢＳＦＮサブフレームを設けるようにしても良いし、さらに、ＭＣＣＨのみのＭＢＳＦＮサブフレーム、ＰＣＣＨのみのＭＢＳＦＮサブフレームを設けるように制御しても良い。こうすることで各々時間的に分割されて送信可能となる。また、ＭＣＣＨとＰＣＣＨの乗るＭＢＳＦＮサブフレームを時間的に隣接するようにしても良い。こうすることで、ＭＢＭＳサービスを受信している、あるいはしようとしている移動端末がＭＣＣＨを受信する際にページング信号を受信することが可能となる。
【０２０５】
さらに別の例として、図５８に開示した方法が適用できる。図５８の物理チャネルＰＭＣＨをメインＰＭＣＨとすれば良い。ページング信号ののるＰＣＣＨはトランスポートチャネルＰＣＨにマッピングされ、ＭＣＨと多重されてメインＰＭＣＨにマッピングされる。こうすることで、基地局は、ＰＣＨとＭＣＨを時間的に分割して送信可能となり、さらには、エンコーディングを別々に行うことが可能となる。従って、移動端末においては、受信時にデコードを別々に行うことが可能となる。上記の例において、実施の形態１と異なるのは、メインＰＭＣＨにマッピングされるＭＴＣＨ、ＭＣＣＨ、ＰＣＣＨはＭＢＳＦＮエリア内ではなくＭＢＳＦＮ同期エリア内でマルチセル送信されることである。従って、ＭＢＳＦＮエリア内でマルチセル送信されるＰＭＣＨとＭＢＳＦＮ同期エリア内でマルチセル送信されるメインＰＭＣＨを明確にわけておいても良い。図６０は、ＭＢＳＦＮ同期エリア共通の物理チャネルとしてメインＰＭＣＨを設けた場合のマッピング方法を示す説明図である。図６０にＰＭＣＨとメインＰＭＣＨを設けた場合のマッピングについて開示する。本例は、図５８のＭＣＨとＰＣＨを用いる場合について示してある。ＭＢＳＦＮエリア内へ送信するＭＢＭＳ関連情報であるＭＴＣＨ、ＭＣＣＨはトランスポートチャネルＭＣＨにマッピングされ、物理チャネルＰＭＣＨにマッピングされる。ＰＭＣＨはＭＢＳＦＮエリアに対応するＭＢＳＦＮサブフレームで送信される。ＭＢＳＦＮ同期エリア内へ送信するＭＢＭＳ関連情報であるＭＴＣＨ、ＭＣＣＨはトランスポートチャネルＭＣＨにマッピングされ、物理チャネルであるメインＰＭＣＨにマッピングされる。ＭＢＳＦＮ同期エリア内へ送信するページング信号ののるＰＣＣＨはトランスポートチャネルＰＣＨにマッピングされ、物理チャネルであるメインＰＭＣＨにマッピングされる。メインＰＭＣＨはＭＢＳＦＮ同期エリアにマルチセル送信されるＭＢＳＦＮサブフレームで送信される。
【０２０６】
また、論理チャネルかつまたはトランスポートチャネルについてもＭＢＳＦＮエリア内用とＭＢＳＦＮ同期エリア内用とを個別に設けておいても良い。例えば、ＭＢＳＦＮ同期エリア内に送信するＭＢＭＳ関連情報がＭＢＭＳ制御情報のみの場合について図６０の破線で示す。ＭＢＳＦＮ同期エリア内に送信する論理チャネルＭＣＣＨを例えばメインＭＣＣＨ、トランスポートチャネルＭＣＨを例えばメインＭＣＨとしても良い。メインＭＣＨは物理チャネルであるメインＰＭＣＨにマッピングされる。このように個別にすることによって、基地局でのスケジューリングやＨＡＲＱ（Hybrid Automatic Repeat reQuest）処理やエンコード処理やAMC(Adaptive Modulation Coding)処理等がＭＢＳＦＮ同期エリアとＭＢＳＦＮエリアで個別に行えるようになるため、基地局と移動端末間の電波環境の変動に柔軟に対応することが可能となり、無線リソースの効率化を図ることが可能となる。ＭＢＳＦＮ同期エリア内でマルチセル送信されるＭＣＣＨには、ＭＢＳＦＮ同期エリアに含まれる各ＭＢＳＦＮエリアのサービス情報、フレーム構成情報等が含まれる。また、ＭＢＳＦＮエリア毎のＭＢＭＳサービス用制御情報が含まれていても良い。この場合は、各ＭＢＳＦＮエリア毎のＰＭＣＨでＭＣＣＨを送信しなくてすむため、ＭＢＭＳ用データ領域を増大することが可能となり、ＭＢＭＳ送信の高速化を図ることができる。ＭＢＳＦＮ同期エリア内でマルチセル送信されるＭＣＣＨは、各ＭＢＳＦＮ同期エリア内でメインＰＭＣＨ繰り返し期間（Main PMCH repetition period）で周期的にマルチセル送信される。
【０２０７】
一方、あるＭＢＳＦＮエリア内セルからマルチセル送信されるＭＢＭＳサービスを受信している、あるいはしようとしている移動端末は、メインＰＭＣＨ上のＭＣＣＨを定期的に受信し、ＭＢＭＳサービスの内容やフレーム構成等を受信することによって、ＭＢＭＳサービスを受信可能とする。従って、移動端末はメインＰＭＣＨ上のＭＣＣＨを受信してデコードした後に、所望のサービスがない場合は他のＭＢＳＦＮエリアに対応したＰＭＣＨを受信することなく、次のメインＰＭＣＨまで間欠受信動作することが可能となる。従って、移動端末の消費電力の削減が図ることができる。さらに、ページング信号を該ＭＣＣＨに含ませることによって、ＭＢＭＳサービスを受信している、あるいはしようとしている移動端末がＭＣＣＨを受信する際にページング信号を受信可能とすることができる。これにより、移動端末はＭＣＣＨを受信する以外のタイミングで別途ページングを受信する必要がなくなるため、ＭＢＭＳサービスの受信を中断することなくページングを受信可能となる。また、ＭＣＣＨを受信していない時間、ＭＢＭＳサービスの受信を行っていない持間は間欠受信することができ、移動端末の消費電力の削減を図ることができる。図５７に開示した方法を適用した場合、ＭＣＣＨとＰＣＣＨを同じＭＢＳＦＮサブフレームに構成されるようにしても良いし、ＭＣＣＨの乗るＭＢＳＦＮサブフレームとページング信号ののるＭＢＳＦＮサブフレームを時間的に隣接するようにしておいても良い。また、図５８で開示した方法を適用した場合は、ＭＣＣＨののるＭＢＳＦＮサブフレームとページング信号ののるＭＢＳＦＮサブフレームを時間的に隣接するようにしておけば良い。このような構成にすることで、ＭＢＭＳサービスを受信している、あるいはしようとしている移動端末がＭＣＣＨを受信する際にページング信号を連続して受信可能とすることができる。これにより、移動端末はＭＣＣＨ及びＰＣＣＨののるサブフレームを受信する以外のタイミングで別途ページング信号を受信する必要がなくなるため、ＭＢＭＳサービスの受信を中断することなくページング信号を受信可能となる。また、ＭＣＣＨを受信していない時間、ＭＢＭＳサービスの受信を行っていない持間は間欠受信することができ、移動端末の消費電力の削減を図ることができる。
【０２０８】
図５２（ｂ）に、ＭＢＭＳ制御情報が変更されたかどうかを示す「ＭＢＭＳ関連情報の変更有無インジケータ」、ページング信号が送信されたかどうかを示す「ページング信号有無インジケータ」を設けた構成を開示する。これらのインジケータがマッピングされる物理領域はメインＰＭＣＨが送信されるＭＢＳＦＮサブフレームに設けられても良いし、また、メインＰＭＣＨが送信されるＭＢＳＦＮサブフレームと時間的に隣接する物理領域に設けられても良い。こうすることにより、移動端末はインジケータ受信後ただちにメインＰＭＣＨに乗るＭＣＣＨやページング信号を受信しデコード可能となる。例えば、インジケータとして１ビットの情報とする。各インジケータはエンコードされるか、またはＭＢＳＦＮ同期エリア固有の拡散コードが乗じられる等されてあらかじめ決められた物理領域にマッピングされる。例えば、移動端末に着信が発生した場合、ページング信号有無インジケータを“１”にセットし、着信がない場合はページング信号有無インジケータを“０”にセットする。また、例えば、ＭＢＳＦＮ同期エリア内で送信されるＭＢＭＳサービスの内容が変更されるなどしてＭＣＣＨにのるＭＢＭＳ制御情報が変更された場合、ＭＢＭＳ関連情報の変更有無インジケータを“１”にセットする。ＭＢＭＳ関連情報の変更が可能な周期(MBMS modification period)を決めておき、その周期内で変更有無インジケータ“１”を繰り返し送信する。ＭＢＭＳ関連情報の変更が可能な周期（MBMS modification period）、スタートタイミング(SFN、スターティングポイント)等はあらかじめ決められていても良いし、ユニキャストサービスでのサービングセルから、もしくはＭＢＭＳ専用セルから報知情報で通知されても良い。該周期（MBMS modification period）経過した後に更にＭＢＭＳ関連情報の変更がない場合は、ＭＢＭＳ関連情報の変更有無インジケータを“0”にセットする。
【０２０９】
移動端末は、メインＰＭＣＨがマルチセル送信されるＭＢＳＦＮサブフレームもしくは隣接するＭＢＳＦＮサブフレーム内のインジケータを受信し逆拡散等を行い、インジケータが１か０かを判定することで、ＭＣＣＨ内に存在するＭＢＭＳ関連の情報に変更が生じたかどうかや、ページングが存在するかどうかを判断することが可能となる。このようにインジケータを設けることで、ＭＢＭＳ制御情報に変更が生じない場合や、ページングが存在しない場合は、移動端末はメインＰＭＣＨ全部の情報を受信、デコードする必要がなくなる。このため、移動端末の受信電力の削減を図ることが可能となる。ＭＢＭＳ制御情報が変更されたかどうかを示すＭＢＭＳ関連情報変更有無インジケータをマッピングする物理領域を、ＭＢＭＳ制御情報がマッピングされるひとつまたは複数のＭＢＳＦＮサブフレームの最初のＭＢＳＦＮサブフレームとしても良い。さらに、該最初のＭＢＳＦＮサブフレームの先頭のＯＦＤＭシンボルとしても良い。これにより、移動端末は、最初のＯＦＤＭシンボルを受信することで、ＭＢＭＳ制御情報に変更が生じたかどうかを判断することが可能となる。また、ページング信号が存在するかどうかを示すページング信号有無インジケータをマッピングする物理領域を、ページング信号がマッピングされるひとつまたは複数のＭＢＳＦＮサブフレームの最初のＭＢＳＦＮサブフレームとしても良い。さらに、該最初のＭＢＳＦＮサブフレームの先頭のＯＦＤＭシンボルとしても良い。これにより、移動端末は、最初のＯＦＤＭシンボルを受信することで、ページング信号が存在するかどうかを判断することが可能となる。
【０２１０】
各インジケータを上記のような物理領域にマッピングすることで、ＭＢＭＳ制御信号変更無しの場合、ページング情報が存在しない場合、各々その後のＯＦＤＭシンボルを受信、デコードする必要がなくなり、さらなる移動端末の受信電力の削減をはかることが可能となる。また、最初のＭＢＳＦＮサブフレームや先頭のＯＦＤＭシンボルで早期に判断できるので、ＭＢＭＳ制御情報をただちに受信することができたり、または、ページング信号をただちに受信することができたりするため、移動端末での制御遅延を低減することが可能となる。インジケータとして、ＭＢＭＳ関連情報の変更有無インジケータとページング信号有無インジケータを異なる物理領域にマッピングしても良いし、各々異なる物理領域にマッピングしても良い。同じ物理領域にマッピングする場合は、各インジケータのオア(or)演算をとれば良い。これにより移動端末は受信するインジケータがひとつですむため、受信回路構成を簡単にできる効果が得られる。各々異なる物理領域にマッピングする場合は、これにより、移動端末は、必要なインジケータのみ受信しておけば良く、他のインジケータを受信する必要はなくなる。したがって、移動端末の受信電力のさらなる削減や、必要な情報の受信遅延のさらなる低減が図ることができる。例えば、ＭＢＭＳサービスを受信しているが、ページングを受信しないように設定している移動端末では、ＭＢＭＳ関連情報の変更有無インジケータのみ受信すればよく、ページング信号有無インジケータを受信する必要をなくすことができる。各々のインジケータの繰り返し周期は同じでも良いし、異なっていても良い。各々のインジケータの繰り返し周期はメインＰＭＣＨの繰り返し周期と同じでも良いし、異なっていても良い。例えばＭＢＭＳ関連情報の変更有無インジケータを何回かに１回メインＰＭＣＨに設けても良い。インジケータの繰り返し周期は、各々、「ページング信号有無インジケータ繰り返し期間」、「ＭＢＭＳ関連変更有無インジケータ繰り返し期間」とする。インジケータの存在するＭＢＳＦＮサブフレームのスタートタイミング(SFN、スターティングポイント)、サブフレームナンバ、各々のインジケータの繰り返し周期等はユニキャストサービスのサービングセルの報知情報で通知されても良いし、ＭＢＭＳ専用セルの報知情報で通知されても良いし、あらかじめ決められていても良い。
【０２１１】
さらに、ＭＢＭＳ関連情報の変更有無インジケータ専用のチャネルをメインＰＭＣＨ上に構成して、例えばＭＩＣＨ(MBMS Indicating CHannel)としても良い。ＭＩＣＨ内にページング信号有無インジケータを構成し、ＭＩＣＨの繰り返し周期を「ＭＩＣＨ繰り返し期間」（MICH Repetition period）とする。ページング信号有無インジケータの繰返し周期はＭＩＣＨの繰り返し周期と同じでも良いし異なっていても良い。インジケータの通知に関しては先に記載した同様の方法で行うことができる。これにより、各々のインジケータが送信される時間がＭＣＣＨが送信される時間に限定されず、システムにおいて柔軟に設計することが可能となる。上記のように構成した場合、ＭＢＭＳ関連情報の変更有無インジケータはメインＰＭＣＨ上のＭＢＭＳ制御情報が変更されたかどうかを示すため、所望のＭＢＳＦＮエリア内で送信されるＭＢＭＳサービスが変更されたかどうかについては、該インジケータを検出しただけでは不明である。所望のＭＢＳＦＮエリア内で送信されるＭＢＭＳサービスが変更されたかはメインＰＭＣＨ上のＭＢＭＳ制御情報を受信、デコードしなければならない。メインＰＭＣＨ上のＭＢＭＳ制御情報として、さらにどのＭＢＳＦＮエリア内で送信されるＭＢＭＳサービスが変更されたかを示すインジケータを設けても良い。該インジケータ用の物理領域をメインＰＭＣＨ上のＭＢＭＳ制御情報がのるＭＢＳＦＮサブフレームの直前に設けても良い。こうすることで、メインＰＭＣＨ上のＭＢＭＳ制御情報を全て受信、デコードする必要なく、所望のＭＢＳＦＮエリア内で送信されるＭＢＭＳサービスが変更されたかどうかを検出することができる。従って、移動端末での制御遅延を低減することが可能となる。
【０２１２】
ページング信号をメインＰＭＣＨにのせる場合、着信がかかった移動端末の数が膨大になった場合、自移動端末宛てのページング信号を検出するのに時間がかかりすぎてしまうという問題が生じる。また、ページング信号ののる所定の物理領域に、着信がかかった全ての移動端末のページング信号をマッピングする領域が確保できないという問題が生じる。これらの問題を解決するため、ページンググループ化する方法を開示する。図５２（ｃ）に、ページング信号有無インジケータの構成例を示す。全移動端末をＫ個のグループに分け、各グループ毎にページング信号有無インジケータを設ける。ページング信号有無インジケータ用の物理領域をＫ個に分割し、分割した各々の物理領域に各グループのページング信号有無インジケータをマッピングする。ここで、Ｋは１から全移動端末数の値までをとりうる。ある移動端末に着信がかかった場合、該移動端末が属するグループのページング信号有無インジケータを“１”にセットする。あるグループに属する全ての移動端末に着信がない場合は該グループのページング信号有無インジケータを“０”にセットする。ページング信号有無インジケータは移動端末での所望の受信誤り率を満足するために“１”（あるいは“０”）を複数個繰返して物理領域にマッピングするリピテーション等が行われても良い。ページング信号をマッピングする物理領域もＫ個に分割し、上記Ｋ個のグループに対応するようにしておく。ページング信号として、移動端末毎の識別子(識別番号、識別コード)であっても良い。Ｋ個に分割されたひとつの物理領域は、移動端末１台が必要とするページング信号データが収まる物理領域を、グループ内の移動端末数分加算した物理領域とする。グループ内の移動端末数はグループ全てで同じで合っても良いし、グループ毎に異なっていても良い。グループ内の移動端末数は、例えば、同時に着信が発生する移動端末数の平均値とする方法がある。また、ひとつのＯＦＤＭシンボルに割当て可能な移動端末台数とし、各ＯＦＤＭシンボルを各グループに対応させる方法としても良い。
【０２１３】
ある移動端末に着信が発生した場合、該移動端末が属するグループのページング信号有無インジケータを“１”にセットし、該グループに対応したページング信号有無インジケータ用物理領域にマッピングする。それとともに、着信が発生した移動端末向けのページング信号を、該移動端末が属するグループに対応するページング関連の物理領域にマッピングする。ページング信号の物理チャネル領域へのマッピングは、移動端末毎に該移動端末固有の識別コードを乗じる。ページング信号が移動端末毎の識別子である場合は上記移動端末固有の識別コードを乗じる制御を省略できる。移動端末は、自移動端末が属するグループのページング信号有無インジケータを受信することで、自移動端末が属するグループに着信がかかっているかどうか判定する。着信がかかっていると判定した場合、自移動端末が属するグループに対応づけられたページング信号がマッピングされる物理領域を受信しデコードする。デコード後、移動端末固有の識別コードとの相関演算を行うことによりブラインド検出を行い、自移動端末向けのページング信号を特定することで、自移動端末への着信有りと判定することが可能となる。自移動端末向けのページング信号を検出しなかった場合は、自移動端末への着信なしと判定する。移動端末をＫ個のグループにグルーピングすることで、移動端末は、ページング信号用領域全てを受信する必要がなくなり、必要な領域のみ、すなわち自移動端末が属するグループが対応する物理領域のみ受信すればよくなるため、移動端末の受信電力の削減を図ることができる。さらには、グループ毎に対応したページング信号有無インジケータを用いることで、多数の移動端末がある場合も少ない物理リソースでページング信号有無インジケータを設けることができる。さらには、移動端末は必要に応じてページング信号用領域を受信すればよく、移動端末の受信電力の削減が可能となるとともに、ページング信号を受信する必要がない場合はすぐに次の動作に移行できるため、制御遅延を小さくすることが可能となる。
【０２１４】
上記実施の形態では、ページング信号をマッピングする、Ｋ個に分割されたひとつの物理領域は、移動端末1台が必要とするページング信号データが収まる物理領域を、グループ内の移動端末数分加算した物理領域とすしていた。しかし、移動端末数が多大になると、必要とする物理領域が多大になり、ＭＢＭＳサービスを送信するためのオーバーヘッドが多大になるためＭＢＭＳサービスデータの送信速度が低下する。これを防ぐため、移動端末向けのページング信号に移動端末毎に該移動端末固有の識別コードを乗じる。これにより、移動端末は自移動端末宛ての情報かどうかを該移動端末固有の識別コードを用いてブラインド検出することが可能となるため、各移動端末毎のページング信号をマッピングする物理領域をあらかじめ固定しておく必要がなくなる。したがって、全移動端末分の物理領域を必要とせず、実際に着信が生じると予測される移動端末数分の領域さえあれば良い。例として、グループ内の移動端末数を、同時に着信が発生する移動端末数の平均値とする方法がある。この方法により、限られた物理リソースを有効に利用することが可能となる。また、上記の方法とすることで、予測以上に着信する移動端末数が多くなった場合は、新しい着信の移動端末へのページング信号は、次のメインＰＭＣＨ上で送信する等、基地局でのスケジューリングにより柔軟に対応することが可能となる。
【０２１５】
全移動端末数が少ない場合、Ｋの値を全移動端末数として、ページング信号有無インジケータのみ送信しても良い。この場合、ページング信号用領域を確保する必要がなく、ページング信号有無インジケータ用の物理領域を全移動端末数分確保しておけばよい。このため、無線リソースの効率化を図ることができる。また、この場合、移動端末毎に対応するページング信号有無インジケータ用の物理領域が存在することになる。このため、移動端末においては、自移動端末に対応したページング信号有無インジケータ用の物理領域を受信してデコードするだけで、ページング信号用領域を受信せずに、着信の有無が判定でき、移動端末のページング動作での制御遅延が低減できる。
【０２１６】
ページング信号をメインＰＭＣＨのページング関連の物理領域にマッピングする方法は、実施の形態１で開示した方法が適用できる。例えば図４２や図４３の方法である。ただし、変調処理、拡散処理等において、ＭＢＳＦＮエリア固有の拡散符号を乗じるステップは適用できず、ＭＢＳＦＮエリア固有の拡散符号は乗じないようにする、もしくは、ＭＢＳＦＮ同期エリア固有の拡散符号を乗じる必要がある。
【０２１７】
上記の例では、メインＰＭＣＨの構成およびページング信号をメインＰＭＣＨへマッピングする方法として、実施の形態1で開示した方法を適用した。同様に、例えば、メインＰＭＣＨが送信される頻度が時間的に高い場合、メインＰＭＣＨの構成およびページング信号をメインＰＭＣＨへマッピングする方法として実施の形態８で開示した方法を適用することも可能である。
【０２１８】
本実施の形態９で開示したＭＢＳＦＮ同期エリア内でマルチセル送信される物理チャネルを設け、該物理チャンル上にページング信号をのせる方法とすることで、移動体通信システムとして、ＭＢＭＳ専用セルからＭＢＭＳサービスを受信しているもしくは受信しようとしている全移動端末のページング信号を送信できるようになり、該移動端末がMBMS専用セルからページング信号を受信することを可能とする。
【０２１９】
実施の形態１０．
以上の実施の形態では、ページング信号はＭＢＳＦＮエリアもしくはＭＢＳＦＮ同期エリアの全てのセルからマルチセル送信されるように設けられる方法を開示した。ＭＢＳＦＮエリアやＭＢＳＦＮ同期エリアは地理的に広大な範囲となることも考えられる。このような場合、移動端末においてＳＦＮ合成に寄与しないセルから該移動端末向けのページング信号を送信することは、無線リソースの無駄となりシステム容量の低下を引き起こす。従って、ページング信号を送信するセルを移動端末が存在するセルおよび近傍のセルに限定する必要性が生じる。ページング信号を送信するセルを移動端末が存在するセルおよび近傍のセルに限定した場合、同じＭＢＳＦＮエリアもしくは同じＭＢＳＦＮ同期エリア内で、ある移動端末へのページング信号を送信するセルと送信しないセルが生じ、セル間で異なる信号を送信することとなり、マルチセル送信ではなくなる。移動端末は受信するセルを選択的に限定できないため、マルチセル送信でない信号も受信することになり、受信誤りが引き起こされる。ページング信号を送信しないセルから送信された異なる信号により、所望のページング信号の受信品質が劣化することになる。特に、ページング信号を送信するセルとページング信号を送信しないセルとの境界付近に存在する移動端末にとっては受信誤りが増大し、ページング信号を受信できなくなるという問題が生じる。そこで、本実施の形態では、ページング信号を送信するセルとページング信号を送信しないセルを設ける構成について開示する。
【０２２０】
移動端末でのページング信号の受信誤りを低減するため、ページング信号をマッピングする方法をページング信号を送信するセルとしないセルで変更する。図５３は、ＭＢＳＦＮエリアもしくはＭＢＳＦＮ同期エリア内の一部のセルにページング信号を送信する方法を示す説明図である。図５３に示すように、ページング信号を送信するセルでは、図４２または図４７を参照して説明したように、信号に当該移動端末固有の識別番号を乗じる処理を行い、一連の処理を行った結果を制御情報要素単位に割り当て、着信がかかっている各々の移動端末分連結するまでの処理を行う。一方、ページング信号を送信しないセルでは、かかる処理は行わない。ページング信号ののる物理領域としては、上記実施の形態で示した、ＰＭＣＨ、ＤＰＣＨ、メインＰＭＣＨがある。ＭＢＳＦＮエリア内もしくはＭＢＳＦＮ同期エリア内で、着信が発生した移動端末に対してページング信号を送信するセルと送信しないセルが存在する場合、ページング信号を送信するセルでは、基地局は、図中のスイッチ２４０１を端子ａに接続する。移動端末へのページング信号に該移動端末固有の識別番号を乗じ、ＣＲＣ付加を行い、エンコード、レートマッチング等の処理を行う。スイッチ２４０１が端子ａに接続されているので、移動端末毎の上記処理後の情報が、ある制御情報要素単位に割り当てられる。
【０２２１】
一方、ページング信号を送信しないセルでは、基地局は、図中のスイッチ２４０１を端子ｂに接続する。移動端末へのページング信号を用いることなく、セル毎のパディング用コードを設け、該パディング用コードがある制御情報要素単位に割り当てられる。ここで、ある移動端末に対して割り当てられる制御情報要素単位の領域は、ページング信号を送信するセルと送信しないセルとで同一とする。これにより基地局は、ページング信号を送信するセルと送信しないセルとで割り当てる情報をスイッチによって簡単に切替え可能とできる。さらに、ある移動端末に対して割り当てられる制御情報要素単位の領域の大きさを、全ての移動端末で同じにしておくことで、セル毎のパディング用コード長をあらかじめ決めておくことが可能となる。これにより、パディング用コードの埋めこみ制御を簡易に構成することが可能となる。一方、あるＭＢＳＦＮエリア内もしくはＭＢＳＦＮ同期エリア内のセルからマルチセル送信されるＭＢＭＳサービスを受信しているあるいはしようとしている移動端末は、ページング信号がマッピングされるＰＭＣＨもしくはＤＰＣＨもしくはメインＰＭＣＨを受信し、復調処理、逆拡散処理等を行い、制御情報要素単位の領域に分割する。分割した制御情報要素単位の領域を、デコード等行い、自端末固有の識別番号により相関演算を行うことによって、自移動端末向けのページング信号をブラインド検出する。ある閾値より相関演算結果が大きい場合は自移動端末向けのページングが有ると判定し、ページング信号によりページング着信動作に入る。ある閾値以下の場合は自端末向けのページングはなしと判定し、ＭＢＭＳ関連情報の受信に移行する、またはＭＢＭＳ関連情報の受信の必要がなければ間欠受信動作に移行する。
【０２２２】
もし、ページング信号を送信しないセルからの送信信号がページング信号を送信するセルからの送信信号と異なる場合は、マルチセル送信とならず、マルチセル送信によりＳＦＮ利得を得られないだけでなく、ページング信号を送信しないセルからの送信信号が雑音となり、移動端末での相関演算結果に誤りが増大することとなる。本実施の形態で開示したように、ページング信号を送信しないセルにおいて、パディング（埋めこみ、設定）用コードを予め決めておき、該パディング用コードをページング信号がマッピングされる領域に埋めこむことによって、移動端末での相関演算での誤りを低減することが可能となる。図５４は、ページング信号を送信しないセルで設けたセル毎のパディング用コードの例を示す説明図である。例えば、ページング信号を送信しないセルはパディング用コードを「オール０」（all0）とする。この場合、ページング信号を送信しない全てのセルで同じコードすなわち「オール０」とする。こうすることによって、移動端末において受信機に干渉キャンセラなどの干渉除去機能を持つことで、移動端末はページング信号を送信しないセルから送信された“０”の成分をキャンセルすることができ、ページング信号を送信するセルから送信されたページング信号のみをＳＦＮ合成することが可能となり、移動端末での相関演算におけるページング信号の受信誤りを低減することが可能となる。ページングを送信しないセルのパディング用コードを「オール１」(all1)としてもよい。この場合、ページングを送信しない全てのセルで同じコードすなわちオール１とする。この場合も、移動端末が干渉キャンセラなどの干渉除去機能を持つことによって“１”の成分をキャンセルすることができ、移動端末でのページング信号の受信誤りを低減することが可能となる。なお、オール０、オール１でなく、既知の特定のコードであっても良い。ページング信号を送信しないセルのパディング用コードをランダム値としてもよい。この場合、各セル毎でランダムな値を導出し、パディングする。こうすることによって、移動端末において、ページング信号を送信しないセルから送信された信号が異なるランダム信号のためお互いにキャンセルされることになり、ページング信号を送信するセルから送信されたページング信号成分が相対的に強くなるため、相関演算におけるページング信号の受信誤りを低減することが可能となる。
【０２２３】
ページング信号を送信するセルと送信しないセルを識別するためのページング送信セル識別用コードを用いても良い。ページング送信セル識別用コードは直交もしくは擬似直交コードとしても良い。また、スクランブリングコードでも良いし拡散コードでも良い。図５５は、ページング送信セル識別用コードを用いる方法を示す説明図である。基地局は、ページング信号に移動端末識別用コードを乗算し、ＣＲＣ付加、エンコード、レートマッチング、ＭＣＳ（Modulation Coding Scheme）反映等の符号化（Coding）処理を行い、ページング送信セル識別用コードを乗じる。ページング送信セル識別用コードとして、ページング信号を送信するセルにおいてはページング信号送信セル用の拡散コードを用いる。ページング信号を送信しないセルにおいてはページング信号非送信セル用の拡散コードを用いる。ページング送信セル識別用コードである、ページング信号送信セル用の拡散コードとページング信号非送信セル用の拡散コードは直交コードとしておく。これらページング送信セル識別用コードを乗じた結果を、制御情報要素単位に割当て、着信がかかっている各々の移動端末分連結する。一方、あるＭＢＳＦＮエリア内もしくはＭＢＳＦＮ同期エリア内のセルからマルチセル送信されるＭＢＭＳサービスを受信している、あるいはしようとしている移動端末は、ページング信号がマッピングされるＰＭＣＨ、ＤＰＣＨ、もしくはメインＰＭＣＨを受信し、復調処理、逆拡散処理等を行い、制御情報要素単位の領域に分割する。分割した制御情報要素単位の領域を、ページング信号送信セル用拡散コードにより逆拡散を行う。同一の物理領域において、ページング信号を送信するセルと送信しないセルとで直交する拡散コードが乗じられて送信されているため、ページング信号送信セル用の拡散コードを用いて逆拡散を行うことによって、ページング信号を送信しないセルからの信号の影響を排除することが可能となり、受信誤差の低減を図ることができる。
【０２２４】
逆拡散後のデータを、デコーディング等の処理を行い、自移動端末識別用コードにてブラインド検出を行う。ある閾値より相関演算結果が大きい場合は自移動端末向けのページングが有ると判定し、ページング信号によりページング着信動作に入る。ある閾値以下の場合は自端末向けのページングは無しと判定し、ＭＢＭＳ関連情報の受信に移行する、またはＭＢＭＳ関連情報の受信の必要がなければ間欠受信動作に移行する。ページング送信セル識別用コードは各々あらかじめ決められていても良いし、ＭＢＭＳ専用セルの報知情報や、ユニキャストセルの報知情報で通知されても良い。このように、ページング信号を送信するセルと送信しないセルとで直交する拡散コードを乗じ、受信側で逆拡散を行うことによって、ページング信号を送信しないセルからの信号の影響を排除し、ページング信号を送信するセルからのページング信号を低い受信誤差で抽出することが可能となる。なお、本発明において、移動端末識別用コードとページング送信セル識別用コードを乗じる順序は逆であっても良い。移動端末識別用コードを後で乗じた場合は、移動端末において、先に自移動端末固有の識別番号で相関演算を行うことによって、早期に自移動端末向けのページング信号があるかどうかを判断することが可能となるという利点が生じる。
【０２２５】
本実施の形態において、各セルはパディング用コードやページング送信セル識別用コードを初期設定としてページング信号を送信しないコードとしておいても良い。ＭＭＥ、ＭＣＥもしくはＭＢＭＳ-ＧＷからページングリクエスト等によるページング発生の通知が来た場合のみ、そのセルは、該通知が来た移動端末のみに、パディング用コードやページング送信セル識別用コードをページング信号を送信するコードとするようにしておいても良い。こうすることで、ページングが発生しない旨の通知を、MME、MCEもしくはＭＢＭＳ-ＧＷから各セルに送信する必要がなくなるため、シグナリング量の削減を図ることができる。
【０２２６】
本実施の形態のような構成にすることで、ページング信号を送信するセルと送信しないセルを設けることが可能となり、ＭＢＳＦＮエリアもしくはＭＢＳＦＮ同期エリアが地理的に広大な範囲となった場合にも、ページング信号を送信するセルを移動端末が存在するセルおよび近傍のセルに限定することが可能となる。ページング信号を送信するセルを移動端末が存在するセルおよび近傍のセルに限定した場合も、移動端末において、ページング信号を送信しないセルから送信された異なる信号により、所望のページング信号の受信品質を劣化させることなくページング信号を受信できるという効果が得られる。特に、ページング信号を送信するセルとページング信号を送信しないセルとの境界付近に存在する移動端末にとっては高品質なページング信号を受信できるという効果が得られる。さらに、例えばユニキャストセルのトラッキングエリアに地理的に近いひとつまたは複数のＭＢＳＦＮエリア内のセルのみにページング信号を送信する場合、ページングリクエストを受信したＭＭＥは、ＭＢＳＦＮ同期エリア内全てのＭＢＳＦＮエリアに各々対応した全てのＭＣＥに対してページングリクエスト信号を送信する必要がなく、該ＭＢＳＦＮエリアを制御するＭＣＥに対してのみページングリクエスト信号を送信すれば良い。ページングリクエスト信号を受信したＭＣＥはそのＭＣＥが制御するＭＢＳＦＮエリア内のセルにページング信号を送信し、ページングリクエスト信号を受信しないＭＣＥはそのＭＣＥが制御するＭＢＳＦＮエリア内でページング信号を送信しないようにすることが可能となる。従って、ＭＭＥとＭＣＥ間のシグナリング量の削減を図ることができるという効果が得られる。さらに、ページング信号を送信するセルを移動端末が存在するセルおよび近傍のセルに限定することで、ある移動端末のページング信号送信に使用した物理リソースを、地理的に離れた場所においては他の移動端末へのページング信号送信に使用することが可能となり、無線リソースの効率化を図ることができる。
【０２２７】
実施の形態１１．
実施の形態２では、ページング信号はＭＣＣＨ繰り返し期間（MCCH repetition period）毎やページング信号有無インジケータ繰り返し期間毎に基地局から送信され、ページング信号を受信する移動端末はそれらの繰り返し期間において間欠受信動作を行う方法を開示した。ここでは、ページング信号の通知方法として別の新たな方法を開示する。実施の形態２でも述べたが、従来の技術（W-CDMA）では、ＰＣＨがマッピングされるＳ−ＣＣＰＣＨの本数（チャネライゼーションコードの数）をグループ数とし、移動端末の識別子（UE-IDD,IMSI）、間欠受信タイミングを用いてページングインジケーションが送信されるタイミング、すなわちＳＦＮ（System Frame Number）を計算する方法としていた。しかし、ＬＴＥシステムのＭＢＭＳ送信専用周波数レイヤにおいてはページング信号の通知方法の開示はまだない。ＭＢＭＳ送信専用周波数レイヤにおいてはマルチセル送信であり、さらには、任意の一つのセルが複数のＭＢＳＦＮエリアに属することも許されているため、ページング信号をどの無線フレーム上、または、どのサブフレーム上にマッピングするかといった方法について、従来の技術のページングインジケーションを送信する方法を適用することはできず、さらには、ＬＴＥシステムはＣＤＭ方式ではないので、チャネライゼーションコード数という考え方はないため、従来の技術を適用することは不可能である。そこで、ここでは、ＬＴＥシステムのＭＢＭＳ送信専用周波数レイヤでページング信号を通知する方法を開示する。説明においては、実施の形態２と異なる部分を中心に説明する。特に説明がない部分については実施の形態２と同様である。
【０２２８】
ＬＴＥシステムのＭＢＭＳ送信専用周波数レイヤでＭＢＭＳ専用セルがページング信号を通知する方法として、該セルが属するＭＢＳＦＮエリアに対応する全無線フレームでページング信号が送信される構成とする。具体例として、図４０で示すように、各セルにおいて重複する（覆いかぶさる）ＭＢＳＦＮエリアが存在せず、ＭＢＳＦＮエリアに対応したＭＢＳＦＮサブフレームがＣＤＭされている場合のページング信号の通知方法を開示する。まず、ページンググループの算出式について開示する。ページンググループの算出式（ＩＭＳＩ  ｍｏｄ  Ｋsf）のうち、Ｋsfをページンググループ数とする。Ｋsfの値の具体例としては、１無線フレーム中のＭＢＳＦＮサブフレームの数とする。１無線フレーム中のＭＢＳＦＮサブフレーム数が１０の場合は、Ｋsf＝１０となる。また、１無線フレーム中ＳＣＨがマッピングされる＃０、＃５を除いたＭＢＳＦＮサブフレーム数とした場合は、Ｋsf＝８である。Ｋsfの値（Ksfでの剰余値）と、無線フレーム中のサブフレームナンバを関係付けておくことで、上記の式で算出されたページンググループの値により無線フレーム中のどのサブフレームに、自移動端末が属するグループのページング情報がマッピングされるかが分かることになる。
【０２２９】
次に、どの無線フレームに自分が属するグループのページング信号がマッピングされるかを関連付けておく。具体例として算出式は以下のとおりとなる。「ページング発生無線フレーム」（Paging Occasion）=（IMSI div Ksf）ｍｏｄ（MBMS送信専用周波数レイヤにおける間欠受信周期）＋ｎ×（MBMS送信周波数レイヤにおける間欠受信周期）、ｎ：０、１、２・・・ただし、Ｐａｇｉｎｇ  Ｏｃｃａｓｉｏｎ≦ＳＦＮの最大値。ＳＦＮは０からＳＦＮの最大値までの整数。
【０２３０】
「ページング発生無線フレーム」（以下、ページングアケージョン）は、ページング信号がマッピングされるＳＦＮである。この式からもわかるように、ページングアケージョンは０からＳＦＮの最大値まで全ての値をとりうる。従って、実施の形態２で開示した方法に比べ、ページング信号をのせるＭＢＳＦＮサブフレーム数やそれを有する無線フレーム数を多くすることができる。このため、ひとつのＭＢＳＦＮサブフレームにのせる移動端末数を少なくすることが可能となり、ひとつのＭＢＳＦＮサブフレーム上の該移動端末数のページング信号をのせるのに必要な物理領域は少なくてすむことになる。また、ＭＢＭＳ送信周波数レイヤにおける間欠受信周期をＭＣＣＨが送信される周期に依存して決める必要がないため、システムとして柔軟に間欠受信周期を設定することが可能となる。次に、ページング信号をのせる物理領域について述べる。セルが属するＭＢＳＦＮエリアに対応する全無線フレームで送信される構成とする。実施の形態８で開示した、ＭＢＳＦＮエリア内でマルチセル送信されるページング専用の物理チャネル（ＤＰＣＨ）を設け、該物理チャネル上にページング信号をのせる方法を適用する。図４５に示されるように、ＭＢＳＦＮエリアに対応するＭＢＳＦＮサブフレームの一部にページング信号をのせるためのＤＰＣＨを設ける構成とする。ＤＰＣＨはＭＢＳＦＮエリアに対応する全無線フレームに構成され、ＤＰＣＨは１無線フレーム内の全ＭＢＳＦＮサブフレームに構成されても良いし、１無線フレーム中ＳＣＨがマッピングされる＃０、＃５を除いたＭＢＳＦＮサブフレームに構成されても良い。ＤＰＣＨが、１無線フレーム内の全ＭＢＳＦＮサブフレームに構成された場合はＫｓｆ＝１０とすれば良く、１無線フレーム中ＳＣＨがマッピングされる＃０、＃５を除いたＭＢＳＦＮサブフレームに構成された場合はＫｓｆ＝８とすれば良い。また、Ｋｓｆは１無線フレーム内のサブフレーム数であれば他の値であっても良い。ページング専用チャネル上のページング信号について、ページング信号をページング信号専用チャネルにマッピングする方法については実施の形態８で開示した方法が適用できるのでここでは説明を省略する。
【０２３１】
上記のようなページング信号の通知方法、ページング信号をのせるチャネル構成とすることで、ＭＢＭＳ専用セルが属するＭＢＳＦＮエリアに対応する全無線フレームでページング信号が送信されることが可能となり、ＬＴＥシステムのＭＢＭＳ送信専用周波数レイヤでＭＢＭＳ専用セルがページング信号を通知することが可能となるという効果が得られる。
【０２３２】
別の具体例として、ＤＲＸ期間を考慮に入れた場合のページング信号の送信方法を開示する。実施の形態２で、ページング信号をＭＢＭＳ送信専用セルで通知するためにユニキャスト／混合周波数レイヤにおける同期維持や報知情報の取得やセルリセレクションを可能にするため、ユニキャスト／混合周波数レイヤのメジャメント用のＤＲＸ期間を設ける方法を開示した。ここでは、該ＤＲＸ期間を設けた場合について、該ＤＲＸ期間も考慮に入れた場合のページング信号の送信方法について示す。該ＤＲＸに関する詳細の説明は実施の形態２で開示してあるのでここでは省略する。本具体例においては、該ＤＲＸ期間はＭＢＳＦＮ同期エリア（MBSFN Synchronization Area）に一つ設けられることとする。図６１にＤＲＸ期間も考慮に入れた場合の各セルにおけるＭＢＳＦＮエリア毎のＭＢＳＦＮサブフレーム構成例を示す。ＳＦＮが０からＳＦＮｍａｘとし、ＤＲＸ期間をｄ無線フレームとする。各セルから、ＳＦＮ＝０〜ＳＦＮｍａｘ−ｄの無線フレームでＭＢＭＳ用データが送信される。ＳＦＮ＝ＳＦＮｍａｘ−ｄ＋１〜ＳＦＮｍａｘはＤＲＸ期間とし、送信オフとなる。ＤＲＸ期間はＭＢＳＦＮ同期エリアに一つ設けられるとしている。従って、各ＭＢＳＦＮエリアに属するセルは同じタイミング（ＳＦＮ）で送信オフとなる。ページング信号は、ＭＢＭＳ用データが送信されるＳＦＮ＝０〜ＳＦＮｍａｘ−ｄの無線フレームで実施の形態８で開示したＤＰＣＨにのせて送信される。まず、ページンググループの算出式について開示する。ページンググループの算出式を以下に示す。
ＩＭＳＩ  ｍｏｄ  Ｋｓｆ
Ｋｓｆをページンググループ数とする。Ｋｓｆの値の具体例としては、１無線フレーム中のＭＢＳＦＮサブフレームの数とする。１無線フレーム中のＭＢＳＦＮサブフレーム数が１０の場合は、Ｋｓｆ＝１０となる。また、１無線フレーム中ＳＣＨがマッピングされる＃０、＃５を除いたＭＢＳＦＮサブフレーム数とした場合は、Ｋｓｆ＝８である。Ｋｓｆの値と、無線フレーム中のサブフレームナンバを関係付けておくことで、ページンググループにより無線フレーム中のどのサブフレームに、自移動端末が属するグループのページング情報がマッピングされるかが分かることになる。
【０２３３】
次に、どの無線フレームに自分が属するグループのページング信号がマッピングされるかであるが、具体的な算出式として二つの方法を開示する。まず、一つ目の方法を開示する。ページングアケージョン（Paging Occasion）を次のようにする。
ページングアケージョン＝（IMSI div Ksf）ｍｏｄ（SFNmax−ΣDRX）、
ＭＢＭＳ送信専用周波数レイヤにおける間欠受信周期＝ＳＦＮｍａｘ、
ただし、ページングアケージョンは、ＤＲＸを除く無線フレームをリナンバリングした値とする。
【０２３４】
ここで、ＳＦＮｍａｘはＳＦＮの最大値、ΣＤＲＸは、０からＳＦＮｍａｘまでに存在するＤＲＸ期間全ての和である。つまり、（ＳＦＮmax−ΣＤＲＸ）はＤＲＸ期間を除いた無線フレーム数を示している。従って、この式からもわかるように、ページング信号がマッピングされるＳＦＮはＤＲＸを除いたＭＢＳＦＮエリア毎のＭＢＳＦＮサブフレームが存在する無線フレームの値をとりうることになる。また、間欠受信周期はＳＦＮｍａｘとしているので、ある一つの移動端末にとっては、ＳＦＮが０からＳＦＮｍａｘ中に１回のページングアケージョンが発生することになる。こうすることによって、移動端末が受信中もしくは受信しようとしているＭＢＳＦＮエリアに対応するＭＢＳＦＮサブフレームにページング信号を設けることが可能となり、移動端末は該ページング信号をＭＢＭＳ受信中もしくは受信しようとしている際にページング信号を受信することが可能となる。ページング信号をのせる物理領域の構成方法およびページング信号をページング信号専用チャネルにマッピングする方法については前述の方法が適用できるのでここでは説明を省略する。
【０２３５】
どの無線フレームに自分が属するグループのページング信号がマッピングされるかについて、二つ目の方法を開示する。ＭＢＭＳ送信専用周波数レイヤにおける間欠受信周期として２種類の周期を有する方法とする。一つはＳＦＮの最大値内で間欠受信が繰り返される周期、もう一つはＳＦＮの最大値毎に間欠受信が繰り返される周期である。具体的なページングアケージョン（Paging Occasion）を次のようにする。
Ｐａｇｉｎｇ  Ｏｃｃａｓｉｏｎ＝（IMSI div  Ksf）ｍｏｄ（MBMS送信専用周波数レイヤにおける間欠受信周期＃１）＋ｎ×（MBMS送信専用周波数レイヤにおける間欠受信周期#1）、
ＭＢＭＳ送信専用周波数レイヤにおける間欠受信周期＃１≦（SFNmax-ΣDRX）、
ＭＢＭＳ送信専用周波数レイヤにおける間欠受信周期＃２＝ＳＦＮｍａｘ、
ｎ：０、１、２・・・    ただし、∀Ｐａｇｉｎｇ  Ｏｃｃａｓｉｏｎ≦（SFNmax-ΣDRX）。
ただし、ページングアケージョンは、ＤＲＸを除く無線フレームをリナンバリングした値とする。
【０２３６】
ここで、ＭＢＭＳ送信専用周波数レイヤにおける間欠受信周期＃１はＳＦＮの最大値内で間欠受信が繰り返される周期である。ＭＢＭＳ送信専用周波数レイヤにおける間欠受信周期＃２はＳＦＮの最大値毎に間欠受信が繰り返される周期である。ＭＢＭＳ送信専用周波数レイヤにおける間欠受信周期＃２は、該ＭＢＭＳ送信専用周波数レイヤにおける間欠受信周期＃１で算出される０からＳＦＮｍａｘの間の無線フレームの値のパターンを、ＳＦＮの最大値毎に繰り返すように設定するための周期である。ページングアケージョンの計算結果のとりうる全ての値が（SFNmax-ΣDRX）以下となるようにｎを決めることで、各移動端末のページング機会は均等に与えられることになる。もし、各移動端末のページング機会は均等に与える必要のない場合は、
ｎ：０、１、２・・・    ただし、Ｐａｇｉｎｇ  Ｏｃｃａｓｉｏｎ≦（SFNmax-ΣDRX）としても良い。
こうすることによって、各移動端末のページング機会に差が生じることになるが、ページング信号通知に使用されない無線フレームはなくなり、移動端末としてはなるべく多くの機会をページング信号を受信することが可能となり、ページング信号の受信誤差、着信動作の遅延等を削減することが可能となる。
【０２３７】
ＭＢＭＳ送信専用周波数レイヤにおける間欠受信周期＃１の具体的な設定例を示す。例えば、
ａ×２(ｋ−１)≦ＳＦＮｍａｘ−ΣＤＲＸ、ただし、ａ、ｋは正の整数、
とし、あらかじめ、ａ、ａ×２、ａ×２２、・・・、ａ×２(ｋ−１)  をＭＢＭＳ送信専用周波数レイヤにおける間欠受信周期＃１としておき、その中から選択できるようにしておけば良い。ａ、ｋの値を上位レイヤにて選択し、ユニキャスト／混合周波数レイヤのセルの報知情報、あるいはＭＢＭＳ専用周波数レイヤのセルの報知情報、あるいは移動端末が受信中もしくは受信しようとしているＭＢＳＦＮエリア内のＭＢＭＳサービスに対応するＭＣＣＨで移動端末に通知しておき、移動端末はその通知された値を元に算出するようにしても良い。本方法においても、ページング信号をのせる物理領域の構成方法およびページング信号をページング信号専用チャネルにマッピングする方法については前述の方法が適用できるのでここでは説明を省略する。
【０２３８】
以上に、ＤＲＸ期間を考慮に入れた場合のページング信号の送信方法を開示した。このＭＢＭＳ送信専用周波数レイヤにおける間欠受信周期として２種類の周期を有する方法は、ＭＢＳＦＮエリアに対応したＭＢＳＦＮサブフレームがＴＤＭされている場合についても適用可能である。例えば、図４９に示した様に、各セルにおいて重複するＭＢＳＦＮエリアが存在せず、ＭＢＳＦＮエリアに対応したＭＢＳＦＮサブフレームがＴＤＭされている場合でＤＲＸ期間がある場合には、（SFNmax-ΣDRX）のかわりに、各セルが属するＭＢＳＦＮエリアに対応したＭＢＳＦＮサブフレームを有する無線フレーム数とし、１無線フレーム内のＭＢＳＦＮサブフレーム数をＫｓｆとすれば良い。例えば、図４９に示したように、各セルにおいて重複するＭＢＳＦＮエリアが存在しており、重複していないＭＢＳＦＮエリアに対応したＭＢＳＦＮサブフレームがＣＤＭされており、重複しているＭＢＳＦＮエリアに対応したＭＢＳＦＮサブフレームがＴＤＭされている場合でＤＲＸ期間がある場合には、いくつかの方法が考えられる。
【０２３９】
各セルが属するひとつのＭＢＳＦＮエリア上でページング信号を送信する場合は、同じように、（SFNmax-ΣDRX）のかわりに、該ＭＢＳＦＮエリアに対応したＭＢＳＦＮサブフレームを有する無線フレーム数とし、１無線フレーム内のＭＢＳＦＮサブフレーム数をＫｓｆとすれば良い。覆っているＭＢＳＦＮエリア（エリア４）でもページング信号を送信する場合は、覆っているＭＢＳＦＮエリアの＃０、＃５のサブフレームにＤＰＣＨを設け、覆われているＭＢＳＦＮエリア（例えばエリア１）のスクランブリングコードを乗じて送るようにすれば良い。実施の形態２で開示したように、覆われているＭＢＳＦＮエリアに対応するＭＢＳＦＮサブフレームの＃０、＃５のサブフレームでは、ＳＣＨが送信されるため、ＭＢＳＦＮエリア１のスクランブリングコードやリファレンスシグナル（RS）が用いられるよう構成される。従って、覆っているＭＢＳＦＮエリアの＃０、＃５のサブフレームにＤＰＣＨを設け、ＭＢＳＦＮエリア１のスクランブリングコードを乗じて送るようにすることでＤＲＸ期間を除く全ての無線フレームにＤＰＣＨを設けることが可能となる。従って、（SFNmax-ΣDRX）はそのまま用い、Ｋｓｆを２（#0,#5のサブフレームに対応）にすれば良い。覆っているＭＢＳＦＮエリア（エリア4）において覆われているＭＢＳＦＮエリア（例えばエリア1）のスクランブリングコードが乗じられるサブフレームがない場合は、ＤＲＸ期間を除く全無線フレームで同じページング信号を送信することは不可能となる。従って、ＭＢＳＦＮエリア１もしくはＭＢＳＦＮエリア４のみのＭＢＳＦＮサブフレームにＤＰＣＨを設け、ページング信号を送信する。この場合は、ひとつのＭＢＳＦＮエリア上でページング信号を送信する場合と同じように、（SFNmax−ΣDRX）のかわりに、どれかひとつのＭＢＳＦＮエリアに対応したＭＢＳＦＮサブフレームを有する無線フレーム数とし、１無線フレーム内のＭＢＳＦＮサブフレーム数をＫｓｆとすれば良い。
【０２４０】
また、上記では、ＭＢＳＦＮエリアに対応したＭＢＳＦＮサブフレームがＴＤＭされている場合についても本ページング信号の送信方法は適用可能であることを説明したが、この場合にさらにＤＲＸ期間が設けられる場合であっても適用可能である。上記のようなページング信号の通知方法、ページング信号をのせるチャネル構成とすることで、ＭＢＭＳ送信専用周波数レイヤにおいてＤＲＸ期間が設けられた場合にも、ＬＴＥシステムのＭＢＭＳ送信専用周波数レイヤでＭＢＭＳ専用セルがページング信号を通知することが可能となるという効果が得ることができる。さらには、ＤＲＸ期間として、上記でユニキャスト／混合周波数レイヤにおける同期維持や報知情報の取得やセルリセレクションを可能にする用途でＤＲＸ期間を設けた場合を述べたが、この用途に限らず、ＤＲＸ期間が設けられた場合においても本実施の形態で開示したページング信号の通知方法、ページング信号をのせるチャネル構成は適用可能であるため、ユニキャスト／混合周波数レイヤ、ＭＢＭＳ送信専用周波数レイヤ、さらにはその他のシステムの並存、共用を可能とし、移動体通信システムを柔軟に構成、運用できるという効果が得られる。
【０２４１】
本実施の形態における移動体通信システムの処理の流れについて説明する。実施の形態２で開示した方法と異なる点を主に示す。まず、ＭＣＣＨ繰り返し期間（MCCH repetition period）等のＭＣＣＨのスケジューリングに関する情報やユニキャスト／混合周波数レイヤの測定用のＤＲＸ情報に加えて、ＭＢＭＳ受信時間欠受信時用のパラメータ、具体的にはＭＢＭＳ送信専用周波数レイヤにおける間欠受信周期、ＭＢＭＳ送信専用周波数レイヤにおける間欠受信周期＃１、＃２、ａ、ｋ、Ｋｓｆが移動端末に通知されなくてはならない。これらの情報は全て通知される必要がなく、使用されるページンググループやページングアケージョン（paging occasion）の算出式に応じて必要なパラメータが通知されれば良い。これらＭＢＭＳ受信時間欠受信時用のパラメータは、ＭＣＣＨのスケジューリングに関する情報とともに、ＳＴ１７２３、ＳＴ１７２４でＭＢＭＳ専用セルからＢＣＣＨにて移動端末に通知されるようにしても良い。また、ＭＢＭＳエリア情報やユニキャスト／混合周波数レイヤのメジャメント用のＤＲＸ情報やページンググループ数とともに、ＳＴ１７２８、ＳＴ１７２９でＭＢＭＳ専用セルからＭＣＣＨにて移動端末に通知されるようにしても良い。ここで、ページングアケージョン算出式に必要なパラメータが通知されれば良いとしたが、ページングアケージョンに限らず、移動端末が間欠受信動作の際どのタイミング（SFN）を受信したら良いかを示すパラメータであれば良い。具体例として、明示的な受信タイミング（SFN）、間欠受信周期があげられる。
【０２４２】
次に、移動端末における間欠受信準備動作を説明する。図６２に本実施の形態における移動端末における間欠受信準備動作処理を示す。図１９中のＳＴ１７３５のかわりにＳＴ６２０１が行われる。ＳＴ６２０１にて移動端末は、ステップＳＴ１７２９にて受信したＭＢＭＳ受信時間欠受信時用のパラメータを用いてＭＢＭＳ受信時間欠受信準備を行う。具体的には、ステップＳＴ１７２９にて受信したページンググループ数Ｋsf、ＭＢＭＳ送信専用周波数レイヤにおける間欠受信周期、ａ、ｋ、ＤＲＸ情報等を用いて、前述した自移動端末のページンググループとページングアケージョンを算出する。また、ページンググループとページングアケージョンの算出には、移動端末の識別ＩＤ（UE-ID,IMSI）を用いる。ＳＦＮｍａｘはシステムとしてあらかじめ決められておけば良く、その値を用いる。
【０２４３】
次に、ＭＢＭＳ受信時の間欠受信処理について説明する。図６３に本実施の形態におけるＭＢＭＳ受信時間欠受信処理を示す。ステップＳＴ６３０１にて移動端末は、ステップＳＴ６２０１で行ったページングアケージョン算出結果よりページング信号の受信タイミングかどうか判断する。さらに具体的には自移動端末宛のページングアケージョンのＳＦＮ番号であるか否かを判断する。ページングアケージョンのＳＦＮ番号でなかった場合、ＳＴ６３０６に移行する。ＳＴ６３０６にて移動端末はＳＴ１７２５にて受信したＭＣＣＨのスケジューリングを用いて、ＭＣＣＨ受信タイミングであるか否か判断する。さらに具体的には、ＭＣＣＨがマッピングされる先頭のＳＦＮ番号であるか否かを判断する。具体例としては、ステップＳＴ１７２５にて受信するパラメータ例のＭＣＣＨ繰り返し期間、スターティングポイント値を用いてＭＣＣＨがマッピングされる先頭のＳＦＮ番号を求め、ＢＣＣＨなどにマッピングされるＳＦＮを基にＭＣＣＨがマッピングされる先頭であるか否かを判断する。ＭＣＣＨがマッピングされる先頭のタイミングでなかった場合、ステップＳＴ１７５３へ移行する。ＭＣＣＨがマッピングされる先頭のタイミングであった場合、ステップＳＴ１７８８へ移行する。ステップＳＴ１７２２は、例えば図２６であればＭＣＣＨ繰り返し期間１ごとに判断するとしても良い。また例えば図２７、図２９であればＭＣＣＨ繰り返し期間ごとに判断するとしても良い。ＳＴ６３０１でページングアケージョンのＳＦＮ番号であった場合は、ＳＴ６３０２に移行する。
【０２４４】
ステップＳＴ６３０７にて当該移動端末へページングが発生する。ステップＳＴ６３０８にてＭＭＥはページングが発生した、当該移動端末の識別子（UE-ID,IMSI,S-TMSIなど）をもとに、当該移動端末のＴＡ（Tracking Area）リストを確認する。ステップＳＴ６３０９にてＭＭＥは、当該移動端末のＴＡリスト中にＴＡ（ＭＢＭＳ）が含まれているか否か判断する。具体例としては、図３１［ａ］のようなリストにてＵＥ−ＩＤを基に当該移動端末のＴＡリストを検索する。当該移動端末が図３１［ａ］のＵＥ＃１（ＵＥ−ＩＤ＃１）であった場合にはＴＡ（ＭＢＭＳ）は含まれないと判断する。一方当該移動端末が図３１［ａ］のＵＥ＃２（ＵＥ−ＩＤ＃２）であった場合には、ＴＡ（ＭＢＭＳ）＃１が含まれているので、ＴＡ（ＭＢＭＳ）は含まれると判断する。ＴＡ（ＭＢＭＳ）が含まれていない場合、ステップＳＴ１８１４へ移行する。ＴＡ（ＭＢＭＳ）が含まれていた場合、ステップＳＴ６３１０へ移行する。ステップＳＴ６３１０にてＭＭＥはＭＣＥに対してページングリクエスト（Paging Request）を送信する。ＭＭＥからページングリクエストを送信するＭＣＥとしては、ＭＭＥが管理する基地局と地理的に重なっている基地局を管理する全ＭＣＥが考えられる。ページングリクエスト中のパラメータの具体例としては、移動端末の識別子（UE-ID,IMSI,S-TMSIなど）、ＴＡ（ＭＢＭＳ）ナンバなどが考えられる。この時、ＴＡ（ＭＢＭＳ）ナンバの代わりにｆ（ＭＢＭＳ）かつＭＢＳＦＮエリアＩＤ、あるいはＭＢＳＦＮエリアＩＤとしても良い。
【０２４５】
ステップＳＴ６３１１にてＭＣＥはページングリクエストを受信する。ステップＳＴ６３１２にてページングリクエストを受信したＭＣＥのうち、ページングリクエスト中のパラメータとして通知された、ＴＡ（ＭＢＭＳ）ナンバと関連付けられたＭＢＳＦＮエリアＩＤを制御しているＭＣＥは、ページング送信準備を行う。ページング送信準備の具体例としては、ＭＢＭＳ受信時間欠受信時用のパラメータを用いて当該移動端末のページンググループとページングアケージョン（paging occasion）を算出する。ＭＢＭＳ受信時間欠受信時用のパラメータとして具体的には、自基地局（自MBSFN Area）のページンググループ数Ｋｓｆ、ＭＢＭＳ送信専用周波数レイヤにおける間欠受信周期、ａ、ｋ、ＤＲＸ情報等である。ページンググループとページングアケージョンの算出の際は、移動端末側で用いた算出式と同じ式を用いる。具体的な算出式は前述したのでここでは省略する。上記のように、ページングリクエストを受信したＭＣＥ側でＴＡ（ＭＢＭＳ）ナンバ（MBSFN Area）とＭＣＥのくくりつけを管理する方法は、ＭＢＳＦＮエリアＩＤとそれを制御するＭＣＥとの関係をＭＢＭＳサービスのアーキテクチャ内のみで行えるため、つまりＭＭＥと無関係に行えるため、自由度の高い移動体通信システムを構築することが可能になるという効果を得ることが出来る。
【０２４６】
またＭＭＥが図３１［ｃ］に示すように、ＴＡ（ＭＢＭＳ）ナンバと関係するＭＢＳＦＮエリアＩＤを管理し、更には図３１［ｄ］に示すように、ＭＢＳＦＮエリアＩＤとそれを制御するＭＣＥの番号を管理する場合を考える。その場合、ステップＳＴ６３１０にてＭＭＥは、ＴＡ（ＭＢＭＳ）ナンバと関係するＭＢＳＦＮエリアＩＤを管理するＭＣＥのみにページングリクエストを送信する。その時のページングリクエスト中のパラメータの具体例としては、移動端末の識別子などが考えられる。ステップＳＴ６３１１にてページングリクエストを受信したＭＣＥは、上記同様ページング送信準備を行う。上記のように、ＭＭＥ内でＭＢＳＦＮエリアＩＤとそれを制御するＭＣＥとの関係を管理する方法（図３１［ｄ］）は、ＭＭＥからＭＣＥへ通知するＭＣＥの数が少なくなるためリソースの有効活用が可能となる効果を得られる。また通知する情報量が少なくなるためにリソースの有効活用が可能となる効果を得られる。
【０２４７】
またＭＭＥが図３１［ｃ］に示すように、ＴＡ（ＭＢＭＳ）ナンバと関係するＭＢＳＦＮエリアＩＤを管理し、更に図３１［ｅ］に示すように、ＭＢＳＦＮエリアＩＤとＭＢＳＦＮエリアＩＤに含まれるＭＢＭＳ専用セル、ＭＢＭＳ／ユニキャスト混合セルのセルＩＤを管理する場合を考える。その場合、ステップＳＴ６３１０にてＭＭＥは、ＭＣＥではなくＭＭＥが管理するＭＢＳＦＮエリアＩＤに含まれるセルに対して、ページングリクエストを送信する。その時のページングリクエスト中のパラメータの具体例としては、移動端末の識別子などが考えられる。上記のように、ＭＭＥ内でＭＢＳＦＮエリアＩＤとＭＢＳＦＮエリアＩＤに含まれるセルの関係を管理する方法（図３１［ｅ］）は、ＭＣＥにて移動端末のページング信号送信に関する処理を行わなくてもよくなる。このことは、ＭＣＥへの機能追加を行わなくても良くなるのでＭＣＥの複雑性を回避できるという効果を得ることができる。またＭＣＥの処理負荷の低減を図れるという効果を得ることが出来る。
【０２４８】
実際にＭＢＭＳ送信専用周波数レイヤにおけるページング信号をマッピングするチャネル構成例については実施の形態８で開示したページング専用チャネル（ＤＰＣＨ）のチャネル構成およびページング信号をページング信号専用チャネルにマッピングする方法が適用できる。図４６、図４７、図４８にそれらの構成及び方法が示されている。これらの詳細の説明は実施の形態８で開示されているのでここでは省略する。
【０２４９】
以降、ＭＢＭＳ送信専用周波数レイヤにおけるページング信号をマッピングするチャネル構成については図４６、図４７を例にして説明する。ステップＳＴ６３１３にてＭＣＥは、当該移動端末のページング信号のスケジューリングを行う。具体的には、ページングが発生した移動端末の台数に応じて必要となるページング信号用の物理領域（OFDMシンボル数）からＰＣＦIＣＨの値を決定する。また、ステップＳＴ６３１２にて算出した当該移動端末のページンググループ番号とページングアケージョンから得られるＳＦＮナンバのＭＢＳＦＮサブフレームナンバ上のページング信号用の物理領域にマッピングされる情報要素の何番目に当該移動端末の識別子を割り当てるかを決定する。このスケジューリングをＭＣＥにて行うことによりＭＢＳＦＮエリア内に含まれる基地局の同じ物理リソースから当該移動端末の識別子が送信されることになる。これにより、移動端末はＭＢＳＦＮエリアにてマルチセル送信されているＤＰＣＨを受信することにより、ＳＦＮゲインの恩恵を受けたページング信号が受信可能となるという効果を得ることができる。ステップＳＴ６３１４にてＭＣＥはＭＢＳＦＮエリア内の基地局に対して当該移動端末に対するページングリクエストを送信する。ページングリクエストに含まれるパラメータの具体例としては、移動端末の識別子（UE-ID、IMSI,S-TMSIなど）、ステップＳＴ６３１３にて行ったページング信号のスケジューリング結果（具体的にはSFN,MBSFNサブフレームナンバ、情報要素ナンバ、PCFICH値）などが考えられる。ステップＳＴ６３１５にてＭＢＳＦＮエリア内の各基地局はＭＣＥからのページングリクエストを受信する。
【０２５０】
ＭＭＥ１０３とＭＣＥ８０１間にＭＭＥ―ＭＣＥ間ＩＦを設ける代わりに、ＭＭＥ１０３とＭＢＭＳ  ＧＷ８０２（更に詳しくは、ＭＢＭＳ  ＣＰ８０２−１）間にＭＭＥ−ＭＢＭＳ  ＧＷインタフェースを設けてもよい。そして、ステップＳＴ６３１１〜ステップＳＴ６３１４までのＭＣＥの処理内容をＭＢＭＳ  ＧＷで行うとしても本発明と同じ効果が得られる。
【０２５１】
ステップＳＴ６３１６にてＭＢＳＦＮエリア内の各基地局は当該移動端末ページンググループとページングアケージョンを算出する。算出の際には、移動端末側で用いた算出式と同じ式を用いる。ステップＳＴ６３１４にて当該移動端末のページンググループとページングアケージョンも通知していれば、ステップＳＴ６３１６は省略可能である。これにより、ＭＢＳＦＮエリア内の各基地局の制御負荷の軽減効果を得ることができる。一方ステップＳＴ６３１４にて当該移動端末のページンググループもしくはページングアケージョンを通知せず、ステップＳＴ６３１６にてＭＢＳＦＮエリア内の各基地局にてページンググループとページングアケージョンを算出する方法においては、ＭＣＥからＭＢＳＦＮエリア内の各基地局に対する通知情報を軽減可能となり、リソースの有効活用という効果を得ることができる。ステップＳＴ６３１７にてＭＢＳＦＮエリア内の各基地局は、ステップＳＴ６３１５にて受信した当該移動端末の識別子、ページング信号のスケジューリング結果などを用いて、ページング信号を送信する無線フレームナンバ、ＭＢＳＦＮサブフレームナンバを導出する。ステップＳＴ６３１８にて、導出した無線フレームナンバ、ＭＢＳＦＮサブフレームナンバのＰＣＦＩＣＨの物理領域にＰＣＦＩＣＨ値をマッピングし、かつ、導出した無線フレームナンバ、ＭＢＳＦＮサブフレームナンバのＤＰＣＨの物理領域に、当該移動端末の識別子を、当該情報要素ナンバに割り当ててマッピングして送信を行う。その際のＤＰＣＨ内のページング関連領域へのマッピング方法や、具体的な物理チャネルへのマッピング方法などは実施の形態８で開示した方法を用いることが可能である。
【０２５２】
ステップＳＴ６３０２にて移動端末は、ページンググループ算出結果より得た自グループのＭＢＳＦＮサブフレームのＰＣＦＩＣＨを受信する。ステップＳＴ６３０３にて移動端末は、ＰＣＦＩＣＨより、ＤＰＣＨ用ＯＦＤＭシンボル数を判定する。ステップＳＴ６３０４にて移動端末は、判定したＤＰＣＨ用ＯＦＤＭシンボル数をもとに、同じＭＢＳＦＮサブフレームのＤＰＣＨがのる物理領域を受信しデコードする。その際、移動端末固有の識別コードとの相関演算を行うことによりブラインド検出を行う。ステップＳＴ６３０５にて移動端末は、ステップＳＴ６３０４にて行ったブラインド検出において自移動端末の識別子を検出したか否か判断する。検出しなかった場合はステップＳＴ１７８８へ移行する。検出した場合はステップＳＴ１８１９へ移行する。
【０２５３】
これにより、本発明の第一の課題である、ＭＢＭＳ送信専用の周波数レイヤでＭＢＭＳサービスを受信している移動端末に対する、ページング信号の通知方法、及びそのための移動体通信システムを開示することができ、これにより、ＭＢＭＳ送信専用の周波数レイヤでＭＢＭＳサービスを受信している移動端末においても、ページング信号を受信可能になるという効果を奏する。
【０２５４】
本実施の形態に開示したＭＢＭＳ送信専用周波数レイヤでページング信号を通知する方法とすることにより、ページング信号をのせるＭＢＳＦＮサブフレーム数やそれを有する無線フレーム数を多くすることができる。このため、ひとつのＭＢＳＦＮサブフレームにのせる移動端末数を少なくすることが可能となり、ひとつのＭＢＳＦＮサブフレーム上の該移動端末数のページング信号をのせるのに必要な物理領域は少なくてすむことになる。また、ＭＢＭＳ送信周波数レイヤにおける間欠受信周期をＭＣＣＨが送信される周期に依存して決める必要がないため、システムとして柔軟に間欠受信周期を設定することが可能となる。
【０２５５】
上記では、ページング信号の通知方法として、ページングアケージョンがＤＲＸ期間を除く全ての無線フレームに存在する場合について述べた。ページングアケージョンをＤＲＸ期間を除く無線フレームの内、ひとつまたは複数個としても良い。これによって、全無線フレームにページング信号をのせるためのページング専用チャネル（ＤＰＣＨ）を設けておく必要が無くなり、ページング信号をのせない無線フレームではＭＢＭＳサービス用のデータを送信することが可能となり、ＭＢＭＳサービスの高速、大容量化が図れる。ページングアケージョンをＤＲＸ期間を除く無線フレームの内、ひとつまたは複数個とする具体的な方法を開示する。ページンググループの算出式は同じように、Ｋはページンググループ数として、ＩＭＳＩ  ｍｏｄ  Ｋ  とする。
【０２５６】
Ｋの値の具体例としては、１無線フレーム中のＭＢＳＦＮサブフレームの数とする。例えば、１無線フレーム中のＭＢＳＦＮサブフレーム数が１０の場合は、Ｋ＝１０となる。また、１無線フレーム中ＳＣＨがマッピングされる＃０、＃５を除いたＭＢＳＦＮサブフレーム数とした場合は、Ｋ＝８である。Ｋの値（Ｋでの剰余値）と、無線フレーム中のサブフレームナンバを関係付けておくことで、上記の式で算出されたページンググループの値により無線フレーム中のどのサブフレームに、自移動端末が属するグループのページング情報がマッピングされるかが分かることになる。次に、どの無線フレームに自分が属するグループのページング信号がマッピングされるかを関連付けておく。具体例として算出式は以下のとおりとなる。まずは、ＤＲＸ期間が無い場合について開示する。
【０２５７】
「ページング発生無線フレーム」（Paging Occasion）=（IMSI div K）ｍｏｄ  Ｘ  ＋ｎ×（MBMS送信周波数レイヤにおける間欠受信周期）、ｎ：０、１、２・・・ただし、Ｐａｇｉｎｇ  Ｏｃｃａｓｉｏｎ≦ＳＦＮの最大値。ＳＦＮは０からＳＦＮの最大値までの整数。ＸはMBMS送信周波数レイヤにおける間欠受信周期内でページングが発生する無線フレームの数で、Ｘ≦MBMS送信周波数レイヤにおける間欠受信周期(無線フレーム数)である。なお、Ｘの値（Ｘでの剰余値）と、無線フレームナンバ（SFN）を関係付けておく。
【０２５８】
こうすることで、ページングが、ＭＢＭＳ送信周波数レイヤにおける間欠受信周期内のＸ個の無線フレームで発生するようにでき、上記の式で算出されたページングアケージョンの値により、どの無線フレームに自移動端末のページング情報がのるかがわかることとなる。Ｘの値と関係付けられた無線フレーム以外の無線フレームではページングアケージョンは発生せず、ＭＢＭＳサービス用のデータを送信させることが可能となる。ページングが発生する無線フレームが、周期的になっている場合は、例えば、該周期をＴＸとすると次式のようにすれば良い。
【０２５９】
「ページング発生無線フレーム」（Paging Occasion）=（（IMSI div K）ｍｏｄ（Int（Ｔ／ＴＸ））)×ＴＸ  ＋ｎ×（MBMS送信周波数レイヤにおける間欠受信周期）、ｎ：０、１、２・・・ただし、Ｐａｇｉｎｇ  Ｏｃｃａｓｉｏｎ≦ＳＦＮの最大値。ＳＦＮは０からＳＦＮの最大値までの整数。ＴＸ≦MBMS送信周波数レイヤにおける間欠受信周期(無線フレーム数)である。
【０２６０】
周期的にすることによって、前述したＸの値（Ｘでの剰余値）と無線フレームナンバ（SFN）を関係付けておく必要がなくなるため、算出演算を簡単にすることができる。次にＤＲＸ期間がある場合について開示する。「ページング発生無線フレーム」（Paging Occasion）=（IMSI div K）ｍｏｄ  Ｘ  ＋ｎ×（MBMS送信周波数レイヤにおける間欠受信周期）、ｎ：０、１、２・・・ただし、Ｐａｇｉｎｇ  Ｏｃｃａｓｉｏｎ≦ＳＦＮの最大値。ＳＦＮは０からＳＦＮの最大値までの整数。ＸはMBMS送信周波数レイヤにおける間欠受信周期内でページングが発生する無線フレームの数で、Ｘ≦（SFNmax−ΣDRX）。なお、Ｘの値（Ｘでの剰余値）と、無線フレームナンバ（SFN）を関係付けておく。
【０２６１】
または、「ページング発生無線フレーム」（Paging Occasion）=（（IMSI div K）ｍｏｄ（Int（Ｔ／ＴＸ））)×ＴＸ  ＋ｎ×（MBMS送信周波数レイヤにおける間欠受信周期）、ｎ：０、１、２・・・ただし、Ｐａｇｉｎｇ  Ｏｃｃａｓｉｏｎ≦ＳＦＮの最大値。ＳＦＮは０からＳＦＮの最大値までの整数。ＴＸ≦（SFNmax−ΣDRX）。ただし、ページングアケージョンは、ＤＲＸを除く無線フレームをリナンバリングした値とする。
【０２６２】
上記のＭＢＭＳ受信時間欠受信時用のパラメータは使用されるページンググループやページングアケージョン（paging occasion）の算出式に応じて必要なパラメータが通知されれば良い。例えばＭＢＭＳ受信時間欠受信時用のパラメータとして、上記ページングアケージョンの算出式ではＭＢＭＳ送信専用周波数レイヤにおける間欠受信周期、Ｘ、Ｘ値（Xの剰余値）と無線フレームナンバ（SFN）の関係付け、ＴＸ、Ｋ、Ｋ値（Ｋの剰余値）とサブフレームの関係付け等がある。これらＭＢＭＳ受信時間欠受信時用のパラメータは、ＭＣＣＨのスケジューリングに関する情報とともに、ＳＴ１７２３、ＳＴ１７２４でＭＢＭＳ専用セルからＢＣＣＨにて移動端末に通知されるようにしても良い。また、ＭＢＭＳエリア情報やユニキャスト／混合周波数レイヤのメジャメント用のＤＲＸ情報やページンググループ数とともに、ＳＴ１７２８、ＳＴ１７２９でＭＢＭＳ専用セルからＭＣＣＨにて移動端末に通知されるようにしても良い。ここで、ページングアケージョン算出式に必要なパラメータが通知されれば良いとしたが、ページングアケージョンに限らず、移動端末が間欠受信動作の際どのタイミング（SFN）を受信したら良いかを示すパラメータであれば良い。具体例として、明示的な受信タイミング（SFN）、間欠受信周期があげられる。Ｘ値（Ｘの剰余値）と無線フレームナンバ（SFN）の関係付けや、Ｋ値（Ｋの剰余値）とサブフレームの関係付けについては、パラメータとせずに、あらかじめ決められていても良い。例えば、ページング信号をのせるサブフレーム数をＫとしたとき、Ｋの剰余値が０の場合は無線フレーム中のページング信号がのる最初のサブフレーム、Ｋの剰余値が1の場合はページング信号がのる2番目のサブフレーム、・・・、Ｋの剰余値がＫ−１の場合は無線フレーム中のページング信号がのる最後のＫ番目のサブフレームとする。こうすることによって、シグナリング量を削減することが可能となり、ＭＢＭＳサービスの伝送容量を増大させることが可能となる。
【０２６３】
ページング信号をのせる物理領域については前述したように、実施の形態８で開示した、ＭＢＳＦＮエリア内でマルチセル送信されるページング専用の物理チャネル（ＤＰＣＨ）を設け、該物理チャネル上にページング信号をのせる方法が適用可能である。この場合は、ＤＰＣＨはＭＢＳＦＮエリアに対応する全無線フレームに構成される必要は無く、ページングアケージョンが発生する無線フレームに構成されれば良い。また、ＤＰＣＨは１無線フレーム内の全ＭＢＳＦＮサブフレームに構成されても良いし、ＫこのＭＢＳＦＮサブフレームに構成されても良い。これにより、ＤＰＣＨを構成しない無線フレームではＭＢＭＳサービス用のデータを送信することが可能となるため、ＭＢＭＳサービスの高速化、大容量化が図れる。このようなページング信号の通知方法とすることで、ＭＢＭＳ送信専用周波数レイヤにおいてＤＲＸ期間が設けられた場合にも、ＬＴＥシステムのＭＢＭＳ送信専用周波数レイヤでＭＢＭＳ専用セルがページング信号を通知することが可能となるという効果が得ることができる。本発明におけるページング方法では、ページング後の通信はユニキャストセルで行うため、基地局が送信するページング情報として着信の有無を通知するページングインジケータ（Paging Indicator :PI）のみとしても良い。この場合も、実施の形態８で開示したＤＰＣＨの構成を適用することが可能である。
【０２６４】
実施の形態１２．
実施の形態２では移動端末が受信中もしくは受信しようとしているＭＢＭＳサービスを送信するＭＢＳＦＮエリア内全セルからページング信号を送信する方法について開示した。ここでは、複数のＭＢＳＦＮエリアを覆うようなＭＢＳＦＮエリアの存在の有無にかかわらず、移動端末がＭＢＭＳ専用周波数レイヤにおいてページング信号を受信することを可能とするため、メインＰＭＣＨを用いて、ページング信号をＭＢＳＦＮ同期エリア（MBSFN Synchronization Area）内全セルから送信する方法を開示する。説明においては、実施の形態２と異なる部分を中心に説明する。特に説明がない部分については実施の形態２と同様である。
【０２６５】
ページング信号をのせる物理チャネルとして、ＭＢＳＦＮ同期エリア内の全セルでマルチセル送信されるのに使用されるメインＰＭＣＨを用いる。メインＰＭＣＨについては実施の形態９で開示した。メインＰＭＣＨはＭＢＳＦＮ同期エリア内全セルにて同期がとられるように構成されＳＦＮ合成がなされる。これは、ＭＢＳＦＮ同期エリア内の全セルが属するひとつのＭＢＳＦＮエリアが設けられ、該ＭＢＳＦＮエリアに対応するＭＢＳＦＮサブフレームをメインＰＭＣＨとしても良い。ここでは、ＭＢＳＦＮエリア毎に設けられたＰＭＣＨとして時分割多重とコード分割多重が混在している場合を例にとって説明する。図４９に、ＭＢＳＦＮ同期エリア（MBSFN Synchronization area）内でマルチセル送信される物理チャネル（メインPMCH）の構成を示す。セル＃ｎ１はＭＢＳＦＮエリア１内のセル、セル＃ｎ２はＭＢＳＦＮエリア２内のセル、セル＃ｎ３はＭＢＳＦＮエリア３内のセルである。また、セル＃ｎ１、セル＃ｎ２、セル＃ｎ３のセルはＭＢＳＦＮエリア４内のセルでもある。メインＰＭＣＨは、他のＭＢＳＦＮエリア用のＭＢＳＦＮサブフレームと時分割多重して設けられ、繰り返し周期メインＰＭＣＨ繰り返し期間で送信される。具体的な構成については実施の形態９で開示してあるので説明を省略する。
【０２６６】
本実施の形態における移動体通信システムの処理の流れについて説明する。ページング信号がＭＢＳＦＮ同期エリア内全セルでマルチセル送信されるメインＰＭＣＨにのるため、移動端末に対するページング信号を通知する方法が実施の形態２とは異なる。実施の形態２で開示した方法と異なる点を主に示す。まず、ＭＣＣＨ繰り返し期間等のＭＣＣＨのスケジューリングに関する情報に加えて、メインＰＭＣＨのスケジューリング情報が移動端末に通知されなくてはならない。メインＰＭＣＨのスケジューリング情報として具体的には、メインＰＭＣＨのスタートタイミング(SFN、スターティングポイント)、メインＰＭＣＨ繰り返し期間、サブフレームナンバ、ページング信号有無インジケータ繰り返し期間、ＭＢＭＳ関連変更有無インジケータ繰り返し期間、それらインジケータの存在するＭＢＳＦＮサブフレームのスタートタイミング(SFN、スターティングポイント)、サブフレームナンバ等である。メインＰＭＣＨのスケジューリング情報はＭＣＣＨのスケジューリングに関する情報とともに、ＳＴ１７２３、ＳＴ１７２４でＤＭＢＭＳからＢＣＣＨにて移動端末に通知されるようにしても良いし、また、ＭＢＭＳエリア情報やユニキャスト／混合周波数レイヤのメジャメント用のＤＲＸ情報やページンググループ数とともに、ＳＴ１７２８、ＳＴ１７２９でＭＢＭＳ専用セルからＭＣＣＨにて移動端末に通知されるようにしても良い。
【０２６７】
メインＰＭＣＨにマッピングされるＭＣＨ／ＰＣＨ／メインＰＣＨで使用されるスクランブリングコードはＭＢＳＦＮ同期エリア内でマルチセル送信されるため、サーチしたMBMS専用セルが属するＭＢＳＦＮエリア（例えばＭＢＳＦＮエリア１）に対応するスクランブリングコードとは異なる。従って、該スクランブリングコードも移動端末に通知される必要がある。該スクランブリングコードは、メインＰＭＣＨのスケジューリング情報と一緒に、ＳＴ１７２３、ＳＴ１７２４でＭＢＭＳ専用セルからＢＣＣＨにて移動端末に通知されるようにしても良いし、また、ＳＴ１７２８、ＳＴ１７２９でＭＢＭＳ専用セルからＭＣＣＨにて移動端末に通知されるようにしても良い。移動端末は、ＳＴ１７２４あるいはＳＴ１７２９で受信したメインＰＭＣＨスケジューリング情報をもとにメインＰＭＣＨを受信し、ＳＴ１７２４あるいはＳＴ１７２９で受信した該スクランブリングコードを用いてメインＰＭＣＨを逆拡散（descramble）して復号化（decode）することが可能となる。該スクランブリングコードはＭＢＳＦＮ同期エリア内全セルで用いられるため、予め決められておいても良いし、または、ＳＴ１７０７、ＳＴ１７０８の受信可能なＭＢＭＳに関する報知において、サービングセルから自セル内で受信可能なｆ（ＭＢＭＳ）と一緒に移動端末に送信されても良い。実施の形態９で説明した、メインＰＭＣＨのチャネル構成で用いられるページンググループ数Ｋ（Kmpとする）は、実施の形態２と同様に、ＳＴ１７２８、ＳＴ１７２９において、サーチしたＭＢＭＳ専用セルが属するＭＢＳＦＮエリア（例えばＭＢＳＦＮエリア１）のＭＣＣＨに含まれてＭＢＭＳ専用セルから移動端末に送信される。移動端末は該ページンググループ数Ｋｍｐを用いて、ＳＴ１７３５でＭＢＭＳ受信時間欠受信準備としてページンググループの算出を行う。
【０２６８】
次に、ＭＢＭＳ送信専用の周波数でのトラッキングエリア（ＴＡ）リストについて説明する。メインＰＭＣＨはＭＢＳＦＮ同期エリア内全セルでマルチセル送信されるため、移動端末へのページング信号の通知範囲としてＭＢＳＦＮ同期エリア内全てにできる。このため、ＭＢＭＳ送信専用セルのトラッキングエリアをＭＢＳＦＮ同期エリア内全てとすることができる。実施の形態２で、図３１[ａ]に各移動端末のＴＡリストが示され、図３１[ｂ]にユニキャスト／混合周波数レイヤにおけるＴＡ（unicast）と属するセルの対応表を示した。本実施の形態においてもこれらは適用することができる。次に、本実施の形態においては新たにＭＢＭＳ送信専用の周波数でのトラッキングエリア（ＴＡ）とＭＢＭＳ同期エリアを関連付ける表を設ける。図６４に、ＭＢＭＳ送信専用の周波数でのトラッキングエリア（ＴＡ）を示す表の具体例を示す。図６４[ａ]にＭＢＳＦＮエリアＩＤおよびｆ（ＭＢＭＳ）番号とそれが属するＭＢＭＳ同期エリア番号（ＩＤ）の表を示す。この表を用いて、ＭＢＳＦＮエリアＩＤおよびｆ（ＭＢＭＳ）番号からＭＢＭＳ同期エリア番号が関係付けられる。図６４[ｂ]にＭＢＭＳ同期エリアＩＤとＴＡ（ＭＢＭＳ）番号との関係を示す表を示す。これらによって、移動端末が受信しているＭＢＳＦＮエリアが属するＭＢＭＳ専用周波数レイヤでのＴＡ（ＭＢＭＳ）番号が関連付けられることになる。
【０２６９】
ＴＡリストの管理の詳細を説明する。実施の形態２において、ＭＢＭＳ側の受信状況で開示した方法が適用可能である。図２０に示すように、ステップＳＴ１７４２にて移動端末は、ステップＳＴ１７４１にて受信したＵＬアロケーションに従って「ＭＢＭＳ側受信状況通知」をサービングセルへ送信する。「ＭＢＭＳ側受信状況通知」に含まれるパラメータ例としては、移動端末の識別子（UE-ID,IMSI,S-TMSIなど）、ＭＢＭＳサービスを受信する周波数（ｆ（ＭＢＭＳ））、ＭＢＳＦＮエリア番号（ＩＤ）などがある。ステップＳＴ１７４３にてサービングセルは、移動端末からＭＢＭＳ側受信状況通知を受信する。ステップＳＴ１７４３にてネットワーク側は、ＭＢＭＳ専用セルに上りリンクを追加することなく、つまり移動体通信システムとして複雑性を増すことなく、当該移動端末がＭＢＭＳ送信専用の周波数レイヤにてＭＢＭＳサービスを受信している旨を知ることが出来る。これにより、ネットワーク側が通常のページング信号を通知する構成から、ＭＢＭＳ受信時間欠受信構成へ変更することが可能となる効果を奏する。ステップＳＴ１７４４にてサービングセルは、ＭＢＭＳ側受信状況通知をＭＭＥへ送信する。ステップＳＴ１７４５にてＭＭＥは、ＭＢＭＳ側受信状況通知をサービングセルより受信する。ステップＳＴ１７４６にてＭＭＥは、当該移動端末のＭＢＭＳ送信専用の周波数でのＭＢＭＳサービスを受信中のトラッキングエリア（以降、ＴＡ（ＭＢＭＳ）と称する）を決定する。トラッキングエリアの決定に際しては、ＭＢＭＳ側受信状況通知を基に、更に具体的にはＭＢＭＳ側受信状況のパラメータを基に、更に具体的にはパラメータ中のｆ（ＭＢＭＳ）とＭＢＳＦＮエリア番号を基に決定する。ｆ（ＭＢＭＳ）とＭＢＭＳ同期エリアが１対１対応である場合は、ＭＢＳＦＮエリア番号を用いなくても良い。具体的には、図６４[ａ]の表中にＭＢＳＦＮエリアＩＤを含めない。また、ＳＴ１７４２〜ＳＴ１７４５のＭＢＭＳ側受信状況のパラメータの中にもＭＢＳＦＮエリア番号を含めない。こうすることにより、移動端末とサービングセル間およびサービングセル間とＭＭＥ間のシグナリング量を削減することが可能となり、無線資源の効率化が図れる。
【０２７０】
ステップＳＴ１７４７にて当該移動端末のトラッキングエリアリストを更新する。現在の３ＧＰＰにおいてユニキャスト／混合周波数レイヤにおいて１つの移動端末に対して、複数のトラッキングエリアを持つことが決定されている（以降、TA(unicast)と称する）。しかし、ＭＢＭＳ専用セルからのあるいはＭＢＭＳ送信専用の周波数レイヤにおける、移動端末に対するページング信号の送信を行うか否か決定されていない現段階において、複数のトラッキングエリアについてもＭＢＭＳ専用セル、ＭＢＭＳ送信専用の周波数レイヤなどのことは考慮されていない。ステップＳＴ１７４７では、ＴＡ（ｕｎｉｃａｓｔ）または／かつＴＡ（ＭＢＭＳ）を含むＴＡリストの管理（保存、追加、更新、削除）をする。ステップＳＴ１７４７のＴＡリストの管理の詳細を説明する。ＭＭＥはステップＳＴ１７４５にて受信したｆ（ＭＢＭＳ）、ＭＢＳＦＮエリアＩＤを基にＭＭＥ内で管理しているＴＡ（ＭＢＭＳ）番号を検索する。具体的な検索方法として例えば図６４の表を用いる。受信したｆ（ＭＢＭＳ）、ＭＢＳＦＮエリアＩＤから、図６４[ａ]を用いて対応するＭＢＭＳ同期エリア番号（ＩＤ）を検索し、図６４[ｂ]を用いて対応するＴＡ（ＭＢＭＳ）番号を検索する。次に、当該移動端末のＴＡリスト中に検索の結果判明したＴＡ（ＭＢＭＳ）が存在するか否か判断する。
【０２７１】
存在した場合、現状のＴＡリストを保存する。存在しなかった場合、当該移動端末のＴＡリストに前記ＴＡ（ＭＢＭＳ）を追加する。ステップＳＴ１７４８にてＭＭＥはＭＢＭＳ側受信状況通知のＡｃｋをサービングセルへ送信する。ＭＢＭＳ側受信状況通知のＡｃｋに含まれるパラメータ例としては、当該移動端末のＴＡリストが考えられる。ステップＳＴ１７４９にてサービングセルはＭＭＥよりＭＢＭＳ側受信状況通知のＡｃｋを受信する。ステップＳＴ１７５０にてサービングセルはＭＢＭＳ側受信状況通知のＡｃｋを移動端末へ送信する。ステップＳＴ１７５１にて移動端末はサービングセルよりＭＢＭＳ側受信状況通知のＡｃｋを受信する。ステップＳＴ１７５２にて移動端末は、周波数変換部１１０７の設定周波数を変更し、中心周波数をＭＢＭＳ送信専用の周波数レイヤの周波数（ｆ（ＭＢＭＳ））へ変更することによりＭＢＭＳ送信専用の周波数レイヤへ移動する。
【０２７２】
次に、本実施の形態における当該移動端末へページングが発生した場合の処理について詳細を説明する。ステップＳＴ１７７３にて当該移動端末へページングが発生する。ステップＳＴ１７７４にてＭＭＥはページングが発生した、当該移動端末の識別子（UE-ID,IMSI,S-TMSIなど）を基に、当該移動端末のＴＡリストを確認する。ステップＳＴ１７７５にてＭＭＥは、当該移動端末のＴＡリスト中にＴＡ（ＭＢＭＳ）が含まれているか否か判断する。具体例としては、図３１［ａ］のようなリストにてＵＥ−ＩＤを基に当該移動端末のＴＡリストを検索する。当該移動端末が図３１［ａ］のＵＥ＃１（UE-ID#1）であった場合にはＴＡ（ＭＢＭＳ）は含まれないと判断する。一方当該移動端末が図３１［ａ］のＵＥ＃２（UE-ID#2）であった場合には、ＴＡ（ＭＢＭＳ）＃１が含まれているので、ＴＡ（ＭＢＭＳ）は含まれると判断する。ＴＡ（ＭＢＭＳ）が含まれていない場合、ステップＳＴ１８１４へ移行する。ＴＡ（ＭＢＭＳ）が含まれていた場合、ステップＳＴ１７７６へ以降する。ステップＳＴ１７７６にてＭＭＥはＭＣＥに対してページングリクエストを送信する。ＭＭＥからページングリクエストを送信するＭＣＥとしては、ＭＭＥが管理する基地局と地理的に重なっている基地局を管理する全ＭＣＥが考えられる。ページングリクエスト中のパラメータの具体例としては、移動端末の識別子（ＵＥ−ＩＤ、ＩＭＳＩ、Ｓ−ＴＭＳＩなど）、ＴＡ（ＭＢＭＳ）ナンバなどが考えられる。この時、ＴＡ（ＭＢＭＳ）ナンバの代わりにｆ（ＭＢＭＳ）かつＭＢＳＦＮエリアＩＤ、あるいはＭＢＳＦＮ同期エリアＩＤとしても良い。
【０２７３】
ステップＳＴ１７７７にてＭＣＥはページングリクエストを受信する。ステップＳＴ１７７８にてページングリクエストを受信したＭＣＥの内、ページングリクエスト中のパラメータとして通知された、ＴＡ（ＭＢＭＳ）ナンバと関連付けられたＭＢＳＦＮ同期エリアＩＤ、あるいはｆ（ＭＢＭＳ）かつＭＢＳＦＮエリアＩＤを制御しているＭＣＥは、ページング送信準備を行う。ページング送信準備の具体例としては、メインＰＭＣＨで用いられるページンググループ数Ｋmpと、受信したページングリクエストを用いて当該移動端末のページンググループを算出する。算出の際には、移動端末側で用いた算出式と同じ式を用いる。具体例としてはステップＳＴ１７３５と同様のページンググループ＝ＩＭＳＩ  ｍｏｄ  Ｋmp  を用いる。上記のように、ページングリクエストを受信したＭＣＥ側で、例えば図６４の表のようなＴＡ（ＭＢＭＳ）ナンバとＭＣＥのくくりつける情報を有し、そのくくりつけを管理する方法は、ＭＢＳＦＮ同期エリアＩＤ、あるいはｆ（ＭＢＭＳ）かつＭＢＳＦＮエリアＩＤと、それを制御するＭＣＥとの関係をＭＢＭＳサービスのアーキテクチャ内のみで行えるため、つまりＭＭＥと無関係に行えるため、自由度の高い移動体通信システムを構築することが可能になるという効果を得ることが出来る。
【０２７４】
またＭＭＥが図６４に示すように、ＴＡ（ＭＢＭＳ）ナンバと関係するｆ（ＭＢＭＳ）かつＭＢＳＦＮエリアＩＤを管理し、更には図６５［ａ］に示すように、ｆ（ＭＢＭＳ）かつＭＢＳＦＮエリアＩＤとそれを制御するＭＣＥの番号を管理する場合を考える。その場合、ステップＳＴ１７７６にてＭＭＥは、ＴＡ（ＭＢＭＳ）ナンバと関係するｆ（ＭＢＭＳ）かつＭＢＳＦＮエリアＩＤを管理するＭＣＥのみにページングリクエストを送信する。その時のページングリクエスト中のパラメータの具体例としては、移動端末の識別子などが考えられる。図６５[ａ]ではｆ（ＭＢＭＳ）かつＭＢＳＦＮエリアＩＤとそれを制御するＭＣＥの番号の対応表を示したが、ｆ（ＭＢＭＳ）かつＭＢＳＦＮエリアＩＤではなく、ＭＢＳＦＮ同期エリアＩＤとそれを制御するＭＣＥの番号の対応表であっても良い。ステップＳＴ１７７８にてページングリクエストを受信したＭＣＥは、上記同様ページング送信準備を行う。上記のように、ＭＭＥ内でｆ（ＭＢＭＳ）かつＭＢＳＦＮエリアＩＤとそれを制御するＭＣＥとの関係を管理する方法は、ＭＭＥからＭＣＥへ通知する通知するＭＣＥの数が少なくなるためリソースの有効活用が可能となる効果を得られる。また通知する情報量が少なくなるためにリソースの有効活用が可能となる効果を得られる。
【０２７５】
またＭＭＥが図６４に示すように、ＴＡ（ＭＢＭＳ）ナンバと関係するｆ（ＭＢＭＳ）かつＭＢＳＦＮエリアＩＤを管理し、更に図６５［ｂ］に示すように、ｆ（ＭＢＭＳ）かつＭＢＳＦＮエリアＩＤと、それに含まれるＭＢＭＳ専用セルまたは／かつミクスドセルのセルＩＤを管理する場合を考える。その場合、ステップＳＴ１７７６にてＭＭＥは、ＭＣＥではなくＭＭＥが管理するＭＢＳＦＮエリアＩＤに含まれるセルに対して、ページングリクエストを送信する。その時のページングリクエスト中のパラメータの具体例としては、移動端末の識別子などが考えられる。この場合も図６５[ａ]と同様に、図６５[ｂ]でｆ（ＭＢＭＳ）かつＭＢＳＦＮエリアＩＤではなく、ＭＢＳＦＮ同期エリアＩＤとそれをそれに含まれるＭＢＭＳ専用セルまたは／かつミクスドセルのセルＩＤの対応表であっても良い。上記のように、ＭＭＥ内でｆ（ＭＢＭＳ）かつＭＢＳＦＮエリアＩＤとそれに含まれるセルの関係を管理する方法は、ＭＣＥにて移動端末のページング信号送信に関する処理を行わなくてもよくなる。このことは、ＭＣＥへの機能追加を行わなくても良くなるのでＭＣＥの複雑性を回避できるという効果を得ることができる。またＭＣＥの処理負荷の低減を図れるという効果を得ることが出来る。ＭＢＭＳ送信専用周波数レイヤにおけるページング信号をマッピングするチャネル構成については実施の形態９で開示した方法が適用できるのでここでは説明は省略する。
【０２７６】
ステップＳＴ１７７９にてＭＣＥは、当該移動端末のページング信号のスケジューリングを行う。具体的には、ステップＳＴ１７７８にて算出した当該移動端末のページンググループ番号に割り当てられた物理領域にマッピングされる情報要素の何番目に当該移動端末の識別子を割り当てるかを決定する。ここで、実施の形態２で開示した方法と異なり、ページング信号がのる物理領域は、ＭＢＳＦＮ同期エリアでマルチセル送信されるメインＰＭＣＨ用の物理領域である。このスケジューリングを、ＳＴ１７７７で受信したＴＡ（ＭＢＭＳ）と関連付けられたＭＢＳＦＮ同期エリアＩＤ、あるいはｆ（ＭＢＭＳ）かつＭＢＳＦＮエリアＩＤを制御しているＭＣＥにて行うことにより、ＭＢＳＦＮ同期エリア内に含まれる基地局の同じ物理リソースから当該移動端末の識別子が送信されることになる。これにより、移動端末はＭＢＳＦＮ同期エリアにてマルチセル送信されているメインＰＭＣＨを受信することにより、ＳＦＮゲインの恩恵を受けたページング信号が受信可能となるという効果を得ることができる。ステップＳＴ１７８０にてＭＣＥはＭＢＳＦＮエリア内の基地局に対して当該移動端末に対するページングリクエストを送信する。ページングリクエストに含まれるパラメータの具体例としては、移動端末の識別子（UE-ID,IMSI,S-TMSIなど）、ステップＳＴ１７７９にて行ったページング信号のスケジューリング結果（具体的にはメインＰＭＣＨのＳＦＮ、ＭＢＳＦＮサブフレームナンバ、情報要素ナンバ）などが考えられる。ステップＳＴ１７８１にてＭＢＳＦＮエリア内の各基地局はＭＣＥからのページングリクエストを受信する。
【０２７７】
ステップＳＴ１７８２にてＭＢＳＦＮエリア内の各基地局は当該移動端末ページンググループを算出する。算出方法の具体例としては、メインＰＭＣＨで用いられるページンググループ数Ｋｍｐと、受信したページングリクエストを用いて当該移動端末のページンググループを算出する。算出の際には、移動端末側で用いた算出式と同じ式を用いる。具体例としてはステップＳＴ１７３５と同様のページンググループ＝ＩＭＳＩ  ｍｏｄ  Ｋｍｐを用いる。ステップＳＴ１７８０にて当該移動端末のページンググループをも通知していれば、ステップＳＴ１７８２は省略可能である。これにより、ＭＢＳＦＮエリア内の各基地局の制御負荷の軽減とう効果を得ることができる。一方ステップＳＴ１７８０にて当該移動端末のページンググループを通知せず、ステップＳＴ１７８２にてＭＢＳＦＮエリア内の各基地局にてページンググループを算出する方法においては、ＭＣＥからＭＢＳＦＮエリア内の各基地局に対する通知情報を軽減可能となり、リソースの有効活用という効果を得ることができる。ステップＳＴ１７８３にてＭＢＳＦＮエリア内の各基地局は、ステップＳＴ１７８１にて受信した当該移動端末の識別子、ページング信号のスケジューリング結果、ステップＳＴ１７８２にて算出した当該移動端末のページンググループなどを用いて、ＰＭＣＨではなく、ページング信号をのせたメインPMCHの送信を行う。その際のメインＰＭＣＨ内のページング関連領域へのマッピング方法や、具体的な物理チャネルへのマッピング方法などは実施の形態９で説明した方法を用いることが可能である。
【０２７８】
ステップＳＴ１７８４にて移動端末は、ＰＭＣＨ内ではなく、メインＰＭＣＨ内の自移動端末のステップＳＴ１７３５にて算出したページンググループに対応したページング関連の変更有無インジケータを受信する。ステップＳＴ１７８５にて移動端末は、ページング関連の変更有無インジケータの変更の有無を判断する。変更無しの場合は、ステップＳＴ１７８８へ移行する。変更有りの場合は、ステップＳＴ１７８６へ移行する。ステップＳＴ１７８６にて移動端末は、つづけて自ページンググループのページング関連情報がマッピングされる物理領域を受信しデコードする。その際、移動端末固有の識別コードとの相関演算を行うことによりブラインド検出を行う。ステップＳＴ１７８７にて移動端末は、ステップＳＴ１７８６にて行ったブラインド検出において自移動端末の識別子を検出したか否か判断する。検出しなかった場合はステップＳＴ１７８８へ移行する。検出した場合はステップＳＴ１８１４へ移行する。以上のような方法とすることで、複数のＭＢＳＦＮエリアを覆うようなＭＢＳＦＮエリアの存在の有無にかかわらず、移動端末がＭＢＭＳ専用周波数レイヤにおいてページング信号を受信することが可能となる。
【０２７９】
本実施の形態において、実施の形態２と同様にＭＭＥからＭＣＥに対してページングリクエストを送信する方法を示した。別の方法として、ページングリクエストをＭＭＥからＭＣＥに対してではなく、ＭＭＥからＭＢＭＳＧＷに対して送信するようにしても良い。さらに具体的にはＭＭＥからＭＢＭＳＧＷ内のＭＢＭＳＣＰに対して送信するようにしても良い。これはページング信号をのせるチャネルがＭＢＳＦＮ同期エリア内でマルチセル送信されるためである。ページングリクエストを受信したＭＢＭＳＣＰはＭＣＥを介さずに直接ｅＮＢへページングリクエストを送信する。この場合、図１０で開示した、本発明で用いる移動体通信システムの全体的なアーキテクチャにおいて、ＭＭＥ１０３とＭＢＭＳＧＷ８０２もしくはＭＢＭＳＣＰ８０２−１間のＩＦを新たに設けておけば良い。このＩＦを使用して、上記ページングリクエストをＭＭＥからＭＢＭＳＧＷもしくはＭＢＭＳＣＰへ送信する。ページングリクエストを受信したＭＢＭＳＧＷもしくはＭＢＭＳＣＰはＭ１のＩＦを用いてＭＢＳＦＮ同期エリア内の全ｅＮＢに対してページングリクエスト信号を送信する。
【０２８０】
次に、この場合の当該移動端末へページングが発生した場合の処理について説明する。ステップＳＴ１７７３にて当該移動端末へページングが発生する。ステップＳＴ１７７４にてＭＭＥはページングが発生した、当該移動端末の識別子（UE-ID,IMSI,S-TMSIなど）を基に、当該移動端末のＴＡリストを確認する。ステップＳＴ１７７５にてＭＭＥは、当該移動端末のＴＡリスト中にＴＡ（ＭＢＭＳ）が含まれているか否か判断する。ＴＡ（ＭＢＭＳ）が含まれていない場合、ステップＳＴ１８１４へ移行する。ＴＡ（ＭＢＭＳ）が含まれていた場合、ステップＳＴ１７７６へ以降する。ステップＳＴ１７７６にて、ＭＭＥはＭＣＥではなく、ＭＢＭＳＣＰに対してページングリクエストを送信する。ＭＭＥからページングリクエストを送信するＭＢＭＳＣＰとしては、ＭＭＥが管理する基地局から受信可能なＭＢＭＳ送信専用の周波数レイヤを管理する全ＭＢＭＳＣＰが考えられる。ページングリクエスト中のパラメータの具体例としては、移動端末の識別子（ＵＥ−ＩＤ、ＩＭＳＩ、Ｓ−ＴＭＳＩなど）、ＴＡ（ＭＢＭＳ）ナンバなどが考えられる。この時、ＴＡ（ＭＢＭＳ）ナンバの代わりにｆ（ＭＢＭＳ）かつＭＢＳＦＮエリアＩＤ、あるいはＭＢＳＦＮ同期エリアＩＤとしても良い。ステップＳＴ１７７７にて、ＭＣＥではなく、ＭＢＭＳＣＰがページングリクエストを受信する。ステップＳＴ１７７８にてページングリクエストを受信したＭＢＭＳＣＰの内、ページングリクエスト中のパラメータとして通知された、ＴＡ（ＭＢＭＳ）ナンバと関連付けられたＭＢＳＦＮ同期エリアＩＤ、あるいはｆ（ＭＢＭＳ）かつＭＢＳＦＮエリアＩＤを制御しているＭＢＭＳＣＰは、ページング送信準備を行う。ページング送信準備の具体例としては、メインＰＭＣＨで用いられるページンググループ数Ｋｍｐと、受信したページングリクエストを用いて当該移動端末のページンググループを算出する。算出の際には、移動端末側で用いた算出式と同じ式を用いる。
【０２８１】
具体例としてはステップＳＴ１７３５と同様のページンググループ＝ＩＭＳＩ  ｍｏｄ  Ｋｍｐ  を用いる。ＭＢＭＳ送信専用周波数レイヤにおけるページング信号をマッピングするチャネル構成については実施の形態９で開示した方法が適用できるのでここでは説明は省略する。ステップＳＴ１７７９にてＭＢＭＳＣＰは、当該移動端末のページング信号のスケジューリングを行う。具体的には、ステップＳＴ１７７８にて算出した当該移動端末のページンググループ番号に割り当てられた物理領域にマッピングされる情報要素の何番目に当該移動端末の識別子を割り当てるかを決定する。このスケジューリングをＭＢＭＳＣＰにて行うことによりＭＢＳＦＮエリア内ではなく、ＭＢＳＦＮ同期エリア内に含まれる基地局の同じ物理リソースから当該移動端末の識別子が送信されることになる。これにより、移動端末はＭＢＳＦＮ同期エリアにてマルチセル送信されているメインＰＭＣＨを受信することにより、ＳＦＮゲインの恩恵を受けたページング信号が受信可能となるという効果を得ることができる。ステップＳＴ１７８０にてＭＢＭＳＣＰはＭＢＳＦＮ同期エリア内の基地局に対して当該移動端末に対するページングリクエストを送信する。ページングリクエストに含まれるパラメータの具体例としては、移動端末の識別子（UE-ID,IMSI,S-TMSIなど）、ステップＳＴ１７７９にて行ったページング信号のスケジューリング結果（具体的にはSFN,MBSFNサブフレームナンバ、情報要素ナンバ）などが考えられる。ステップＳＴ１７８１にてＭＢＳＦＮ同期エリア内の各基地局はＭＢＭＳＣＰからのページングリクエストを受信する。
【０２８２】
ステップＳＴ１７８２にてＭＢＳＦＮ同期エリア内の各基地局は当該移動端末ページンググループを算出する。算出方法の具体例としては、メインＰＭＣＨで用いられるページンググループ数Ｋｍｐと、受信したページングリクエストを用いて当該移動端末のページンググループを算出する。算出の際には、移動端末側で用いた算出式と同じ式を用いる。具体例としてはステップＳＴ１７３５と同様の、ページンググループ＝ＩＭＳＩ  ｍｏｄ  Ｋｍｐを用いる。ステップＳＴ１７８０にて当該移動端末のページンググループを通知していれば、ステップＳＴ１７８２は省略可能である。これにより、ＭＢＳＦＮ同期エリア内の各基地局の制御負荷の軽減等の効果を得ることができる。一方ステップＳＴ１７８０にて当該移動端末のページンググループを通知せず、ステップＳＴ１７８２にてＭＢＳＦＮ同期エリア内の各基地局にてページンググループを算出する方法においては、ＭＢＭＳＣＰからＭＢＳＦＮ同期エリア内の各基地局に対する通知情報を軽減可能となり、リソースの有効活用という効果を得ることができる。
ステップＳＴ１７８３にてＭＢＳＦＮ同期エリア内の各基地局は、ステップＳＴ１７８１にて受信した当該移動端末の識別子、ページング信号のスケジューリング結果、ステップＳＴ１７８２にて算出した当該移動端末のページンググループなどを用いて、ページング信号をのせたメインＰＭＣＨの送信を行う。その際のメインＰＭＣＨ内のページング関連領域へのマッピング方法や、具体的な物理チャネルへのマッピング方法などは実施の形態９で説明した方法を用いることが可能である。
【０２８３】
ステップＳＴ１７８４にて移動端末は、ＰＭＣＨ内でなく、メインＰＭＣＨ内の自移動端末のステップＳＴ１７３５にて算出したページンググループに対応したページング関連情報有無インジケータを受信する。ステップＳＴ１７８５にて移動端末は、ページング関連情報有無インジケータによりページング関連情報の有無を判断する。変更無しの場合は、ステップＳＴ１７８８へ移行する。変更有りの場合は、ステップＳＴ１７８６へ移行する。ステップＳＴ１７８６にて移動端末は、つづけて自ページンググループのページング関連情報がマッピングされる物理領域を受信しデコードする。その際、移動端末固有の識別コードとの相関演算を行うことによりブラインド検出を行う。ステップＳＴ１７８７にて移動端末は、ステップＳＴ１７８６にて行ったブラインド検出において自移動端末の識別子を検出したか否か判断する。検出しなかった場合はステップＳＴ１７８８へ移行する。検出した場合はステップＳＴ１８１４へ移行する。
【０２８４】
以上のような方法とすることで、複数のＭＢＳＦＮエリアを覆うようなＭＢＳＦＮエリアの存在の有無にかかわらず、移動端末がＭＢＭＳ専用周波数レイヤにおいてページング信号を受信することが可能となる。上記では、ＭＭＥとＭＢＭＳＣＰが個別に存在する場合を示したが、ＭＢＭＳＣＰがＭＭＥの機能をもっても良い。こうすることで、ＭＭＥ（もしくはＥＰＣ）とＭＢＭＳＧＷもしくはＭＢＭＳＣＰ間の長距離の物理的ＩＦの敷設が必要なくなるため、システムとして安価に高い安全性で構成でき、さらには、ＭＭＥ（もしくはＥＰＣ）とＭＢＭＳＧＷもしくはＭＢＭＳＣＰ間の信号の遅延も低減できるため制御遅延、ここではページングの制御遅延を低減することが可能となる。
【０２８５】
本実施の形態や実施の形態２のように、ＭＢＭＳ送信専用周波数レイヤでのトラッキングエリアがＭＢＳＦＮ同期エリア や、ＭＢＳＦＮエリアである場合は、ＭＭＥにおいてＴＡ（ＭＢＭＳ）番号を導出して各移動端末のＴＡリストに加える方法を開示したが、ＴＡリストにはこだわらず、各移動端末と該移動端末が受信しているｆ（ＭＢＭＳ）かつＭＢＳＦＮエリアＩＤを直接リスト化しておいても良い。この場合は、ＳＴ１７７４で該当ＵＥのＴＡリストではなく、該直接リスト化したものを確認すれば良い。また、この場合、ＳＴ１７７６、ＳＴ１７７７においては、ＴＡ（ＭＢＭＳ）を送受信するのではなく、ｆ（ＭＢＭＳ）かつＭＢＳＦＮエリアＩＤを送受信すればよい。これは、ＴＡがセル単位ではなくＭＢＳＦＮエリア単位もしくはＭＢＳＦＮ同期エリア単位であるために可能となる。
【０２８６】
なお、本実施の形態では、ＭＢＳＦＮエリア毎に設けられたPMCHとして時分割多重とコード分割多重が混在している場合を例にとって説明したが、重複するＭＢＳＦＮエリアが無く、ＭＢＳＦＮエリア毎に設けられたＰＭＣＨとしてＴＤＭの場合やＣＤＭの場合においても適用することは可能である。
【０２８７】
これにより、本発明の第一の課題である、ＭＢＭＳ送信専用の周波数レイヤでＭＢＭＳサービスを受信している移動端末に対する、ページング信号の通知方法、及びそのための移動体通信システムを開示することができ、これにより、ＭＢＭＳ送信専用の周波数レイヤでＭＢＭＳサービスを受信している移動端末においても、ページング信号を受信可能になるという効果を奏する。
【０２８８】
本実施の形態に開示したＭＢＭＳ送信専用周波数レイヤでページング信号を通知する方法とすることにより、移動端末がどのＭＢＳＦＮエリアのＭＢＭＳサービスを受信中もしくは受信しようとしていても同じようにメインＰＭＣＨののるＭＢＳＦＮサブフレームを受信することでページング信号を受信できるので、移動端末が受信するＭＢＳＦＮエリアを変更してＭＢＭＳサービスを受信する場合にも、処理を簡略化できるという効果が生じる。
【０２８９】
実施の形態１３．
実施の形態２では移動端末が受信中もしくは受信しようとしているＭＢＭＳサービスを送信するＭＢＳＦＮエリア内全セルからページング信号を送信する方法について開示した。また、実施の形態１２ではＭＢＳＦＮ同期エリア内全セルからページング信号を送信する方法について開示した。しかし、ＭＢＳＦＮエリアやＭＢＳＦＮ同期エリアは地理的に広大な範囲となることも考えられる。このような場合、移動端末においてＳＦＮ合成に寄与しないセルから該移動端末向けのページング信号を送信することは、無線リソースの無駄となりシステム容量の低下を引き起こす。従って、ページング信号を送信するセルを移動端末が存在するセルおよび近傍のセルに限定する必要性が生じてくる。これらの必要性を満たすため、ここでは、移動端末のユニキャスト側のサービングセルと地理的に対応した任意のＭＢＭＳ専用セルをトラッキングエリアとし、該トラッキングエリアに属する、ＭＢＳＦＮエリア内（もしくはＭＢＳＦＮ同期エリア内）の一部のセルからページング信号を送信する方法について開示する。説明においては、実施の形態２と異なる部分を中心に説明する。特に説明がない部分については実施の形態２と同様である。
【０２９０】
ページング信号を送信するセルを移動端末が存在するセルおよび近傍のセルに限定するため、移動端末のユニキャスト側のトラッキングエリアと地理的に対応した、移動端末が受信中もしくは受信しようとしているＭＢＳＦＮエリア内あるいはＭＢＳＦＮ同期エリア内の、任意のＭＢＭＳ専用セルをトラッキングエリアとする。ＭＢＭＳ専用周波数レイヤ用基地局の配置として、ユニキャスト／混合周波数レイヤのセルと同じにするよう、基地局の配置位置は共用するが装置（アンテナ等）をＭＢＭＳ専用周波数レイヤ用とユニキャスト／混合周波数レイヤ用と両方備えるように構成したり、スポット的にＭＢＭＳサービスを行うためユニキャスト／混合周波数レイヤのセルのある一部にＭＢＭＳ専用周波数レイヤ用基地局を配置位置することが考えられる。ユニキャスト側のトラッキングエリアとＭＢＭＳ専用セルのトラッキングエリアを地理的に対応させるため、前者の場合には、ユニキャスト／混合周波数レイヤでのトラッキングエリア内のセルと同じＭＢＭＳ専用周波数レイヤ用のセルをトラッキングエリア内のセルとすれば良い。後者の場合には、ユニキャスト／混合周波数レイヤでのトラッキングエリア内に存在するＭＢＭＳ専用周波数レイヤ用のセルをトラッキングエリア内のセルとすれば良い。図６６に一例としてひとつのＭＢＳＦＮエリア内の任意のＭＢＭＳ専用セルをトラッキングエリアとした図を示す。ＭＢＭＳ送信専用周波数レイヤのひとつのＭＢＳＦＮエリア（MBSFNエリア1）内で斜線で示したＭＢＭＳ専用セル（MBMS送信専用周波数レイヤでのトラッキングエリアTA(MBMS)#1）とそうでないＭＢＭＳ専用セルを構成する。図では、ユニキャスト／混合周波数レイヤでのトラッキングエリア（TA（unicast）#1）と地理的に対応したＴＡ（ＭＢＭＳ）を構成している。ＴＡ（ＭＢＭＳ）＃１内のＭＢＭＳ専用セルからページング信号を送信し、その他のＭＢＭＳ専用セルではページング信号を送信しない。この場合、同じＭＢＳＦＮエリア（もしくは同じＭＢＳＦＮ同期エリア内）で、ある移動端末へのページング信号を送信するセルと送信しないセルが生じてしまい、セル間で異なる信号を送信することとなりマルチセル送信ではなくなってしまう。移動端末は受信するセルを選択的に限定できないため、マルチセル送信ではなくなってしまった信号も受信してしまうことになり、受信誤りが引き起こされる。
【０２９１】
ページング信号を送信しないセルから送信された異なる信号により、所望のページング信号の受信品質が劣化することになる。特に、ページング信号を送信するセルとページング信号を送信しないセルとの境界付近に存在する移動端末にとっては受信誤りが増大し、ページング信号を受信できなくなるという問題が生じる。これらの問題を解決するためのページング信号用のチャネル構成については実施の形態１０で開示した。ここではページング信号用のチャネル構成については実施の形態１０で開示した方法を適用する。ＭＢＳＦＮエリア毎に設けられたＰＭＣＨとしてコード分割多重している場合を例にとって説明する。図４０に、ＭＢＳＦＮエリア毎に設けられたＰＭＣＨの構成を示す。セル＃ｎ１はＭＢＳＦＮエリア1内のセル、セル＃ｎ２はＭＢＳＦＮエリア２内のセル、セル＃ｎ３はＭＢＳＦＮエリア３内のセルである。セル＃ｎ１のセルではＭＢＳＦＮエリア１に対応したＰＭＣＨが送信され、セル＃ｎ２のセルではＭＢＳＦＮエリア２に対応したＰＭＣＨが送信され、同様に、セル＃ｎ３のセルではＭＢＳＦＮエリア３に対応したＰＭＣＨが送信される。ＰＭＣＨは時間的に連続していても良いし、不連続でも良い。不連続の場合はＭＢＳＦＮエリアに対応したＰＭＣＨが送信されるＭＢＳＦＮフレームクラスタ(MBSFN frame cluster)が繰り返される周期がＭＢＳＦＮフレームクラスタ繰り返し期間になる。また、連続の場合のＭＢＳＦＮフレームクラスタ繰り返し期間は０としても良いし、明示しなくても良い。ＭＣＣＨとＭＴＣＨは時間的に分割されてＰＭＣＨ上にマッピングされても良いし、さらに時間的に分割されてマルチセル送信される物理領域にマッピングされても良い。例えば、ＭＴＣＨとＭＣＣＨが、結果としてマッピングされる物理領域であるＭＢＳＦＮサブフレームが異なっていても良い。ＭＣＣＨが繰り返される周期をＭＣＣＨ繰り返し期間とする。
【０２９２】
ページング信号用の物理領域の構成については、図４１で開示したような、ページング信号をＭＣＣＨとともにＰＭＣＨにのせる方法、ページング信号をＭＣＣＨの情報要素のひとつとしてＰＭＣＨにマッピングする方法、インジケータを用いる方法、移動端末をページンググループ化する方法、また、図４５で開示したような、ページング専用チャネルを設けてページング信号をのせる方法、また、図５２で開示したような、メインＰＭＣＨを設けてページング信号をのせる方法が適用できる。ページング信号をページング信号ののる物理領域にマッピングする場合に、ページング信号を送信するセルとしないセルとでマッピングする方法を変える。例えばＭＢＳＦＮエリア内に着信がかかっている移動端末に対してページング信号を送信するセルと送信しないセルが存在する場合、具体的には、着信がかかっている移動端末にページング信号を送信するセルでは、基地局は、図５３で開示したように、スイッチ２４０１を用いて該スイッチを端子aに接続する。移動端末へのページング信号に該移動端末固有の識別番号を乗じ、ＣＲＣ付加を行い、エンコード、レートマッチング等の処理を行う。スイッチ２４０１が端子ａに接続されているので、移動端末毎の上記処理後の情報が、ある情報要素単位に割り当てられる。着信がかかっている移動端末にページング信号を送信しないセルでは、基地局は、図５３で開示したように、スイッチ２４０１を用いて該スイッチを端子ｂに接続する。移動端末へのページング信号を用いることなく、セル毎のパディング用コードを設け、該パディング用コードがある情報要素単位に割り当てられる。
【０２９３】
ここで、ある移動端末に対して割り当てられる情報要素単位の領域は、ページング信号を送信するセルと送信しないセルとで同一とする。これにより基地局は、ページング信号を送信するセルと送信しないセルとで割り当てる情報をスイッチによって簡単に切替え可能とできる。さらに、ある移動端末に対して割り当てられる情報要素単位の領域の大きさを、全ての移動端末で同じにしておくことで、セル毎のパディング用コード長をあらかじめ決めておくことが可能となる。これにより、パディング用コードの埋めこみ制御を簡易に構成することが可能となる。ページング信号を送信しないセルで設けたセル毎のパディング用コードの具体例としては、図５４に示したように、例えば、ａｌｌ０、ａｌｌ１とする。こうすることによって、移動端末において受信機に干渉キャンセラなどの干渉除去機能を持つことで、移動端末はページング信号を送信しないセルから送信された“０”もしくは“１”の成分をキャンセルすることができ、ページング信号を送信するセルから送信されたページング信号のみをSFN合成することが可能となる。また、ランダム値としてもよく、この場合、各セル毎でランダムな値を導出し、パディングする。こうすることによって、移動端末において、ページング信号を送信しないセルから送信された信号が異なるランダム信号のためお互いにキャンセルされることになり、ページング信号を送信するセルから送信されたページング信号成分が相対的に強くなるため、相関演算におけるページング信号の受信誤りを低減することが可能となる。従って、ＭＢＳＦＮエリア内で移動端末に対してページング信号を送信するセルと送信しないセルが存在する場合も、ページング信号を受信することが可能となる。さらに詳細なページング信号用のチャネルの構成については実施の形態１０で説明しているのでここでは省略する。
【０２９４】
次に、ＭＢＭＳ送信専用の周波数でのトラッキングエリア（ＴＡ）リストについて説明する。ページング信号を送信するセルを移動端末が存在するセルおよび近傍のセルに限定するため、移動端末のユニキャスト側のサービングセルと地理的に対応した、移動端末が受信中もしくは受信しようとしているＭＢＳＦＮエリア内あるいはＭＢＳＦＮ同期エリア内の、任意のＭＢＭＳ専用セルをトラッキングエリア（ＴＡ（MBMS））とする。ここでは、移動端末が受信中もしくは受信しようとしているＭＢＳＦＮエリア内の任意のＭＢＭＳ専用セルをＴＡとする方法について説明する。実施の形態２で、図３１[ａ]に各移動端末のＴＡリストが示され、図３１[ｂ]にユニキャスト／混合周波数レイヤにおけるトラッキングエリア（TA（unicast））と属するセルの対応表を示した。本実施の形態においてもこれらは適用することができる。実施の形態２では、図３１[ｃ]に示すような、ｆ（ＭＢＭＳ）かつＭＢＳＦＮエリアＩＤとＴＡ（ＭＢＭＳ）番号とを関連付ける表を設けて、移動端末が受信中もしくは受信しようとしているｆ（ＭＢＭＳ）かつＭＢＳＦＮエリアＩＤから、MBMS送信専用周波数レイヤでのトラッキングエリアを導出できるようにしている。本実施の形態では、ＭＢＳＦＮエリア内にページング信号を送信するセルと送信しないセルが存在するので、単純にｆ（ＭＢＭＳ）かつＭＢＳＦＮエリアＩＤから、ＭＢＭＳ送信専用周波数レイヤでのトラッキングエリアを対応づけることはできない。この問題を解決するため、ここでは、ＴＡ（MBMS）IDとｆ（ＭＢＭＳ）かつＴＡ（ｕｎｉｃａｓｔ）ＩＤを関連付ける表を設けることとし、さらに、ＴＡ（ＭＢＭＳ）ＩＤと、ＴＡ（ｕｎｉｃａｓｔ）と地理的に対応したMBMS送信専用セルとを関連付けた表を設けることとする。図６７に、ＴＡ（ＭＢＭＳ）を示す表の具体例を示す。図６７[ａ]にＴＡ（ＭＢＭＳ）ＩＤとｆ（ＭＢＭＳ）かつＴＡ（ｕｎｉｃａｓｔ）ＩＤを関連付ける表を、図６７[ｂ]にＴＡ（ＭＢＭＳ）ＩＤと、ＴＡ（ｕｎｉｃａｓｔ）と地理的に対応したMBMS送信専用セルを関連付ける表を示す。これらの表により、ＴＡ（ｕｎｉｃａｓｔ）と地理的に対応したＭＢＭＳ送信専用セルがＴＡ（ＭＢＭＳ）を用いて特定し、該ＴＡ（ＭＢＭＳ）内のセルにページング信号送信を限定することにより、ＭＢＳＦＮエリア内のセルにおいてページング信号を送信するセルと送信しないセルを設けることが可能となる。
【０２９５】
ＴＡリストの管理の詳細を説明する。実施の形態２においてＭＢＭＳ側の受信状況で開示した方法を適用できる。その際に、図２０のステップＳＴ１７４６にて、ＭＭＥが、当該移動端末のＴＡ（ＭＢＭＳ）を決定する処理において、トラッキングエリアの決定に際しては、ＴＡ（ｕｎｉｃａｓｔ）ＩＤとＭＢＭＳ側受信状況通知内容を基に決定するように変更する。ＭＢＭＳ側受信状況通知内容として更に具体的にはＭＢＭＳ側受信状況のパラメータを基に、更に具体的にはパラメータ中のｆ（ＭＢＭＳ）を基に決定するようにすれば良い。また、ステップＳＴ１７４７にて当該移動端末のトラッキングエリアリストの管理において、ＭＭＥはステップＳＴ１７４５にて受信したｆ（ＭＢＭＳ）とＳＴ１７１４からＳＴ１７１６にて決定したＴＡ（ｕｎｉｃａｓｔ）を基にＭＭＥ内で管理しているＴＡ（ＭＢＭＳ）番号を検索するように変更する。具体的な検索方法として例えば図６７[ａ]の表を用いる。次に、当該移動端末のＴＡリスト中（図３１[ａ]）に検索の結果判明したＴＡ（ＭＢＭＳ）が存在するか否か判断する。存在した場合、現状のＴＡリストを保存する。存在しなかった場合、当該移動端末のＴＡリストに前記ＴＡ（ＭＢＭＳ）を追加する。上記のように、実施の形態２で開示したＭＢＭＳ側受信状況通知の処理の一部を変更することで、本実施の形態のＴＡの管理を行うことが可能となる。
【０２９６】
上記の例では、ＳＴ１７４２において、実施の形態２と同じく移動端末が、受信中もしくは受信しようとしているＭＢＳＦＮエリア番号をサービングセルへ通知し、さらにはＳＴ１７４４にてサービングセルはＭＭＥへ該ＭＢＳＦＮエリア番号を通知するようにした。しかし、本実施の形態にかかる発明においては、ＴＡ（ＭＢＭＳ）の管理においてＭＢＳＦＮエリア番号情報は必要ない。従って、ＳＴ１７４２、ＳＴ１７４４にてＭＢＳＦＮエリア番号を通知する必要は無く、移動端末とサービングセル間およびサービングセルとＭＭＥ間のシグナリング量を低減することが可能となる。
【０２９７】
次に、本実施の形態における当該移動端末へページングが発生した場合の処理について詳細を説明する。ここでは、ページング信号を送信するセルを移動端末が存在するセルおよび近傍のセルに限定するため、移動端末のユニキャスト側のサービングセルと地理的に対応した、ＭＢＳＦＮエリア内の任意のＭＢＭＳ専用セルからページング信号を送信する場合について説明する。実施の形態２で開示したＭＢＭＳ受信時間欠受信の処理において、前述したように、ＭＢＭＳ送信専用周波数レイヤのトラッキングエリア（ＴＡ（ＭＢＭＳ））をユニキャスト／混合周波数レイヤのトラッキングエリア（TA(unicast））に関連付けるように構成し、また、ページング信号のマッピング方法をページング信号を送信するセルとしないセルとで異なる情報を割り当てるように変更することで実現する。さらに具体的に説明する。ステップＳＴ１７７３にて当該移動端末へページングが発生する。ステップＳＴ１７７４にてＭＭＥはページングが発生した、当該移動端末の識別子（ＵＥ−ＩＤ、ＩＭＳＩ、Ｓ−ＴＭＳＩなど）を基に、当該移動端末のＴＡリストを確認する。ステップＳＴ１７７５にてＭＭＥは、当該移動端末のＴＡリスト中にＴＡ（ＭＢＭＳ）が含まれているか否か判断する。具体例としては、図３１［ａ］のようなリストにてＵＥ−ＩＤを基に当該移動端末のＴＡリストを検索する。当該移動端末が図３１［ａ］のＵＥ＃１（ＵＥ−ＩＤ＃１）であった場合にはＴＡ（ＭＢＭＳ）は含まれないと判断する。一方当該移動端末が図３１［ａ］のＵＥ＃２（ＵＥ−ＩＤ＃２）であった場合には、ＴＡ（ＭＢＭＳ）＃１が含まれているので、ＴＡ（ＭＢＭＳ）は含まれると判断する。ＴＡ（ＭＢＭＳ）が含まれていない場合、ステップＳＴ１８１４へ移行する。ＴＡ（ＭＢＭＳ）が含まれていた場合、ステップＳＴ１７７６へ移行する。
【０２９８】
ステップＳＴ１７７６にてＭＭＥはＭＣＥに対してページングリクエストを送信する。ＭＭＥからページングリクエストを送信するＭＣＥとしては、ＭＭＥが管理する基地局と地理的に重なっている基地局を管理する全ＭＣＥが考えられる。また、ＭＭＥにおいて各ＭＢＭＳ送信専用周波数レイヤ（ｆ（ＭＢＭＳ））に対応したひとつまたは複数のＭＣＥ情報を有するようにしておき、移動端末から通知されたｆ（ＭＢＭＳ）をもとに、それと対応したひとつまたは複数のＭＣＥにページングリクエストを送信するようにしても良い。これは実施の形態２においても可能である。ページングリクエスト中のパラメータの具体例としては、移動端末の識別子（UE-ID,IMSI,S-TMSIなど）、ＴＡ（ＭＢＭＳ）ナンバなどが考えられる。この時、ＴＡ（ＭＢＭＳ）ナンバの代わりにｆ（ＭＢＭＳ）かつＴＡ(unicast)ナンバとしても良い。ステップＳＴ１７７７にてＭＣＥはページングリクエストを受信する。ステップＳＴ１７７８にてページングリクエストを受信したＭＣＥの内、ページングリクエスト中のパラメータとして通知された、ＴＡ（ＭＢＭＳ）ナンバと関連付けられた、あるいはｆ（ＭＢＭＳ）かつＴＡ(ｕｎｉｃａｓｔ)ナンバと関連付けられたＭＢＭＳ専用セルを制御しているＭＣＥは、ページング送信準備を行う。ページング送信準備の具体例としては、実施の形態２と同じ方法を適用できる。自基地局（自ＭＢＳＦＮエリア）のページンググループ数ＫＭＢＭＳと受信したページングリクエストを用いて当該移動端末のページンググループを算出する。算出の際には、移動端末側で用いた算出式と同じ式を用いる。具体例としてはステップＳＴ１７３５と同様の、ページンググループ＝ＩＭＳＩ  ｍｏｄ  ＫＭＢＭＳ
を用いる。上記のように、ページングリクエストを受信したＭＣＥ側でＴＡ（ＭＢＭＳ）ナンバとＭＢＭＳ専用セルのくくりつけを管理する方法、具体的には、実施の形態２では図３１[ｃ]であったが、本実施の形態においてはＭＣＥ内に図６７[ｂ]に示した関連付け情報を示した表を構成しておき、それを用いて導出する方法は、ＭＢＭＳ専用セルとそれを制御するＭＣＥとの関係をＭＢＭＳサービスのアーキテクチャ内のみで行なえるため、つまりＭＭＥと無関係に行えるため、自由度の高い移動体通信システムを構築することが可能になるという効果を得ることが出来る。
【０２９９】
ステップＳＴ１７７９にてＭＣＥは、当該移動端末のページング信号のスケジューリングを行う。具体的には、ステップＳＴ１７７８にて算出した当該移動端末のページンググループ番号に割り当てられた物理領域にマッピングされる情報要素の何番目に当該移動端末の識別子を割り当てるかを決定する。このスケジューリングをＭＣＥにて行うことによりＭＢＳＦＮエリア内に含まれる基地局の同じ物理リソースから当該移動端末の識別子が送信されることになる。これにより、移動端末はＭＢＳＦＮエリアにてマルチセル送信されているＭＣＣＨを受信することにより、ＳＦＮゲインの恩恵を受けたページング信号が受信可能となるという効果を得ることができる。ステップＳＴ１７８０にてＭＣＥは該ＭＣＥが制御するＭＢＳＦＮエリア内に含まれるＭＢＭＳ専用セルの基地局に対して当該移動端末に対するページングリクエストを送信する。ページングリクエストに含まれるパラメータの具体例としては、移動端末の識別子（UE-ID,IMSI,S-TMSIなど）、ステップＳＴ１７７９にて行ったページング信号のスケジューリング結果（具体的にはSFN、MBSFNサブフレームナンバ、情報要素ナンバ）などの実施の形態２で開示した情報に加え、ページング送信可否情報が考えられる。本実施例において新たに設けた、ページング送信可否情報は、各ＭＢＭＳ専用セルがページング信号を送信するかしないかを示す情報である。ページング送信可否情報の具体例としては１ビット（“１”、“０”）とする。ＳＴ１７８０において、ＭＣＥは図６７[ｂ]の表を用いて表中に存在するＭＢＭＳ専用セルに対してはページング送信可の情報“１”を送信する。図６７[ｂ]の表中に存在しないＭＢＭＳ専用セルに対してはページング送信否の情報“０”を送信する。ページング送信可否のための情報を設け、ＭＣＥから各ＭＢＭＳ専用セルに対して送信することでページング信号を送信するセルと送信しないセルを設けることが可能となる。
【０３００】
ステップＳＴ１７８１にて該ＭＣＥが制御するＭＢＳＦＮエリア内の各基地局は、該ＭＣＥからのページングリクエストを受信する。図６７[ｂ]で示すＴＡ（ＭＢＭＳ）のＭＢＭＳ専用セルの基地局はページング信号可を、そうでないＭＢＭＳ専用セルの基地局はページング信号否を受信する。
【０３０１】
ＭＭＥ１０３とＭＣＥ８０１間にＭＭＥ―ＭＣＥ間ＩＦを設ける代わりに、ＭＭＥ１０３とＭＢＭＳ  ＧＷ８０２（更に詳しくは、MBMSCP802-1）間にＭＭＥ−ＭＢＭＳ  ＧＷインタフェースを設けてもよい。そして、ステップＳＴ１７７６〜ステップＳＴ１７８０までのＭＣＥの処理内容をＭＢＭＳ  ＧＷで行うとしても本発明と同じ効果が得られる。
【０３０２】
またＭＭＥが図６７[ｂ]に示すように、ＴＡ（ＭＢＭＳ）ナンバと関係するＭＢＭＳ専用セルまたは／かつミクスドセルのセルＩＤを管理する場合を考える。その場合、ステップＳＴ１７７６にてＭＭＥは、ＭＣＥではなくＭＭＥが管理するＭＢＳＦＮエリア内の各ＭＢＭＳ専用セルに対して、ページングリクエストを送信する。その時のページングリクエスト中のパラメータとして、移動端末の識別子などに加え、前述したページング送信可否情報を有するようにする。ＭＭＥは図６７[ｂ]に示すＴＡ（ＭＢＭＳ）ナンバに含まれるＭＢＭＳ専用セルにはページング送信可の情報“１”を、含まれないＭＢＭＳ専用セルにはページング送信否の情報“０”を送信する。上記のように、ＭＭＥ内でＴＡ（ｕｎｉｃａｓｔ）に加えて、ＴＡ（ＭＢＭＳ）ナンバとＴＡ（ＭＢＭＳ）ナンバに含まれるセルの関係を管理する方法（図６７）は、ＭＣＥにて移動端末へのページング信号を送信するセルと送信しないセルの認識や、その結果によって各セルに対して個別のページング送信可否情報を送信する処理を行わなくてもよくなる。このことは、ＭＣＥへの機能追加を行わなくても良くなるのでＭＣＥの複雑性を回避できるという効果を得ることができる。またＭＣＥの処理負荷の低減を図れるという効果を得ることが出来る。
【０３０３】
ステップＳＴ１７８２にてＭＢＳＦＮエリア内の各基地局は当該移動端末ページンググループを算出する。算出方法の具体例としては、実施の形態２と同じ方法を適用できる。自基地局（自ＭＢＳＦＮエリア）のページンググループ数ＫＭＢＭＳと受信したページングリクエストを用いて当該移動端末のページンググループを算出する。算出の際には、移動端末側で用いた算出式と同じ式を用いる。具体例としてはステップＳＴ１７３５と同様の、ページンググループ＝ＩＭＳＩ  ｍｏｄ  ＫＭＢＭＳを用いる。ステップＳＴ１７８０にて当該移動端末のページンググループをも通知していれば、ステップＳＴ１７８２は省略可能である。これにより、ＭＢＳＦＮエリア内の各基地局の制御負荷の軽減効果を得ることができる。一方ステップＳＴ１７８０にて当該移動端末のページンググループを通知せず、ステップＳＴ１７８２にてＭＢＳＦＮエリア内の各基地局にてページンググループを算出する方法においては、ＭＣＥからＭＢＳＦＮエリア内の各基地局に対する通知情報を軽減可能となり、リソースの有効活用という効果を得ることができる。ステップＳＴ１７８３にてＭＢＳＦＮエリア内の各基地局は、ステップＳＴ１７８１にて受信した当該移動端末の識別子、ページング信号のスケジューリング結果、ステップＳＴ１７８２にて算出した当該移動端末のページンググループなどを用いて、ページング信号もしくはパディング用コード等をのせて送信を行う。ＳＴ１７８１でページング送信可否情報として送信可の情報“１”を受信したセルはページング信号をＰＭＣＨ上にのせてＭＢＳＦＮエリアに対応したＭＢＳＦＮサブフレームにマッピングして送信する。ＳＴ１７８１でページング送信可否情報として送信否の情報“０”を受信したセルはページング信号ではなくパディング用コードを同じ情報要素ナンバにパディングしてＭＢＳＦＮエリアに対応したＭＢＳＦＮサブフレームにマッピングして送信する。ＰＭＣＨ内のページング関連領域へのマッピング方法や、ページング信号をページング信号ののる物理領域にマッピングする場合に、ページング信号を送信するセルとしないセルとでマッピングする方法を変える方法については、実施の形態２および実施の形態１０で詳細を説明したのでここでは省略する。
【０３０４】
ステップＳＴ１７８４にて移動端末は、ＳT１７８３でＭＢＳＦＮエリア内全セルから送信するページング関連情報有無インジケータを受信する。実施の形態２と同じように、ＳT１７８３で各ＭＢＭＳ専用セルは、ＳT１７８２で算出した該当の移動端末のページンググループに対応した物理領域にページング関連情報有無インジケータをマッピングしている。従って、移動端末はステップＳＴ１７３５にて同じ式を用いて算出した自移動端末のページンググループに対応した物理領域を受信すれば良い。ページング関連情報有無インジケータの繰返し周期や物理領域はユニキャストサービスのサービングセルの報知情報で通知されても良いし、ＭＢＭＳ専用セルの報知情報で通知されても良いし、あらかじめ決められていても良い。ステップＳＴ１７８５にて移動端末は、ページング関連の変更有無インジケータの変更の有無を判断する。変更無しの場合は、ステップＳＴ１７８８へ移行する。変更有りの場合は、ステップＳＴ１７８６へ移行する。ステップＳＴ１７８６にて移動端末は、つづけて自ページンググループのページング関連情報がマッピングされる物理領域を受信しデコードする。その際、移動端末固有の識別コードとの相関演算を行うことによりブラインド検出を行う。ＭＢＳＦＮサブフレームはＭＢＳＦＮ内でマルチセル送信されているため、移動端末で受信時にページング信号を送信しないセルから送信された信号は雑音となる。しかし、上記に開示したような方法とすることで、移動端末は受信機に干渉キャンセラなどの干渉除去機能を持つことで、ページング信号を送信しないセルから送信されたパディング用コードの成分をキャンセルすることができ、ページング信号を送信するセルから送信されたページング信号のみをＳＦＮ合成することが可能となる。パディング用コードがランダム値の場合は移動端末で受信機に干渉キャンセラなどの干渉除去機能を持つ必要が無い。各セルが各セル毎でランダムな値を導出してパディングするため、移動端末において、ページング信号を送信しないセルから送信された信号が異なるランダム信号のためお互いにキャンセルされることになり、ページング信号を送信するセルから送信されたページング信号成分が相対的に強くなるため、相関演算におけるページング信号の受信誤りを低減することが可能となる。ステップＳＴ１７８７にて移動端末は、ステップＳＴ１７８６にて行ったブラインド検出において自移動端末の識別子を検出したか否か判断する。検出しなかった場合はステップＳＴ１７８８へ移行する。検出した場合はステップＳＴ１８１４へ移行する。
【０３０５】
以上のような方法とすることで、本発明の第一の課題である、ＭＢＭＳ送信専用の周波数レイヤでＭＢＭＳサービスを受信している移動端末に対する、ページング信号の通知方法、及びそのための移動体通信システムを開示することができ、これにより、ＭＢＭＳ送信専用の周波数レイヤでＭＢＭＳサービスを受信している移動端末においても、ページング信号を受信可能になるという効果を奏する。さらには、ページング信号を送信するセルと送信しないセルが混在しても移動端末においてページング信号受信時の受信誤差の低減を少なくすることが可能となるため、システムとしてページング信号を送信するセルと送信しないセルを設けることで、ページング信号を送信するエリアを移動端末が存在するセルおよび近傍のセルに限定することが可能となり、無線リソースの無駄を削減することができシステム容量の増大が図れる。
【０３０６】
上記の具体例では、ＭＢＳＦＮエリア毎に設けられたPMCHとしてコード分割多重している場合について説明した。コード分割多重だけでなく、ＭＢＳＦＮエリア毎に時分割多重している場合にも適用可能である。
【０３０７】
ひとつのＭＢＳＦＮエリア内の任意のＭＢＭＳ専用セルによってトラッキングエリア（ＴＡ（ＭＢＭＳ））が構成されている場合だけでなく、図６８[ａ]に示すような、複数のＭＢＳＦＮエリア内の任意のＭＢＭＳ専用セルによってトラッキングエリア（ＴＡ（ＭＢＭＳ））が構成されている場合にも、本実施の形態で開示した方法は適用可能である。この場合、ステップＳＴ１７７８にてページングリクエストを受信したＭＣＥの内、ページングリクエスト中のパラメータとして通知された、ＴＡ（ＭＢＭＳ）ナンバと関連付けられた、あるいはｆ（ＭＢＭＳ）かつＴＡ(ｕｎｉｃａｓｔ)ナンバと関連付けられたＭＢＭＳ専用セルを制御しているＭＣＥが複数となる。また、この場合、移動端末は、ＴＡ（ＭＢＭＳ）内の全てのＭＢＭＳ専用セルからのページング信号を受信せず、自移動端末が受信中もしくは受信しようとしているひとつまたは複数のＭＢＳＦＮエリアに属する、ＴＡ（ＭＢＭＳ）内のＭＢＭＳ専用セルからのページング信号を受信する。各ＭＢＳＦＮエリアで用いられるページンググループ数Ｋは、ＳＴ１７２８で、移動端末が受信中もしくは受信しようとしている各ＭＢＳＦＮエリアに属するＭＢＭＳ専用セルからＭＣＣＨにマッピングされて送信される。移動端末はＳＴ１７２９で該ページンググループ数Ｋを受信する。
【０３０８】
図６８[ｂ]に示すような、ひとつのセルが複数のＭＢＳＦＮエリアに属しており、複数のＭＢＳＦＮエリア内の任意のＭＢＭＳ専用セルによってトラッキングエリア（ＴＡ（ＭＢＭＳ））が構成されている場合にも、上記の方法は適用可能である。なお、この場合は、ページング信号あるいはパディング用コードをのせるチャネル構成として実施の形態７変形例に開示した方法が適用でき、ページング信号あるいはパディング用コードをPMCH上のページング信号ののる物理領域へマッピングする方法については、実施の形態１０で開示した方法が適用できる。
【０３０９】
上記の具体例では、移動端末のユニキャスト側のサービングセルと地理的に対応したＭＢＭＳ送信専用周波数レイヤのトラッキングエリアとするため、ＴＡ（ＭＢＭＳ）がＭＢＳＦＮエリア内の任意のＭＢＭＳ専用セルによって構成される方法について開示した。このため、本実施の形態で示したページング動作においては、ＳＴ１７４２〜ＳＴ１７４５、ＳＴ１７７６、ＳＴ１７７７にて移動端末が受信中もしくは受信しようとしているＭＢＳＦＮエリアＩＤ情報の送受信を必要としなかった。しかし、ＳＴ１７４２〜ＳＴ１７４５、ＳＴ１７７６、ＳＴ１７７７にて送受信される情報に、上記の具体例で示した情報に加えてさらに該ＭＢＳＦＮエリアＩＤを含めるようにしても良い。該ＭＢＳＦＮエリアＩＤを含めた場合、複数のＭＢＳＦＮエリア内の任意のＭＢＭＳ専用セルによってトラッキングエリア（ＴＡ（ＭＢＭＳ））が構成されている場合や、ひとつのセルが複数のＭＢＳＦＮエリアに属しており、複数のＭＢＳＦＮエリア内の任意のＭＢＭＳ専用セルによってトラッキングエリア（ＴＡ（ＭＢＭＳ））が構成されている場合において、さらにページング信号を送信するＭＢＭＳ専用セルを該ＭＢＳＦＮエリアＩＤのＭＢＳＦＮエリアに限定することが可能となる。
【０３１０】
ＳＴ１７７７でＭＢＳＦＮエリアＩＤ情報も含めたページングリクエストを受信したＭＣＥは、該ＭＢＳＦＮエリアＩＤにより、ページングリクエストをMBMS専用セルに送信するかどうかを判断できるようになり、制御が簡易化できる。該ＭＢＳＦＮエリアＩＤ内のＭＢＭＳ専用セルを制御するＭＣＥはMBMS専用セルに送信すると判断し、該ＭＣＥのみがＳＴ１７８０でページングリクエストをＭＢＭＳ専用セルに送信する。ページングリクエストをＭＢＭＳ専用セルを受信したMBMS専用セルは、ページング送信可否情報をもとに、図６７[ｂ]に示すＴＡ（ＭＢＭＳ）ナンバに含まれるＭＢＭＳ専用セルはページング信号を送信し、含まれないＭＢＭＳ専用セルはページング信号をではなくパディング用コードを送信する。このような方法とすることで、移動端末が受信中では無くかつ受信しようとしていないＭＢＳＦＮエリア内のセルはページング信号を送信しなくて良いことになるため、無駄な無線リソースの使用を削減でき、システム容量が増大するという効果が得られる。
【図面の簡単な説明】
【０３１１】
【図１】ＬＴＥ方式の通信システムの構成を示す説明図である。ＬＴＥ方式の通信システムの構成を示す説明図である。
【図２】ＬＴＥ方式の通信システムで使用される無線フレームの構成を示す説明図である。
【図３】ＭＢＳＦＮ（Multimedia Broadcast multicast service Single Frequency Network）フレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】ＭＢＳＦＮ同期エリアとＭＢＳＦＮエリアの関係を説明する説明図である。
【図８】Ｅ−ＭＢＭＳの論理構造（Logical Architecture）を説明する説明図である。
【図９】Ｅ−ＭＢＭＳのアーキテクチャ（Architecture）を説明する説明図である。
【図１０】本発明に係る移動体通信システムの全体的な構成を示すブロック図である。
【図１１】移動端末の構成を示すブロック図である。
【図１２】基地局の構成を示すブロック図である。
【図１３】ＭＭＥ（Mobility Management Entity）の構成を示すブロック図である。
【図１４】ＭＣＥ（Multi-cell/multicast Coordination Entity）の構成を示すブロック図である。
【図１５】ＭＢＭＳゲートウェイの構成を示すブロック図である。
【図１６】ＬＴＥ方式の通信システムにおいて移動端末がＭＢＭＳの利用開始及び利用修了までの処理の概略を示すフローチャートである。
【図１７】ユニキャスト側のセルセレクションを説明するフローチャートである。
【図１８】ＭＢＭＳサーチ処理を示すフローチャートである。
【図１９】ＭＢＭＳサービス選択処理を示すフローチャートである。
【図２０】ＭＢＭＳ側受信状況通知処理を示すフローチャートである。
【図２１】ユニキャスト側メジャメント処理を説明するフローチャートである。
【図２２】ＭＢＭＳ受信時における間欠受信処理を説明するフローチャートである。
【図２３】ＭＴＣＨ受信処理とＭＢＭＳ受信終了処理を示すフローチャートである。
【図２４】ユニキャスト側間欠受信処理、ＭＢＭＳ受信終了処理を示すフローチャートである。
【図２５】ＭＢＳＦＮ同期エリアを構成する複数のＭＢＳＦＮエリアを示す説明図である。
【図２６】ＭＢＳＦＮエリアが時分割多重された場合のＭＢＳＦＮ同期エリアの物理チャネルへのマッピング概念図である。
【図２７】ＭＢＳＦＮエリアが符号分割多重された場合のＭＢＳＦＮ同期エリアの物理チャネルへのマッピング概念図である。
【図２８】ＭＢＳＦＮ同期エリアを構成する複数のＭＢＳＦＮエリアを示す説明図であって、複数のＭＢＳＦＮエリアをカバーするＭＢＳＦＮエリアを示す説明図である。
【図２９】カバーしているＭＢＳＦＮエリアとカバーされているＭＢＳＦＮエリアが時分割多重され、カバーされているＭＢＳＦＮエリア間の多重方法は符号分割多重である場合のＭＢＳＦＮ同期エリアの物理チャネルへのマッピングを示す説明図である。
【図３０】移動端末へのＭＢＭＳデータの送信が停止され、移動端末でのＭＢＭＳデータの受信動作が停止する間欠受信期間と、間欠受信を行う周期である間欠受信周期の関係を示す説明図である。
【図３１】トラッキングエリアリストの詳細を説明する説明図である。
【図３２】ＭＢＭＳ送信専用周波数レイヤにおけるページング信号をマッピングするチャネル構成例である。
【図３３】ページング信号を物理マルチキャストチャネル（ＰＭＣＨ）上のページング信号ののる物理領域にマッピングする方法の一例を示す説明図である。
【図３４】ページング信号を物理マルチキャストチャネル（ＰＭＣＨ）上のページング信号ののる物理領域にマッピングする方法の一例を示す説明図である。
【図３５】カバーしているＭＢＳＦＮエリアとカバーされているＭＢＳＦＮエリアが時分割多重され、カバーされているＭＢＳＦＮエリア間の多重方法は符号分割多重である場合のＭＢＳＦＮ同期エリアの物理チャネルへのマッピングを示す説明図である。
【図３６】複数のＭＢＳＦＮエリアを含むＭＢＳＦＮエリアに制御情報を伝達するため、マルチキャスト制御チャネルにページング関連の信号をマッピングする方法を示す説明図である。
【図３７】受信中のマルチキャスト制御チャネルの品質を測定する処理を示すフローチャートである。
【図３８】移動端末の能力の概念を示す表である。
【図３９】ＭＢＳＦＮ（Multimedia Broadcast multicast service Single Frequency Network）エリア毎に設けられた物理マルチキャストチャネルの構成を示す説明図である。
【図４０】ＭＢＳＦＮ（Multimedia Broadcast multicast service Single Frequency Network）エリア毎に設けられた物理マルチキャストチャネルの構成を示す説明図である。
【図４１】ページング信号をのせた物理マルチキャストチャネル（PMCH）の構成を示す説明図である。
【図４２】ページング信号を物理マルチキャストチャネル上の領域にマッピングする方法を示す説明図である。
【図４３】ページング信号を物理マルチキャストチャネル（ＰＭＣＨ）上のページング信号ののる物理領域にマッピングする方法の一例を示す説明図である。
【図４４】ＭＢＳＦＮエリア毎に設けられたＰＭＣＨの構成を示す説明図である。
【図４５】ＭＢＳＦＮエリア内でマルチセル送信されるページング専用の物理チャネルの構成を示す説明図である。
【図４６】ＭＢＳＦＮサブフレームの構成を示す説明図である。
【図４７】ページング信号をページング専用チャネル（DPCH）にマッピングする方法を示す説明図である。
【図４８】ページング信号をページング専用チャネル（DPCH）にマッピングする方法を示す説明図である。
【図４９】ＭＢＳＦＮ同期エリア内でマルチセル送信される物理チャネル(メインPMCH)の構成を示す説明図である。
【図５０】メインＰＭＣＨが送信される無線フレームの構成について示す説明図である。
【図５１】同期チャネルＳＣＨと同じサブフレーム内でメインＰＭＣＨが送信される無線フレームの構成について示す説明図である。
【図５２】ページング信号用領域を設けたメインＰＭＣＨの構成を示す説明図である。
【図５３】ＭＢＳＦＮエリアもしくはＭＢＳＦＮ同期エリア内の一部のセルにページング信号を送信する方法を示す説明図である。
【図５４】ページング信号を送信しないセルで設けたセル毎のパディング用コードの例を示す説明図である。
【図５５】ページング送信セル識別用コードを用いる方法を示す説明図である。
【図５６】ＭＢＭＳ関連情報とページング信号をマルチキャスト制御チャネル（MCCH）に情報要素として乗せる場合のマッピング方法を示す説明図である。
【図５７】論理チャネルＰＣＣＨを論理チャネルＭＴＣＨ、ＭＣＣＨと多重してトランスポートチャネルＭＣＨに載せる場合のマッピング方法を示す説明図である。
【図５８】論理チャネルＰＣＣＨをトランスポートチャネルＰＣＨにのせ、論理チャネルＭＴＣＨとＭＣＣＨを多重してトランスポートチャネルＭＣＨにのせ、さらにＰＣＨとＭＣＨとを多重化して物理マルチキャストチャネルに乗せる場合のマッピング方法を示す説明図である。
【図５９】ページング信号を論理チャネルＰＣＣＨをトランスポートチャネルＰＣＨにのせ、論理チャネルＭＴＣＨとＭＣＣＨを多重してトランスポートチャネルＭＣＨにのせ、さらにＰＣＨをページング専用の物理チャネルに乗せる場合のマッピング方法を示す説明図である。
【図６０】ＭＢＳＦＮ同期エリア共通の物理チャネルとしてメインＰＭＣＨを設けた場合のマッピング方法を示す説明図である。
【図６１】ＤＲＸ期間も考慮に入れた場合の各セルにおけるＭＢＳＦＮエリア毎のＭＢＳＦＮサブフレーム構成を説明する図面である。
【図６２】実施の形態１１におけるＭＢＭＳ受信時間欠受信準備処理を説明するフローチャートである。
【図６３】実施の形態１１におけるＭＢＭＳ受信時における間欠受信処理を説明するフローチャートである。
【図６４】実施の形態１２におけるトラッキングエリアリストの詳細を説明する図面である。
【図６５】実施の形態１２におけるトラッキングエリアリストの詳細を説明する図面である。
【図６６】ひとつのＭＢＳＦＮエリア内の任意のＭＢＭＳ専用セルをトラッキングエリアとしたことを説明する図面である。
【図６７】実施の形態１３におけるトラッキングエリアリストの詳細を説明する図面である。
【図６８】複数のＭＢＳＦＮエリア内の任意のＭＢＭＳ専用セルによってトラッキングエリアが構成されていることを説明する図面である。
【符号の説明】
【０３１２】
１０１  移動端末、１０２  基地局、
１０３  ＭＭＥ（Mobility Management Entity）、
１０４  Ｓ−ＧＷ（Serving Gateway）
【図１】
0005157483.tif 000002
【図２】
0005157483.tif 000003
【図３】
0005157483.tif 000004
【図４】
0005157483.tif 000005
【図５】
0005157483.tif 000006
【図６】
0005157483.tif 000007
【図７】
0005157483.tif 000008
【図８】
0005157483.tif 000009
【図９】
0005157483.tif 000010
【図１０】
0005157483.tif 000011
【図１１】
0005157483.tif 000012
【図１２】
0005157483.tif 000013
【図１３】
0005157483.tif 000014
【図１４】
0005157483.tif 000015
【図１５】
0005157483.tif 000016
【図１６】
0005157483.tif 000017
【図１７】
0005157483.tif 000018
【図１８】
0005157483.tif 000019
【図１９】
0005157483.tif 000020
【図２０】
0005157483.tif 000021
【図２１】
0005157483.tif 000022
【図２２】
0005157483.tif 000023
【図２３】
0005157483.tif 000024
【図２４】
0005157483.tif 000025
【図２５】
0005157483.tif 000026
【図２６】
0005157483.tif 000027
【図２７】
0005157483.tif 000028
【図２８】
0005157483.tif 000029
【図２９】
0005157483.tif 000030
【図３０】
0005157483.tif 000031
【図３１】
0005157483.tif 000032
【図３２】
0005157483.tif 000033
【図３３】
0005157483.tif 000034
【図３４】
0005157483.tif 000035
【図３５】
0005157483.tif 000036
【図３６】
0005157483.tif 000037
【図３７】
0005157483.tif 000038
【図３８】
0005157483.tif 000039
【図３９】
0005157483.tif 000040
【図４０】
0005157483.tif 000041
【図４１】
0005157483.tif 000042
【図４２】
0005157483.tif 000043
【図４３】
0005157483.tif 000044
【図４４】
0005157483.tif 000045
【図４５】
0005157483.tif 000046
【図４６】
0005157483.tif 000047
【図４７】
0005157483.tif 000048
【図４８】
0005157483.tif 000049
【図４９】
0005157483.tif 000050
【図５０】
0005157483.tif 000051
【図５１】
0005157483.tif 000052
【図５２】
0005157483.tif 000053
【図５３】
0005157483.tif 000054
【図５４】
0005157483.tif 000055
【図５５】
0005157483.tif 000056
【図５６】
0005157483.tif 000057
【図５７】
0005157483.tif 000058
【図５８】
0005157483.tif 000059
【図５９】
0005157483.tif 000060
【図６０】
0005157483.tif 000061
【図６１】
0005157483.tif 000062
【図６２】
0005157483.tif 000063
【図６３】
0005157483.tif 000064
【図６４】
0005157483.tif 000065
【図６５】
0005157483.tif 000066
【図６６】
0005157483.tif 000067
【図６７】
0005157483.tif 000068
【図６８】
0005157483.tif 000069